(57)【特許請求の範囲】
【請求項１】
遊技領域が形成された遊技盤と、
前記遊技領域に向けて遊技球を発射する球発射装置と、
前記遊技領域内に分布して配置され、前記球発射装置により発射されて前記遊技領域内を流下する遊技球を誘導する複数の障害釘と、
遊技球が流入したことを第１事象の発生として検出する第１事象検出手段と、
遊技球が流入したことを前記第１事象とは別の第２事象の発生として検出する第２事象検出手段と、
前記遊技領域内を流下する遊技球が流入可能な流入口を有し、前記流入口に流入した遊技球を交互に振り分けることで、前記第１事象の発生の検出と前記第２事象の発生の検出とが交互に行われることを促進する球振り分け装置と、
前記第１事象検出手段により前記第１事象の発生が検出されると、所定の内部抽選に必要な第１抽選要素を取得する第１抽選要素取得手段と、
前記第２事象検出手段により前記第２事象の発生が検出されると、前記第１抽選要素とは別に前記内部抽選に必要な第２抽選要素を取得する第２抽選要素取得手段と、
前記第１抽選要素取得手段により取得された前記第１抽選要素及び前記第２抽選要素取得手段により取得された前記第２抽選要素をそれぞれ記憶する抽選要素記憶手段と、
前記抽選要素記憶手段により前記第１抽選要素又は前記第２抽選要素の少なくとも一方が記憶されている場合、その記憶された前記第１抽選要素又は前記第２抽選要素のいずれかを消費して前記内部抽選を実行する抽選実行手段と、
前記第１事象が発生する頻度と前記第２事象が発生する頻度とが同程度にある間に所定の条件が満たされると、前記第１事象が発生する頻度よりも前記第２事象が発生する頻度を高める頻度調整手段と、
前記第１事象が発生する頻度と前記第２事象が発生する頻度とが同程度にある同頻度状態で前記第２事象検出手段による前記第２事象の検出を介在することなく前記第１事象検出手段による前記第１事象の検出が所定回数以上連続して行われた場合、もしくは、前記同頻度状態で前記第１事象検出手段による前記第１事象の検出を介在することなく前記第２事象検出手段による前記第２事象の検出が所定回数以上連続して行われた場合は前記球振り分け装置が異常状態にあると判定し、前記球振り分け装置が異常状態にあるか否かの判定に際して前記頻度調整手段により前記第１事象が発生する頻度よりも前記第２事象が発生する頻度が高められている間は前記第２事象検出手段により連続して検出された毎回の前記第２事象を前記所定回数に含めないと判断する異常状態判定手段と
を備えることを特徴とする遊技機。
【請求項２】
請求項１に記載の遊技機において、
前記異常状態判定手段により、前記球振り分け装置が異常状態にあると判定された旨を外部に開示する開示手段をさらに備えることを特徴とする遊技機。
【請求項３】
請求項１又は２に記載の遊技機において、
前記異常状態判定手段は、
前記球振り分け装置が異常状態にあるか否かを判定するに際して、前記同頻度状態で前記第１事象検出手段により連続して検出された毎回の前記第１事象を前記所定回数に含めるか否か、もしくは、前記同頻度状態で前記第２事象検出手段により連続して検出された毎回の前記第２事象を前記所定回数に含めるか否かの判断を行うことを特徴とする遊技機。
【請求項４】
請求項３に記載の遊技機において、
前記異常状態判定手段は、
前記同頻度状態にある間は、前記第１事象検出手段により連続して検出された毎回の前記第１事象を前記所定回数に含めると判断するか、もしくは、前記第２事象検出手段により連続して検出された毎回の前記第２事象を前記所定回数に含めると判断することを特徴とする遊技機。
【請求項５】
請求項１から４のいずれかに記載の遊技機において、
前記第２事象の発生として検出される遊技球の流入について、閉位置にある非作動状態では前記遊技領域内を流下する遊技球の流入を困難にする一方、前記閉位置から開位置に向けて変位した作動状態では遊技球の流入を容易化する可動片と、
前記遊技領域内に設置され、前記遊技領域内を流下する遊技球が通過可能な始動ゲートと、
前記始動ゲートを遊技球が通過したことを契機として、前記可動片を前記閉位置から前記開位置に向けて作動させるか否かの作動抽選を実行する作動抽選実行手段と、
前記可動片を前記閉位置から前記開位置に向けて作動させる可動片作動手段とをさらに備え、
前記頻度調整手段は、
前記作動抽選実行手段による前記作動抽選の結果が当選に該当した条件を満たした場合、前記可動片作動手段により前記可動片を前記閉位置から前記開位置に向けて作動させることにより、前記第１事象が発生する頻度よりも前記第２事象が発生する頻度を高めることを特徴とする遊技機。
【請求項６】
請求項５に記載の遊技機において、
前記抽選実行手段による前記内部抽選で当選した場合、少なくとも通常当選種類又は特定当選種類のいずれに該当するかを合わせて決定する当選種類決定手段と、
前記内部抽選で当選し、かつ、前記当選種類決定手段により前記特定当選種類に該当すると決定されたことを契機として、前記作動抽選実行手段により実行される前記作動抽選に際して、標準的な確率で当選が得られる作動抽選低確率状態から、この作動抽選低確率状態に比較して高い確率で当選が得られる作動抽選高確率状態に移行させる作動抽選確率状態移行手段と、
前記作動抽選が実行されると、これを契機として普通図柄を所定の変動時間にわたって変動表示させた後に、前記作動抽選の結果を表す態様で前記普通図柄を停止表示させる普通図柄表示手段と、
前記内部抽選で当選し、かつ、前記当選種類決定手段により前記特定当選種類に該当すると決定されたことを契機として、前記普通図柄表示手段による前記普通図柄の変動時間は標準的な長さに設定される非時間短縮状態から、この非時間短縮状態よりも前記普通図柄の変動時間が短縮して設定される時間短縮状態に移行させる時間短縮状態移行手段とをさらに備え、
前記頻度調整手段は、
前記抽選実行手段による前記内部抽選の結果が当選に該当した条件、かつ、前記当選種類決定手段による決定の結果が前記特定当選種類に該当した条件を満たした場合、前記作動抽選確率状態移行手段により前記作動抽選高確率状態に移行させるか、もしくは、前記時間短縮状態移行手段により前記時間短縮状態に移行させるかの少なくとも一方を実行することにより、前記第１事象が発生する頻度よりも前記第２事象が発生する頻度を高めることを特徴とする遊技機。
【請求項７】
請求項１から６のいずれかに記載の遊技機において、
前記球振り分け装置内に流入した遊技球を前記第１事象の発生として検出される態様で前記遊技領域内へ放出したことを第１放出事象の発生として検出する第１放出事象検出手段と、
前記球振り分け装置内に流入した遊技球を前記第２事象の発生として検出される態様で前記遊技領域内へ放出したことを第２放出事象の発生として検出する第２放出事象検出手段と、
前記第２放出事象検出手段による前記第２放出事象の検出を介在することなく前記第１放出事象検出手段による前記第１放出事象の検出が所定回数以上連続して行われた場合、もしくは、前記第１放出事象検出手段による前記第１放出事象の検出を介在することなく前記第２放出事象検出手段による前記第２放出事象の検出が所定回数以上連続して行われた場合、前記球振り分け装置が異常状態にあると判定する放出事象異常状態判定手段とをさらに備えることを特徴とする遊技機。
【発明の詳細な説明】
【技術分野】
【０００１】
本発明は、複数の図柄に対応する入賞口に遊技球を振り分ける装置を備えた遊技機に関する。
【背景技術】
【０００２】
従来、遊技領域内に球振り分けユニットを配置しておき、遊技領域を流下する遊技球が流入口に流入すると、球振り分けユニットの内部で第１領域と第２領域とに遊技球を振り分ける先行技術が知られている（例えば、特許文献１参照。）。
【０００３】
球振り分けユニットは振分部材を有しており、この振分部材は遊技球を第１領域に向けて導く状態と第２領域に向けて導く状態とに変化する。特に先行技術では、流入口から流入した遊技球の自重によって振分部材の状態（姿勢）を交互に変化させているため、複雑な電気的制御を用いることなく、複数の領域に対して交互に遊技球を振り分けることができる。
【０００４】
また上記の球振り分けユニットは、第１領域、第２領域がそれぞれ第１始動口、第２始動口となっており、流入口に流入して球振り分けユニット内部で振り分けられた後の遊技球は、第１始動口センサ、第２始動口センサのいずれかを必ず通過して盤面の裏側へ回収される構造となっている。
【０００５】
このため、先行技術の球振り分けユニットを用いたパチンコ機では、球振り分けユニット内で第１始動口への入賞（交互振り分けによる入球）が発生すると第１抽選が実行されて第１図柄が変動し、また、球振り分けユニット内で第２始動口への入賞（交互振り分けによる入球）が発生すると第２抽選が実行されて第２図柄が変動する。このようなパチンコ機では、第１図柄による大当り抽選と第２図柄による大当り抽選とが偏りなく交互に行われるため、それぞれの記憶手段が持てる保留数（例えば各４個で合計８個）を最大限に活用して抽選による利益を遊技者に付与することができると考えられる。
【先行技術文献】
【特許文献】
【０００６】
【特許文献１】特開２０１０−１０４５６４号公報（段落００４５−００５３、図３，図４，図５）
【発明の概要】
【発明が解決しようとする課題】
【０００７】
しかしながら先行技術では、球振り分けユニット内で何らかのトラブルが発生し、遊技球の振り分け動作が第１領域又は第２領域のいずれか一方だけに偏ってしまうと、その後の大当り抽選が一方だけの図柄に限定されてしまう等、保留数を最大限に活用して抽選を実行するという球振り分けユニット本来の目的が達成できなくなってしまうという問題がある。
【０００８】
そこで本発明は、遊技球の振り分けに関する装置のトラブルを早期に判断することができる技術の提供を目的とする。
【課題を解決するための手段】
【０００９】
本発明は、上記の課題を解決するため以下の解決手段を採用する。
解決手段１：本発明の遊技機は、遊技者に相対する盤面に遊技領域が形成された遊技盤と、前記遊技領域に向けて遊技球を発射する球発射装置と、前記遊技領域内に分布して配置され、前記球発射装置により発射されて前記遊技領域内を流下する遊技球を無作為に誘導する複数の障害釘と、遊技球の流入が可能な状態で前記遊技領域内に配置された第１始動入賞口と、前記第１始動入賞口とは別に遊技球の流入が可能な状態で前記遊技領域内に配置された第２始動入賞口と、前記第１始動入賞口に遊技球が流入したことを第１事象の発生として検出する第１事象検出手段と、前記第２始動入賞口に遊技球が流入したことを前記第１事象とは別の第２事象の発生として検出する第２事象検出手段と、前記遊技領域内を流下する遊技球が無作為に流入可能な流入口を有し、前記流入口に流入した遊技球の放出先を前記第１始動入賞口側と前記第２始動入賞口側とに交互に振り分けることで、前記第１事象検出手段による前記第１事象の発生の検出と前記第２事象検出手段による前記第２事象の発生の検出とが交互に行われることを促進する球振り分け装置と、前記第１事象検出手段により前記第１事象の発生が検出されると、遊技者の利益に関わる内部抽選に必要な第１抽選要素を取得する第１抽選要素取得手段と、前記第２事象検出手段により前記第２事象の発生が検出されると、前記第１抽選要素とは別に前記内部抽選に必要な第２抽選要素を取得する第２抽選要素取得手段と、前記第１抽選要素取得手段により取得された前記第１抽選要素及び前記第２抽選要素取得手段により取得された前記第２抽選要素をそれぞれ規定数の範囲内で取得された順番に記憶する抽選要素記憶手段と、前記抽選要素記憶手段により前記第１抽選要素又は前記第２抽選要素の少なくとも一方が記憶されている場合、その記憶された前記第１抽選要素又は前記第２抽選要素のいずれかを記憶順に消費して前記内部抽選を実行する抽選実行手段と、前記第２事象検出手段による前記第２事象の検出を介在することなく前記第１事象検出手段による前記第１事象の検出が所定回数以上連続して行われた場合、もしくは、前記第１事象検出手段による前記第１事象の検出を介在することなく前記第２事象検出手段による前記第２事象の検出が所定回数以上連続して行われた場合、前記球振り分け装置が異常状態にあると判定する異常状態判定手段とを備える。
【００１０】
本発明の遊技機によれば、以下の流れで遊技が行われる。
（１）遊技者が球発射装置を操作することにより発射された遊技球は、障害釘に誘導されながら遊技領域内を流下する。遊技領域内には第１始動入賞口及び第２始動入賞口が配置されており、これら入賞口に遊技球が流入（入賞）することで遊技が進行していく。
（２）実際に第１始動入賞口や第２始動入賞口に遊技球が流入すると、遊技進行上でそれぞれ「第１事象」又は「第２事象」が発生する。これら「第１事象」又は「第２事象」が発生したかどうかは、第１事象検出手段又は第２事象検出手段により検出される。
（３）そして、遊技中に「第１事象」や「第２事象」が発生すると、それぞれ第１抽選要素又は第２抽選要素が取得される。第１抽選要素及び第２抽選要素は、取得された順番に記憶されていく。記憶数には上限があり、それぞれ規定数まで抽選要素の記憶が可能である。
（４）各抽選要素の記憶には「規定数」という上限があるが、本発明では各抽選要素の記憶を最大限に活用するため、遊技領域内に球振り分け装置を設けている。球振り分け装置は、流入口に流入した遊技球を第１始動入賞口と第２始動入賞口へ交互に振り分けることができる。これにより、流入口への毎回の流入に起因して第１事象と第２事象とが交互に発生することを促進することができる。このため、少なくとも球振り分け装置に遊技球が繰り返し流入する限りにおいて、第１抽選要素の記憶と第２抽選要素の記憶が交互に蓄積されていくことに期待することができる。
（５）取得・記憶された第１抽選要素及び第２抽選要素は内部抽選に用いられる。例えば、このうち第１抽選要素を用いて内部抽選が行われると、第１図柄が変動表示及び停止表示されて内部抽選の結果が表示され、第２抽選要素を用いて内部抽選が行われると、第２図柄が変動表示及び停止表示されて内部抽選の結果が表示される。
【００１１】
上記（１）〜（５）の流れで遊技が進行していくことにより、本発明では第１抽選要素の記憶と第２抽選要素の記憶をそれぞれ最大限（規定数分）まで活かして内部抽選を行うことができる。
【００１２】
ところが、上記（４）において球振り分け装置に何らかのトラブルが発生し、本来の振り分けの動作が正常に行われなくなると、その後の遊技の流れに偏りが生じてくる。例えば、第１抽選要素の記憶数は次々と蓄積されていくが、第２抽選要素の記憶数がほとんど蓄積されない等の状況である。
（６）そこで本発明では、球振り分け装置の挙動（振り分け動作から生じる結果）を監視することで、上記の問題を解消している。具体的には、いずれか一方の事象だけが連続して所定回数以上発生した場合、球振り分け装置に関連した異常状態等のエラーが発生したと判定する。
【００１３】
これにより、例えば、第１事象及び第２事象の発生がいずれか一方に集中するトラブルが発生した場合、球振り分け装置に関連した異常状態等のエラーが発生したと判定することにより、その後の対処（例えば、異常状態の原因の除去）につなげることができる。
【００１４】
なお上記の判定は、何らかの特別な検出装置（センサ）等を設置して行う必要はなく、各事象検出手段による検出結果に基づいて行うことができる。各事象検出手段は、第１始動入賞口や第２始動入賞口に遊技球が流入したことを検出するものであり、これらは遊技進行上で必要となる要素である。したがって本発明では、特段の検出装置（センサ）等を用いることなく、新たな機能（異常状態判定手段）を実現しているところに独自の有用性がある。
本発明の遊技機によれば、各始動入賞口に入賞する遊技球を検出する第１始動入賞口スイッチ、及び、第２始動入賞口スイッチからの検出信号をそれぞれカウントし、カウント値が連続して所定回数以上である場合、球振り分け装置が異常状態にあると判定することができる。球振り分け装置が異常状態にあると判定した場合、球振り分け装置において異常が検出されたことを外部に迅速に報知することができ、異常な状態が発生したことを遊技者や遊技場の係員にすぐに認識させることができる。また、遊技者に対して、必要以上に遊技の進行が滞ってしまうのを防止することができ、不信感を与えるのを防止することができる。
また、第１特別図柄に関する入賞を検出するための第１始動入賞口スイッチ、及び、第２特別図柄に関する入賞を検出するための第２始動入賞口スイッチを使用するため、遊技進行を制御するプログラムを簡易化することができる。すなわち、球振り分け装置内に設置する検出装置ではなく、入賞検出処理で使用する入賞検出信号を球振り分け装置の異常検出信号として使用するため、共通の処理ルーチンの中でそれぞれの処理を実行することができ、大きな負担を制御処理にかけなくすることができる。
さらに、球振り分け装置内の球噛み、一方の始動入賞口への入賞を偏らせる回転体の不都合、針金等の不正部材により球振り分け装置への不正行為等を極力防止することができる。同時に、不正行為を摘発できる可能性が向上し、ひいては防犯性の向上を図ることができる。
また、球振り分け装置内のスイッチを使用すると、より一層確実に球振り分け装置における異常状態を判定することができる。
【００１５】
解決手段２：本発明の遊技機は、解決手段１において、異常状態判定手段により、前記球振り分け装置が異常状態にあると判定された旨を外部に開示する開示手段をさらに備える。
【００１６】
本解決手段によれば、球振り分け装置に関連した異常状態等のエラーが発生したと判定された場合、その旨が外部に開示（報知）される、すなわち、遊技者や遊技場の係員にその旨を認識させることができる。
【００１７】
これにより、遊技者や遊技場の係員に対しては、第１事象と第２事象とが交互に発生しない遊技状態にあることを認識させると共に、異常状態から回復させるための迅速な対処を促すことができる。
【００１８】
解決手段３：本発明の遊技機は、解決手段１又は解決手段２において、異常状態判定手段は、前記球振り分け装置が異常状態にあるか否かを判定するに際して、前記第１事象検出手段により連続して検出された毎回の前記第１事象を前記所定回数に含めるか否か、もしくは、前記第２事象検出手段により連続して検出された毎回の前記第２事象を前記所定回数に含めるか否かの判断を行う。
【００１９】
本解決手段によれば、球振り分け装置に関する異常状態等のエラーが発生したか否かの判定は、第１事象又は第２事象が連続して発生した回数をカウントすることによって行っている。ここで、この第１事象又は第２事象の発生については、球振り分け装置から放出されずに、第１始動入賞口又は第２始動入賞口に遊技球が直接流入して発生することもある。すなわち、球振り分け装置とは関係なく、第１始動入賞口や第２始動入賞口に遊技球が流入することで発生する事象（第１事象又は第２事象）もあり得る。そのような球振り分け装置とは関係のない事象を連続して発生した回数にカウントしてしまうと、球振り分け装置に関する異常状態等のエラーが発生したか否かを正確に判定することができなくなる。そこで、第１事象又は第２事象が発生した場合、それが本当に連続して発生した回数としてカウントしてもよい事象であるか否かを判断することで、球振り分け装置に関連しない事象の発生を除外することができ、エラー判定の正確性を向上することができる。
【００２０】
解決手段４：本発明の遊技機は、解決手段３において、前記第１始動入賞口への遊技球の流入により前記第１事象が発生する頻度と前記第２始動入賞口への遊技球の流入により前記第２事象が発生する頻度とが同程度にある間に所定の条件が満たされると、前記第１事象が発生する頻度よりも前記第２事象が発生する頻度を高める頻度調整手段をさらに備え、前記異常状態判定手段は、前記第１始動入賞口への遊技球の流入により前記第１事象が発生する頻度と、前記第２始動入賞口への遊技球の流入により前記第２事象が発生する頻度とが同程度にある間は、前記第１事象検出手段により連続して検出された毎回の前記第１事象を前記所定回数に含めると判断するか、もしくは、前記第２事象検出手段により連続して検出された毎回の前記第２事象を前記所定回数に含めると判断する。
【００２１】
本解決手段の遊技機には、以下の特徴が追加される。
（１）所定の条件が満たされない場合、第１始動入賞口への遊技球の流入により第１事象が発生する頻度と第２始動入賞口への遊技球の流入により第２事象が発生する頻度とが同程度な状態にされる。
（２）所定の条件が満たされた場合、第１事象が発生する頻度よりも第２事象が発生する頻度を高めた状態にされる。
ここで「所定の条件」は、例えば第２始動入賞口が可変式の入賞装置（普通電動役物等）である場合に、入賞装置を作動させるための条件とすることができる。入賞装置の作動により、例えば第２始動入賞口の開口幅がそれまでより拡大され、球振り分け装置以外からも遊技球が流入しやすくなることで、結果的に第２始動入賞口へ遊技球が流入する（第２事象の発生）頻度が高められることになる。
【００２２】
本解決手段の遊技機によれば、上記（１）で所定の条件が満たされていない場合、球振り分け装置以外から第２始動入賞口へ遊技球が流入しやすい状況ではないので、この間に発生した第１事象又は第２事象は、いずれも連続して発生した回数にカウントしてもよいと判断される。その結果、所定回数以上の連続した事象が検出された場合、それは球振り分け装置から遊技球が一方の始動入賞口に偏って放出されていると考えられるため、球振り分け装置が異常状態にあると判定することができる。
【００２３】
解決手段５：本発明の遊技機は、解決手段４において、前記異常状態判定手段は、前記頻度調整手段により前記第１事象が発生する頻度よりも前記第２事象が発生する頻度が高められている間は前記第２事象検出手段により連続して検出された毎回の前記第２事象を前記所定回数に含めないと判断する。
【００２４】
本解決手段の遊技機によれば、上記解決手段４における（２）で所定の条件が満たされた場合、球振り分け装置以外から第２始動入賞口へ遊技球が流入しやすい状況になるので、この間に発生した第２事象は連続して発生した回数にカウントしないと判断される。これにより、球振り分け装置に関係なく発生した第２事象をカウントから除外しつつ、純粋に球振り分け装置に起因して発生した第２事象だけをカウントに含めることができる。その結果、所定回数以上の連続した第２事象が検出された場合、それは球振り分け装置から遊技球が第２始動入賞口に偏って放出されていると考えられるため、球振り分け装置が異常状態にあると正しく判定することができる。
【００２５】
解決手段６：本発明の遊技機は、解決手段５において、閉位置にある非作動状態では前記遊技領域内を流下する遊技球の前記第２始動入賞口への流入を困難にする一方、前記閉位置から開位置に向けて変位した作動状態では遊技球の前記第２始動入賞口への流入を容易化する可動片と、前記遊技領域内に設置され、前記遊技領域内を流下する遊技球が無作為に通過可能な始動ゲートと、前記始動ゲートを遊技球が通過したことを契機として、前記可動片を前記閉位置から前記開位置に向けて作動させるか否かの作動抽選を実行する作動抽選実行手段と、前記可動片を前記閉位置から前記開位置に向けて作動させる可動片作動手段とをさらに備え、前記頻度調整手段は、前記作動抽選実行手段による前記作動抽選の結果が当選に該当した条件を満たした場合、前記可動片作動手段により前記可動片を前記閉位置から前記開位置に向けて作動させることにより、前記第１事象が発生する頻度よりも前記第２事象が発生する頻度を高める。
【００２６】
本解決手段の遊技機には、以下の特徴が追加される。
（１）遊技盤面の遊技領域内に配置された始動ゲートを遊技球が通過すると、作動抽選が実行される。なお、この作動抽選が実行されると、普通図柄が変動表示及び停止表示されて作動抽選の結果が表示される。
（２）作動抽選の結果当選した場合、第２始動入賞口への入賞頻度に関連する可動片を閉位置から開位置に向けて作動させる。
（３）可動片が閉位置から開位置に向けて作動された場合、第２始動入賞口の開口幅がそれまでより拡大され、球振り分け装置以外からも遊技球が流入しやすくなる。結果的に第２始動入賞口へ遊技球が流入する（第２事象の発生）頻度が高められることになる。
【００２７】
上記（３）の場合、球振り分け装置に関係なく第２始動入賞口に遊技球が流入する可能性が高いため、この間に発生した第２事象は、球振り分け装置の異常を判定する際のカウントから除外する必要がある。このため本解決手段では、可動片が閉位置から開位置に向けて作動する条件となる作動抽選の結果を監視することで、発生した第２事象が球振り分け装置に振り分けられて発生した事象であるか否かを判断することとしている。これにより、異常状態の判断に正確性を持たせることができる。
【００２８】
解決手段７：本発明の遊技機は、解決手段６において、前記抽選実行手段による前記内部抽選で当選した場合、少なくとも通常当選種類又は特定当選種類のいずれに該当するかを合わせて決定する当選種類決定手段と、前記内部抽選で当選し、かつ、前記当選種類決定手段により前記特定当選種類に該当すると決定されたことを契機として、前記作動抽選実行手段により実行される前記作動抽選に際して、標準的な確率で当選が得られる作動抽選低確率状態から、この作動抽選低確率状態に比較して高い確率で当選が得られる作動抽選高確率状態に移行させる作動抽選確率状態移行手段と、前記作動抽選が実行されると、これを契機として普通図柄を所定の変動時間にわたって変動表示させた後に、前記作動抽選の結果を表す態様で前記普通図柄を停止表示させる普通図柄表示手段と、前記内部抽選で当選し、かつ、前記当選種類決定手段により前記特定当選種類に該当すると決定されたことを契機として、前記普通図柄表示手段による前記普通図柄の変動時間は標準的な長さに設定される非時間短縮状態から、この非時間短縮状態よりも前記普通図柄の変動時間が短縮して設定される時間短縮状態に移行させる時間短縮状態移行手段と、をさらに備え、前記頻度調整手段は、前記抽選実行手段による前記内部抽選の結果が当選に該当した条件、かつ、前記当選種類決定手段による決定の結果が前記特定当選種類に該当した条件を満たした場合、前記作動抽選確率状態移行手段により前記作動抽選高確率状態に移行させるか、もしくは、前記時間短縮状態移行手段により前記時間短縮状態に移行させるかの少なくとも一方を実行することにより、前記第１事象が発生する頻度よりも前記第２事象が発生する頻度を高める。
【００２９】
本解決手段の遊技機には、以下の特徴が追加される。
（１）内部抽選の結果当選した場合、通常当選種類又は特定当選種類のいずれかに決定される。
（２）特定当選種類に決定された場合、例えば、ある所定の時間、第１図柄が変動表示され、その後、特定当選種類の態様で第１図柄が停止表示される。なお、通常当選種類に決定された場合、例えば、ある所定の時間、第１図柄が変動表示され、その後、通常当選種類の態様で第１図柄が停止表示される。
（３）特定当選種類の態様で図柄が停止表示された後、遊技者に非常に有利な特別な遊技状態に移行される。例えば、短時間で大量の賞球が得られる遊技状態に移行される。なお、通常当選種類の態様で図柄が停止表示された後でも、遊技者に非常に有利な特別な遊技状態に移行される。
【００３０】
（４）特定当選種類に決定されていた場合、特別な遊技状態が終了した後、作動抽選低確率状態から作動抽選高確率状態に移行される。
（５）また、特定当選種類に決定されていた場合、特別な遊技状態が終了した後、非時間短縮状態から時間短縮状態に移行される。
ここで、特別な遊技状態が終了した後の上記（４）及び（５）の状態への移行は、いずれか片方の状態への移行だけでもよく、双方の状態へ移行してもよい。
【００３１】
（６）上記（４）において、作動抽選高確率状態に移行された場合、作動抽選に当選しやすくなるため、可動片が閉位置から開位置に向けての作動が発生しやすくなる。また、それに伴い、球振り分け装置以外から第２始動入賞口への流入がしやすくなることから、結果的に第２始動入賞口へ遊技球が流入する（第２事象の発生）頻度が高められることになる。
（７）また、上記（５）において、時間短縮状態に移行された場合、作動抽選が頻繁に実行され、作動抽選に当選しやすくなるため、上記（６）と同様になる。
【００３２】
そこで、作動抽選高確率状態に移行された場合、又は、時間短縮状態に移行された場合、球振り分け装置以外から第２始動入賞口へ遊技球が流入しやすい状況であるため、発生した第２事象は連続して発生した回数にカウントしないと判断される。これにより、球振り分け装置に関連しない第２事象の発生を除外することができる。
【００３３】
解決手段８：本発明の遊技機は、解決手段１から解決手段７のいずれかにおいて、前記球振り分け装置内に流入した遊技球を前記第１始動入賞口に向けて前記遊技領域内へ放出したことを第１放出事象の発生として検出する第１放出事象検出手段と、前記球振り分け装置内に流入した遊技球を前記第２始動入賞口に向けて前記遊技領域内へ放出したことを第２放出事象の発生として検出する第２放出事象検出手段と、前記第２放出事象検出手段による前記第２放出事象の検出を介在することなく前記第１放出事象検出手段による前記第１放出事象の検出が所定回数以上連続して行われた場合か、もしくは、前記第１放出事象検出手段による前記第１放出事象の検出を介在することなく前記第２放出事象検出手段による前記第２放出事象の検出が所定回数以上連続して行われた場合、前記球振り分け装置が異常状態にあると判定する放出事象異常状態判定手段とをさらに備える。
【００３４】
本解決手段によれば、本発明の遊技機において以下の特徴が追加される。
（１）球振り分け装置により振り分けられた遊技球が遊技領域内に放出されると、遊技進行上でそれぞれ「第１放出事象」又は「第２放出事象」が発生する。なお、第１始動入賞口に向けて放出され発生する放出事象が「第１放出事象」に対応し、第２始動入賞口に向けて放出され発生する放出事象が「第２放出事象」に対応する。また、これら「第１放出事象」又は「第２放出事象」が発生したかどうかは、球振り分け装置内の放出口付近に備えられた、第１放出事象検出手段又は第２放出事象検出手段により検出される。
【００３５】
（２）これら各放出口検出手段による放出事象の発生を検出することで、球振り分け装置に何らかのトラブルが発生しているか否かを判定することができる。具体的には、いずれかの一方の放出事象だけが連続して所定回数以上発生した場合、球振り分け装置に関連した異常状態等のエラーが発生したと判定する。
【００３６】
これにより、例えば、第１事象及び第２事象の発生がいずれか一方に集中するトラブルが発生した場合、球振り分け装置に関連した異常状態等のエラーが発生したと判定することにより、その後の対処（例えば、異常状態の原因の除去）につなげることができる。
【００３７】
なお、上記の各放出口検出手段による検出結果に基づく球振り分け装置に関するエラー判定は、各事象検出手段による検出結果に基づいて行われるエラー判定をさらに補強（バックアップ）するものとなる。これにより、判定結果の信頼性をさらに高めることができる。
【００３８】
解決手段９：本発明の遊技機は、解決手段８において、前記放出事象異常状態判定手段は、前記頻度調整手段により前記第１事象が発生する頻度よりも前記第２事象が発生する頻度が高められている間は、前記異常状態判定手段とは別に前記球振り分け装置が異常状態にあるか否かを判定する。
【００３９】
ここで、第２事象が発生する頻度が高められている間に発生した第２事象について、上記の各事象検出手段による検出結果に基づいて行われる球振り分け装置に関するエラー判定では、連続して発生した回数にカウントしないと判断していた。これは、球振り分け装置以外から第２始動入賞口へ遊技球が流入しやすい状況にあるとして、球振り分け装置に関連しない第２事象の発生を除外するためであった。しかしながら、放出事象検出手段により検出される放出事象は全て球振り分け装置に関連するものであるため、第２事象が発生する頻度が高められている間であっても、球振り分け装置が異常状態にあるか否かを判定することができる。これにより、各事象検出手段による検出結果に基づいて行われる球振り分け装置に関するエラー判定で対処できない状況においても、球振り分け装置の挙動（振り分け動作から生じる結果）を監視することができる。
【００４０】
解決手段１０：本発明の遊技機は、解決手段９において、前記放出事象異常状態判定手段は、前記可動片作動手段により前記可動片が前記閉位置から前記開位置に向けて作動されている間、前記作動抽選確率状態移行手段により前記作動抽選高確率状態に移行されている間、又は、変動時間移行手段により前記時間短縮状態に移行されている間であっても、前記異常状態判定手段とは別に前記球振り分け装置が異常状態にあるか否かを判定することができる。
【００４１】
解決手段１１：本発明の遊技機は、解決手段８から解決手段１０のいずれかにおいて、前記球振り分け装置が有する前記流入口に遊技球が流入したことを中間事象の発生として検出する中間事象検出手段と、前記第１又は第２放出事象検出手段による前記第１又は第２放出事象の検出を介在することなく前記中間事象検出手段による前記中間事象の検出が所定回数以上連続して行われた場合、前記中間事象検出手段による前記中間事象の検出を介在することなく前記第１又は第２放出事象検出手段による前記第１又は第２放出事象の検出が所定回数以上連続して行われた場合、又は、前記中間事象検出手段により前記中間事象の発生が検出された時点と、前記第１放出事象検出手段により前記第１放出事象の発生が検出された時点、もしくは、前記第２放出事象検出手段により前記第２放出事象の発生が検出された時点、の差が所定時間以上である場合、前記球振り分け装置が異常状態にあると判定する中間事象異常状態判定手段とをさらに備える。
【００４２】
本解決手段によれば、本発明の遊技機において以下の特徴が追加される。
（１）遊技領域内から球振り分け装置に遊技球が流入すると、遊技進行上で「中間事象」が発生する。この「中間事象」が発生したかどうかは、球振り分け装置内の流入口付近に備えられた、中間事象検出手段により検出される。
【００４３】
（２）この中間事象検出手段による中間事象の発生を検出、及び、各放出事象検出手段による放出事象の発生を検出に基づいて、下記の（ａ）〜（ｃ）いずれかの状態が発生していた場合、球振り分け装置に何らかのトラブルが発生していると判定することができる。
（ａ）第１又は第２放出事象の発生の検出が間に挟まれることなく、中間事象検出手段により中間事象の発生が所定回数以上連続して検出された場合
（ｂ）中間事象検出手段により中間事象の発生が検出されていないにもかかわらず、第１又は第２放出事象の発生が所定回数以上連続して検出された場合
（ｃ）中間事象検出手段により中間事象の発生が検出されてから所定時間経過したにもかかわらず、第１又は第２放出事象の発生が検出されない場合
【００４４】
例えば、（ａ）の状態は、具体的には、球振り分け装置内に遊技球が停留してしまい放出されない状態になり、その後連続して遊技球が流入した状態が考えられる。
また、（ｂ）の状態は、具体的には、球振り分け装置の流入口付近で遊技球が停留してしまい、球振り分け装置に遊技球が流入することができない状態になり、始動口付近の釘で跳ね返った遊技球が放出口から球振り分け装置に流入した状態が考えられる。
また、（ｃ）の状態は、具体的には、球振り分け装置内に遊技球が停留してしまい放出されない状態になり、その後所定時間経過した状態が考えられる。
【００４５】
このように、中間事象検出手段及び各放出事象検出手段による検出に基づき、上記の状態が発生しているか否かを判定することによって、球振り分け装置にどのような異常状態が発生したかを正確に判定することができる。また、各事象検出手段による検出に基づいたエラー判定とは別に行うことができるため、球振り分け装置に関する異常状態等のエラーが発生したか否かを常時判定することができ、判定結果の信頼性をさらに高めることができる。
【発明の効果】
【００４６】
本発明の遊技機によれば、球振り分け装置が異常状態にあると判定することができる。
【図面の簡単な説明】
【００５０】
【図１】パチンコ機の正面図である。
【図２】パチンコ機の背面図である。
【図３】遊技盤を単独で示す正面図である。
【図４】遊技盤の一部を複数箇所について拡大して示す正面図である。
【図５】第１構造例の球振り分け装置の動作原理について説明する図である（１／２）。
【図６】第１構造例の球振り分け装置の動作原理について説明する図である（２／２）。
【図７】第２構造例の球振り分け装置を配置した遊技盤を単独で示した正面図である。
【図８】第２構造例の球振り分け装置を単独で示す正面図（Ａ）及び部分断面図（Ｂ）である。
【図９】第２構造例の球振り分け装置の構成をより詳細に示す分解斜視図である。
【図１０】第２構造例の球振り分け装置の構成をより詳細に示す分解斜視図である。
【図１１】第２構造例の球振り分け装置における遊技球の流下態様を示す斜視図である。
【図１２】第２構造例の球振り分け装置の動作原理について説明する図である（１／２）。
【図１３】第２構造例の球振り分け装置の動作原理について説明する図である（２／２）。
【図１４】球振り分け装置の内部構造を示す縦断面図（図１３中のＸＩＶ−ＸＩＶ線に沿う断面図）である。
【図１５】パチンコ機に装備された各種の電子機器類を示すブロック図である。
【図１６】リセットスタート処理の手順例を示すフローチャート（１／２）である。
【図１７】リセットスタート処理の手順例を示すフローチャート（２／２）である。
【図１８】電源断発生チェック処理の手順例を具体的に示すフローチャートである。
【図１９】割込管理処理の手順例を示すフローチャートである。
【図２０】球振り分けエラー判定処理の手順例を示すフローチャートである。
【図２１】球振り分けエラー報知指示処理の手順例を示すフローチャートである。
【図２２】スイッチ入力イベント処理の手順例を示すフローチャートである。
【図２３】第１特別図柄記憶更新処理の手順例を示すフローチャートである。
【図２４】第２特別図柄記憶更新処理の手順例を示すフローチャートである。
【図２５】取得時演出判定処理の手順例を示すフローチャートである。
【図２６】特別図柄遊技処理の構成例を示すフローチャートである。
【図２７】特別図柄変動前処理の手順例を示すフローチャートである。
【図２８】はずれ時変動パターン選択テーブルの一例を示す図である。
【図２９】特別図柄の変動時間について説明する図である。
【図３０】第１特別図柄大当り時停止図柄選択テーブルの構成列を示す図である。
【図３１】第２特別図柄大当り時停止図柄選択テーブルの構成列を示す図である。
【図３２】１５ラウンド大当り当選時変動パターン選択テーブルの一例を示す図である。
【図３３】特別図柄記憶エリアシフト処理の手順例を示すフローチャートである。
【図３４】特別図柄停止表示中処理の手順例を示すフローチャートである。
【図３５】表示出力管理処理の構成例を示すフローチャートである。
【図３６】可変入賞装置管理処理の構成例を示すフローチャートである。
【図３７】大入賞口開放パターン設定処理の手順例を示すフローチャートである。
【図３８】大入賞口開閉動作処理の手順例を示すフローチャートである。
【図３９】大入賞口閉鎖処理の手順例を示すフローチャートである。
【図４０】終了処理の手順例を示すフローチャートである。
【図４１】特別図柄の変動表示及び停止表示に対応させた演出画像の例を示す連続図である。
【図４２】「１５ラウンド通常図柄」の大当り（当選）時に実行されるリーチ演出の流れを示す連続図である。
【図４３】球振り分け装置に異常が発生した際の演出画像の例を示す連続図である（１／５）。
【図４４】球振り分け装置に異常が発生した際の演出画像の例を示す連続図である（２／５）。
【図４５】球振り分け装置に異常が発生した際の演出画像の例を示す連続図である（３／５）。
【図４６】球振り分け装置に異常が発生した際の演出画像の例を示す連続図である（４／５）。
【図４７】球振り分け装置に異常が発生した際の演出画像の例を示す連続図である（５／５）。
【図４８】演出制御処理の手順例を示すフローチャートである。
【図４９】作動記憶演出管理処理の手順例を示すフローチャートである。
【図５０】演出図柄管理処理の手順例を示すフローチャートである。
【図５１】演出図柄変動前処理の手順例を示すフローチャートである。
【図５２】報知演出管理処理の手順例を示すフローチャートである。
【図５３】エラー報知指示テーブルの一例を示す図である。
【図５４】第２実施形態におけるスイッチ入力イベント処理の手順例を示すフローチャートである。
【図５５】第２実施形態における第１特別図柄連続入賞判定処理の手順例を示すフローチャートである。
【図５６】第２実施形態における第２特別図柄連続入賞判定処理の手順例を示すフローチャートである。
【図５７】第３実施形態における球振り分け装置の構成をより詳細に示す正面図である。
【図５８】第３実施形態におけるパチンコ機に装備された各種の電子機器類を示すブロック図である。
【図５９】第３実施形態における割込管理処理の手順例を示すフローチャートである。
【図６０】第３実施形態における中間事象判定処理の手順例を示すフローチャートである。
【図６１】第４実施形態における中間事象判定処理の手順例を示すフローチャートである（１／２）。
【図６２】第４実施形態における中間事象判定処理の手順例を示すフローチャートである（２／２）。
【発明を実施するための形態】
【００５１】
以下、本発明の実施形態について、図面を参照しながら説明する。
図１は、パチンコ遊技機（以下、「パチンコ機」と略称する。）１の正面図である。また図２は、パチンコ機１の背面図である。パチンコ機１は、遊技球を遊技媒体として用いるものであり、遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１及び図２を参照して遊技機の全体構成について説明する。
【００５２】
〔遊技機の全体構成〕
パチンコ機１は、その本体として主に外枠アセンブリ２、ガラス枠ユニット４、受け皿ユニット６及びプラ枠アセンブリ７（遊技機枠）を備えている。このうち外枠アセンブリ２は、木材を縦長の矩形状に組み合わせた構造体であり、この外枠アセンブリ２は、遊技場内の島設備（図示されていない）に対してねじ等の締結具を用いて固定されるものである。
【００５３】
その他のガラス枠ユニット４や受け皿ユニット６、プラ枠アセンブリ７は外枠アセンブリ２を介して島設備に取り付けられ、これらはそれぞれ図示しないヒンジ機構を介して開閉式に動作する。図示しないヒンジ機構の開閉軸線は、パチンコ機１の正面からみて左側端部に沿って垂直方向に延びている。
【００５４】
図１中の正面からみてプラ枠アセンブリ７の右側縁部（図２では左側縁部）には、その内側に統一錠ユニット９が設けられている。また、これに対応してガラス枠ユニット４及び外枠アセンブリ２の右側縁部（裏側）にも、それぞれ図示しない施錠具が設けられている。図１に示されるように、外枠アセンブリ２に対してガラス枠ユニット４及びプラ枠アセンブリ７が閉じた状態で、その裏側にある統一錠ユニット９は施錠具とともにガラス枠ユニット４及びプラ枠アセンブリ７の開放を不能にしている。
【００５５】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動してプラ枠アセンブリ７とともにガラス枠ユニット４及び受け皿ユニット６の開放が可能な状態となる。これら全体を外枠アセンブリ２から前面側へ開放する（扉のように動かす）と、前面側にてパチンコ機１の裏側が露出することになる。
【００５６】
一方、シリンダ錠６ａを反時計回りに捻ると、プラ枠アセンブリ７は施錠されたままでガラス枠ユニット４の施錠だけが解除され、ガラス枠ユニット４が開放可能となる。ガラス枠ユニット４を前面側へ開放すると遊技盤８が直に露出し、この状態で遊技場の管理者が盤面内での球詰まり等の障害を取り除くことができる。またガラス枠ユニット４を開放すると、受け皿ユニット６のロック機構（図示していない）が露出する。この状態でロック機構を解除すると、受け皿ユニット６をプラ枠アセンブリ７に対して前面側へ開放することができる。
【００５７】
またパチンコ機１は、遊技用ユニットとして遊技盤８を備えている。遊技盤８は、ガラス枠ユニット４の背後（内側）で上記のプラ枠アセンブリ７に支持されている。遊技盤８は、例えばガラス枠ユニット４を前面側へ開放した状態でプラ枠アセンブリ７に対して着脱可能である。ガラス枠ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせたものである。ガラスユニットは、ガラス枠ユニット４の裏側に図示しないヒンジ機構を介して開閉式に取り付けられる。遊技盤８の前面には遊技領域８ａ（盤面）が形成されており、この遊技領域８ａは窓４ａを通じて前面側から遊技者に視認可能である。ガラス枠ユニット４が閉じられると、ガラスユニットの内面と遊技盤面との間に遊技球が流下できる空間が形成される。
【００５８】
受け皿ユニット６は、全体的に外枠アセンブリ２から前面側へ突出した形状をなしており、その上面に上皿６ｂが形成されている。この上皿６ｂには、遊技者に貸し出された遊技球（貸球）や入賞により獲得した遊技球（賞球）を貯留することができる。また受け皿ユニット６には、上皿６ｂの下段位置に下皿６ｃが形成されている。この下皿６ｃには、上皿６ｂが満杯の状態でさらに払い出された遊技球が貯留される。なお本実施形態のパチンコ機１はいわゆるＣＲ機（ＣＲユニットに接続する機種）であり、遊技者が借り受けた遊技球は、賞球とは別に裏側の払出装置ユニット１７２から受け皿ユニット６（上皿６ｂ又は下皿６ｃ）に払い出される。
【００５９】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため貸出操作部１４の上面には度数表示部（図示されていない）が配置されており、この度数表示部には、ＣＲユニットに投入されている有価媒体の残存度数が表示される。なお遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００６０】
また、受け皿ユニット６の前面には、上段位置にある上皿６ｂの手前に上皿球抜きレバー６ｄが設置されており、そして下皿６ｃの手前でその中央部には下皿球抜きボタン６ｅが設置されている。遊技者は上皿球抜きレバー６ｄを例えば左方向へスライドさせることで、上皿６ｂに貯留された遊技球を下皿６ｃへ流下させることができる。また遊技者は、下皿球抜きボタン６ｅを例えば押し込み操作することで、下皿６ｃに貯留された遊技球を下方へ落下させて排出することができる。排出された遊技球は、例えば図示しない球受け箱等に受け止められる。
【００６１】
受け皿ユニット６の右下部には、グリップユニット１６が設置されている。遊技者はこのグリップユニット１６を操作することで発射制御基板セット１７４を作動させ、遊技領域８ａに向けて遊技球を発射する（打ち込む）ことができる（球発射装置）。発射された遊技球は、遊技盤８の左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。
【００６２】
〔枠前面の構成〕
ガラス枠ユニット４には、演出用の構成要素としてガラス枠トップランプ４６，４８やガラス枠サイドランプ５０がガラスユニット（参照符号なし）を取り巻くようにして複数の箇所に設置されている。また、受け皿ユニット６には受け皿ランプ５２が設置されており、この受け皿ランプ５２とガラス枠トップランプ４６，４８及びガラス枠サイドランプ５０とは、外見上、パチンコ機１の前面において一体的につながっているかのようにデザインされている。
【００６３】
上述した各種ランプ４６〜５２は、例えば内蔵するＬＥＤの発光（点灯や点滅、輝度階調の変化、色調の変化等）により演出を実行する。またガラス枠ユニット４の上部には、左右一対のガラス枠上スピーカ５４とその中央にガラス枠中スピーカ５５が内蔵されており、そして受け皿ユニット６には、下皿６ｃの右側に受け皿スピーカ５６が内蔵されている。これらスピーカ５４，５５，５６は、効果音やＢＧＭ、音声等（音響全般）を出力して演出を実行するものである。
【００６４】
また受け皿ユニット６の中央には、上皿６ｂの手前位置に演出切替ボタン４５（操作入力受付手段）が設置されている。遊技者は、この演出切替ボタン４５を操作することで演出内容（例えば液晶表示器４２に表示される背景画面）を切り替えたり、例えば図柄の変動中や大当りの確定表示中、あるいは大当り遊技中に何らかの演出（各種の予告演出、確変昇格演出等）を発生させたりすることができる。
【００６５】
〔裏側の構成〕
図２に示されているように、パチンコ機１の裏側には、電源制御ユニット１６２や主制御基板ユニット１７０、払出装置ユニット１７２、流路ユニット１７３、発射制御基板セット１７４、払出制御基板ユニット１７６、裏カバーユニット１７８等が設置されている。この他にパチンコ機１の裏側には、パチンコ機１の電源系統や制御系統を構成する各種の電子機器類（図示しない制御コンピュータを含む）や外部端子板１６０、電源コード（電源プラグ）１６４、アース線（アース端子）１６６、図示しない接続配線等が設置されている。なお、電子機器類については別のブロック図（図１５）に基づいてさらに後述する。
【００６６】
上記の払出装置ユニット１７２は、例えば賞球タンク１７２ａ及び賞球ケース（参照符号なし）を有しており、このうち賞球タンク１７２ａはプラ枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６に向けて案内する。
【００６７】
また上記の外部端子板１６０は、パチンコ機１を外部の電子機器（例えばデータ表示装置、ホールコンピュータ等）に接続するためのインタフェースであり、この外部端子板１６０からは、パチンコ機１の遊技進行状態やメンテナンス状態等を表す各種の外部情報信号（例えば賞球情報、扉開放情報、図柄確定回数情報、大当り情報、始動口情報、エラー検出情報等）が外部の電子機器に向けて出力されるものとなっている。
【００６８】
電源コード１６４は、例えば遊技場の島設備に設置された電源装置（例えばＡＣ２４Ｖ）に接続されることで、パチンコ機１の動作に必要な電源（電力）を確保するものである。またアース線１６６は、同じく島設備に設置されたアース端子に接続されることで、パチンコ機１のアース（接地）を確保するものである。
【００６９】
〔盤面の構成〕
図３は、遊技盤８を単独で示した正面図である。遊技領域８ａ内には、始動ゲート２０や普通入賞口２２，２４、右始動入賞口２６（第１事象発生手段、第１始動入賞口）、可変始動入賞装置２８（左始動入賞口２８ａ（第２事象発生手段、第２始動入賞口）、頻度調整手段）、可変入賞装置３０、球振り分け装置２００（事象発生促進手段）等が設置されている。遊技領域８ａ内に放り込まれた遊技球は、その流下の過程で無作為に始動ゲート２０を通過したり、球振り分け装置２００を通過したり、あるいは、普通入賞口２２，２４や右始動入賞口２６、可変始動入賞装置２８に入賞（入球）したりする。始動ゲート２０を通過した遊技球は続けて遊技領域８ａ内を流下するが、入賞した遊技球は遊技板に形成された貫通穴を通じて遊技盤８の裏側へ回収される。
【００７０】
なお、図３には図示していないが、各始動入賞口２６、２８ａから遊技盤８の裏側へ回収される貫通穴（誘導路）の始動入賞口近辺には、遊技球を検出する始動入賞口スイッチが装備されている。例えば、右始動入賞口２６には右始動入賞口スイッチ（第１事象検出手段）、左始動入賞口２８ａには左始動入賞口スイッチ（第２事象検出手段）が装備されている。
【００７１】
なお、上記の可変始動入賞装置２８は、所定の条件が満たされた場合（普通図柄が当りの態様で停止表示された場合）に作動し、それに伴って左始動入賞口２８ａ（第２事象発生手段、第２始動入賞口）への入賞を容易化する（普通電動役物）。可変始動入賞装置２８は、例えば左右一対の可動片２８ｂ（頻度調整手段）を有しており、これら可動片２８ｂは、例えば図示しないソレノイドを用いたリンク機構の働きにより、盤面に沿って左右方向に往復動作する。すなわち、図示のように先端が上を向いた状態で左右の可動片２８ｂは閉位置（閉状態）にあり、このとき左始動入賞口２８ａへの入賞は容易化されていない（遊技球が流入できる開口幅が狭められた状態）となっている。なお、このとき入賞は容易化されていないが、入賞の発生自体は可能な状態である。すなわち、左右一対の可動片２８ｂの上方には流入路２８ｃ及び２本の障害釘（命釘）が配置されており、２本の障害釘（参照符号なし）の間から流入路２８ｃに流入した遊技球は、流入路２８ｃ内を流下して左始動入賞口２８ａへ入賞することができる。
【００７２】
一方、可変始動入賞装置２８が作動すると、左右の可動片２８ｂはそれぞれ閉位置から開放位置に向けて変位（拡開）し、左始動入賞口２８ａの開口幅を左右に拡大する（開状態）。この間に可変始動入賞装置２８は遊技球の流入が容易化された状態となり、非作動時と比較して左始動入賞口２８ａへの入賞を容易に発生させる（開状態）。なお、非作動時又は作動時のいずれであるかに関わらず、遊技盤８に設置されている障害釘の配列（ゲージ）は、基本的に可変始動入賞装置２８に向けて遊技球の流下を案内しやすい態様となっているが、必ず遊技球が可変始動入賞装置２８に流入するというわけではなく、あくまで流入は無作為に発生する。
【００７３】
ここで、球放出路４０ｆの下方部分であって、可変始動入賞装置２８及び右始動入賞口２６の上方部分には、球振り分け装置２００が配置されている。なお、球振り分け装置２００の構造の詳細及び動作については後述する。
【００７４】
また上記の可変入賞装置３０は、規定の条件が満たされた場合（特別図柄が非当選以外の態様で停止表示された場合）に作動し、大入賞口（参照符号なし）への入賞を可能にする（特別電動役物、特別入賞事象発生手段）。可変入賞装置３０は、演出ユニット４０の上端部の左側に配置された装置であり（いわゆる上方アタッカー）、例えば１つの開閉部材３０ａを有している。この開閉部材３０ａは、例えば図示しないソレノイドを用いたリンク機構の働きにより、閉位置から開放位置に向けて変位する。図示のように先端が上を向いた状態（演出ユニット４０と連続している状態）で開閉部材３０ａは閉位置（閉止状態）にあり、このとき大入賞口への入賞は常に不能（大入賞口は閉塞中）である。可変入賞装置３０が作動すると、開閉部材３０ａがその下端縁部分をヒンジとして左方へ倒れ込むようにして変位し、大入賞口を開放する（開放状態）。この間に可変入賞装置３０は遊技球の流入が不能ではない状態となり、大入賞口への入賞という事象を発生させることができる。なお、このとき開閉部材３０ａは大入賞口への遊技球の流入を案内する部材としても機能する。大入賞口に入賞した遊技球は、カウントスイッチ８４を通過して入賞を検出された後、回収通路（参照符号なし）を通じて遊技盤８の裏側へ回収される。
【００７５】
また遊技盤８には、その中央位置から右側部分にかけて演出ユニット４０が設置されている。演出ユニット４０は、その上縁部４０ａが遊技球の流下方向を変化させる案内部材として機能する他、その内側に各種の装飾部品４０ｂ，４０ｃを備えている。装飾部品４０ｂ，４０ｃはその立体的な造形により遊技盤８の装飾性を高めるとともに、例えば内蔵された発光器（ＬＥＤ等）により透過光を発することで、演出的な動作をすることができる。また演出ユニット４０の内側には液晶表示器４２（画像表示器）が設置されており、この液晶表示器４２には特別図柄に対応させた演出図柄をはじめ、各種の演出画像が表示される。このように遊技盤８は、その盤面の構成（図示しないセル板のデザイン）や演出ユニット４０の装飾性に基づいて、遊技者にパチンコ機１の特徴を印象付けている。なお、遊技盤８にベニヤ板でなく透明板（例えばアクリル板）を用いる場合、透明板の前面や背後に配置された各種の装飾体（可動体や発光体を含む）による装飾性が付加される。
【００７６】
演出ユニット４０の左側縁部には球案内通路４０ｄが形成されており、その下縁部には転動ステージ４０ｅが形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４０ｅ上に放出される。転動ステージ４０ｅの上面は滑らかな湾曲面を有しており、ここでは遊技球が左右方向に転動自在である。転動ステージ４０ｅ上で転動した遊技球は、やがて下方の遊技領域８ａ内に流下する。転動ステージ４０ｅの中央位置には球放出路４０ｆが形成されており、このとき転動ステージ４０ｅから球放出路４０ｆに流下した遊技球は、その真下にある球振り分け装置２００に流入しやすくなる。その他に演出ユニット４０には、演出用の可動体（例えばキャラクターのフィギュア、装飾物等）とともに駆動源（例えばモータ、ソレノイド等）が付属していてもよい。演出用の可動体は、液晶表示器４２による画像を用いた演出や発光器による演出に加えて、有形物の動作を伴う演出を実行することができる。これら可動体を用いた演出により、二次元の画像を用いた演出とは別の訴求力を発揮することができる。
【００７７】
その他、遊技領域８ａ内にはアウト口３２が形成されており、入賞しなかった遊技球は最終的にアウト口３２を通じて遊技盤８の裏側へ回収される。また、右始動入賞口２６や可変始動入賞装置２８、可変入賞装置３０に入賞した遊技球も含めて、遊技領域８ａ内に打ち込まれた全ての遊技球は遊技盤８の裏側へ回収される。回収された遊技球は、図示しないアウト通路アセンブリを通じてパチンコ機１の裏側から枠外へ排出され、さらに図示しない島設備の補給経路に合流する。
【００７８】
また遊技盤８には、例えば窓４ａ内の右下位置に普通図柄表示装置３３（普通図柄表示手段）と普通図柄作動記憶ランプ３３ａが設けられている他、第１特別図柄表示装置３４（第１図柄表示手段）、第２特別図柄表示装置３５（第２図柄表示手段）、第１特別図柄作動記憶ランプ３４ａ、第２特別図柄作動記憶ランプ３５ａ及び遊技状態表示装置３８が設けられている（普通図柄表示手段、特別図柄表示手段、抽選要素記憶手段）。このうち普通図柄表示装置３３は、例えば２つのランプ（ＬＥＤ）を交互に点灯させて普通図柄を変動表示し、そしてランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。
【００７９】
図４は、遊技盤８の一部を複数箇所（窓４ａ内の右下位置及び液晶表示器４２の直下位置）について拡大して示す正面図である。このうち図４中（Ａ）は、第１特別図柄や第２特別図柄を含む遊技状態の表示が行われる箇所を拡大して示している。また図４中（Ｂ）は、上記の球振り分け装置２００（第１構造例）を拡大して示している。
【００８０】
図４中（Ａ）：先ず第１特別図柄表示装置３４及び第２特別図柄表示装置３５は、例えばそれぞれ７セグメントＬＥＤ（ドット付き）により特別図柄の変動状態と停止状態とを表示することができる（図柄表示手段）。また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせで構成される表示態様により、それぞれ０〜４個の記憶数を表示する（記憶数表示手段）。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、そして２つのランプをともに点滅させた表示態様では記憶数４個を表示する、といった具合である。
【００８１】
第１特別図柄作動記憶ランプ３４ａは、上記の右始動入賞口２６に遊技球が流入するごとに、入賞が発生したことを記憶する意味で１個ずつ増加後の表示態様へと変化していき（最大４個まで）、その入賞を契機として特別図柄の変動が開始されるごとに１個ずつ減少後の表示態様へと変化していく。また第２特別図柄作動記憶ランプ３５ａは、上記の可変始動入賞装置２８（左始動入賞口２８ａ）に遊技球が流入するごとに、入賞が発生したことを記憶する意味で１個ずつ増加後の表示態様へと変化し（最大４個まで）、その入賞を契機として特別図柄の変動が開始されるごとに１個ずつ減少後の表示態様へと変化する。なお本実施形態では、第１特別図柄作動記憶ランプ３４ａが未点灯（記憶数が０個）の場合、第１特別図柄が既に変動開始可能な状態（停止表示時）で右始動入賞口２６に遊技球が流入しても表示態様は変化しない。また第２特別図柄作動記憶ランプ３５ａが未点灯（記憶数が０個）の場合、第２特別図柄が既に変動開始可能な状態（停止表示時）で可変始動入賞装置２８（左始動入賞口２８ａ）に遊技球が流入しても表示態様は変化しない。すなわち、各特別図柄作動記憶ランプ３４ａ，３５ａの表示態様により表される記憶数（最大４個）は、その時点で未だ第１特別図柄又は第２特別図柄の変動が開始されていない入賞の回数を表している。
【００８２】
また遊技状態表示装置３８には、例えば大当り種別表示ランプ３８ａ，３８ｂ、確率変動状態表示ランプ３８ｃ、時短状態表示ランプ３８ｄにそれぞれ対応する４つのＬＥＤが含まれている。なお本実施形態では、上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８が１枚の統合表示基板８９に実装された状態で遊技盤８に取り付けられている。
【００８３】
〔球振り分け装置（第１構造例）〕
図４中（Ｂ）：第１構造例の球振り分け装置２００は、遊技状態にかかわらず右始動入賞口２６での入賞（第１事象）及び可変始動入賞装置２８（左始動入賞口２８ａ）での入賞（第２事象）が交互に発生することを促進する装置である。
【００８４】
球振り分け装置２００は、遊技球が１つ通過し得る程度の幅を有する振分誘導路２０１を備えている。振分誘導路２０１は、トンネル状の構造であり、１つの流入口２０２に対して２つの出口（第１放出口２０４及び第２放出口２０３）が形成されている。したがって、流入口２０２に流入した遊技球は、第１放出口２０４又は第２放出口２０３のいずれかへと導かれる。振分誘導路２０１は、透明な部材で構成されており、その内部での遊技球の視認性は確保されている。
【００８５】
振分誘導路２０１の中央部分には、円柱形状の空間が形成されており、その空間には風車形の回転体２０５が配置されている。回転体２０５は、その中心軸から放射状に延びた３つの羽部材２０５ａ，２０５ｂ，２０５ｃを有している。回転体２０５は、電気的又はその他の動力による動作を行うものではなく、遊技球が羽部材２０５ａ，２０５ｂ，２０５ｃに衝突することにより回転する。
【００８６】
ここで、回転体２０５の下方部分の振分誘導路２０１（第２放出口２０３と第１放出口２０４の中間付近）には、回転体２０５の回転を規制する２つの突起部２０６ａ，２０６ｂが設けられている。そして、これら突起部２０６ａ，２０６ｂに羽部材２０５ａ，２０５ｂが接触することにより、回転体２０５の回転が規制される。
【００８７】
なお、球振り分け装置２００内には遊技球が通過したことを検出するスイッチを設置してもよい。例えば、流入口２０２付近の誘導路に流入口スイッチ（中間事象検出手段）を設置することによって、球振り分け装置２００に遊技球が流入したことを検出することができる。また、第２放出口２０３付近の振分誘導路２０１に第２放出口スイッチ（第２放出事象検出手段）を設置し、第１放出口２０４付近の振分誘導路２０１に第１放出口スイッチ（第１放出事象検出手段）を設置することによって、球振り分け装置２００から遊技球が放出されたことを検出することができる。なお、流入口スイッチや放出口スイッチ等を設置した場合の実施形態（第３，第４実施形態）については後述する。
【００８８】
図５及び図６は、第１構造例の球振り分け装置２００の動作原理について説明する図である。図５は可変始動入賞装置２８（左始動入賞口２８ａ）への入賞を促進する態様で遊技球が振り分けられる場合の状態を示しており、図６は右始動入賞口２６への入賞を促進する態様で遊技球が振り分けられる場合の状態を示している。
【００８９】
〔可変始動入賞装置２８（左始動入賞口２８ａ）側への振り分け〕
図５中（Ａ）に示すように、最初の状態では、回転体２０５の羽部材２０５ｂが右側の突起部２０６ｂと接触している状態である。
この状態で遊技球３００が流入口２０２に流入すると、回転体２０５における羽部材２０５ａと羽部材２０５ｃとの間に遊技球３００が入り込み、遊技球３００の重みによって回転体２０５が左回り（反時計回り）に回転する。
【００９０】
そして、図５中（Ｂ）に示すように、回転体２０５が左回りに回転することにより、遊技球３００が第２放出口２０３に導かれ、遊技球３００が可変始動入賞装置２８側へ振り分けられる。回転体２０５の羽部材２０５ａは、左側の突起部２０６ａに接触することにより、そこで回転体２０５の回転が規制される。
【００９１】
第２放出口２０３は下向きに開口しており、この開口端から可変始動入賞装置２８の上方に配置された一対の障害釘（命釘）までの距離Ｄは、例えば遊技球３００の直径より僅かに大きく設定されている。したがって、可変始動入賞装置２８側へ振り分けられた遊技球３００は、そのまま可変始動入賞装置２８（左始動入賞口２８ａ）に入賞する場合もあるし、一対の障害釘（命釘）に弾かれて可変始動入賞装置２８に入賞しない場合もある。また、遊技領域８ａ内の障害釘の状態によっては球振り分け装置２００を経由せずに、可変始動入賞装置２８（左始動入賞口２８ａ）に入賞する遊技球３００もある。なお、左始動入賞口２８ａとその上方の障害釘との間にある流入路２８ｃは、上記のように単なるゲート状の誘導体である。
【００９２】
なお流入路２８ｃは、可変始動入賞装置２８の非作動時において、一対の障害釘とともに左始動入賞口２８ａの開口幅Ｗ１を通常の大きさに規定しており、この場合の開口幅Ｗ１は遊技球３００の直径より僅かに大きく設定されている（例えば直径の百数％程度）。また、可変始動入賞装置２８の作動時には、上記のように一対の可動片２８ｂが幅方向に開放されるため、左始動入賞口２８ａの開口幅Ｗ２（一対の可動片２８ｂの先端間隔に相当）は通常よりも拡張される。また、ここでは流入路２８ｃの大きさをある程度縦方向に長く（右始動入賞口２６の縦寸法と同程度）設定した形態を例に挙げているが、流入路２８ｃの縦寸法は遊技球３００の直径より小さく設定されていてもよい。
【００９３】
〔右始動入賞口２６側への振り分け〕
上述したように、可変始動入賞装置２８（左始動入賞口２８ａ）側への振り分けが行われた場合には、回転体２０５の羽部材２０５ａが左側の突起部２０６ａと接触している状態となる。
【００９４】
図６中（Ａ）に示すように、この状態で遊技球３００が流入口２０２に流入すると、回転体２０５における羽部材２０５ｂと羽部材２０５ｃとの間に遊技球３００が入り込み、遊技球３００の重みによって今度は回転体２０５が右回り（時計回り）に回転する。
【００９５】
そして、図６中（Ｂ）に示すように、回転体２０５が右回りに回転することにより、遊技球３００が第１放出口２０４に導かれ、遊技球３００が右始動入賞口２６側へ振り分けられる。回転体２０５の羽部材２０５ｂは、右側の突起部２０６ｂに接触することにより、そこで回転体２０５の回転が規制される。
【００９６】
第１放出口２０４も同様に下向きに開口しており、この開口端から右始動入賞口２６の上方に配置された一対の障害釘（命釘）までの距離Ｄもまた、例えば遊技球３００の直径より僅かに大きく設定されている。したがって、右始動入賞口２６側へ振り分けられた遊技球は、上述した可変始動入賞装置２８（左始動入賞口２８ａ）と同様に、そのまま右始動入賞口２６に入賞する場合もあるし、右始動入賞口２６の上方の釘に弾かれて右始動入賞口２６に入賞しない場合もある。また、遊技領域８ａ内に配置された他の障害釘の状態によっては球振り分け装置２００を経由せずに、右始動入賞口２６に入賞する遊技球３００もある。
【００９７】
本実施形態では、このような球振り分け装置２００を採用しているため、右始動入賞口２６での入賞（第１事象）及び可変始動入賞装置２８（左始動入賞口２８ａ）での入賞（第２事象）が比較的高頻度で交互に発生することを促進することができる。ただし、球振り分け装置２００は右始動入賞口２６で発生し得る無作為な入賞と、可変始動入賞装置２８（右始動入賞口２６）で発生し得る無作為な入賞とを交互に促進するものであり、必ず交互に入賞させる態様で振り分け動作を行うものではない。
【００９８】
すなわち、球振り分け装置２００による第１放出口２０４からの遊技球３００の放出は、右始動入賞口２６での無作為な入賞が発生する機会を付与する動作（第１機会付与動作）である。また、球振り分け装置２００による第２放出口２０３からの遊技球３００の放出は、左始動入賞口２８ａでの無作為な入賞が発生する機会を付与する動作（第２機会付与動作）である。そして、右始動入賞口２６や左始動入賞口２８ａでは、球振り分け装置２００による振り分けの動作とは無関係にそれぞれ遊技領域８ａ内からの入賞が無作為に発生し得るため、右始動入賞口２６での入賞の発生が連続することもあり得るし、左始動入賞口２８ａでの入賞の発生が連続することもあり得る。
【００９９】
〔球振り分け装置（第２構造例）〕
次に、第２構造例の球振り分け装置２００について説明する。
図７は、第１構造例に代えて第２構造例の球振り分け装置２００を配置した遊技盤８を単独で示した正面図である。第２構造例の球振り分け装置２００も同様に、球放出路４０ｆの下方部分であって、可変始動入賞装置２８及び右始動入賞口２６の上方部分に配置されている。なお、ここでは球振り分け装置２００の構造以外で遊技盤８の構成に大きな変更はない。
【０１００】
図８は、第２構造例の球振り分け装置２００を単独で示す正面図（Ａ）及び部分断面図（Ｂ）である。以下、第１構造例（図４中（Ｂ）等）と対比しつつ説明する。なお、以下の説明中で第１構造例と共通する要素には同じ符号を付している。
【０１０１】
第２構造例の球振り分け装置２００は、例えばフロントパーツ２００ａ及びリヤパーツ２００ｂを有しており、これら２つのパーツ２００ａ，２００ｂが球振り分け装置２００の本体部分（装置本体）を主に構成している。このうちリヤパーツ２００ｂは、遊技盤８の板材（例えばベニヤ板、透明樹脂板）に対してその一部を嵌め込んだ状態で取り付けられる。すなわちリヤパーツ２００ｂは、その大部分が盤面に沿って拡がったプレート状をなしているが、両端部分にはそれぞれ、盤面の奧方向へ突出した部分（図８では示さず）が一体に形成されている。これら突出部分は、遊技盤８の板材に形成された貫通孔（図示していない）に嵌め込まれている。またリヤパーツ２００ｂは、遊技盤８に取り付けられた状態でプレート状の部分が盤面に沿って広がり、盤面の一部を装飾する。
【０１０２】
フロントパーツ２００ａは、例えば透明樹脂材料で構成されており、その内部には盤面に沿って左右方向に延びる振分誘導路２０１が形成されている。またフロントパーツ２００ａの内部には、振分誘導路２０１の中央位置に回転体２０５が配置されている。回転体２０５の形状は第１構造例と異なっているが、その主な機能（遊技球３００の重みによって時計回り、反時計回りに回転しながら交互に遊技球３００を振り分ける機能）は同じである。
【０１０３】
フロントパーツ２００ａはリヤパーツ２００ｂの前面に取り付けられ、この状態で両パーツ２００ａ，２００ｂの上部位置に流入口２０２が形成されている。なお第２構造例においても、流入口２０２は上向きに開口している。
【０１０４】
第２構造例の球振り分け装置２００は、第１放出口２０４及び第２放出口２０３の形態が第１構造例と異なっている。すなわち、第１構造例では第１放出口２０４及び第２放出口２０３が下向きに開放していたが、第２構造例の場合、第１放出口２０４及び第２放出口２０３がいずれも前面に向けて開放している。したがって第２構造例の場合、第１放出口２０４及び第２放出口２０３の各開口面が遊技盤８の前面（盤面）と平行に配置されている。
【０１０５】
前面向きの第１放出口２０４及び第２放出口２０３を形成するため、第２構造例の球振り分け装置２００には、正面視で縦型の整流誘導路２０８，２０９が形成されている。これら整流誘導路２０８，２０９は、振分誘導路２０１の両端にそれぞれ連なり、そこから盤面の奥側へ向けて屈曲されている。そして各整流誘導路２０８，２０９は、盤面の奧で下方に潜り込み、さらに盤面の前面側へ折り返すようにして反転している。そして第１放出口２０４及び第２放出口２０３は、各整流誘導路２０８，２０９が反転した終端（開放端）に位置している。なお整流誘導路２０８，２０９は、上述したリヤパーツ２００ｂの各突出部分に形成されている。
【０１０６】
図９及び図１０は、第２構造例の球振り分け装置２００の構成をより詳細に示す分解斜視図である。このうち図９は球振り分け装置２００を斜め上前方から示し、図１０は球振り分け装置２００を斜め上後方から示している。
【０１０７】
上記のように球振り分け装置２００は、その装置本体を構成するフロントパーツ２００ａ及びリヤパーツ２００ｂを有しており、これら２つのパーツ２００ａ，２００ｂは前後方向（図中Ｚ軸方向）に組み合わせられる。このとき回転体２０５はフロントパーツ２００ａとリヤパーツ２００ｂとの間に挟み込まれるようにして配置され、各パーツ２００ａ，２００ｂにピン接合された状態で回転自在に支持される。
【０１０８】
なお回転体２０５には、例えば１つの羽部材２０５ｃにリンクロッド２０５ｄが形成されており、このリンクロッド２０５ｄは、回転体２０５の回転軸線に沿って奧方向へ突出している。これに対してリヤパーツ２００ｂには挿通孔２００ｅが形成されており、フロントパーツ２００ａ及びリヤパーツ２００ｂに回転体２０５が支持された状態で、リンクロッド２０５ｄは挿通孔２００ｅ内に挿入されるものとなっている。
【０１０９】
ここで、第２構造例の球振り分け装置２００は節度機構を有しており、節度機構は上記のリンクロッド２０５ｄの他に、梃子部材２０５ｅ及びカウンタウエイト２０５ｆを組み合わせて構成されている。また、リヤパーツ２００ｂの背面にはケース体２００ｃが取り付けられており、節度機構を構成する部品はこのケース体２００ｃに収容されるものとなっている。
【０１１０】
上記の梃子部材２０５ｅは、リヤパーツ２００ｂ及びケース体２００ｃにそれぞれピン接合された状態で、例えば回転体２０５と同じ回転軸線上にて回転自在に支持される。このとき回転体２０５のリンクロッド２０５ｄが挿通孔２００ｅを通じて後方に突出し、その突出端にて梃子部材２０５ｅの一端部（短アーム）に接合されるものとなっている。梃子部材２０５ｅの他端部（長アーム）には、その長手方向に沿って長孔（参照符号なし）が形成されており、この長孔内にカウンタウエイト２０５ｆの一端がスライダ接合されるものとなっている。カウンタウエイト２０５ｆもまたリヤパーツ２００ｂ及びケース体２００ｃにそれぞれピン接合され、その下端ピン（参照符号なし）を軸線として回転自在に支持される。
【０１１１】
このような節度機構は、回転体２０５が時計回り又は反時計回りのいずれかに回転し、羽部材２０５ａ，２０５ｂのいずれかが突起部２０６ａ，２０６ｂに接触して回転が規制されると、この状態で回転体２０５に節度を付与（姿勢を保持）することができる。具体的には、回転体２０５の回転が規制されると、梃子部材２０５ｅが左右いずれかに傾斜した姿勢となるが、このときカウンタウエイト２０５ｆによって梃子部材２０５ｅが中立姿勢（直立姿勢）に復元しようとする動きが抑えられる。これにより、回転体２０５は遊技球３００を振り分けた後の姿勢に保持されることになる。
【０１１２】
なお、節度機構による回転体２０５の姿勢の保持は、突起部２０６ａ，２０６ｂと接触していない方の羽部材２０５ａ，２０５ｂに対して遊技球３００の荷重が加わると解除される。すなわち節度機構は、遊技球３００の荷重に抗してまで回転体２０５の姿勢を保持することはないため、その振り分け動作が阻害されることはない。
【０１１３】
図９に示されているように、リヤパーツ２００ｂの突出部分２００ｄは中空をなしており、この中空の内部に上記の整流誘導路２０８，２０９が形成されている。また図１０に示されているように、フロントパーツ２００ａには左右の突出部分２００ｄに相対して一対の傾斜板２０１ａが形成されており、フロントパーツ２００ａがリヤパーツ２００ｂに組み合わされると、各傾斜板２０１ａの先端部分はそれぞれ対応する突出部分２００ｄの内部に張り出した状態となる。
【０１１４】
各傾斜板２０１ａは、振分誘導路２０１の左右両端に連なって形成されている。振分誘導路２０１は、中央位置から左右両端の方向に向かって下り傾斜し、それぞれ終端に段差が設けられている。そして各傾斜板２０１ａは、振分誘導路２０１の左右両端より一段下がった位置から盤面の奧方向（後方：図中Ｚ軸方向）に向かって下り傾斜している。
【０１１５】
また図１０に示されているように、フロントパーツ２００ａの内部には、振分誘導路２０１の左右両端に各傾斜板２０１ａが連なる隅角部にコーナーリブ２０１ｂが形成されている。コーナーリブ２０１ｂは隅角部に沿う円弧形状をなしており、その円弧面にて遊技球３００の方向変換を案内することができる。
【０１１６】
〔遊技球の流下態様〕
図１１は、第２構造例の球振り分け装置２００における遊技球の流下態様を示す斜視図である。なお図１１では煩雑化を防止するため、外観上で表出していない構成要素については図示を省略している。
【０１１７】
図１１中（Ａ）：例えば、回転体２０５の羽部材２０５ａが突起部２０６ａに接触した姿勢にあり、この状態で流入口２０２を通じて遊技球３００が球振り分け装置２００に流入すると、回転体２０５が正面視で時計回り方向に回転し、遊技球３００は正面視で振分誘導路２０１の右方向に誘導される。そして、遊技球３００が振分誘導路２０１の右終端から段差を介して傾斜板２０１ａ上に転動すると、コーナーリブ２０１ｂに案内されて遊技盤８の奧方向へ転動する。そして、遊技球３００は傾斜板２０１ａの下り傾斜によって整流誘導路２０９内に進入し、盤面に対して直交する軸線（図中Ｚ軸線）に沿ってＵターン（反転）すると、第１放出口２０４を通じて前方へ放出される。
【０１１８】
図１１中（Ｂ）：あるいは、回転体２０５の羽部材２０５ｂが突起部２０６ｂに接触した姿勢にあり、この状態で流入口２０２を通じて遊技球３００が球振り分け装置２００に流入すると、今度は回転体２０５が正面視で反時計回り方向に回転し、遊技球３００は正面視で振分誘導路２０１の左方向へ誘導される。そして、遊技球３００が振分誘導路２０１の左終端から段差を介して傾斜板２０１ａ上に転動すると、コーナーリブ２０１ｂに案内されて遊技盤８の奧方向に転動する。そして、遊技球３００は傾斜板２０１ａの下り傾斜によって整流誘導路２０９内に進入し、盤面に対して直交する軸線（図中Ｚ軸線）に沿ってＵターン（反転）すると、第２放出口２０３を通じて前方へ放出される。
【０１１９】
上記いずれの場合についても、遊技球３００の荷重によって節度機構による回転体２０５の姿勢保持は解除される。また、遊技球３００を振り分けたことで回転体２０５の回転が規制されると、節度機構が働いて回転体２０５の姿勢が保持される。
【０１２０】
図１２及び図１３は、第２構造例の球振り分け装置２００の動作原理について説明する図である。このうち図１２は可変始動入賞装置２８（左始動入賞口２８ａ）への入賞を促進する態様で遊技球が振り分けられる場合の状態を示しており、図１３は右始動入賞口２６への入賞を促進する態様で遊技球が振り分けられる場合の状態を示している。
【０１２１】
〔可変始動入賞装置２８（左始動入賞口２８ａ）側への振り分け〕
図１２中（Ａ）：例えば最初の状態で、回転体２０５の羽部材２０５ｂが右側の突起部２０６ｂと接触しているとする。このとき回転体２０５には、節度機構による姿勢保持が作用している。
【０１２２】
この状態で遊技球３００が流入口２０２に流入すると、回転体２０５における羽部材２０５ａと羽部材２０５ｃとの間に遊技球３００が入り込み、遊技球３００の重みによって節度機構が解除され、回転体２０５は左回り（反時計回り）に回転する。
【０１２３】
そして、図１２中（Ｂ）に示すように、回転体２０５が左回りに回転することにより、遊技球３００が振分誘導路２０１の左方向へ誘導され、左側の傾斜板２０１ａに達した所でコーナーリブ２０１ｂにより転動方向を奥側へ変換されると、傾斜板２０１ａの傾斜に沿って左側の整流誘導路２０８に流下する。そして、遊技球３００は整流誘導路２０８に案内されて方向変換し、第２放出口２０３から前面側へ放出される。これにより、遊技球３００が可変始動入賞装置２８側へ振り分けられることになる。このとき回転体２０５の羽部材２０５ａは、左側の突起部２０６ａに接触することにより、そこで回転体２０５の回転が規制される。そして、次に流入してきた遊技球３００の荷重を受けるまでは、回転体２０５の姿勢が節度機構により保持される。
【０１２４】
より好ましくは、整流誘導路２０８，２０９内にはそれぞれＵターンリブ２００ｆが形成されており、このＵターンリブ２００ｆは、整流誘導路２０８，２０９の上面から奥側の壁面、及び底面に至る領域内に形成されている。Ｕターンリブ２００ｆは全体としてＵ字形状をなし、その湾曲した円弧面に沿って遊技球３００のスムーズな流下を案内する。
【０１２５】
第２構造例において第２放出口２０３は前面に向けて開口しており、この開口の下端縁（Ｕターンリブ２００ｆのエッジ）から可変始動入賞装置２８の上方に配置された一対の障害釘（命釘）までの距離Ｄは、例えば遊技球３００の直径より大きく設定されていてもよいし、遊技球３００の直径より小さく設定されていてもよい。いずれにしても、第２放出口２０３から遊技領域８ａ（図１２には示さず）に再放出された遊技球３００は、無作為な流下に伴って可変始動入賞装置２８（左始動入賞口２８ａ）に入賞する場合もあるし、一対の障害釘（命釘）に弾かれて可変始動入賞装置２８に入賞しない場合もある。また第１構造例の場合と同様に、遊技領域８ａ内の障害釘の状態によっては球振り分け装置２００を経由することなく、その周辺から可変始動入賞装置２８（左始動入賞口２８ａ）に入賞する遊技球３００もある。
【０１２６】
〔右始動入賞口２６側への振り分け〕
図１３中（Ａ）：次に、回転体２０５の羽部材２０５ａが左側の突起部２０６ａと接触している状態を想定する。このときも回転体２０５には、節度機構による姿勢保持が作用している。
【０１２７】
この状態で遊技球３００が流入口２０２に流入すると、今度は回転体２０５における羽部材２０５ｂと羽部材２０５ｃとの間に遊技球３００が入り込み、遊技球３００の重みによって節度機構が解除され、回転体２０５は右回り（時計回り）に回転する。
【０１２８】
そして、図１３中（Ｂ）に示すように、回転体２０５が右回りに回転することにより、遊技球３００が振分誘導路２０１の右方向へ誘導され、右側の傾斜板２０１ａに達した所でコーナーリブ２０１ｂにより転動方向を奥側へ変換されると、傾斜板２０１ａの傾斜に沿って右側の整流誘導路２０９に流下する。そして、遊技球３００は整流誘導路２０９に案内されて方向変換し、第１放出口２０４から前面側へ放出される。これにより、遊技球３００が右始動入賞口２６側へ振り分けられることになる。このとき回転体２０５の羽部材２０５ｂは、右側の突起部２０６ｂに接触することにより、そこで回転体２０５の回転が規制される。そして、次に流入してきた遊技球３００の荷重を受けるまでは、回転体２０５の姿勢が節度機構により保持される。
【０１２９】
第２構造例において、第１放出口２０４もまた前面に向けて開口しており、この開口の下端縁（Ｕターンリブ２００ｆのエッジ）から右始動入賞口２６の上方に配置された一対の障害釘（命釘）までの距離Ｄは、例えば遊技球３００の直径より大きく設定されていてもよいし、遊技球３００の直径より小さく設定されていてもよい。いずれにしても、第１放出口２０４から遊技領域８ａ（図１３には示さず）に再放出された遊技球３００は、無作為な流下に伴って右始動入賞口２６に入賞する場合もあるし、一対の障害釘（命釘）に弾かれて右始動入賞口２６に入賞しない場合もある。ここでも第１構造例の場合と同様に、遊技領域８ａ内の障害釘の状態によっては球振り分け装置２００を経由することなく、その周辺から右始動入賞口２６に入賞する遊技球３００もある。
【０１３０】
図１４は、球振り分け装置２００の内部構造を示す縦断面図（図１３中のＸＩＶ−ＸＩＶ線に沿う断面図）である。なお、ここでは右側の整流誘導路２０９を例に挙げているが、左側の整流誘導路２０８についても構造は同じである。
【０１３１】
上記のように、遊技盤８の板材８ｂには貫通孔８ｃが形成されており、リヤパーツ２００ｂの突出部分２００ｄは貫通孔８ｃ内に嵌め込まれている。このため整流誘導路２０９は、板材８ｂの内部（肉厚部分）を盤面より奥側へ延び、この奧の位置で下方へ屈曲された後に盤面の前面側へ折り返すようにして延びている。なお図１４には、Ｕターンリブ２００ｆの側面形状が示されている。
【０１３２】
また第１放出口２０４は、前後方向（図中Ｚ軸方向）でみて盤面とほぼ同じ位置（リヤパーツ２００ｂのプレート状部分の厚み分前方）にて開口しており、その開口面は盤面と平行であることが分かる。
【０１３３】
〔遊技球の整流作用〕
第２構造例の球振り分け装置２００によれば、遊技球３００の流下に対して以下の誘導や整流が行われる。
（１）先ず、流入口２０２を通じて流入した遊技球３００を回転体２０５及び振分誘導路２０１により盤面に沿って左右いずれかの方向へ交互に振り分ける。
（２）次に、振分誘導路２０１の左右両端では、それぞれコーナーリブ２０１ｂ及び傾斜板２０１ａにより盤面に対して直交する軸線（図中Ｚ軸線）に沿って奥側へ遊技球３００の転動方向を変換する。
（３）左右の整流誘導路２０８，２０９内では、盤面より奧の位置でその軸線（図中Ｚ軸線）に沿って遊技球３００をＵターンさせる。このとき遊技球３００は、盤面の奧で下方に潜り込むようにして反転する。
（４）Ｕターンされた遊技球３００は、前面に向けて開放した第１放出口２０４又は第２放出口２０３を通じて遊技領域８ａ内に再度放出される。
【０１３４】
上記（２）から（３）の過程を通じて、遊技球３００の流下の態様は左右方向から上下方向へ整えられており、上記（１）で与えられた左右方向への勢いが殺される（整流作用）。これにより、第１放出口２０４又は第２放出口２０３から放出された遊技球３００の流下方向がほとんど下向きで安定し、左右方向に暴れにくくなるため、放出された遊技球３００を右始動入賞口２６又は可変始動入賞装置２８（左始動入賞口２８ａ）へ高頻度で入賞させやすくすることができる。
【０１３５】
したがって、本実施形態において第２構造例の球振り分け装置２００を用いた場合でも、流入口２０２に遊技球３００が流入したことに起因して、右始動入賞口２６での入賞（第１事象）及び可変始動入賞装置２８（左始動入賞口２８ａ）での入賞（第２事象）が比較的高頻度で交互に発生することを促進することができる。ただし、ここでも同様に、球振り分け装置２００は右始動入賞口２６で発生し得る無作為な入賞と、可変始動入賞装置２８（右始動入賞口２６）で発生し得る無作為な入賞とを交互に促進するものであり、必ず交互に入賞させる態様で振り分け動作を行うものではない。
【０１３６】
すなわち、第２構造例の球振り分け装置２００についても、その第１放出口２０４からの遊技球３００の放出は、右始動入賞口２６での無作為な入賞が発生する機会を付与する動作（第１機会付与動作）である。また、球振り分け装置２００による第２放出口２０３からの遊技球３００の放出は、左始動入賞口２８ａでの無作為な入賞が発生する機会を付与する動作（第２機会付与動作）である。そして、右始動入賞口２６や左始動入賞口２８ａでは、球振り分け装置２００による振り分けの動作とは無関係にそれぞれ遊技領域８ａ内からの入賞が無作為に発生し得るため、右始動入賞口２６での入賞の発生が連続することもあり得るし、左始動入賞口２８ａでの入賞の発生が連続することもあり得る。
【０１３７】
〔球振り分け装置の特性〕
第１構造例及び第２構造例の球振り分け装置２００は、右始動入賞口２６及び可変始動入賞装置２８（左始動入賞口２８ａ）に対して必ず交互に入賞を発生させるものではなく、あくまで無作為に入賞が発生する機会を交互に付与するものである。したがって、球振り分け装置２００の流入口２０２に遊技球が流入しても、その時点で直ちに「入賞球」には該当せず、流入口２０２は「入賞口」に該当しない。
【０１３８】
このため、本実施形態ではあくまで右始動入賞口２６や可変始動入賞装置２８（左始動入賞口２８ａ）がそれぞれ「入賞口」となり、たとえ球振り分け装置２００を経由して遊技球が右始動入賞口２６に入賞した場合であっても、球振り分け装置２００への流入ではなく、あくまで右始動入賞口２６への入賞の発生を契機として第１特別図柄に対応する抽選用乱数を取得すればよい。また、球振り分け装置２００を経由して遊技球が可変始動入賞装置２８（左始動入賞口２８ａ）に入賞した場合であっても、同じく球振り分け装置２００への流入ではなく、あくまで可変始動入賞装置２８（左始動入賞口２８ａ）への入賞の発生を契機として第２特別図柄に対応する抽選用乱数を取得すればよい。
【０１３９】
これにより、右始動入賞口２６や可変始動入賞装置２８の部品を専用に設計する必要がなく、従来使用されている共通部品を球振り分け装置２００に合わせてレイアウトするだけで、本実施形態の遊技盤８を実現することができる。
【０１４０】
〔制御上の構成〕
次に、パチンコ機１の制御に関する構成について説明する。図１５は、パチンコ機１に装備された各種の電子機器類を示すブロック図である。パチンコ機１は、制御動作の中枢となる主制御装置７０（主制御用コンピュータ、異常状態判定手段、放出事象異常状態判定手段、中間事象異常状態判定手段）を備えており、この主制御装置７０は主に、パチンコ機１における遊技の進行を制御する機能を有している。なお主制御装置７０は、上記の主制御基板ユニット１７０に内蔵されている。
【０１４１】
また主制御装置７０には、中央演算処理装置である主制御ＣＰＵ７２（異常状態判定手段、放出事象異常状態判定手段、中間事象異常状態判定手段）を実装した回路基板（主制御基板）が装備されており、主制御ＣＰＵ７２は、図示しないＣＰＵコアやレジスタとともにＲＯＭ７４、ＲＡＭ（ＲＷＭ）７６等の半導体メモリを集積したＬＳＩとして構成されている。また主制御装置７０には、乱数発生器７５やサンプリング回路７７が装備されている。このうち乱数発生器７５は、大当り判定用にハードウェア乱数（例えば１０進数表記で０〜６５５３５）を発生させるものであり、ここで発生された乱数は、サンプリング回路７７を通じて主制御ＣＰＵ７２に入力される。その他にも主制御装置７０には、入出力（Ｉ／Ｏ）ポート７９や図示しないクロック発生回路、カウンタ／タイマ回路（ＣＴＣ）等の周辺ＩＣが装備されており、これらは主制御ＣＰＵ７２とともに回路基板上に実装されている。なお回路基板上（又は内層部分）には、信号伝送経路や電源供給経路、制御用バス等が配線パターンとして形成されている。
【０１４２】
上述した始動ゲート２０には、遊技球の通過を検出するためのゲートスイッチ７８が一体的に設けられている。また遊技盤８には、右始動入賞口２６、可変始動入賞装置２８及び可変入賞装置３０にそれぞれ対応して右始動入賞口スイッチ８０、左始動入賞口スイッチ８２及びカウントスイッチ８４が装備されている。各始動入賞口スイッチ８０，８２は、右始動入賞口２６、可変始動入賞装置２８（左始動入賞口２８ａ）への遊技球の入賞を検出するためのものである。またカウントスイッチ８４は、上記のように可変入賞装置３０（大入賞口）への遊技球の入賞を検出し、その数をカウントするためのものである。同様に遊技盤８には、普通入賞口２２，２４への遊技球の入賞を検出する入賞口スイッチ８６が装備されている。なお、ここでは全ての普通入賞口２２，２４について共通の入賞口スイッチ８６を用いる構成を例に挙げているが、例えば盤面の左右で別々の入賞口スイッチ８６を設置し、左側の入賞口スイッチ８６では盤面の左側に位置する普通入賞口２２，２４に対する遊技球の入賞を検出し、右側の入賞口スイッチ８６では盤面の右側に位置する普通入賞口２４に対する遊技球の入賞を検出することとしてもよい。
【０１４３】
いずれにしても、これらスイッチ類７８〜８６の入賞検出信号は、図示しない入出力ドライバを介して主制御ＣＰＵ７２に入力される。なお遊技盤８の構成上、本実施形態ではゲートスイッチ７８、カウントスイッチ８４及び入賞口スイッチ８６からの入賞検出信号は、パネル中継端子板８７を経由して送信され、パネル中継端子板８７には、それぞれの入賞検出信号を中継するための配線パターンや接続端子等が設けられている。
【０１４４】
上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８は、主制御ＣＰＵ７２からの制御信号に基づいて表示動作を制御されている。主制御ＣＰＵ７２は、遊技の進行状況に応じてこれら表示装置３３，３４，３５，３８及びランプ３３ａ，３４ａ，３５ａに対する制御信号を出力し、各ＬＥＤの点灯状態を制御している。また、これら表示装置３３，３４，３５，３８及びランプ３３ａ，３４ａ，３５ａは、上記のように１枚の統合表示基板８９に実装された状態で遊技盤８に設置されており、この統合表示基板８９には上記のパネル中継端子板８７を中継して主制御ＣＰＵ７２から制御信号が送信される。
【０１４５】
また遊技盤８には、可変始動入賞装置２８及び可変入賞装置３０にそれぞれ対応して普通電動役物ソレノイド８８及び大入賞口ソレノイド９０が設けられている。これらソレノイド８８，９０は主制御ＣＰＵ７２からの制御信号に基づいて動作（励磁）し、それぞれ可変始動入賞装置２８、可変入賞装置３０を開閉動作（作動）させる。なお、これらソレノイド８８，９０についても上記のパネル中継端子板８７を中継して主制御ＣＰＵ７２から制御信号が送信される。
【０１４６】
その他に上記のガラス枠ユニット４にはガラス枠開放スイッチ９１が設置されており、また上記のプラ枠アセンブリ７にはプラ枠開放スイッチ９３が設置されている。ガラス枠ユニット４が単独で開放されると、ガラス枠開放スイッチ９１からの接点信号が主制御装置７０（主制御ＣＰＵ７２）に入力され、また外枠アセンブリ２からプラ枠アセンブリ７が開放されると、プラ枠開放スイッチ９３からの接点信号が主制御装置７０（主制御ＣＰＵ７２）に入力される。主制御ＣＰＵ７２は、これら接点信号からガラス枠ユニット４やプラ枠アセンブリ７の開放状態を検出することができる。なお主制御ＣＰＵ７２は、ガラス枠ユニット４やプラ枠アセンブリ７の開放状態を検出すると、上記の外部情報信号として扉開放情報信号を生成する。さらに、演出制御装置１２４に扉開放エラーの発生を報知することを指示する扉開放エラー報知指示コマンドが生成される。
【０１４７】
パチンコ機１の裏側には、払出制御装置９２が装備されている（特別特典付与手段）。この払出制御装置９２（払出制御コンピュータ）は、上述した払出装置ユニット１７２の動作を制御する。払出制御装置９２には、払出制御ＣＰＵ９４を実装した回路基板（払出制御基板）が装備されており、この払出制御ＣＰＵ９４もまた、図示しないＣＰＵコアとともにＲＯＭ９６、ＲＡＭ９８等の半導体メモリを集積したＬＳＩとして構成されている。払出制御装置９２（払出制御ＣＰＵ９４）は、主制御ＣＰＵ７２からの賞球指示コマンドに基づいて払出装置ユニット１７２の動作を制御し、要求された個数の遊技球の払出動作を実行させる。なお主制御ＣＰＵ７２は賞球指示コマンドとともに、上記の外部情報信号として賞球情報信号を生成する。
【０１４８】
払出装置ユニット１７２の図示しない賞球ケース内には、払出モータ１０２（例えばステッピングモータ）とともに払出装置基板１００が設置されており、この払出装置基板１００には払出モータ１０２の駆動回路が設けられている。払出装置基板１００は、払出制御装置９２（払出制御ＣＰＵ９４）からの払出数指示信号に基づいて払出モータ１０２の回転角度を具体的に制御し、指示された数の遊技球を賞球ケースから払い出させる。払い出された遊技球は、流路ユニット１７３内の払出流路を通って上記の受け皿ユニット６に送られる。
【０１４９】
また、例えば賞球ケースの上流位置には払出路球切れスイッチ１０４が設置されている他、払出モータ１０２の下流位置には払出計数スイッチ１０６が設置されている。払出モータ１０２の駆動により実際に賞球が払い出されると、その都度、払出計数スイッチ１０６からの計数信号が払出装置基板１００に入力される。また賞球ケースの上流位置で球切れが発生すると、払出路球切れスイッチ１０４からの接点信号が払出装置基板１００に入力される。払出装置基板１００は、入力された計数信号や接点信号を払出制御装置９２（払出制御ＣＰＵ９４）に送信する。払出制御ＣＰＵ９４は、払出装置基板１００から受信した信号に基づき、実際の払出数や球切れ状態を検知することができる。なお、球切れ状態が検知されると、上記の外部情報信号として球切れ状態情報信号を生成すると共に、演出制御装置１２４に球切れエラーの発生を報知することを指示する球切れエラー報知指示コマンドが生成される。
【０１５０】
またパチンコ機１には、例えば下皿６ｃの内部（パチンコ機１の正面からみて奧の位置）に満タンスイッチ１６１が設置されている。実際に払い出された賞球（遊技球）は上記の流路ユニット１７３を通じて上皿６ｂに放出されるが、上皿６ｂが遊技球で満杯になると、それ以上に払い出された遊技球は上述したように下皿６ｃへ流れ込む。さらに下皿６ｃが遊技球で満杯になると、それによって満タンスイッチ１６１がＯＮになり、満タン検出信号が払出制御装置９２（払出制御ＣＰＵ９４）に入力される。これを受けて払出制御ＣＰＵ９４は、主制御ＣＰＵ７２から賞球指示コマンドを受信してもそれ以上の賞球動作を一旦保留とし、未払出の賞球残数をＲＡＭ９８に記憶させておく。なお、ＲＡＭ９８の記憶は電源断時にもバックアップが可能であり、遊技中に停電（瞬間的な停電を含む）が発生しても、未払出の賞球残数情報が消失してしまうことはない。なお、満タン状態が検知されると、上記の外部情報信号として満タン状態情報信号を生成すると共に、演出制御装置１２４に満タンエラーの発生を報知することを指示する満タンエラー報知指示コマンドを生成する。
【０１５１】
またパチンコ機１の裏側には、発射制御基板１０８とともに発射ソレノイド１１０が設置されている。また、受け皿ユニット６内には球送りソレノイド１１１が設けられている。これら発射制御基板１０８、発射ソレノイド１１０及び球送りソレノイド１１１は上述した発射制御基板セット１７４を構成しており、このうち発射制御基板１０８には発射ソレノイド１１０及び球送りソレノイド１１１の駆動回路が設けられている。このうち球送りソレノイド１１１は、受け皿ユニット６内に蓄えられた遊技球を１個ずつ、発射機ケース内で所定の発射位置に送り出す動作を行う。また発射ソレノイド１１０は、発射位置に送り出された遊技球を打撃し、上記のように遊技領域８に向けて遊技球を１個ずつ連続的（間欠的）に打ち出す動作を行う。なお遊技球の発射間隔は、例えば０．６秒程度の間隔（１分間で１００個以内）である。
【０１５２】
一方、パチンコ機１の表側に位置する上記のグリップユニット１６には、発射レバーボリューム１１２、タッチセンサ１１４及び発射停止スイッチ１１６が設けられている。このうち発射レバーボリューム１１２は、遊技者による発射ハンドルの操作量（いわゆるストローク）に比例したアナログ信号を生成する。またタッチセンサ１１４は、静電容量の変化から遊技者の身体がグリップユニット１６（発射ハンドル）に触れていることを検出し、その検出信号を出力する。そして発射停止スイッチ１１６は、遊技者の操作に応じて発射停止信号（接点信号）を生成する。
【０１５３】
上記の受け皿ユニット６には発射中継端子板１１８が設置されており、発射レバーボリューム１１２やタッチセンサ１１４、発射停止スイッチ１１６からの各信号は、発射中継端子板１１８を経由して発射制御基板１０８に送信される。また、発射制御基板１０８からの駆動信号は、発射中継端子板１１８を経由して球送りソレノイド１１１に印加される。遊技者が発射ハンドルを操作すると、その操作量に応じて発射レバーボリューム１１２でアナログ信号（エンコードされたデジタル信号でもよい）が生成され、このときの信号に基づいて発射ソレノイド１１０が駆動される。これにより、遊技者の操作量に応じて遊技球を打ち出す強さが調整されるものとなっている。なお発射制御基板１０８の駆動回路は、タッチセンサ１１４からの検出信号がオフ（ローレベル）の場合か、もしくは発射停止スイッチ１１６から発射停止信号が入力された場合は発射ソレノイド１１０の駆動を停止する。この他に、発射中継端子板１１８には遊技球等貸出装置接続端子板１２０が接続されており、この遊技球等貸出装置接続端子板１２０に上記のＣＲユニットが接続されていない場合、同じく発射制御基板１０８の駆動回路は発射ソレノイド１１０の駆動を停止する。
【０１５４】
また、受け皿ユニット６には度数表示基板１２２及び貸出及び返却スイッチ基板１２３が内蔵されている。このうち度数表示基板１２２には、上記の度数表示部の表示器（３桁分の７セグメントＬＥＤ）が設けられている。また貸出及び返却スイッチ基板１２３には球貸ボタン１０や返却ボタン１２にそれぞれ接続されるスイッチモジュールが実装されており、球貸ボタン１０又は返却ボタン１２が操作されると、その操作信号が貸出及び返却スイッチ基板１２３から遊技球等貸出装置接続端子板１２０を経由してＣＲユニットに送信される。またＣＲユニットからは、有価媒体の残り度数を表す度数信号が遊技球等貸出装置接続端子板１２０を経由して度数表示基板１２２に送信される。度数表示基板１２２上の図示しない表示回路は、度数信号に基づいて表示器を駆動し、有価媒体の残り度数を数値表示する。またＣＲユニットに有価媒体が投入されていなかったり、あるいは投入された有価媒体の残り度数が０になったりした場合、度数表示基板１２２の表示回路は表示器を駆動してデモ表示（有価媒体の投入を促す表示）を行うこともできる。
【０１５５】
またパチンコ機１は制御上の構成として、演出制御装置１２４（演出制御用コンピュータ、開示手段）を備えている。この演出制御装置１２４は、パチンコ機１における遊技の進行に伴う演出の制御を行う。演出制御装置１２４にもまた、中央演算処理装置である演出制御ＣＰＵ１２６を実装した回路基板（複合サブ制御基板）が装備されている。演出制御ＣＰＵ１２６には、図示しないＣＰＵコアとともにメインメモリとしてＲＯＭ１２８やＲＡＭ１３０等の半導体メモリが内蔵されている。なお演出制御装置１２４は、パチンコ機１の裏側で上記の裏カバーユニット１７８に覆われる位置に設けられている。この演出制御装置１２４は、パチンコ機１における遊技の進行に伴う演出の制御の他に、エラーが発生したことを外部に報知する、エラー報知演出の制御も行う。演出制御装置１２４によるエラー報知演出についてはさらに後述する。
【０１５６】
また演出制御装置１２４には、図示しない入出力ドライバや各種の周辺ＩＣが装備されている他、ランプ駆動回路１３２や音響駆動回路１３４が装備されている。演出制御ＣＰＵ１２６は、主制御ＣＰＵ７２から送信される演出用のコマンドに基づいて演出の制御を行い、ランプ駆動回路１３２や音響駆動回路１３４に指令を与えて各種ランプ４６〜５２や盤面ランプ５３を発光させたり、スピーカ５４，５５，５６から実際に効果音や音声等を出力させたりする処理を行う。
【０１５７】
演出制御装置１２４と上記の主制御装置７０とは、例えば図示しない通信用ハーネスを介して相互に接続されている。ただし、これらの間の通信は、主制御装置７０から演出制御装置１２４への一方向のみで行われ、逆方向への通信は行われない。なお通信用ハーネスには、主制御装置７０から演出制御装置１２４に対して送信される各種コマンドのバス幅に応じてパラレル形式を採用してもよいし、それぞれのドライバＩＣ（Ｉ／Ｏ）のハード構成に合わせてシリアル形式を採用してもよい。
【０１５８】
ランプ駆動回路１３２は、例えば図示しないＰＷＭ（パルス幅変調）ＩＣやＭＯＳＦＥＴ等のスイッチング素子を備えており、このランプ駆動回路１３２は、ＬＥＤを含む各種ランプに印加する駆動電圧をスイッチング（又はデューティ切替）して、その発光・点滅等の動作を管理する。なお各種ランプには、上記のガラス枠トップランプ４６，４８やガラス枠サイドランプ５０，受け皿ランプ５２の他に、遊技盤８に設置された装飾・演出用の盤面ランプ５３が含まれる。盤面ランプ５３は上記の演出ユニットに内蔵されるＬＥＤや、可変始動入賞装置２８、可変入賞装置３０等に内蔵されるＬＥＤに相当するものである。なお、ここでは受け皿ランプ５２がガラス枠電飾基板１３６に接続されている例を挙げているが、受け皿ユニット６に受け皿電飾基板を設置し、受け皿ランプ５２については受け皿電飾基板を介してランプ駆動回路１３２に接続される構成であってもよい。
【０１５９】
また音響駆動回路１３４は、例えば図示しないサウンドＲＯＭや音響制御ＩＣ、アンプ等を内蔵したサウンドジェネレータであり、この音響駆動回路１３４は、ガラス枠上スピーカ５４及び受け皿スピーカ５６を駆動して音響出力を行う。
【０１６０】
本実施形態ではガラス枠ユニット４の内面にガラス枠電飾基板１３６が設置されており、ランプ駆動回路１３２や音響駆動回路１３４からの駆動信号はガラス枠電飾基板１３６を経由して各種ランプ４６〜５２やスピーカ５４，５５，５６に印加されている。またガラス枠電飾基板１３６には、上記の演出切替ボタン４５が接続されており、遊技者が演出切替ボタン４５を操作すると、その接点信号がガラス枠電飾基板１３６を通じて演出制御装置１２４に入力される。なお、ここではガラス枠電飾基板１３６に演出切替ボタン４５を接続した例を挙げているが、上記の受け皿電飾基板を設置する場合、演出切替ボタン４５は受け皿電飾基板に接続されていてもよい。その他、遊技盤８にはパネル電飾基板１３８が設置されており、ランプ駆動回路１３２からの駆動信号がパネル電飾基板１３８を経由して盤面ランプ５３に印加されている。
【０１６１】
上記の液晶表示器４２は遊技盤８の裏側に設置されており、遊技盤８に形成された略矩形の開口を通じてのその表示画面が視認可能となっている。また、遊技盤８の裏側にはインバータ基板１５８が設置されており、このインバータ基板１５８は液晶表示器４２のバックライト（例えば例陰極管）に印加される交流電源を生成している。さらに、遊技盤８の裏側には演出表示制御装置１４４が設置されており、液晶表示器４２による表示動作は、演出表示制御装置１４４により制御されている。演出表示制御装置１４４には、汎用の中央演算処理装置である表示制御ＣＰＵ１４６とともに、表示プロセッサであるＶＤＰ１５２を実装した回路基板（演出表示制御基板）が装備されている。このうち表示制御ＣＰＵ１４６は、図示しないＣＰＵコアとともにＲＯＭ１４８、ＲＡＭ１５０等の半導体メモリを集積したＬＳＩとして構成されている。またＶＤＰ１５２は、図示しないプロセッサコアとともに画像ＲＯＭ１５４やＶＲＡＭ１５６等の半導体メモリを集積したＬＳＩとして構成されている。なおＶＲＡＭ１５６は、その記憶領域の一部をフレームバッファとして利用することができる。
【０１６２】
演出制御ＣＰＵ１２６のＲＯＭ１２８には、演出の制御に関する基本的なプログラムが格納されており、演出制御ＣＰＵ１２６は、このプログラムに沿って演出の制御を実行する。演出の制御には、上記のように各種ランプ４６〜５３等やスピーカ５４，５５，５６を用いた演出の制御が含まれる他、液晶表示器４２を用いた画像表示による演出の制御が含まれる。演出制御ＣＰＵ１２６は、表示制御ＣＰＵ１４６に対して演出に関する基本的な情報（例えば演出番号）を送信し、これを受け取った表示制御ＣＰＵ１４６は、基本的な情報に基づいて具体的に演出用の画像を表示する制御を行う。
【０１６３】
表示制御ＣＰＵ１４６は、ＶＤＰ１５２に対してさらに詳細な制御信号を出力する。これを受け取ったＶＤＰ１５２は、制御信号に基づいて画像ＲＯＭ１５４にアクセスし、そこから必要な画像データを読み出してＶＲＡＭ１５６に転送する。さらにＶＤＰ１５２は、ＶＲＡＭ１５６上で画像データを１フレーム（単位時間あたりの静止画像）ごとにフレームバッファに展開し、ここでバッファされた画像データに基づき液晶表示器４２の各画素（フルカラー画素）を個別に駆動する。
【０１６４】
その他、プラ枠アセンブリ７の裏側には電源制御ユニット１６２（電源制御手段）が装備されている。この電源制御ユニット１６２はスイッチング電源回路を内蔵し、電源コード１６４を通じて島設備から外部電力（例えばＡＣ２４Ｖ等）を取り込むと、そこから必要な電力（例えばＤＣ＋３４Ｖ、＋１２Ｖ等）を生成することができる。電源制御ユニット１６２で生成された電力は、主制御装置７０や払出制御装置９２、演出制御装置１２４、演出表示制御装置１４４、インバータ基板１５８に分配されている。なお演出表示制御装置１４４及びインバータ基板１５８には演出制御装置１２４を経由して電力が供給されており、液晶表示器４２には演出表示制御装置１４４及びインバータ基板１５８をそれぞれ経由して電力が供給されている。さらに、払出制御装置９２を経由して発射制御基板１０８に電力が供給されている他、遊技球等貸出装置接続端子板１２０を経由してＣＲユニットに電力が供給されている。なお、ロジック用の低電圧電力（例えばＤＣ＋５Ｖ）は、各装置に内蔵された電源用ＩＣ（３端子レギュレータ等）で生成される。また上記のように電源制御ユニット１６２は、アース線１６６を通じて島設備にアース（接地）されている。
【０１６５】
上記の外部端子板１６０は払出制御装置９２に接続されており、主制御装置７０（主制御ＣＰＵ７２）にて生成された各種の外部情報信号は、払出制御装置９２を経由して外部端子板１６０から外部に出力されるものとなっている。主制御装置７０（主制御ＣＰＵ７２）及び払出制御装置９２（払出制御ＣＰＵ９４）は、外部端子板１６０を通じてパチンコ機１の外部に向けて外部情報信号を出力することができる。外部端子板１６０から出力される信号は、例えば遊技場のホールコンピュータ（図示していない）で集計される。なお、ここでは払出制御装置９２を経由する構成を例に挙げているが、主制御装置７０からそのまま外部情報信号が外部端子板１６０に出力される構成であってもよい。
【０１６６】
以上がパチンコ機１の制御に関する構成例である。続いて、主制御装置７０の主制御ＣＰＵ７２により実行される制御上の処理について説明する。
【０１６７】
〔リセットスタート（メイン）処理〕
パチンコ機１に電源が投入されると、主制御ＣＰＵ７２はリセットスタート処理を開始する。リセットスタート処理は、前回の電源遮断時に保存されたバックアップ情報を元に遊技状態を復旧（いわゆる復電）したり、逆にバックアップ情報をクリアしたりすることで、パチンコ機１の初期状態を整えるための処理である。またリセットスタート処理は、初期状態の調整後にパチンコ機１の安定した遊技動作を保証するためのメイン処理（メイン制御プログラム）として位置付けられる。
【０１６８】
図１６及び図１７は、リセットスタート処理の手順例を示すフローチャートである。以下、主制御ＣＰＵ７２が行う処理について、各手順を追って説明する。
【０１６９】
ステップＳ１０１：主制御ＣＰＵ７２は、先ずスタックポインタにスタック領域の先頭アドレスをセットする。
【０１７０】
ステップＳ１０２：続いて主制御ＣＰＵ７２は、ベクタ方式の割込モード（モード２）を設定し、デフォルトであるＲＳＴ方式の割込モード（モード０）を修正する。これにより、以後、主制御ＣＰＵ７２は任意のアドレス（ただし最下位ビットは０）を割込ベクタとして参照し、指定の割込ハンドラを実行することができる。
【０１７１】
ステップＳ１０３：主制御ＣＰＵ７２は、ここでリセット時待機処理を実行する。この処理は、リセットスタート（例えば電源投入）時にある程度の待機時間（例えば数千ｍｓ程度）を確保しておき、その間に主電源断検出信号のチェックを行うためのものである。具体的には、主制御ＣＰＵ７２は待機時間分のループカウンタをセットすると、ループカウンタの値をデクリメントしながら主電源断検出信号の入力ポートをビットチェックする。主電源断検出信号は、例えば周辺デバイスである電源監視ＩＣから入力される。そして、ループカウンタが０になる前に主電源断検出信号の入力を確認すると、主制御ＣＰＵ７２は先頭から処理を再開する。これにより、例えば図示しない主電源スイッチの投入と切断の操作が短時間（１〜２秒程度）内に繰り返し行われた場合のシステム保護を図ることができる。
【０１７２】
ステップＳ１０４：次に主制御ＣＰＵ７２は、ＲＡＭ７６のワーク領域に対するアクセスを許可する。具体的には、ワーク領域のＲＡＭプロテクト設定値をリセット（００Ｈ）する。これにより、以後はＲＡＭ７６のワーク領域に対するアクセスが許可された状態となる。
【０１７３】
ステップＳ１０５：また主制御ＣＰＵ７２、割り込みマスクを設定するためにマスクレジスタの初期設定を行う。具体的には、ＣＴＣ割り込みを有効にする値をマスクレジスタに格納する。
【０１７４】
ステップＳ１０６：主制御ＣＰＵ７２は、先に退避しておいたＲＡＭクリアスイッチからの入力信号を参照し、ＲＡＭクリアスイッチが操作（スイッチＯＮ）されたか否かを確認する。ＲＡＭクリアスイッチが操作されていなければ（Ｎｏ）、次にステップＳ１０７を実行する。
【０１７５】
ステップＳ１０７：次に主制御ＣＰＵ７２は、ＲＡＭ７６にバックアップ情報が保存されているか否か、つまり、バックアップ有効判定フラグがセットされているか否かを確認する。前回の電源遮断処理でバックアップが正常に終了し、バックアップ有効判定フラグ（例えば「Ａ５５ＡＨ」）がセットされていれば（Ｙｅｓ）、次に主制御ＣＰＵ７２はステップＳ１０８を実行する。
【０１７６】
ステップＳ１０８：主制御ＣＰＵ７２は、ＲＡＭ７６のバックアップ情報についてサムチェックを実行する。具体的には、主制御ＣＰＵ７２はＲＡＭ７６のワーク領域（使用禁止領域及びスタック領域を含むユーザワーク領域）のうち、バックアップ有効判定フラグ及びサムチェックバッファを除く全ての領域をサムチェックする。サムチェックの結果が正常であれば（Ｙｅｓ）、次に主制御ＣＰＵ７２はステップＳ１０９を実行する。
【０１７７】
ステップＳ１０９：主制御ＣＰＵ７２は、バックアップ有効判定フラグをリセット（例えば「００００Ｈ」）する。
ステップＳ１１０：また主制御ＣＰＵ７２は、前回の電源断発生直前に送信待ちであったコマンドをクリアする。
【０１７８】
ステップＳ１１１：次に主制御ＣＰＵ７２は、演出制御復帰処理を実行する。この処理では、主制御ＣＰＵ７２は演出制御装置１２４に対し、復帰用のコマンド（例えば機種指定コマンド、特別図柄確率状態指定コマンド、特図先判定演出コマンド、作動記憶数増加時演出コマンド、作動記憶数減少時演出コマンド、回数切りカウンタ残数コマンド、特別遊技状態指定コマンド等）を送信する。これを受けて演出制御装置１２４は、前回の電源遮断時に実行中であった演出状態（例えば、内部確率状態、演出図柄の表示態様、作動記憶数の演出表示態様、音響出力内容、各種ランプの発光状態等）を復帰させることができる。
【０１７９】
ステップＳ１１２：主制御ＣＰＵ７２は、状態復帰処理を実行する。この処理では、主制御ＣＰＵ７２はバックアップ情報を元にＲＡＭ７６のワーク領域に各種の値をセットし、前回の電源遮断時に実行中であった遊技状態（例えば、特別図柄の表示態様、内部確率状態、作動記憶内容、各種フラグ状態、乱数更新状態等）を復帰させる。また主制御ＣＰＵ７２は、バックアップされていたＰＣレジスタの値を復旧する。
【０１８０】
一方、電源投入時にＲＡＭクリアスイッチが操作されていた場合（ステップＳ１０６：Ｙｅｓ）や、バックアップ有効判定フラグがセットされていなかった場合（ステップＳ１０７：Ｎｏ）、あるいは、バックアップ情報が正常でなかった場合（ステップＳ１０８：Ｎｏ）、主制御ＣＰＵ７２はステップＳ１１３に移行する。
【０１８１】
ステップＳ１１３：主制御ＣＰＵ７２は、ＲＡＭ７６の使用禁止領域以外の記憶内容をクリアする。これにより、ＲＡＭ７６のワーク領域及びスタックエリアは全て初期化され、有効なバックアップ情報が保存されていても、その内容は消去される。
ステップＳ１１４：また主制御ＣＰＵ７２は、ＲＡＭ７６の初期設定を行う。
【０１８２】
ステップＳ１１５：主制御ＣＰＵ７２は、演出制御出力処理を実行する。この処理では、主制御ＣＰＵ７２が初期設定後に演出制御装置１２４に送信するべきコマンド（演出制御に必要なコマンド）を出力する。
【０１８３】
ステップＳ１１６：主制御ＣＰＵ７２は、払出制御出力処理を実行する。この処理では、主制御ＣＰＵ７２は払出制御装置９２に対して、賞球の払い出しを開始するための指示コマンドを出力する。
【０１８４】
ステップＳ１１７：主制御ＣＰＵ７２は、ＣＴＣ初期設定処理を実行し、周辺デバイスであるＣＴＣ（カウンタ／タイマ回路）の初期設定を行う。この処理では、主制御ＣＰＵ７２は割込ベクタレジスタを設定し、また、ＣＴＣに割り込みカウント値（例えば４ｍｓ）を設定する。これにより、次にＣＴＣ割り込みが発生すると、主制御ＣＰＵ７２はバックアップされていたＰＣレジスタのプログラムアドレスから処理を続行することができる。
【０１８５】
リセットスタート処理において以上の手順を実行すると、主制御ＣＰＵ７２は図１７に示されるメインループに移行する（接続記号Ａ→Ａ）。
【０１８６】
ステップＳ１１８，ステップＳ１１９：主制御ＣＰＵ７２は割込を禁止した上で、電源断発生チェック処理を実行する。この処理では、主制御ＣＰＵ７２は主電源断検出信号の入力ポートをビットチェックし、電源遮断の発生（駆動電圧の低下）を監視する。電源遮断が発生すると、主制御ＣＰＵ７２は普通電動役物ソレノイド８８や大入賞口ソレノイド９０等に対応する出力ポートバッファをクリアすると、ＲＡＭ７６のワーク領域のうちバックアップ有効判定フラグ及びサムチェックバッファを除く全体の内容をバックアップし、サムチェックバッファにサム結果値を保存する。そして主制御ＣＰＵ７２はバックアップ有効判定フラグ領域に上記の有効値（例えば「Ａ５５ＡＨ」）を格納し、ＲＡＭ７６のアクセスを禁止して処理を停止（ＮＯＰ）する。一方、電源遮断が発生しなければ、主制御ＣＰＵ７２は次にステップＳ１２０を実行する。なお、このような電源断発生時の処理をマスク不能割込（ＮＭＩ）処理としてＣＰＵに実行させている公知のプログラミング例もある。
【０１８７】
ステップＳ１２０：主制御ＣＰＵ７２は、初期値更新乱数更新処理を実行する。この処理では、主制御ＣＰＵ７２は、各種のソフトウェア乱数の初期値を更新（変更）するための乱数をインクリメントする。本実施形態では、大当り決定乱数（ハードウェア乱数）を除く各種の乱数（例えば、普通図柄に対応する当り決定乱数、大当り図柄乱数、リーチ判定乱数、変動パターン決定乱数等）をプログラム上で発生させている。これらソフトウェア乱数は、別の割込処理（図１９中のステップＳ２０１）で所定範囲内のループカウンタにより更新されているが、この処理において乱数値が１巡するごとにループカウンタの初期値（全ての乱数が対象でなくてもよい）を変更している。初期値更新用乱数は、この初期値をランダムに変更するために用いられており、ステップＳ１２０では、その初期値更新用乱数の更新を行っている。なお、ステップＳ１１８で割込を禁止した後にステップＳ１２０を実行しているのは、別の割込管理処理（図１９中のステップＳ２０２）でも同様の処理を実行するため、これとの重複（競合）を防止するためである。なお上記のように、本実施形態において大当り決定乱数は乱数発生器７５により発生されるハードウェア乱数であり、その更新周期はタイマ割込周期（例えば数ｍｓ）よりもさらに高速（例えば数μｓ）であるため、大当り決定乱数の初期値を更新する必要はない。
【０１８８】
ステップＳ１２１，ステップＳ１２２：主制御ＣＰＵ７２は割込を許可し、その他乱数更新処理を実行する。この処理で更新される乱数は、ソフトウェア乱数のうち当選種類（当り種別）の判定に関わらない乱数（リーチ判定乱数、変動パターン決定乱数等）である。この処理は、メインループの実行中にタイマ割込が発生し、主制御ＣＰＵ７２が別の割込管理処理（図１９）を実行した場合の残り時間で行われる。なお割込管理処理の内容については後述する。
【０１８９】
〔電源断発生チェック処理〕
図１８は、上記の電源断発生チェック処理の手順例を具体的に示すフローチャートである。
ステップＳ１３０：ここでは先ず、主制御ＣＰＵ７２は、電源断発生チェックのための条件を設定する。このチェック条件は、例えば主電源断検出信号が継続して出力されていることを確認するためのオンカウンタ値として設定することができる。
【０１９０】
ステップＳ１３２：次に主制御ＣＰＵ７２は、主電源断検出スイッチ入力用ポートをリードし、主電源断検出信号が出力されているか否かを確認（特定のビットをチェック）する。特に図示していないが、主電源断検出スイッチは例えば主制御装置７０に実装されており、この主電源断検出スイッチは、電源制御ユニット１６２から供給される駆動電圧を監視し、その電圧レベルが基準電圧を下回った場合に主電源断検出信号を出力する。なお、主電源断検出スイッチは電源制御ユニット１６２に内蔵されていてもよい。主制御ＣＰＵ７２は、現時点で主電源断検出信号が出力されていないことを確認すると（Ｎｏ）、この処理を抜けてリセットスタート処理に復帰する。一方、主電源断検出信号が出力されていることを確認した場合（Ｙｅｓ）、主制御ＣＰＵ７２は次のステップＳ１３４に進む。
【０１９１】
ステップＳ１３４：主制御ＣＰＵ７２は、上記のチェック条件を満たすか否かを確認する。具体的には、先のステップＳ１３０で設定したオンカウンタ値を例えば１減算し、その結果が０になったか否かを確認する。現時点で未だオンカウンタ値が０でなければ（Ｎｏ）、主制御ＣＰＵ７２はステップＳ１３２に戻って主電源断検出スイッチ入力用ポートを改めて確認する。そして、ステップＳ１３４からステップＳ１３２へのループを繰り返してチェック条件が満たされると（ステップＳ１３４：Ｙｅｓ）、主制御ＣＰＵ７２は次にステップＳ１３６に進む。
【０１９２】
ステップＳ１３６：主制御ＣＰＵ７２は、上記のように普通電動役物ソレノイド８８や大入賞口ソレノイド９０に対応する出力ポートに加え、試験信号端子やコマンド制御信号に対応する出力ポートバッファをクリアする。
【０１９３】
ステップＳ１３８，ステップＳ１４０：次に主制御ＣＰＵ７２は、ＲＡＭ７６のワーク領域のうち、バックアップ有効判定フラグ及びサムチェックバッファを除く全体の内容を１バイト単位で加算し、全領域について加算を完了するまで繰り返す。
ステップＳ１４２：全領域についてサムの算出が完了すると（ステップＳ１４０：Ｙｅｓ）、主制御ＣＰＵ７２はサムチェックバッファにサム結果値を保存する。
【０１９４】
ステップＳ１４４：次に主制御ＣＰＵ７２は、上記のようにバックアップ有効判定フラグ領域に有効値を格納する。
ステップＳ１４６：また主制御ＣＰＵ７２は、ＲＡＭ７６のプロテクト値にアクセス禁止を表す「０１Ｈ」を格納し、ＲＡＭ７６のワーク領域（使用禁止領域及びスタック領域を含む）に対するアクセスを禁止する。
ステップＳ１４８：そして主制御ＣＰＵ７２は待機ループに入り、主電源断の遮断に備えて他の処理を全て停止する。主電源断の発生後は、図示しないバックアップ電源回路（例えば主制御装置７０に実装された容量素子を含む回路）からバックアップ用電力が供給されるため、ＲＡＭ７６の記憶内容は主電源断後も消失することなく保持される。なおバックアップ用電源回路は、例えば電源制御ユニット１６２に内蔵されていてもよい。
【０１９５】
以上の処理を通じて、バックアップ対象（サム加算対象）となるＲＡＭ７６のワーク領域に記憶されていた情報は、全て主電源断の後もＲＡＭ７６に記憶として保持されることになる。また保持されていた記憶は、先のリセットスタート処理（図１６）でチェックサムの正常を確認した上で、電源断時のバックアップ情報として復元される。
【０１９６】
〔割込管理処理（タイマ割込処理）〕
次に、割込管理処理（タイマ割込処理）について説明する。図１９は、割込管理処理の手順例を示すフローチャートである。主制御ＣＰＵ７２は、カウンタ／タイマ回路からの割込要求信号に基づき、所定時間（例えば数ｍｓ）ごとに割込管理処理を実行する。以下、各手順を追って説明する。
【０１９７】
ステップＳ２００：先ず主制御ＣＰＵ７２は、メインループの実行中に使用していたレジスタ（アキュムレータＡとフラグレジスタＦ、汎用レジスタＢ〜Ｌの各ペア）の値をＲＡＭ７６の退避領域に退避させる。値を退避させた後のレジスタ（Ａ〜Ｌ）には、割込管理処理の中で別の値を書き込むことができる。
【０１９８】
ステップＳ２０１：次に主制御ＣＰＵ７２は、抽選乱数更新処理を実行する。この処理では、主制御ＣＰＵ７２は抽選用の各種乱数を発生させるためのカウンタの値を更新する。各カウンタの値は、ＲＡＭ７６のカウンタ領域にてインクリメントされ、それぞれ規定の範囲内でループする。各種乱数には、例えば大当り図柄乱数、普通図柄当り決定乱数等が含まれる。
【０１９９】
ステップＳ２０２：主制御ＣＰＵ７２は、ここでも初期値更新乱数更新処理を実行する。処理の内容は、先に述べたものと同じである。
【０２００】
ステップＳ２０３：主制御ＣＰＵ７２は、入力処理を実行する。この処理では、主制御ＣＰＵ７２は入出力（Ｉ／Ｏ）ポート７９から各種スイッチ信号を入力する。具体的には、ゲートスイッチ７８からの通過検出信号や、右始動入賞口スイッチ８０、左始動入賞口スイッチ８２、カウントスイッチ８４、入賞口スイッチ８６からの入賞検出信号の入力状態（ＯＮ／ＯＦＦ）をリードする。また、同時に、入賞検出信号の他にエラー検出信号の入力状態（ＯＮ／ＯＦＦ）をリードすることができる。例えば、ガラス枠開放スイッチ９１、プラ枠開放スイッチ９３、払出路球切れスイッチ１０４、満タンスイッチ１６１、振動センサ、磁石センサ等からのエラー検出信号の入力状態（ＯＮ／ＯＦＦ）をリードする。
【０２０１】
ステップＳ２０４：主制御ＣＰＵ７２は、球振り分けエラー判定処理を実行する。この処理では、先の入力処理で入力したスイッチ信号のうち、右始動入賞口スイッチ８０及び左始動入賞口スイッチ８２からの入賞検出信号に基づいて、球振り分け装置２００に関する異常状態等のエラーが発生しているか否かの判定を行う（異常状態判定手段）。なお、球振り分けエラー判定処理の具体的な内容については、さらに別のフローチャートを用いて後述する。
【０２０２】
ここで、球振り分け装置２００は、上述したように、右始動入賞口２６と左始動入賞口２８ａへ向けて交互に放出することにより、各始動入賞口での入賞が比較的高頻度で交互に発生することを促進する装置である。よって、各始動入賞口での入賞が交互に発生していなかった場合、球振り分け装置２００に関する異常状態等のエラーが発生している可能性が高い。ただし、遊技球は、球振り分け装置２００から放出されなくても、直接各始動入賞口へ入賞する可能性もあることから、交互に入賞が発生していないからといって、球振り分け装置２００に関する異常状態等のエラーが発生しているとは限らない。そこで本実施形態では、純粋に球振り分け装置２００に起因した異常状態であるか否かについても合わせて判断することで、異常状態の判定精度を向上させている。なお、この点については後述する。
【０２０３】
ステップＳ２０５：次に主制御ＣＰＵ７２は、スイッチ入力イベント処理を実行する。この処理では、先の入力処理で入力したスイッチ信号のうち、ゲートスイッチ７８、右始動入賞口スイッチ８０、左始動入賞口スイッチ８２からの入賞検出信号に基づいて遊技中に発生した事象の判定を行い、それぞれ発生した事象に応じて、さらに別の処理を実行する。なお、スイッチ入力イベント処理の具体的な内容については、さらに別のフローチャートを用いて後述する。
【０２０４】
本実施形態では、右始動入賞口スイッチ８０又は左始動入賞口スイッチ８２から入賞検出信号（ＯＮ）が入力されると、主制御ＣＰＵ７２はそれぞれ第１特別図柄又は第２特別図柄に対応した内部抽選の契機（抽選契機）となる事象が発生したと判定する。またゲートスイッチ７８から通過検出信号（ＯＮ）が入力されると、主制御ＣＰＵ７２は普通図柄に対応した抽選契機となる事象が発生したと判定する。いずれかの事象が発生したと判定すると、主制御ＣＰＵ７２は、それぞれの発生事象に応じた処理を実行する。なお、右始動入賞口スイッチ８０又は左始動入賞口スイッチ８２から入賞検出信号が入力された場合に実行される処理については、さらに別のフローチャートを用いて後述する。
【０２０５】
ステップＳ２０６，ステップＳ２０７：主制御ＣＰＵ７２は、割込管理処理中において特別図柄遊技処理及び普通図柄遊技処理を実行する。これら処理は、パチンコ機１における遊技を具体的に進行させるためのものである。このうち特別図柄遊技処理（ステップＳ２０６）では、主制御ＣＰＵ７２は先に述べた第１特別図柄又は第２特別図柄に対応する内部抽選の実行を制御したり、第１特別図柄表示装置３４及び第２特別図柄表示装置３５による変動表示や停止表示を制御したり、その表示結果に応じて可変入賞装置３０の作動を制御したりする。なお、特別図柄遊技処理の詳細については、さらに別のフローチャートを用いて後述する。
【０２０６】
また普通図柄遊技処理（ステップＳ２０７）では、主制御ＣＰＵ７２は先に述べた普通図柄表示装置３３による変動表示や停止表示を制御したり、その表示結果に応じて可変始動入賞装置２８の作動を制御したりする。例えば、主制御ＣＰＵ７２は先のスイッチ入力イベント処理（ステップＳ２０５）の中で始動ゲート２０の通過を契機として取得した乱数（普通図柄当り決定乱数）を記憶しておき、この普通図柄遊技処理の中で記憶から乱数値を読み出し、所定の当り範囲内に該当するか否かの判定を行う（作動抽選実行手段）。乱数値が当り範囲内に該当する場合、普通図柄表示装置３３により普通図柄を変動表示させて所定の当り態様で普通図柄の停止表示を行った後、主制御ＣＰＵ７２は普通電動役物ソレノイド８８を励磁して可変始動入賞装置２８を作動させる（可動片作動手段）。一方、乱数値が当り範囲外であれば、主制御ＣＰＵ７２は、変動表示の後にはずれの態様で普通図柄の停止表示を行う。
【０２０７】
ステップＳ２０８：次に主制御ＣＰＵ７２は、賞球払出処理を実行する。この処理では、先の入力処理（ステップＳ２０３）において各種スイッチ８０，８２，８４，８６から入力された入賞検出信号に基づき、払出制御装置９２に対して賞球個数を指示する賞球指示コマンドを出力する。
【０２０８】
また、この賞球払出処理において賞球エラーが発生したか否かの判定処理を実行してもよい。例えば、賞球指示コマンドにおける賞球個数と実際の払出数とに食い違いが生じた場合、主制御ＣＰＵ７２は、賞球エラーが発生したと判定し、演出制御装置１２４に賞球エラーの発生を報知することを指示する賞球エラー報知指示コマンドを生成する。なお、このコマンド生成は、次のエラー検出処理（ステップＳ２０９）において実行してもよい。
【０２０９】
ステップＳ２０９：次に主制御ＣＰＵ７２は、エラー検出処理を実行する。この処理では、パチンコ機１に関して、エラーが発生しているか否かをまず判定する。その判定の結果エラーの発生が検出された場合、エラー検出装置等により検出されたエラー検出信号に応じて、外部端子板１６０を通じて外部の電子機器に出力するための外部情報信号（エラー検出情報）、及び、演出制御装置１２４にエラー検出を報知することを指示するエラー報知指示コマンドを作成する。最後に、作成したエラー報知指示コマンドは、コマンドバッファ領域に保存される。
【０２１０】
パチンコ機１に関して、エラーが発生しているか否かの判定において、例えば、ガラス枠開放スイッチ９１（扉開放センサ）、プラ枠開放スイッチ９３（扉開放センサ）、払出路球切れスイッチ１０４、又は、満タンスイッチ１６１がエラー検出装置として使用される。そして、これらのエラー検出装置により検出されたエラー検出信号に応じ、扉開放エラー報知指示コマンド、球切れエラー報知コマンド、満タンエラー報知指示コマンドが作成される。
【０２１１】
なお、他のエラー検出として、可変入賞装置３０（大入賞口）が開放又は拡大していない時に、遊技球が大入賞口に入賞したことを感知するカウントスイッチ８４による異常入賞エラー検出、遊技者が遊技盤を叩いたことを感知する振動センサによる振動エラー検出、遊技盤磁石を近づけて磁力により遊技球を操作することを感知する磁石センサによる磁石エラー検出等がある。また、それぞれのエラー検出に対応し、異常入賞エラー報知指示コマンド、振動エラー報知指示コマンド、磁石エラー報知指示コマンドが作成される。
【０２１２】
また、主制御ＣＰＵ７２は、演出制御装置１２４に関するエラー報知指示コマンドだけでなく、外部端子板１６０を通じて外部の電子機器に出力するための外部情報信号（エラー検出情報）も作成する。外部情報信号（エラー検出情報）は、各エラー検出に応じて作成される。例えば、扉開放エラー検出の場合は扉開放状態情報信号、球切れエラー検出の場合は球切れ状態情報信号、満タンエラー検出の場合は満タン状態情報信号、異常入賞エラー検出の場合は異常入賞状態情報信号、振動エラー検出の場合は振動異常状態情報信号、磁石エラー検出の場合は磁石異常状態情報信号が作成される。作成された外部情報信号は、バッファ領域に保存される。
【０２１３】
なお、これまでの処理においてエラーが検出されたと判定された場合、このエラー検出処理において、エラー報知指示コマンドや外部情報信号を作成してもよい。例えば、球振り分けエラー判定処理（ステップＳ２０４）における球振り分けエラー報知指示コマンド及び球振り分け異常状態情報信号や、賞球払出処理（ステップＳ２０８）における賞球エラー報知指示コマンド及び賞球異常状態情報信号を、この処理で作成してもよい。
【０２１４】
また、エラー解除がされない限り、主制御ＣＰＵ７２はこのエラー検出処理において、エラー報知指示コマンドを作成し続けることができる。例えば、満タンスイッチ１６１の信号がＯＮからＯＦＦにならない限り、主制御ＣＰＵ７２は満タンエラー報知指示コマンドを作成し続け、信号がＯＮからＯＦＦになった時に、主制御ＣＰＵ７２はコマンドの作成を終了する。なお、エラー解除がされない限り、作成され続けるエラー報知指示コマンドは、後の演出制御出力処理（ステップＳ２１４）において演出制御装置に出力され続ける。そして、演出制御装置においては、エラー解除がされない限り、外部に対してエラーが検出された旨を報知し続ける。
【０２１５】
ステップＳ２１０：次に主制御ＣＰＵ７２は、外部情報処理を実行する。この処理では、主制御ＣＰＵ７２は外部端子板１６０を通じて遊技場のホールコンピュータに対して上記の外部情報信号（例えば賞球情報、扉開放情報、図柄確定回数情報、大当り情報、始動口情報、エラー検出情報等）をポート出力要求バッファに格納する。
【０２１６】
なお本実施形態では、各種の外部情報信号のうち、例えば大当り情報として「大当り１」〜「大当り５」を外部に出力することで、パチンコ機１に接続された外部の電子機器（データ表示器やホールコンピュータ）に対して多様な大当り情報を提供することができる（外部情報信号出力手段）。すなわち、大当り情報を複数の「大当り１」〜「大当り５」に分けて出力することで、これらの組み合わせから大当りの種別（当選種類）を図示しないホールコンピュータで集計・管理したり、内部的な確率状態（低確率状態又は高確率状態）や図柄変動時間の短縮状態の変化を認識したり、非当選以外であっても「大当り」に分類されない小当り（条件装置が作動しない当り）の発生を集計・管理したりすることが可能となる。また大当り情報に基づき、例えば図示しないデータ表示装置によりパチンコ機１の台ごとに過去数営業日以内の大当り発生回数を計数及び表示したり、台ごとに現在大当り中であるか否かを認識したり、あるいは台ごとに現在図柄変動時間の短縮状態であるか否かを認識したりすることができる。この外部情報処理において、主制御ＣＰＵ７２は「大当り１」〜「大当り５」のそれぞれの出力状態（ＯＮ又はＯＦＦのセット）を詳細に制御する。
【０２１７】
また、外部情報信号としてエラー検出情報をパチンコ機１に接続された外部の電子機器（データ表示器やホールコンピュータ）に出力することができる。信号を受信したデータ表示器やホールコンピュータでは、パチンコ機１に異常が発生したことを遊技場の係員に報知する何らかの処理が実行される。また、エラー検出情報として、扉開放状態情報信号、球切れ状態情報信号、満タン状態情報信号、異常入賞状態情報信号、振動異常状態情報信号、磁石異常状態情報信号、球振り分け異常状態情報信号、賞球異常状態情報信号等を出力することができる。このように多様なエラー検出情報をデータ表示器やホールコンピュータに出力するため、パチンコ機１にどのような異常が発生しているのかを詳細に遊技場の係員に報知することができる。
【０２１８】
ステップＳ２１１：また主制御ＣＰＵ７２は、試験信号処理を実行する。この処理では、主制御ＣＰＵ７２が自己の内部状態（例えば、普通図柄遊技管理状態、特別図柄遊技管理状態、大当り中、確率変動機能作動中、時間短縮機能作動中）を表す各種の試験信号を生成し、これらをポート出力要求バッファに格納する。この試験信号により、例えば主制御装置７０の外部で主制御ＣＰＵ７２の内部状態を試験することができる。
【０２１９】
ステップＳ２１２：次に主制御ＣＰＵ７２は、表示出力管理処理を実行する。この処理では、主制御ＣＰＵ７２は普通図柄表示装置３３、普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ、遊技状態表示装置３８等の点灯状態を制御する。具体的には、先の特別図柄遊技処理（ステップＳ２０６）や普通図柄遊技処理（ステップＳ２０７）においてポート出力要求バッファに格納されている駆動信号をポート出力する。なお駆動信号は、各ＬＥＤに対して印加するバイトデータとしてポート出力要求バッファに格納されている。これにより、各ＬＥＤが所定の表示態様（図柄の変動表示や停止表示、作動記憶数表示、遊技状態表示等を行う態様）で駆動されることになる。
【０２２０】
ステップＳ２１３：また主制御ＣＰＵ７２は、出力管理処理を実行する。この処理では、主制御ＣＰＵ７２は先の外部情報処理（ステップＳ２１０）でポート出力要求バッファに格納された外部情報信号（バイトデータ）をポート出力する。また主制御ＣＰＵ７２は、ポート出力要求バッファに格納されている普通電動役物ソレノイド８８及び大入賞口ソレノイド９０の各駆動信号、試験信号等を合わせてポート出力する。
【０２２１】
ステップＳ２１４：主制御ＣＰＵ７２は、演出制御出力処理を実行する。この処理では、コマンドバッファ内に主制御ＣＰＵ７２が演出制御装置１２４に送信するべきコマンド（演出制御に必要なコマンド）があるか否かを確認し、未送信コマンドがある場合は出力対象のコマンドをポート出力する。なお、主制御ＣＰＵ７２から送信する演出用のコマンドには、例えば特図先判定演出コマンド、（特別図柄）作動記憶数増加時演出コマンド、（特別図柄）作動記憶数減少時演出コマンド、始動口入賞音制御コマンド、デモ演出用コマンド、抽選結果コマンド、変動パターンコマンド、変動開始コマンド、停止図柄コマンド、図柄停止時コマンド、状態指定コマンド、ラウンド数コマンド、エラー通知コマンド、大当り終了演出コマンド、変動パターン先判定コマンド、エラー報知指示コマンド等がある。
【０２２２】
また、エラー報知指示コマンドには、扉開放エラー報知指示コマンド、球切れエラー報知コマンド、満タンエラー報知指示コマンド、異常入賞エラー報知指示コマンド、振動エラー報知指示コマンド、磁石エラー報知指示コマンド、球振り分けエラー報知指示コマンド、賞球エラー報知指示コマンド等がある。
【０２２３】
ステップＳ２１５：そして主制御ＣＰＵ７２は、今回のＣＴＣ割込で格納したポート出力要求バッファをクリアする。
【０２２４】
なお本実施形態では、ステップＳ２０６ステップＳ２１４の処理（遊技制御プログラムモジュール）をタイマ割込処理として実行する例を挙げているが、これら処理をＣＰＵのメインループ中に組み込んで実行している公知のプログラミング例もある。
【０２２５】
ステップＳ２１６：以上の処理を終えると、主制御ＣＰＵ７２は割込終了を指定する値（０１Ｈ）を割込プログラムカウンタ内に格納し、ＣＴＣ割込を終了する。
【０２２６】
ステップＳ２１７，ステップＳ２１８：そして主制御ＣＰＵ７２は、退避しておいたレジスタ（Ａ〜Ｌ）の値を復帰し、次回のＣＴＣ割込を許可する。この後、主制御ＣＰＵ７２は、メインループ（スタックポインタで指示されるプログラムアドレス）に復帰する。
【０２２７】
〔球振り分けエラー判定処理〕
図２０は、球振り分けエラー判定処理（図１９中のステップＳ２０４）の手順例を示すフローチャートである。以下、各手順を追って説明する。
【０２２８】
ステップＳ８０１：主制御ＣＰＵ７２は、第１特別図柄に対応する右始動入賞口スイッチ８０から入賞検出信号（第１特別図柄入賞検出信号）が入力（第１事象が発生）されたか否かを確認する。このとき、第１特別図柄入賞検出信号の入力が確認された場合（Ｙｅｓ）、主制御ＣＰＵ７２は次のステップＳ８０３に進む。一方、第１特別図柄入賞検出信号の入力が確認されなかった場合（Ｎｏ）、主制御ＣＰＵ７２は次のステップＳ８０５に進む。
【０２２９】
ステップＳ８０３：主制御ＣＰＵ７２は、今回の入賞検出信号フラグに値として０１Ｈをセットする。今回の入賞検出信号フラグの値が０１Ｈであることは、右始動入賞口スイッチ８０が入力（ＯＮ）されたこと、すなわち、右始動入賞口２６に遊技球が入賞したことを表す。今回の入賞検出信号フラグのセットが実行されると、主制御ＣＰＵ７２は次のステップＳ８２１に進む。
【０２３０】
ステップＳ８０５：主制御ＣＰＵ７２は、第２特別図柄に対応する左始動入賞口スイッチ８２から入賞検出信号（第２特別図柄入賞検出信号）が入力（第２事象が発生）されたか否かを確認する。このとき、第２特別図柄入賞検出信号の入力が確認された場合（Ｙｅｓ）、主制御ＣＰＵ７２は次のステップＳ８０７に進む。一方、第２特別図柄入賞検出信号の入力が確認されなかった場合（Ｎｏ）、主制御ＣＰＵ７２は割込管理処理（図１９）に復帰する。
【０２３１】
ステップＳ８０７：主制御ＣＰＵ７２は、今回の入賞検出信号フラグに値として０２Ｈをセットする。今回の入賞検出信号フラグの値が０２Ｈであることは、左始動入賞口スイッチ８２が入力（ＯＮ）されたこと、すなわち、左始動入賞口２８ａに遊技球が入賞したことを表す。今回の入賞検出信号フラグのセットが実行されると、主制御ＣＰＵ７２は次のステップＳ８２１に進む。
【０２３２】
ステップＳ８２１：主制御ＣＰＵ７２は、前回の入賞検出信号フラグの値を参照し、参照した値と今回の入賞検出信号フラグの値とが同一か否かを確認する。前回の入賞検出信号フラグにセットされている値は、今回の１つ前（前回）の入賞検出信号を表し、すなわち、前回遊技球が入賞した始動入賞口を表す。このとき、前回と今回の入賞検出信号フラグとが同一であると確認された場合（Ｙｅｓ）、例えば、遊技球が入賞した始動入賞口が前回と今回とも同一の右始動入賞口２６であると確認された場合、主制御ＣＰＵ７２は次のステップＳ８２３に進む。一方、前回と今回の入賞検出信号フラグとが同一でないと確認された場合（Ｎｏ）、例えば、遊技球が入賞した始動入賞口が前回は左始動入賞口２８ａで今回は右始動入賞口２６であることから同一でないと確認された場合、主制御ＣＰＵ７２は次のステップＳ８２５に進む。
【０２３３】
ステップＳ８２３：主制御ＣＰＵ７２は、連続入賞判定カウント値を加算する。連続入賞判定カウント値は、同一の始動入賞口に遊技球が連続して入賞した回数を表すものである。例えば、遊技球が右始動入賞口２６に初めて入賞した場合、連続入賞判定カウント値は１であり、その後右始動入賞口２６に３回連続して入賞した場合、連続入賞判定カウント値は４（１＋１＋１＋１）である。また、遊技球が右始動入賞口２６に１回入賞し、その後左始動入賞口２８ａに３回連続して入賞した場合、連続入賞判定カウント値は３（１＋１＋１）である。連続入賞判定カウント値の加算処理を終えると、主制御ＣＰＵ７２は次にステップＳ８４１に進む。
【０２３４】
ステップＳ８２５：主制御ＣＰＵ７２は、前回の入賞検出信号フラグに今回の入賞検出信号フラグをセットする。この処理は、入賞検出信号フラグが今回と次回とで同一か否かを確認する処理（以降の割込管理処理で実行されるステップＳ８２１での処理）のための準備として行われる。例えば、前回の入賞検出信号フラグの値が０１Ｈであり、今回の入賞検出信号フラグの値が０２Ｈであれば、前回の入賞検出信号フラグに値として０２Ｈをセットする（置き換える）。すなわち、前回は遊技球が左始動入賞口２８ａに入賞したということを表す準備をする。また、前回の入賞検出信号フラグの値が０２Ｈであり、今回の入賞検出信号フラグの値が０１Ｈであれば、前回の入賞検出信号フラグに値として０１Ｈをセットする（置き換える）。すなわち、前回は遊技球が右始動入賞口２６に入賞したということを表す準備をする。主制御ＣＰＵ７２は次にステップＳ８２７に進む。
【０２３５】
ステップＳ８２７：主制御ＣＰＵ７２は、連続入賞判定カウント値を１にリセットする。すなわち、今回遊技球が入賞した始動入賞口は前回と異なるため、同一の始動入賞口に連続して入賞した回数を１にリセットする。例えば、遊技球が右始動入賞口２６に初めて入賞した場合、連続入賞判定カウント値は１であり、その後左始動入賞口２８ａに入賞した場合、連続入賞判定カウント値は１にリセットされ、その後右始動入賞口２６に入賞した場合、連続入賞判定カウント値は１にリセットされる。すなわち、球振り分け装置２００により、右始動入賞口２６と左始動入賞口２８ａに交互に入賞するように遊技球が放出された場合、連続入賞判定カウント値は１にリセットされ続ける。主制御ＣＰＵ７２は次にステップＳ８４１に進む。
【０２３６】
ステップＳ８４１：主制御ＣＰＵ７２は、連続入賞判定カウント条件を満たしているか否かを確認する。ここで、球振り分け装置２００に関する異常状態等のエラーが発生しているか否かの判定は、同一の始動入賞口に遊技球が連続して入賞した回数をカウントし基準値以上か否かの判定（連続入賞判定カウント値と基準値との比較）によって行う。また、球振り分け装置２００に流入した遊技球が右始動入賞口２６と左始動入賞口２８ａに交互に入賞するように放出され、入賞の度に連続入賞判定カウント値が１にリセットされ続けているかを判定することでも確認することができる。したがって、球振り分け装置２００に流入しないで直接各始動入賞口２６、２８ａに入賞した場合、その入賞事象を連続して入賞した回数のうちの１回に含めてしまうと、正確な判定ができない可能性がある。そこで、連続して入賞した回数に含めるか否かの確認を、この処理において実行する。
【０２３７】
連続入賞判定カウント条件は、大別すると、右始動入賞口２６に遊技球が入賞する頻度と、左始動入賞口２８ａに遊技球が入賞する頻度とが同程度な遊技状態にある（Ｙｅｓ）か、否か（Ｎｏ）である。すなわち、直接遊技球が各始動入賞口２６、２８ａに入賞する頻度が同程度であるか否かである。この直接遊技球が始動入賞口に入賞する可能性は、左始動入賞口２８ａへの入賞に影響する可変始動入賞装置２８の作動により変化する。可変始動入賞装置２８が作動すると、左右の可動片２８ｂはそれぞれ閉位置から開放位置に向けて変位（拡開）し、左始動入賞口２８ａの開口幅を左右に拡大するからである。この間に可変始動入賞装置２８は遊技球の流入が容易化された状態となり、非作動時と比較して左始動入賞口２８ａへの入賞の頻度は向上する。
【０２３８】
したがって、連続入賞判定カウント条件は、具体的には、可変始動入賞装置２８が有する可動片２８ｂが閉状態である時に、左始動入賞口２８ａに遊技球が流入して入賞した事象であるか否か、である。そして、この条件を満たした場合、すなわち、可動片２８ｂが閉状態である時に、左始動入賞口２８ａに遊技球が流入して入賞した事象である場合（Ｙｅｓ）、左始動入賞口２８ａに遊技球が入賞した事象を連続して入賞した回数（連続入賞判定カウント値）に含めることを確認する。連続入賞判定カウント値に今回の事象を含めることを確認した後、主制御ＣＰＵ７２は次にステップＳ８６１に進む。一方、上記条件を満たしていない場合、すなわち、可動片２８ｂが開状態である時に、左始動入賞口２８ａに遊技球が流入して入賞した事象である場合（Ｎｏ）、左始動入賞口２８ａに遊技球が入賞した事象を連続して入賞した回数（連続入賞判定カウント値）に含めないことを確認する。連続入賞判定カウント値に今回の事象を含めないことを確認した後、主制御ＣＰＵ８２は次にステップＳ８４５に進む。
【０２３９】
ここで、可動片２８ｂが開状態であるか否かについて、主制御ＣＰＵ７２は、所定の条件を満たしているか否かで判定を行う。具体的には、可動片２８ｂの作動を制御するソレノイドを用いたリンク機構が左右方向の往復動作（開閉動作）に対する信号に基づき判定する。すなわち、リンク機構に開状態に変化させる信号を送信している場合、可動片２８ｂが開状態であると判定する。一方、リンク機構に閉状態に変化させる信号を送信している場合、又は、開状態に変化させる信号を送信していない場合、可動片２８ｂが閉状態であると判定する。ここで、可動片２８ｂが開状態の時に、可変始動入賞装置２８に遊技球が流入し、可動片２８ｂが閉状態になった後に、左始動入賞口２８ａに遊技球が入賞することもある。これは、入賞検出信号が出力されるタイミングが、実際の遊技球の動きに依存するため、可変始動入賞装置２８が閉状態になった後に出力されるからである。したがって、そういった遊技球の動きを考慮して、可動片２８ｂが開状態の時に、左始動入賞口２８ａに遊技球が流入して入賞したか否かは、可動片２８ｂが開状態から閉状態になった時点から所定時間内に左始動入賞口スイッチ８２から入賞信号が入力（第２事象が発生）されたか否かによって判定される。
【０２４０】
また、可変始動入賞装置２８は、普通図柄に関する内部抽選の結果当りであった場合、可動片２８ｂは所定回数、所定時間だけの開閉動作を行う。したがって、連続入賞判定カウント条件として、普通図柄に関する内部抽選の結果当りであった場合に、左始動入賞口２８ａに遊技球が流入して入賞した事象であるか否か、を判定条件としてもよい。具体的には、遊技球が始動ゲート２０を通過（ゲートスイッチ７８により遊技球通過の検出）すると、普通図柄に関する内部抽選が実行される。内部抽選の結果が当りであった場合、所定の変動時間経過後に普通図柄表示装置において当りの態様で普通図柄が停止表示し、停止表示後に可変始動入賞装置２８に作動に関する信号が送信され、作動に関する信号に基づき可動片２８ｂが所定の態様（所定回数、所定時間）で作動する。したがって、主制御ＣＰＵ７２は、可変始動入賞装置２８に作動に関する信号が送信された時点から、所定時間内に左始動入賞口スイッチ８２から入賞信号が入力（第２事象が発生）されたか否かによって、連続入賞判定カウント条件が満たされるか否かを判定してもよい。
【０２４１】
また、普通図柄に関する内部抽選における当りとして２種類の第１当り（第１当選）と第２当り（第２当選）を規定し（作動抽選当選規定手段）、第２当りにおける可変始動入賞装置２８の作動態様を、第１当りにおける作動態様よりも遊技者に対して有利になるように設定してもよい。例えば、第１当りにおける可変始動入賞装置２８の作動態様を、０．２秒間の開放動作を２回作動させるのに対し、第２当りにおける作動態様を２秒間の開放動作を３回作動させてもよい。すなわち、第１当りにおいては、遊技球が左始動入賞口２８ａに入賞することは非常に困難な状態であるのに対し、第２当りにおいては、左始動入賞口２８ａへの入賞が容易化される。したがって、主制御ＣＰＵ７２は、普通図柄に関する内部抽選の結果が第２当りの場合のみ、可変始動入賞装置２８に作動に関する信号が送信された時点から、所定時間内に左始動入賞口スイッチ８２から入賞信号が入力（第２事象が発生）されたか否かによって、連続入賞判定カウント条件が満たされるか否かを判定してもよい。
【０２４２】
また、特別図柄に関する大当り遊技終了後に、普通図柄に関する内部抽選の当選確率が通常時の低確率状態から高確率状態に移行される場合がある（作動抽選確率状態移行手段、頻度調整手段）。この普通図柄に関する内部抽選の当選確率が高確率状態に移行されることは、当りに当選しやすくなるため、可変始動入賞装置２８が作動する機会が増加する。すなわち、遊技球は球振り分け装置２００から放出されることなく直接左始動入賞口２８ａへ入賞する頻度は向上する。したがって、連続入賞判定カウント条件として、普通図柄に関する内部抽選の当選確率が高確率状態であった場合に、左始動入賞口２８ａに遊技球が流入して入賞した事象であるか否か、を判定条件としてもよい。
【０２４３】
ここで、普通図柄に関する内部抽選の当選確率が高確率状態であるか否かについては、現在の普通図柄に関する確率状態フラグを参照することで判定することができる。確率状態フラグが１にセットされていれば高確率状態であることを表し、０にリセットされていれば通常時の低確率状態であること表している。したがって、主制御ＣＰＵ７２は、左始動入賞口スイッチ８２による入賞信号の入力（第２事象が発生）が、普通図柄に関する確率状態フラグが１である場合の入力か否かによって、連続入賞判定カウント条件が満たされるか否かを判定してもよい。
【０２４４】
また、特別図柄に関する大当り遊技終了後に、普通図柄表示装置における普通図柄に関する変動表示の変動時間が通常の長さの通常状態から時間が短縮される時間短縮状態に移行される場合がある（時間短縮状態移行手段、頻度調整手段）。この普通図柄に関する変動時間が時間短縮状態に移行されることは、当りに当選しやすくなるため、可変始動入賞装置２８が作動する機会が増加する。すなわち、遊技球は球振り分け装置２００から放出されることなく直接左始動入賞口２８ａへ入賞する頻度は向上する。したがって、連続入賞判定カウント条件として、普通図柄に関する変動時間が時間短縮状態であった場合に、左始動入賞口２８ａに遊技球が流入して入賞した事象であるか否か、を判定条件としてもよい。
【０２４５】
ここで、普通図柄に関する変動時間が時間短縮状態であるか否かについては、現在の普通図柄に関する遊技状態フラグを参照することで判定することができる。遊技状態フラグが１にセットされていれば時間短縮状態であることを表し、０にリセットされていれば通常状態であること表している。したがって、主制御ＣＰＵ７２は、左始動入賞口スイッチ８２による入賞信号の入力（第２事象が発生）が、普通図柄に関する遊技状態フラグが１である場合の入力か否かによって、連続入賞判定カウント条件が満たされるか否かを判定してもよい。
【０２４６】
なお、右始動入賞口２６には、遊技球の流入が容易化される状態が発生しない。したがって、主制御ＣＰＵ７２は、連続した回数に含めるか否かの確認（連続入賞判定カウント条件を満たしているか否かの確認）において、右始動入賞口２６に入賞した事象はすべて連続した回数に含める（連続入賞判定カウント条件を満たしている）と確認する。確認した後、主制御ＣＰＵ８２は次にステップＳ８６１に進む。
【０２４７】
ステップＳ８４５：主制御ＣＰＵ７２は、連続入賞判定カウント条件を満たしていないと確認した場合（ステップＳ８４１（Ｎｏ））、連続入賞判定カウント値を減算する。すなわち、同一の始動入賞口に遊技球が連続して入賞した回数（連続入賞判定カウント値）に含まれていた今回の入賞事象の１回分を減算する処理を実行する。例えば、遊技球が右始動入賞口２６に入賞した場合、連続入賞判定カウント値は１であり、その後連続入賞判定カウント条件を満たした状態の時に左始動入賞口２８ａに入賞した場合、連続入賞判定カウント値は１であり、その後連続入賞判定カウント条件を満たさない状態の時に左始動入賞口２８ａに入賞した場合、連続入賞判定カウント値は１（１＋１−１）に減算される。また、遊技球が右始動入賞口２６に入賞した場合、連続入賞判定カウント値は１であり、その後連続入賞判定カウント条件を満たさない状態の時に左始動入賞口２８ａに入賞した場合、連続入賞判定カウント値は０（１−１）に減算される。連続入賞判定カウント値の減算処理を終えると、主制御ＣＰＵ７２は次にステップＳ８６１に進む。
【０２４８】
ステップＳ８６１：主制御ＣＰＵ７２は最大連続入賞値を参照し、参照した値と連続入賞判定カウント値とを比較する。最大連続入賞値は、ＲＯＭ７４の記憶領域に予め記憶されており、球振り分け装置２００に関する異常状態等のエラーが発生したか否かを判定する基準値（判定値）として、同一の始動入賞口への最大許容連続入賞回数を表す。例えば、最大連続入賞値が「５」であって、同一の始動入賞口へ連続して５回入賞した（連続入賞判定カウント値が５）場合、それぞれの値が同一であると確認され、球振り分け装置２００に関する異常状態等のエラーが発生したと判定することができる。すなわち、連続入賞判定カウント値が最大連続入賞値以上である場合（Ｙｅｓ）、球振り分け装置２００に関する異常状態等のエラーが検出されたとして、主制御ＣＰＵ７２は次にステップＳ８６３に進む。一方、連続入賞判定カウント値が最大連続入賞値以上でない場合（Ｎｏ）、球振り分け装置２００における異常が検出されなかったとして、主制御ＣＰＵ７２は次にステップＳ８６５に進む。
【０２４９】
ステップＳ８６３：主制御ＣＰＵ７２は、球振り分け装置２００に関する異常状態等の異常（エラー）が検出されたと判定したことから、球振り分けエラーフラグをセットする（値を０１Ｈにする）。球振り分けエラーフラグは、球振り分け装置２００の状態を表す。例えば、球振り分けエラーフラグの値がリセット（００Ｈ）されている場合、球振り分け装置２００の状態は正常状態であることを表す。一方、球振り分けエラーフラグの値がリセット（００Ｈ）されていない場合、例えば、値に０１Ｈがセットされている場合、球振り分け装置２００の状態は異常状態であることを表す。ここで、球振り分けエラーフラグの値が０１Ｈである場合、球振り分け装置２００に関する異常状態等のエラーが検出されたことを表すと共に、球振り分け装置２００において一方の放出口側への振り分けしか行われていない状態、すなわち、球振り分け装置２００内の回転体２０５に異常が発生している状態が始動入賞スイッチに基づき検出されたことを表している。球振り分けエラーフラグのセット処理を終えると、主制御ＣＰＵ７２は次にステップＳ８８１に進む。
【０２５０】
ステップＳ８６５：主制御ＣＰＵ７２は、球振り分け装置２００に関する異常状態等のエラー（異常）が検出されなかったと判定したことから、球振り分けエラーフラグをリセットする（値を００Ｈにする）。以上の手順を終えると、主制御ＣＰＵ７２は割込管理処理（図１９）に復帰する。
【０２５１】
ステップＳ８８１：主制御ＣＰＵ７２は、球振り分けエラー報知指示処理を実行する。この処理では、球振り分け装置２００に関する異常状態等のエラー（異常）が検出されたことを外部に報知（開示）するための、演出用のエラー報知指示コマンド及び外部情報信号を作成し、バッファ領域に保存する。以上の手順を終えると、主制御ＣＰＵ７２は割込管理処理（図１９）に復帰する。
【０２５２】
図２１は、球振り分けエラー報知指示処理（図２０中のステップＳ８８１）の手順例を示すフローチャートである。以下、主制御ＣＰＵ７２が行う処理について、各手順を追って説明する。
【０２５３】
ステップＳ８８３：主制御ＣＰＵ７２は球振り分けエラーフラグを参照する。前述したように、球振り分けエラーフラグがセットされている場合（値が００Ｈにリセットされていない場合）、球振り分け装置２００に関する異常状態等のエラーが発生していることを表すと共に、セットされている値によって、どのような状態にあるかを表している。したがって、この処理では、球振り分け装置２００にどのような異常状態にあるのかを確認する。主制御ＣＰＵ７２は次にステップＳ８８５に進む。
【０２５４】
ステップＳ８８５：主制御ＣＰＵ７２は、参照した球振り分けエラーフラグに基づき、エラー報知指示コマンドを作成する。この処理では、演出制御装置１２４に実行させる演出制御のための演出用のコマンドを、球振り分け装置２００における異常状態に基づき作成する。例えば、球振り分けエラーフラグの値が０１Ｈである場合、すなわち、球振り分け装置２００において一方の放出口側への振り分けしか行われていない状態を始動入賞口スイッチに基づき検出した場合、球振り分け装置エラー報知指示コマンド１を作成する。
【０２５５】
また、他にも、球振り分けエラーフラグの値が０２Ｈである場合、すなわち、球振り分け装置２００において一方の放出口側への振り分けしか行われていない状態を放出口スイッチに基づき検出した場合、球振り分け装置エラー報知指示コマンド２を作成する。同様に、球振り分けエラーフラグの値が０３Ｈ（球振り分け装置２００内で遊技球が停留している状態）である場合は、球振り分け装置エラー報知指示コマンド３を作成し、球振り分けエラーフラグの値が０４Ｈ（流入口以外から遊技球が球振り分け装置２００に不正に所定個数流入した状態）である場合は、球振り分け装置エラー報知指示コマンド４を作成する。なお、球振り分けエラーフラグに基づいた球振り分け装置における異常状態別に球振り分け装置エラー報知指示コマンド１〜４を作成しているが、単純に球振り分けエラーフラグがセットされていること（００Ｈにリセットされていないこと）に基づき、球振り分け装置エラー報知指示コマンドを作成してもよい。主制御ＣＰＵ７２は次にステップＳ８８６に進む。
【０２５６】
ステップＳ８８６：主制御ＣＰＵ７２は、参照した球振り分けエラーフラグに基づき、外部情報信号を作成する。この処理では、外部端子板１６０を通じて外部の電子機器に出力するための外部情報信号を、球振り分け装置２００に関する異常状態に基づき作成する。例えば、球振り分けエラーフラグの値が０１Ｈである場合、球振り分け異常状態情報信号１を作成する。同様に、球振り分けエラーフラグの値が０２Ｈ〜０４Ｈである場合、球振り分け異常状態情報信号２〜４を作成する。なお、球振り分けエラーフラグに基づいた球振り分け装置における異常状態別に球振り分け異常状態情報信号１〜４を作成しているが、単純に球振り分けエラーフラグがセットされていること（００Ｈにリセットされていないこと）に基づき、球振り分け異常状態情報信号を作成してもよい。主制御ＣＰＵ７２は次にステップＳ８８８に進む。
【０２５７】
ステップＳ８８８：主制御ＣＰＵ７２は、作成した球振り分け装置エラー報知指示コマンドをＲＡＭ７６のコマンドバッファ領域に保存し、作成した球振り分け異常状態情報信号をバッファ領域に保存する。なお、コマンドバッファ領域に保存されたエラー報知指示コマンドは、演出制御出力処理（図１９中のステップＳ２１４）おいて演出制御装置１２４に送信される。また、バッファ領域に保存された球振り分け異常状態情報信号は、外部情報処理（図１９中のステップＳ２１０）において外部の電子機器（データ表示器やホールコンピュータ）に出力される（開示手段）。
【０２５８】
ここで、これら一連の球振り分けエラー検出処理（図２０中のステップＳ８６３、Ｓ８８１、及び、図２１中のステップＳ８８３〜Ｓ８８８）は、球振り分け装置２００に関する異常状態等のエラー検出が解除されない限り、割込み周期毎に毎回実行される。例えば、球振り分けエラー判定処理中の処理（図２０中のステップＳ８６１）において、球振り分け装置において異常が検出されたと判定され続ける限り（ステップＳ８６１：Ｙｅｓ）、毎回エラー報知指示コマンドが作成され、そのコマンドが毎回演出制御装置１２４に送信される。そして、演出制御装置１２４では、そのコマンドに従い、外部に対して球振り分け装置における異常検出の報知が実行され続ける。
【０２５９】
しかしながら、球振り分け装置２００に関する異常状態等のエラー検出の報知（開示）が実行されている間に、この連続入賞判定カウント値が０１Ｈにセットされる、すなわち、入賞が５回連続していた始動入賞口とは異なる始動入賞口に遊技球が入賞する場合を想定する。その場合、球振り分けエラー判定処理中の処理（図２０中のステップＳ８６１）において、球振り分け装置において異常は検出されないと判定される（ステップＳ８６１：Ｎｏ）。その結果、これら一連の球振り分けエラー検出処理（図２０中のステップＳ８６３、Ｓ８８１、及び、図２１中のステップＳ８８３〜Ｓ８８８）は実行されず、すなわち、エラー報知コマンドの作成及び保存（出力）が実行されず、外部に対する球振り分け装置における異常検出の報知が終了する。
【０２６０】
以上の手順を終えると、主制御ＣＰＵ７２は球振り分けエラー判定処理（図２０）に復帰する。
【０２６１】
〔スイッチ入力イベント処理〕
図２２は、スイッチ入力イベント処理（図１９中のステップＳ２０５）の手順例を示すフローチャートである。以下、各手順を追って説明する。
【０２６２】
ステップＳ１０：主制御ＣＰＵ７２は、第１特別図柄に対応する右始動入賞口スイッチ８０から入賞検出信号が入力（第１事象が発生）されたか否かを確認する。この入賞検出信号の入力が確認された場合（Ｙｅｓ）、主制御ＣＰＵ７２は次のステップＳ１２に進んで第１特別図柄記憶更新処理を実行する。具体的な処理の内容については、別のフローチャートを用いてさらに後述する。一方、入賞検出信号の入力がなかった場合（Ｎｏ）、主制御ＣＰＵ７２はステップＳ１４に進む。
【０２６３】
ステップＳ１４：次に主制御ＣＰＵ７２は、第２特別図柄に対応する左始動入賞口スイッチ８２から入賞検出信号が入力（第２事象が発生）されたか否かを確認する。この入賞検出信号の入力が確認された場合（Ｙｅｓ）、主制御ＣＰＵ７２は次のステップＳ１６に進んで第２特別図柄記憶更新処理を実行する。ここでも同様に、具体的な処理の内容については別のフローチャートを用いてさらに後述する。一方、入賞検出信号の入力がなかった場合（Ｎｏ）、主制御ＣＰＵ７２はステップＳ１８に進む。
【０２６４】
ステップＳ１８：主制御ＣＰＵ７２は、大入賞口に対応するカウントスイッチ８４から入賞検出信号が入力されたか否かを確認する。この入賞検出信号の入力が確認された場合（Ｙｅｓ）、主制御ＣＰＵ７２は次のステップＳ２０に進んで大入賞口カウント処理を実行する。大入賞口カウント処理では、主制御ＣＰＵ７２は大当り遊技中に１ラウンドごとの可変入賞装置３０への入賞球数をカウントする。一方、入賞検出信号の入力がなかった場合（Ｎｏ）、主制御ＣＰＵ７２はステップＳ２２に進む。
【０２６５】
また、この処理において、主制御ＣＰＵ７２は、正規の時期以外の時期において大入賞口に遊技球が入賞したことを確認した場合、異常入賞エラーが発生したと判定し、演出制御装置１２４に異常入賞エラーの発生を報知することを指示する異常入賞エラー報知指示コマンドを出力する。
【０２６６】
ステップＳ２２：主制御ＣＰＵ７２は、普通図柄に対応するゲートスイッチ７８から通過検出信号が入力されたか否かを確認する。この通過検出信号の入力が確認された場合（Ｙｅｓ）、主制御ＣＰＵ７２は次のステップＳ２４に進んで普通図柄記憶更新処理を実行する。普通図柄記憶更新処理では、主制御ＣＰＵ７２は現在の普通図柄作動記憶数が上限数（例えば４個）未満であるか否かを確認し、上限数に達していなければ、普通図柄当り乱数を取得する。また主制御ＣＰＵ７２は、普通図柄作動記憶数を１インクリメントする。そして主制御ＣＰＵ７２は、取得した普通図柄当り乱数値をＲＡＭ７６の乱数記憶領域に記憶させる。一方、入賞検出信号の入力がなかった場合（Ｎｏ）、主制御ＣＰＵ７２は割込管理処理（図１９）に復帰する。
【０２６７】
〔第１特別図柄記憶更新処理〕
図２３は、第１特別図柄記憶更新処理（図２２中のステップＳ１２）の手順例を示すフローチャートである。以下、第１特別図柄記憶更新処理の手順について順を追って説明する。
【０２６８】
ステップＳ３０：ここでは先ず、主制御ＣＰＵ７２は第１特別図柄作動記憶数カウンタの値を参照し、作動記憶数が最大値（例えば４とする）未満であるか否かを確認する。作動記憶数カウンタは、ＲＡＭ７６の乱数記憶領域に記憶されている大当り決定乱数や大当り図柄乱数等の個数（組数）を表すものである。すなわち、ＲＡＭ７６の乱数記憶領域は各図柄（第１特別図柄、第２特別図柄）別で４つのセクション（例えば各２バイト）に分けられており、各セクションには大当り決定乱数及び大当り図柄乱数を１個ずつセット（組）で記憶可能である。このとき、第１特別図柄に対応する作動記憶数カウンタの値が最大値に達していれば（Ｎｏ）、主制御ＣＰＵ７２はスイッチ入力イベント処理（図２２）に復帰する。一方、作動記憶数カウンタの値が最大値未満であれば（Ｙｅｓ）、主制御ＣＰＵ７２は次のステップＳ３１に進む。
【０２６９】
ステップＳ３１：主制御ＣＰＵ７２は、第１特別図柄作動記憶数を１つ加算する。第１特別図柄作動記憶数カウンタは、例えばＲＡＭ７６の作動記憶数領域に記憶されており、主制御ＣＰＵ７２はその値をインクリメント（＋１）する。ここで加算されたカウンタの値に基づき、表示出力管理処理（図１９中のステップＳ２１２）で第１特別図柄作動記憶ランプ３４ａの点灯状態が制御されることになる。
【０２７０】
ステップＳ３２：そして主制御ＣＰＵ７２は、サンプリング回路７７を通じて乱数発生器７５から第１特別図柄に対応する大当り決定乱数値を取得する（第１抽選要素の取得、第１抽選要素取得手段）。乱数値の取得は、乱数発生器７５のピンアドレスを指定して行う。主制御ＣＰＵ７２が８ビット処理の場合、アドレスの指定は上位及び下位で１バイトずつ２回に分けて行われる。主制御ＣＰＵ７２は、指定したアドレスから大当り決定乱数値をリードすると、これを第１特別図柄に対応する大当り決定乱数として転送先のアドレスにセーブする。
【０２７１】
ステップＳ３３：次に主制御ＣＰＵ７２は、ＲＡＭ７６の大当り図柄乱数カウンタ領域から第１特別図柄に対応する大当り図柄乱数値を取得する。この乱数値の取得もまた、大当り図柄乱数カウンタ領域のアドレスを指定して行う。主制御ＣＰＵ７２は、指定したアドレスから大当り図柄乱数値をリードすると、これを第１特別図柄に対応する大当り図柄乱数として転送先のアドレスにセーブする。
【０２７２】
ステップＳ３４：また主制御ＣＰＵ７２は、ＲＡＭ７６の変動用乱数カウンタ領域から、第１特別図柄の変動条件に関する乱数値として、リーチ判定乱数及び変動パターン決定乱数を順番に取得する（抽選要素記憶手段、変動パターン決定要素の取得）。これら乱数値の取得も同様に、変動用乱数カウンタ領域のアドレスを指定して行われる。そして主制御ＣＰＵ７２は、指定したアドレスからリーチ判定乱数及び変動パターン決定乱数をそれぞれ取得すると、これらを転送先のアドレスにセーブする。
【０２７３】
ステップＳ３５：主制御ＣＰＵ７２は、セーブした大当り決定乱数、大当り図柄乱数、リーチ判定乱数及び変動パターン決定乱数をともに第１特別図柄及び第２特別図柄で共通して使用する乱数記憶領域に転送し、これら乱数を領域内の空きセクションにセットで記憶させる（抽選要素記憶手段）。複数のセクションには順番（例えば第１〜第８）が設定されており、現段階で第１〜第８の全てのセクションが空きであれば、第１セクションから順に各乱数が記憶される。あるいは、第１セクションが既に埋まっており、その他の第２〜第８セクションが空きであれば、第２セクションから順に各乱数が記憶されていく。ただし、第１特別図柄に関しては、４つのセクションしか使用できないこととなっている（第２特別図柄についても同様）。したがって、セクションに空きがあっても、第１特別図柄に関してすでに４つのセクションを使用している場合、それ以上第１特別図柄の各乱数が記憶されることはない。なお、乱数記憶領域の読み出しはＦＩＦＯ（Ｆｉｒｓｔ  Ｉｎ  Ｆｉｒｓｔ  Ｏｕｔ）形式である。
【０２７４】
ステップＳ３６：次に主制御ＣＰＵ７２は、現在の遊技管理状態（内部状態）が大当り中であるか否かを確認する。大当り中以外であれば（Ｎｏ）、主制御ＣＰＵ７２は次以降のステップＳ３７，Ｓ３８を実行する。大当り中であれば（Ｙｅｓ）、主制御ＣＰＵ７２はステップＳ３７，Ｓ３８をスキップしてステップＳ３８ａに進む。本実施形態においてこの判断を行っているのは、大当り中は先読みによる演出を行わないためである。
【０２７５】
ステップＳ３７：現在の遊技管理状態（内部状態）が大当り中以外である場合（ステップＳ３６：Ｎｏ）、主制御ＣＰＵ７２は第１特別図柄に関して取得時演出判定処理を実行する。この処理は、先のステップＳ３２〜Ｓ３４でそれぞれ取得した第１特別図柄の大当り決定乱数及び大当り図柄乱数に基づいて、事前（変動開始前）に内部抽選の結果を判定し、それによって演出内容を判定（いわゆる「先読み」）するためのものである。なお、具体的な処理の内容については別のフローチャートを参照しながらさらに後述する。
【０２７６】
ステップＳ３８：取得時演出判定処理から復帰すると、次に主制御ＣＰＵ７２は、第１特別図柄に関して特図先判定演出コマンドの上位バイト分（例えば「Ｂ８Ｈ」）をセットする。この上位バイトデータは、コマンド種別が「第１特別図柄に関する特図先判定演出用」であることを記述したものである。なお、特図先判定演出コマンドの下位バイト分は、先の取得時演出判定処理（ステップＳ３７）においてセットされているので、ここでは下位バイトに上位バイトを合成することで例えば１ワード長のコマンドが生成されることになる。
【０２７７】
ステップＳ３８ａ：次に主制御ＣＰＵ７２は、第１特別図柄に関して作動記憶数増加時演出コマンドをセットする。具体的には、コマンドの種別を表す上位バイトの先行値（例えば「ＢＢＨ」）に対し、増加後の作動記憶数（例えば「０１Ｈ」〜「０４Ｈ」）を下位バイトに付加した１ワード長の演出コマンドを生成する。このとき下位バイトについては、デフォルトで第２の位を「０」とすることにより、その値が「作動記憶数の増加による結果（変化情報）」であることを表している。つまり、下位バイトが「０１Ｈ」であれば、それは前回までの作動記憶数「００Ｈ」から１つ増加した結果、今回の作動記憶数が「０１Ｈ」となったことを表している。同様に、下位バイトが「０２Ｈ」〜「０４Ｈ」であれば、それは前回までの作動記憶数「０１Ｈ」〜「０３Ｈ」からそれぞれ１つ増加した結果、今回の作動記憶数が「０２Ｈ」〜「０４Ｈ」となったことを表している。なお上記の先行値「ＢＢＨ」は、今回の演出コマンドが第１特別図柄についての作動記憶数コマンドであることを表す値である。
【０２７８】
ステップＳ３９：そして主制御ＣＰＵ７２は、第１特別図柄に関して演出コマンド出力設定処理を実行する。この処理は、先のステップＳ３８で生成した特図先判定演出コマンドや、ステップＳ３８ａで生成した作動記憶数増加時演出コマンド、始動口入賞音制御コマンドを演出制御装置１２４に対して送信するためのものである（記憶数通知手段）。
【０２７９】
以上の手順を終えるか、もしくは第１特別図柄作動記憶数が４に達していた場合（ステップＳ３０：Ｎｏ）、主制御ＣＰＵ７２はスイッチ入力イベント処理（図２２）に復帰する。
【０２８０】
〔第２特別図柄記憶更新処理〕
次に図２４は、第２特別図柄記憶更新処理（図２２中のステップＳ１６）の手順例を示すフローチャートである。以下、第２特別図柄記憶更新処理の手順について順を追って説明する。
【０２８１】
ステップＳ４０：主制御ＣＰＵ７２は、第２特別図柄作動記憶数カウンタの値を参照し、作動記憶数が最大値未満であるか否かを確認する。第２特別図柄作動記憶数カウンタについても上記と同様に、ＲＡＭ７６の乱数記憶領域に記憶されている大当り決定乱数や大当り図柄乱数等の個数（組数）を表すものである。このとき第２特別図柄作動記憶数カウンタの値が最大値（例えば４とする）に達していれば（Ｎｏ）、主制御ＣＰＵ７２はスイッチ入力イベント処理（図２２）に復帰する。一方、未だ第２特別図柄作動記憶数カウンタの値が最大値未満であれば（Ｙｅｓ）、主制御ＣＰＵ７２は次のステップＳ４１以降に進む。
【０２８２】
ステップＳ４１：主制御ＣＰＵ７２は、第２特別図柄作動記憶数を１つ加算（第２特別図柄作動記憶数カウンタの値をインクリメント）する。先のステップＳ３１（図２３）と同様に、ここで加算されたカウンタの値に基づき、表示出力管理処理（図１９中のステップＳ２１２）で第２特別図柄作動記憶ランプ３５ａの点灯状態が制御されることになる。
【０２８３】
ステップＳ４２：そして主制御ＣＰＵ７２は、サンプリング回路７７を通じて乱数発生器７５から第２特別図柄に対応する大当り決定乱数値を取得する（第２抽選要素の取得、第２抽選要素取得手段）。乱数値を取得する手法は、先に説明したステップＳ３２（図２３）と同様である。
【０２８４】
ステップＳ４３：次に主制御ＣＰＵ７２は、ＲＡＭ７６の大当り図柄乱数カウンタ領域から第２特別図柄に対応する大当り図柄乱数値を取得する。乱数値を取得する方法は、先に説明したステップＳ３３（図２３）と同様である。
【０２８５】
ステップＳ４４：また主制御ＣＰＵ７２は、ＲＡＭ７６の変動用乱数カウンタ領域から、第２特別図柄の変動条件に関するリーチ判定乱数及び変動パターン決定乱数を順番に取得する（抽選要素記憶手段、変動パターン決定要素の取得）。これら乱数値の取得もまた、先に説明したステップＳ３４（図２３）と同様に行われる。
【０２８６】
ステップＳ４５：主制御ＣＰＵ７２は、セーブした大当り決定乱数、大当り図柄乱数、リーチ判定乱数及び変動パターン決定乱数をともに第１特別図柄及び第２特別図柄で共通して使用する乱数記憶領域に転送し、これら乱数を領域内の空きセクションにセットで記憶させる（抽選要素記憶手段）。記憶の手法は、先に説明したステップＳ３５（図２３）と同様である。
【０２８７】
ステップＳ４５ａ：次に主制御ＣＰＵ７２は、現在の遊技管理状態（内部状態）が大当り中であるか否かを確認する。そして大当り中以外であれば（Ｎｏ）、主制御ＣＰＵ７２は次以降のステップＳ４６，Ｓ４７を実行する。逆に大当り中であれば（Ｙｅｓ）、主制御ＣＰＵ７２はステップＳ４６，Ｓ４７をスキップしてステップＳ４８に進む。本実施形態においてこの判断を行っているのは、大当り中は先読みによる演出を行わないためである。
【０２８８】
ステップＳ４６：大当り中以外である場合（ステップＳ４５ａ：Ｎｏ）、次に主制御ＣＰＵ７２は、第２特別図柄に関して取得時演出判定処理を実行する。この処理は、先のステップＳ４２〜Ｓ４４でそれぞれ取得した第２特別図柄の大当り決定乱数及び大当り図柄乱数に基づいて、事前（変動開始前）に内部抽選の結果を判定し、それによって演出内容を判定するためのものである。ここで、先のステップＳ４５ａで大当り中か否かを判定しているのは、大当り中以外は、第２特別図柄については事前に内部抽選の結果を判定し、その結果を先読み演出に利用できるからである。なお、具体的な処理の内容は後述する。
【０２８９】
ステップＳ４７：取得時演出判定処理から復帰すると、次に主制御ＣＰＵ７２は特図先判定演出コマンドの上位バイト分（例えば「Ｂ９Ｈ」）をセットする。この上位バイトデータは、コマンド種別が「第２特別図柄に関する特図先判定演出用」であることを記述したものである。ここでも同様に、特図先判定演出コマンドの下位バイト分は、先の取得時演出判定処理（ステップＳ４６）においてセットされているので、ここでは下位バイトに上位バイトを合成することで例えば１ワード長のコマンドが生成されることになる。
【０２９０】
ステップＳ４８：次に主制御ＣＰＵ７２は、第２特別図柄に関して作動記憶数増加時演出コマンドをセットする。ここでは、コマンドの種別を表す上位バイトの先行値（例えば「ＢＣＨ」）に対し、増加後の作動記憶数（例えば「０１Ｈ」〜「０４Ｈ」）を下位バイトに付加した１ワード長の演出コマンドを生成する。第２特別図柄についても同様に、デフォルトで下位バイトの第２の位を「０」とすることにより、その値が「作動記憶数の増加による結果（変化情報）」であることを表すことができる。なお先行値「ＢＣＨ」は、今回の演出コマンドが第２特別図柄についての作動記憶数コマンドであることを表す値である。
【０２９１】
ステップＳ４９：そして主制御ＣＰＵ７２は、第２特別図柄に関して演出コマンド出力設定処理を実行する。これにより、第２特別図柄に関して特図先判定演出コマンドや作動記憶数増加時演出コマンド、始動口入賞音制御コマンド等を演出制御装置１２４に対して送信する準備が行われる（記憶数通知手段）。また以上の手順を終えると、主制御ＣＰＵ７２はスイッチ入力イベント処理（図２２）に復帰する。
【０２９２】
〔取得時演出判定処理〕
図２５は、取得時演出判定処理の手順例を示すフローチャートである。主制御ＣＰＵ７２は、先の第１特別図柄記憶更新処理及び第２特別図柄記憶更新処理（図２３中のステップＳ３７，図２４中のステップＳ４６）においてこの取得時演出判定処理を実行する（先判定手段）。上記のように、この処理は第１特別図柄（右始動入賞口２６への入賞時）、第２特別図柄（可変始動入賞装置２８への入賞時）のそれぞれについて実行される。したがって以下の説明は、第１特別図柄に関する処理に該当する場合と、第２特別図柄に関する処理に該当する場合とがある。以下、各手順に沿って処理の内容を説明する。
【０２９３】
ステップＳ５０：主制御ＣＰＵ７２は、特図先判定演出コマンド（先判定情報）の下位バイト分（例えば「００Ｈ」）をセットする。なお、ここでセットしたバイトデータはコマンドの標準値（はずれ時）を表すものとなる。
【０２９４】
ステップＳ５２：次に主制御ＣＰＵ７２は、先判定用乱数値として大当り決定乱数をロードする。ここでロードする乱数は、先の第１特別図柄記憶更新処理（図２３中のステップＳ３５）又は第２特別図柄記憶更新処理（図２４中のステップＳ４５）でＲＡＭ７６に記憶されているものである。
【０２９５】
ステップＳ５４：そして主制御ＣＰＵ７２は、ロードした乱数が当り値の範囲外（ここでは下限値以下）であるか否かを判定する。具体的には、主制御ＣＰＵ７２は比較値（下限値）をＡレジスタにセットし、この比較値からロードした乱数値を減算する。なお比較値（下限値）は、パチンコ機１における内部抽選の当選確率に応じて予め規定されている。次に主制御ＣＰＵ７２は、例えばフラグレジスタの値から演算結果が０又は正の値であるか否かを判別する。その結果、ロードした乱数が当り値の範囲外であれば（Ｙｅｓ）、主制御ＣＰＵ７２はステップＳ８０に進む。
【０２９６】
ステップＳ８０：次に主制御ＣＰＵ７２は、はずれ時変動パターン情報事前判定処理を実行する（変動パターン事前判定手段、先判定手段）。この処理では、主制御ＣＰＵ７２は、はずれ時の変動時間について上述した変動パターン先判定コマンドを生成する。ここで生成される変動パターン先判定コマンドには、変動時間短縮機能の作動状態別、第１特別図柄及び第２特別図柄の合計記憶数別等の各種条件に応じて設定される変動時間（又は変動パターン番号）やリーチ変動の有無の判定情報が反映される。例えば、現在の状態が「時間短縮機能」の作動時であれば、主制御ＣＰＵ７２はロードしたリーチ判定乱数に基づいて、変動時間が「はずれリーチ変動（非短縮変動時間）」に対応するものであるか否かを判断する。その結果、変動時間が「はずれリーチ変動（非短縮変動時間）」に対応するものである場合、主制御ＣＰＵ７２は「時短中非短縮変動時間」に対応する変動パターン先判定コマンドを生成する。なお、リーチ変動の場合はさらに、リーチモード乱数から「リーチグループ（リーチの種類）」をも判断し、その結果から変動パターン先判定コマンドを生成することとしてもよい。一方、変動時間が「はずれリーチ変動（非短縮変動時間）」に対応するものでない場合、主制御ＣＰＵ７２は、例えば「合計記憶数別時短中短縮変動時間」に対応する変動パターン先判定コマンドを生成する。あるいは、現在の状態が「時間短縮機能」の非作動時（非時間短縮状態）であれば、主制御ＣＰＵ７２はロードしたリーチ判定乱数に基づいて、変動時間が「通常はずれリーチ変動」に対応するものであるか否かを判断する。その結果、変動時間が「通常はずれリーチ変動」に対応するものである場合、主制御ＣＰＵ７２は「通常はずれリーチ変動時間」に対応する変動パターン先判定コマンドを生成する。一方、変動時間が「通常はずれリーチ変動」に対応するものでない場合、主制御ＣＰＵ７２は「合計記憶数別通常はずれ変動時間」に対応する変動パターン先判定コマンドを生成する。また、ここで生成された変動パターン先判定コマンドは、上記のように演出コマンド出力設定処理（ステップＳ３９，Ｓ４９）で送信バッファにセットされる。
【０２９７】
以上の手順を実行すると、主制御ＣＰＵ７２は取得時演出判定処理を終了し、呼び出し元の第１特別図柄記憶更新処理（図２３）又は第２特別図柄記憶更新処理（図２４）に復帰する。一方、先のステップＳ５４の判断において、ロードした乱数が当り値の範囲外でなく、範囲内であれば（ステップＳ５４：Ｎｏ）、主制御ＣＰＵ７２は次にステップＳ５６に進む。
【０２９８】
ステップＳ５６：主制御ＣＰＵ７２は、先判定結果による確率状態予定フラグがセットされているか否かを確認する。先判定結果による確率状態予定フラグは、未だ変動は開始されていないが、これまで記憶されている大当り決定乱数の中に当選値がある場合にセットされるものである。具体的には、これまでに記憶されている大当り決定乱数に当選値があった場合、これと組になる大当り図柄乱数が「確変図柄」に該当するものであれば、確率状態予定フラグに例えば「Ａ０Ｈ」がセットされる。この値は、この大当り決定乱数よりも後に取得された大当り決定乱数の事前判定（先読み判定）に際して、高確率状態になることを予定として設定するためのフラグ値を表すものである。一方、これまでに記憶されている大当り決定乱数に当選値があった場合であって、これと組になる大当り図柄乱数が「非確変（通常）図柄」に該当するものであれば、確率状態予定フラグに例えば「０１Ｈ」がセットされる。この値は、この大当り決定乱数よりも後に取得された大当り決定乱数の事前判定（先読み判定）に際して、通常（低）確率状態になることを予定として設定するためのフラグ値を表すものである。なお、これまでに記憶されている大当り決定乱数に当選値が未だ存在しなければ、フラグ値はリセット（００Ｈ）されている。また確率状態予定フラグの値は、例えばＲＡＭ７６のフラグ領域に格納されている。なお、ここでは「確率状態予定フラグ」を用いて厳密に事前の当り判定を行う例を挙げているが、単純に現在の確率状態に基づいて事前の当り判定を行う場合、このステップＳ５６と以降のステップＳ５８，ステップＳ６０，ステップＳ６２，ステップＳ７６等を省略してもよい。
【０２９９】
主制御ＣＰＵ７２は、未だ確率状態予定フラグがセットされていなければ（ステップＳ５６：Ｎｏ）、次にステップＳ６６を実行する。
【０３００】
ステップＳ６６：この場合、主制御ＣＰＵ７２は次に低確率時（通常時）用比較値をＡレジスタにセットする。なお低確率時用比較値もまた、パチンコ機１における低確率時の当選確率に応じて予め規定されている。
【０３０１】
ステップＳ６８：次に主制御ＣＰＵ７２は、「現在の確率状態フラグ」をロードする。この確率状態フラグは、現在の内部状態が高確率（確変中）であるか否かを表すものであり、ＲＡＭ７６のフラグ領域内に記憶されているものである。現在の確率状態が高確率（確変中）であれば、状態フラグとして値「０１Ｈ」がセットされており、低確率（通常中）であれば、状態フラグの値はリセットされている（「００Ｈ」）。
【０３０２】
ステップＳ７０：そして主制御ＣＰＵ７２は、ロードした現在の特別図柄確率状態フラグが高確率を表すものでない（≠０１Ｈ）か否かを確認し、その結果、高確率を表すものであれば（Ｎｏ）、次にステップＳ６４を実行する。
【０３０３】
ステップＳ６４：主制御ＣＰＵ７２は、高確率時用比較値をセットする。これにより、先のステップＳ６６でセットされた低確率時用比較値が書き換えられることになる。なお、高確率時用比較値は、パチンコ機１における高確率時の当選確率に応じて予め規定されている。
【０３０４】
このように、先判定結果による確率状態予定フラグが未だセットされていない場合であって、現在の内部状態が高確率の場合は、比較値を高確率時用に書き換えた上で次のステップＳ７２を実行することになる。これに対し、先のステップＳ７０で現在の確率状態フラグが高確率を表すものでないことを確認した場合（Ｙｅｓ）、主制御ＣＰＵ７２はステップＳ６４をスキップして次のステップＳ７２を実行する。
【０３０５】
ステップＳ７２：主制御ＣＰＵ７２は、先のステップＳ５２でロードした乱数が当り値の範囲外であるか否かを判定する。すなわち、主制御ＣＰＵ７２は状態別でセットした比較値から大当り決定乱数値を減算する。そして主制御ＣＰＵ７２は、同様にフラグレジスタの値から演算結果が負の値（＜０）であるか否かを判別し、その結果、ロードした乱数が当り値の範囲外であれば（Ｙｅｓ）、主制御ＣＰＵ７２は上記のはずれ時変動パターン情報事前判定処理（ステップＳ８０）を実行する。これに対し、ロードした乱数が当り値の範囲外でなく、範囲内であれば（Ｎｏ）、主制御ＣＰＵ７２は次にステップＳ７４に進む。
【０３０６】
ステップＳ７４：主制御ＣＰＵ７２は、大当り図柄種別判定処理を実行する。この処理は、大当り決定乱数と組になっている大当り図柄乱数に基づいて、そのときの大当り種別（当選種類）を判定するためのものである。例えば、主制御ＣＰＵ７２は先の第１特別図柄記憶更新処理（図２３中のステップＳ３５）又は第２特別図柄記憶更新処理（図２４中のステップＳ４５）で記憶した図柄別の大当り図柄乱数をロードすると、上記のステップＳ５４と同様に比較値を用いた演算を実行し、その結果から大当り種別として「非確変（通常）図柄」又は「確変図柄」のいずれに該当するかを判別する。主制御ＣＰＵ７２は、このときの判別結果を特別図柄先判定値として記憶し、次のステップＳ７６に進む。
【０３０７】
ステップＳ７６：そして主制御ＣＰＵ７２は、先判定結果による確率状態予定フラグの値をセットする。具体的には、先のステップＳ７４で記憶した特別図柄先判定値が「非確変（通常）図柄」を表す場合、主制御ＣＰＵ７２は確率状態予定フラグに値「０１Ｈ」をセットする。一方、特別図柄先判定値が「確変図柄」を表す場合、主制御ＣＰＵ７２は確率状態予定フラグに値「Ａ０Ｈ」をセットする。これにより、次回以降の処理ではステップＳ５６において「フラグセット済み」と判定されることになる。
【０３０８】
ステップＳ７８：主制御ＣＰＵ７２は、特図先判定演出コマンドの下位バイトとして、先のステップＳ７４で記憶した特別図柄先判定値をセットする。特別図柄先判定値は、例えば「非確変（通常）図柄」に該当する場合は「０１Ｈ」がセットされ、「確変図柄」に該当する場合は「Ａ０Ｈ」がセットされる。いずれにしても、ここで下位バイト分のデータをセットすることにより、先のステップＳ５０でセットした標準の下位バイトデータ「００Ｈ」が書き換えられることになる。
【０３０９】
ステップＳ７９：次に主制御ＣＰＵ７２は、大当り時変動パターン情報事前判定処理を実行する（変動パターン事前判定手段、先判定手段）。この処理では、主制御ＣＰＵ７２は大当り時の変動時間について、上述した変動パターン先判定コマンドを生成する。ここで生成される変動パターン先判定コマンドには、例えば大当り時のリーチ変動時間（又は変動パターン番号）に関する事前の判定情報が反映される。また、ここで生成された変動パターン先判定コマンドは、上記のように演出コマンド出力設定処理（ステップＳ３９，Ｓ４９）で送信バッファにセットされる。
【０３１０】
以上は、先判定結果による確率状態予定フラグがセットされる前（内部初当り前）における手順である。これに対し、先のステップＳ７６を経て確率状態予定フラグがセットされた場合、以下の手順が実行される。ただし、上記のように現在の確率状態だけで事前の当り判定を行う場合、以下のステップＳ５６，ステップＳ５８，ステップＳ６０，ステップＳ６２、及びステップＳ７６を実行する必要はない。
【０３１１】
ステップＳ５６：主制御ＣＰＵ７２は、既に確率状態予定フラグに値がセットされていることを確認すると（Ｙｅｓ）、次にステップＳ５８を実行する。
【０３１２】
ステップＳ５８：主制御ＣＰＵ７２は、先ず低確率時（通常時）用比較値をＡレジスタにセットする。
【０３１３】
ステップＳ６０：次に主制御ＣＰＵ７２は、「確率状態予定フラグ」をロードする。確率状態予定フラグは、上記のように直前の先判定結果に基づきそれ以降の先判定において確率状態を予定的に設定するためのものであり、ＲＡＭ７６のフラグ領域内に記憶されているものである。直前の先判定結果に基づく確率状態が高確率（確変）に移行する予定であれば、上記のように確率状態予定フラグの値として「Ａ０Ｈ」がセットされており、逆に直前の先判定結果に基づく確率状態が低確率（通常）に戻る予定であれば、確率状態予定フラグの値として「０１Ｈ」がセットされている。
【０３１４】
ステップＳ６２：そして主制御ＣＰＵ７２は、ロードした確率状態予定フラグが高確率の予定を表すものでない（≠０１Ｈ）か否かを確認し、その結果、高確率の予定を表すものであれば（Ｎｏ）、次にステップＳ６４を実行し、高確率時用比較値をセットする。
【０３１５】
このように、先判定結果による確率状態予定フラグが既にセットされており、その値が高確率を予定するものである場合は、比較値を高確率時用に書き換えた上で次のステップＳ７２以降を実行することになる。これに対し、先のステップＳ６２で確率状態予定フラグが高確率の予定を表すものでなく、通常（低）確率の予定を表すものであることを確認した場合（Ｙｅｓ）、主制御ＣＰＵ７２はステップＳ６４をスキップして次のステップＳ７２以降を実行する。これにより本実施形態では、先判定結果に基づくその後の内部状態の変化（通常確率状態→高確率状態、高確率状態→通常確率状態）を考慮した上で、事前の大当り判定を行うことができる。
【０３１６】
以上の手順を終えると、主制御ＣＰＵ７２は第１特別図柄記憶更新処理（図２３）又は第２特別図柄記憶更新処理（図２４）に復帰する。
【０３１７】
〔特別図柄遊技処理〕
次に、割込管理処理（図１９）の中で実行される特別図柄遊技処理の詳細について説明する。図２６は、特別図柄遊技処理の構成例を示すフローチャートである。特別図柄遊技処理は、実行選択処理（ステップＳ１０００）、特別図柄変動前処理（ステップＳ２０００）、特別図柄変動中処理（ステップＳ３０００）、特別図柄停止表示中処理（ステップＳ４０００）、可変入賞装置管理処理（ステップＳ５０００）のサブルーチン（プログラムモジュール）群を含む構成である。ここでは先ず、各処理に沿って特別図柄遊技処理の基本的な流れを説明する。
【０３１８】
ステップＳ１０００：実行選択処理において、主制御ＣＰＵ７２は次に実行するべき処理（ステップＳ２０００〜ステップＳ５０００のいずれか）のジャンプ先を「ジャンプテーブル」から選択する。例えば、主制御ＣＰＵ７２は次に実行するべき処理のプログラムアドレスをジャンプ先のアドレスとし、また戻り先のアドレスとして特別図柄遊技処理の末尾をスタックポインタにセットする。
【０３１９】
いずれの処理を次のジャンプ先として選択するかは、これまでに行われた処理の進行状況（特別図柄遊技管理ステータス）によって異なる。例えば、未だ特別図柄（第１特別図柄及び第２特別図柄の両方）が変動表示を開始していない状況であれば（特別図柄遊技管理ステータス：００Ｈ）、始動条件（第１始動条件、第２始動条件）を満たすとして主制御ＣＰＵ７２は次のジャンプ先として特別図柄変動前処理（ステップＳ２０００）を選択する。一方、既に特別図柄変動前処理が完了していれば（特別図柄遊技管理ステータス：０１Ｈ）、主制御ＣＰＵ７２は次のジャンプ先として特別図柄変動中処理（ステップＳ３０００）を選択し、特別図柄変動中処理まで完了していれば（特別図柄遊技管理ステータス：０２Ｈ）、次のジャンプ先として特別図柄停止表示中処理（ステップＳ４０００）を選択するといった具合である。なお、本実施形態ではジャンプ先のアドレスを「ジャンプテーブル」で指定して処理を選択しているが、このような選択手法とは別に、「プロセスフラグ」や「処理選択フラグ」等を用いてＣＰＵが次に実行するべき処理を選択している公知のプログラミング例もある。このようなプログラミング例では、ＣＰＵが一通り各処理をＣＡＬＬし、その先頭ステップで一々フラグを参照して条件分岐（継続／リターン）することになるが、本実施形態の選択手法では、主制御ＣＰＵ７２が各処理を一々呼び出す手間は不要である。
【０３２０】
ステップＳ２０００：特別図柄変動前処理では、主制御ＣＰＵ７２は特別図柄の変動表示を開始するための条件を整える作業を行う。なお、具体的な処理の内容は、別のフローチャートを用いて後述する。
【０３２１】
ステップＳ３０００：特別図柄変動中処理では、主制御ＣＰＵ７２は変動タイマをカウントしつつ、第１特別図柄表示装置３４又は第２特別図柄表示装置３５の駆動制御を行う。具体的には、７セグメントＬＥＤの各セグメント及びドット（０番〜７番）に対してＯＮ又はＯＦＦの駆動信号（１バイトデータ）を出力する。駆動信号のパターンは時間の経過に伴って変化し、それによって特別図柄の変動表示が行われる。
【０３２２】
ステップＳ４０００：特別図柄停止表示中処理では、主制御ＣＰＵ７２は第１特別図柄表示装置３４又は第２特別図柄表示装置３５の駆動制御を行う。ここでも同様に、７セグメントＬＥＤの各セグメント及びドットに対してＯＮ又はＯＦＦの駆動信号を出力するが、駆動信号のパターンは一定であり、これにより特別図柄の停止表示が行われる。
【０３２３】
ステップＳ５０００：可変入賞装置管理処理は、先の特別図柄停止表示中処理において当りの態様（非当選以外の態様）で特別図柄が停止表示された場合に選択される。例えば、特別図柄が１５ラウンド大当りの態様で停止表示されると、それまでの通常状態から大当り遊技状態（遊技者にとって有利な特別遊技状態）に移行する契機が発生する。大当り遊技中は、先の実行選択処理（ステップＳ１０００）においてジャンプ先が可変入賞装置管理処理にセットされ、特別図柄の変動表示は行われない。可変入賞装置管理処理においては、大入賞口ソレノイド９０が一定時間（例えば２９秒間又は９個の入賞をカウントするまで）、予め設定された連続作動回数（例えば２回、１５回）にわたって励磁され、これにより可変入賞装置３０が決まったパターンで開閉動作する（特別電動役物の連続作動）。この間に可変入賞装置３０に対して遊技球を集中的に入賞させることで、遊技者には、まとまって多くの賞球を獲得する機会が与えられる（特別遊技実行手段）。なお、このように大当り時に可変入賞装置３０が開閉動作することを「ラウンド」と称し、連続作動回数が全部で１５回あれば、これらを「１５ラウンド」と総称することがある。本実施形態では、大当りの種類として１５ラウンド大当りだけでなく、その他に複数種類の２ラウンド大当りが設けられている。また１５ラウンド大当りについても、その中に複数の当選種類（当選図柄）が設けられている。
【０３２４】
また、主制御ＣＰＵ７２は可変入賞装置管理処理において大入賞口開放パターン（ラウンド数と１ラウンドごとの開閉動作の回数、開放時間等）を設定すると、１ラウンド分の可変入賞装置３０の開閉動作を終了させるごとにラウンド数カウンタの値を１インクリメントする。ラウンド数カウンタの値は、例えば初期値を０としてＲＡＭ７６のカウント領域に記憶されている。また主制御ＣＰＵ７２は、ラウンド数カウンタの値を表すラウンド数コマンドを生成する。ラウンド数コマンドは、演出制御出力処理（図１９中のステップＳ２１４）において演出制御装置１２４に送信される。ラウンド数カウンタの値が設定した連続作動回数に達すると、主制御ＣＰＵ７２はそのラウンド限りで大当り遊技（大役）を終了する。
【０３２５】
そして、大当り遊技を終了すると、主制御ＣＰＵ７２は遊技状態フラグ（確率変動機能作動フラグ、時間短縮機能作動フラグ）に基づいて大当り遊技終了後の状態（高確率状態、時間短縮状態）を変化させる。「高確率状態」では確率変動機能が作動し、内部抽選での当選確率が通常よりも例えば１０倍程度に高くなる（特定遊技状態移行手段、高確率状態移行手段、高確率状態設定手段）。また「時間短縮状態」では時間短縮機能が作動し、特別図柄の変動時間が通常の長さ（例えば、合計記憶数に応じて２秒〜１２秒程度；ただし、リーチ変動を行う場合を除く。）に設定される非時間短縮状態から、この非時間短縮状態に比較して変動時間が短縮された長さ（例えば、１．５秒程度）に設定される状態に移行される。また、時間短縮機能作動中は特別図柄の変動時間が短縮されることに加えて、普通図柄の抽選が高確率（例えば低確率で２５１分の２５→２５１分の２４９程度）になる（頻度調整手段、作動抽選確率状態移行手段）。また、普通図柄の変動時間が短縮（例えば非作動時で１０秒程度→１秒程度に短縮）されるとともに可変始動入賞装置２８の開放時間が延長（例えば非作動時で０．３秒程度→２．５秒程度に延長）され、さらに開放回数が増加（例えば、非作動時で１回→２回に増加）するため、遊技球の発射が長時間（普通図柄の作動記憶が全て途絶えて可変始動入賞装置２８が作動を停止する程度の時間）にわたって途切れない限り、第２特別図柄の作動記憶が途切れにくくなっている（いわゆる電チューサポート）（頻度調整手段、時間短縮状態移行手段）。なお、「高確率状態」及び「時間短縮状態」については、制御上でいずれか一方だけに移行する場合もあれば、これら両方に合わせて移行する場合もある。
【０３２６】
〔複数の当選種類〕
本実施形態では、上記の「１５ラウンド大当り」について、例えば複数の当選種類として（１）「１５ラウンド確変大当り」、（２）「１５ラウンド通常（非確変）大当り」が設けられている（これ以上があってもよい）。また「１５ラウンド大当り」以外に、本実施形態では複数の当選種類（特殊当選種類）として例えば（３）「２ラウンド確変大当り」、（４）「２ラウンド通常大当り」が設けられている（これ以上があってもよい）。
【０３２７】
上記の当選種類は、当選時に停止表示される第１特別図柄又は第２特別図柄の種類に対応している。例えば、「１５ラウンド確変大当り」は「１５ラウンド確変図柄」の大当りに対応し、「１５ラウンド通常大当り」は「１５ラウンド通常図柄」の大当りに対応する。また、「２ラウンド確変大当り」は「２ラウンド確変図柄」の大当りに対応し、「２ラウンド通常大当り」は「２ラウンド通常図柄」の大当りに対応する。このため以下の説明では、「当選種類」のことを「当選図柄」として適宜呼称するものとする。
【０３２８】
〔１５ラウンド通常図柄〕
先ず、上記の特別図柄停止表示中処理において、特別図柄が「１５ラウンド通常図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが１５ラウンド目まで継続する。このため「１５ラウンド通常図柄」の大当り遊技は、１５ラウンド分の出玉（賞球）を遊技者に付与するものとなる。なお大入賞口は、１ラウンド内に規定回数（例えば９回＝遊技球９個）の入賞が発生すると、最長の開放時間の経過を待たずに閉止される。この場合、「確率変動機能」は作動されないため、「高確率状態」に移行する特典は遊技者に付与されない。ただし、それまでの遊技で「時間短縮機能」が非作動の状態であったとしても、大当り遊技の終了後に「時間短縮機能」を作動させることで、「変動時間短縮状態」に移行する特典が遊技者に付与される。
【０３２９】
〔１５ラウンド確変図柄〕
あるいは先の特別図柄停止表示中処理において、特別図柄が「１５ラウンド確変図柄」の態様で停止表示されると、それまでの通常状態から大当り遊技状態に移行する契機が発生する（特別遊技実行手段）。この場合、１ラウンド目から充分に長い時間（例えば最長で２９．０秒の開放時間）をかけて大入賞口の開放が１回ずつ行われ、これが１５ラウンド目まで継続する。これら「１５ラウンド確変図柄」の大当り遊技もまた、それぞれが１５ラウンド分の出玉（賞球）を遊技者に付与するものとなる。また大入賞口は、１ラウンド内に規定回数（例えば９回＝遊技球９個）の入賞が発生すると、最長の開放時間の経過を待たずに閉止される。そして、大当り遊技の終了後に例えば「確率変動機能」を作動させることで、その結果として「高確率状態」に移行する特典が遊技者に付与される。またこの場合、それまでの遊技で「時間短縮機能」が非作動の状態であったとしても、大当り遊技の終了後に「時間短縮機能」を作動させることで、合わせて「変動時間短縮状態」に移行する特典が遊技者に付与される。
【０３３０】
〔２ラウンド確変図柄〕
あるいは先の特別図柄停止表示中処理において、特別図柄が「２ラウンド確変図柄」の態様で停止表示されると、それまでの通常状態から短期間の大当り遊技状態に移行する契機が発生する（特殊遊技実行手段）。ただし、２ラウンドの大当り遊技は、１５ラウンドの大当り遊技に比較して極端に短時間内で終了するため、大入賞口への入賞はほとんど発生することがない。したがって「２ラウンド確変図柄」の大当り遊技は、実質的な出玉（賞球）を遊技者に付与することなく短期間内で終了する。その代わり、当選種類が「２ラウンド確変図柄」に該当していた場合、大当り遊技の終了後に例えば「確率変動機能」を作動させることで、その結果として「高確率状態」に移行する特典が遊技者に付与される。このような「２ラウンド確変図柄」については、遊技者に対して明確な大当り遊技を経ることなく、突発的に「高確率状態」が発生したかのような印象を抱かせるものとなる。なお、ここでは開放時間を極端な短時間に設定した例を挙げているが、２ラウンドの大当り遊技であっても、例えば１ラウンド中に複数個（例えば９個程度）の遊技球の入賞が可能となる充分な開放時間を設定することとしてもよい。この場合、ある程度の賞球払い出しという特典を付与した上で、「高確率状態」に移行する特典を遊技者に享受させることができる。
【０３３１】
いずれにしても、当選図柄が上記の「１５ラウンド確変図柄」又は「２ラウンド確変図柄」のいずれかに該当すると、大当り遊技終了後に内部状態を「高確率状態」に移行させる特典が遊技者に付与される。また、「高確率状態」において内部抽選に当選し、そのときの当選図柄が「１５ラウンド確変図柄」又は「２ラウンド確変図柄」のいずれかに該当すると、その大当り遊技終了後も「高確率状態」が継続（再開）される。一方、「高確率状態」で内部抽選に当選し、上記の「１５ラウンド通常図柄」に該当すると、大当り遊技終了後に内部状態は通常確率状態（低確率状態）に復帰する。また言うまでもなく、通常確率状態で内部抽選に当選し、「１５ラウンド通常図柄」に該当すると、大当り遊技終了後も内部状態は通常確率状態に維持される。
【０３３２】
〔２ラウンド通常図柄〕
あるいは先の特別図柄停止表示中処理において、特別図柄が「２ラウンド通常図柄」の態様で停止表示されると、それまでの通常状態から短期間の大当り遊技状態に移行する契機が発生する（特殊遊技実行手段）。ただし、２ラウンドの大当り遊技は、１５ラウンドの大当り遊技に比較して極端に短時間内で終了するため、大入賞口への入賞はほとんど発生することがない。したがって「２ラウンド通常図柄」の大当り遊技は、実質的な出玉（賞球）を遊技者に付与することなく短期間内で終了する。しかも、当選種類が「２ラウンド通常図柄」に該当していた場合、大当り遊技の終了後には、「確率変動機能」も「時間短縮機能」も作動されない。その結果として、大当り前の状態が「高確率状態」であれば「低確率状態」に移行されるし、大当り前の状態が「低確率状態」であれば、その「低確率状態」が維持される。このような「２ラウンド通常図柄」については、「高確率状態」を終了させる意義を有している。なお、ここでは開放時間を極端な短時間に設定した例を挙げているが、２ラウンドの大当り遊技であっても、例えば１ラウンド中に複数個（例えば９個程度）の遊技球の入賞が可能となる充分な開放時間を設定することとしてもよい。この場合、「高確率状態」は終了したとしても、ある程度の賞球払い出しによる特典を遊技者に付与することができる。
【０３３３】
〔小当り〕
また本実施形態では、非当選以外の当選種類として小当りが設けられている。小当りに当選すると、大当り遊技とは別に小当りの遊技が行われて可変入賞装置３０が開閉動作する（特例遊技実行手段）。すなわち、先の特別図柄停止表示中処理において、第１特別図柄が小当りの態様で停止表示されると、通常確率状態又は高確率状態の中で小当りの遊技（可変入賞装置３０が作動する遊技）が実行される（なお、本実施形態では、第２特別図柄に関しては小当りを設定していない）。このような小当りの遊技では可変入賞装置３０が所定回数（例えば２回）だけ開閉動作するものの、２ラウンド大当り遊技と同様に大入賞口への入賞はほとんど発生しない。また小当りの遊技が終了しても、「確率変動機能」が作動することはなく、また、「時間短縮機能」が作動することもないので、「高確率状態」や「時間短縮状態」へ移行する特典は付与されない（そのための前提条件とはならない。）。また、「高確率状態」で小当りに当選しても、その小当りの遊技終了後に「高確率状態」が終了することはないし、「時間短縮状態」で小当りに当選しても、その小当りの遊技終了後に「時間短縮状態」が終了することもない（上限回数に達した場合を除く。）。
【０３３４】
〔特別図柄変動前処理〕
図２７は、特別図柄変動前処理の手順例を示すフローチャートである。以下、各手順に沿って説明する。
【０３３５】
ステップＳ２１００：先ず主制御ＣＰＵ７２は、第１特別図柄作動記憶数又は第２特別図柄作動記憶数が残存しているか（０より大であるか）否かを確認する。この確認は、ＲＡＭ７６に記憶されている作動記憶数カウンタの値を参照して行うことができる。第１特別図柄及び第２特別図柄の両方の作動記憶数が０であった場合（Ｎｏ）、主制御ＣＰＵ７２はステップＳ２５００のデモ設定処理を実行する。
【０３３６】
ステップＳ２５００：この処理では、主制御ＣＰＵ７２はデモ演出用コマンドを生成する。デモ演出用コマンドは、上記の演出制御出力処理（図１９中のステップＳ２１４）において演出制御装置１２４に出力される。デモ設定処理を実行すると、主制御ＣＰＵ７２は特別図柄遊技処理に復帰する。なお復帰時は、上記のように末尾アドレスに復帰する（以降も同様）。
【０３３７】
これに対し、第１特別図柄又は第２特別図柄のいずれかの作動記憶数カウンタの値が０より大きければ（Ｙｅｓ）、主制御ＣＰＵ７２は次にステップＳ２２００を実行する。
【０３３８】
ステップＳ２２００：主制御ＣＰＵ７２は、特別図柄記憶エリアシフト処理を実行する。この処理では、主制御ＣＰＵ７２はＲＡＭ７６の乱数記憶領域に記憶されている抽選用乱数（大当り決定乱数、大当り図柄乱数）を取得した順に読み出す。このとき２つ以上のセクションに乱数が記憶されていれば、主制御ＣＰＵ７２は先頭のセクションから順に乱数を読み出して消去（消費）した後、残った乱数を１つずつ前のセクションに移動（シフト）させる。読み出した乱数は、例えば別の一時記憶領域に保存される。一時記憶領域に保存された各乱数は、次の大当り判定処理で内部抽選に使用される。本実施形態では、ＲＡＭ７６の乱数記憶領域に記憶された（取得された）順に乱数が読み出される。またこの処理において、主制御ＣＰＵ７２はＲＡＭ７６に記憶されている作動記憶数カウンタ（第１特別図柄又は第２特別図柄のうち、乱数のシフトを行った方）の値を１つ減算し、減算後の値を「変動開始時作動記憶数」に設定する。これにより、上記の表示出力管理処理（図１９中のステップＳ２１２）の中で第１特別図柄作動記憶ランプ３４ａ又は第２特別図柄作動記憶ランプ３５ａによる記憶数の表示態様が変化（１減少）する。ここまでの手順を終えると、主制御ＣＰＵ７２は次にステップＳ２３００を実行する。
【０３３９】
ステップＳ２３００：主制御ＣＰＵ７２は、大当り判定処理（内部抽選）を実行する。この処理では、主制御ＣＰＵ７２は、先ず大当り値の範囲を設定し、この範囲内に読み出した乱数値が含まれるか否かを判断する（抽選実行手段）。このとき設定される大当り値の範囲は、通常確率状態と高確率状態（確率変動機能作動時）とで異なり、高確率状態では通常確率状態よりも大当り値の範囲が約１０倍程度に拡大される。そして、このとき読み出した乱数値が大当り値の範囲内に含まれていれば、主制御ＣＰＵ７２は大当りフラグ
（０１Ｈ）をセットし、次にステップＳ２４００に進む。
【０３４０】
上記の大当りフラグをセットしない場合、主制御ＣＰＵ７２は同じ大当り判定処理において、次に小当り値の範囲を設定し、この範囲内に読み出した乱数値が含まれるか否かを判断する（抽選実行手段）。ここでいう「小当り」は、非当選（はずれ）以外であるが、「大当り」とは異なる性質のものである。すなわち、「大当り」は上記の「高確率状態」や「時間短縮状態」に移行させる契機（遊技の節目）を発生させるものであるが、「小当り」はそのような契機を発生しない。ただし「小当り」は、「大当り」と同様に可変入賞装置３０を作動させる条件を満たすものとして位置付けられている。なお、このとき設定される小当り値の範囲は、通常確率状態と高確率状態（確率変動機能作動時）とで異なっていてもよいし、同じでもよい。いずれにしても、読み出した乱数値が小当り値の範囲内に含まれていれば、主制御ＣＰＵ７２は小当りフラグをセットし、次にステップＳ２４００に進む。このように、本実施形態では非当選以外に該当する当り範囲として、大当り値と小当り値の範囲が予めプログラム上で規定されているが、予め状態別の大当り判定テーブル、小当り判定テーブルをそれぞれＲＯＭ７４に書き込んでおき、これを読み出して乱数値と対比しながら大当り判定を行ってもよい。
【０３４１】
ステップＳ２４００：主制御ＣＰＵ７２は、先の大当り判定処理で大当りフラグに値（０１Ｈ）がセットされたか否かを判断する。大当りフラグに値（０１Ｈ）がセットされていなければ（Ｎｏ）、主制御ＣＰＵ７２は次にステップＳ２４０２を実行する。
【０３４２】
ステップＳ２４０２：主制御ＣＰＵ７２は、先の大当り判定処理で小当りフラグに値（０１Ｈ）がセットされたか否かを判断する。小当りフラグに値（０１Ｈ）がセットされていなければ（Ｎｏ）、主制御ＣＰＵ７２は次にステップＳ２４０４を実行する。なお、主制御ＣＰＵ７２は大当りフラグと小当りフラグとを別々に用意せずに、共通当りフラグの値によって大当り（例えば０１Ｈを設定）又は小当り（例えば０ＡＨを設定）を判別してもよい。
【０３４３】
ステップＳ２４０４：主制御ＣＰＵ７２は、はずれ時停止図柄決定処理を実行する。この処理では、主制御ＣＰＵ７２は、第１特別図柄表示装置３４又は第２特別図柄表示装置３５によるはずれ時の停止図柄番号データをセットする。また主制御ＣＰＵ７２は、演出制御装置１２４に送信するための停止図柄コマンド及び抽選結果コマンド（はずれ時）を生成する。これらコマンドは、演出制御出力処理（図１９中のステップＳ２１４）において演出制御装置１２４に送信される。
【０３４４】
なお本実施形態では、第１特別図柄表示装置３４や第２特別図柄表示装置３５に７セグメントＬＥＤを用いているため、例えば、はずれ時の停止図柄の表示態様を常に１つのセグメント（中央のバー「−」）の点灯表示だけにしておき、停止図柄番号データを１つの値（例えば６４Ｈ）に固定することができる。この場合、プログラム上で使用する記憶容量を削減し、主制御ＣＰＵ７２の処理負荷を軽減して処理速度を向上することができる。
【０３４５】
ステップＳ２４０５：次に主制御ＣＰＵ７２は、はずれ時変動パターン決定処理を実行する。この処理では、主制御ＣＰＵ７２は、特別図柄について、はずれ時の変動パターン番号を決定する（変動パターン決定手段、変動時間決定手段）。変動パターン番号は、特別図柄の変動表示の種類（パターン）を区別したり、変動表示にかかる変動時間に対応したりするものである。はずれ時の変動時間は、上記の「時間短縮状態」であるか否かにより、また、変動開始時（変動表示開始時）の第１特別図柄及び第２特別図柄の合計記憶数によって異なってくる。この処理において主制御ＣＰＵ７２は、遊技状態フラグをロードし、現在の状態が「時間短縮状態」であるか否かを確認し、また、第１特別図柄作動記憶数の値と第２特別図柄作動記憶数の値をそれぞれロードする。「時間短縮状態」であれば、基本的にリーチ変動を行う場合を除き、はずれ時の変動時間は短縮された時間（例えば合計記憶数別に４．０秒〜１．５秒程度）に設定される。また「時間短縮状態」でなくとも、リーチ変動を行う場合を除き、はずれ時の変動時間は第１特別図柄及び第２特別図柄の合計記憶数に基づいて短縮される場合がある。なお、はずれ時の図柄の停止表示時間は変動パターンに関わらず一定（例えば０．５秒程度）である。主制御ＣＰＵ７２は、決定した変動時間（はずれ時）の値を変動タイマにセットするとともに、はずれ時の停止表示時間の値を停止図柄表示タイマにセットする。
【０３４６】
本実施形態では、内部抽選の結果、非当選に該当した場合、演出上で例えば「リーチ演出」を発生させてはずれとしたり、「リーチ演出」を発生させずにはずれとしたりする制御を行うこととしている。そして、「はずれ時変動パターン選択テーブル」には、予め複数種類の演出、例えば「非リーチ演出」、「リーチ演出」に対応した変動パターンが規定されており、非当選に該当した場合は、その中からいずれかの変動パターンが選択されることになる。なお、リーチ演出には、ノーマルリーチ演出、ロングリーチ演出、スーパーリーチ演出等といった様々なリーチ演出が含まれる。
【０３４７】
〔はずれ時変動パターン選択テーブルの例〕
図２８は、はずれ時変動パターン選択テーブルの一例を示す図である。
この選択テーブルは、はずれ時（非当選に該当した場合）に使用するテーブルである（変動パターン規定手段、変動時間規定手段）。また、この選択テーブルは、例えばその先頭アドレスから順番に「比較値」、「変動パターン番号」をそれぞれ１バイトずつセットにして記憶する構造である。「比較値」には、例えば８つの段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「１」〜「８」が割り当てられている。
【０３４８】
変動パターン番号「１」〜「５」は、リーチ演出が行われずに、はずれとなる変動パターンに対応しており、変動パターン番号「６」〜「８」は、リーチ後にはずれとなる変動パターンに対応している。このうち、変動パターン７，８（変動パターン番号「７」，「８」）に関しては（図中、網掛け部分）、比較的長めの変動時間（例えば１分以上）が設定されており、「特定種類の変動パターン」として規定されている。なお、このような変動パターン選択テーブルは、取得時演出判定処理（図２５）の事前判定処理においても使用される（大当り時も同様）。
【０３４９】
主制御ＣＰＵ７２は、取得した変動パターン決定乱数値を、上記の変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であったとすると、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「２」を選択する。
【０３５０】
図２９は、特別図柄の変動時間について説明する図である。
本実施形態では、特別図柄（第１特別図柄及び第２特別図柄）の変動時間は、リーチ変動を行う場合を除き、変動開始時（記憶シフト処理後）における第１特別図柄及び第２特別図柄の合計記憶数（いわゆる合計保留の数）に基づいて変更される。なお、この表は上記のはずれ時変動パターン選択テーブル（図２８参照）中の変動パターン１〜５が選択された場合に適用される。具体的な数値は以下の通りである。
【０３５１】
〔第１特別図柄及び第２特別図柄に共通〕
（合計記憶数０）変動時間；１２秒程度
（合計記憶数１）変動時間；１０秒程度
（合計記憶数２）変動時間；１０秒程度
（合計記憶数３）変動時間；２．０秒程度
（合計記憶数４）変動時間；２．０秒程度
（合計記憶数５）変動時間；２．０秒程度
（合計記憶数６）変動時間；２．０秒程度
（合計記憶数７）変動時間；６．０秒程度
なお上記の合計記憶数「０〜７」は、特別図柄記憶エリアシフト処理（ステップＳ２２００）で第１特別図柄作動記憶数又は第２特別図柄作動記憶数を減算した後の値を合算したものである。したがって、同処理で記憶シフト（作動記憶数カウンタが減算）される前の合計記憶数は「１〜８」である。
【０３５２】
このように本実施形態では、変動開始時の合計記憶数が例えば３個〜６個であった場合、第１特別図柄又は第２特別図柄の変動時間として、通常の長さに設定された通常変動時間（１０秒〜１２秒）に代えて、通常変動時間よりも短縮された第１短縮変動時間（２．０秒程度）が設定される（第１短縮変動時間設定手段）。
【０３５３】
一方、変動開始時の合計記憶数が例えば７個（記憶シフト前において規定値の８個）であった場合、第１特別図柄又は第２特別図柄の変動時間は、通常変動時間よりも短縮されているが、第１短縮変動時間よりも長い第２短縮変動時間（６．０秒程度）が設定される（第２短縮変動時間設定手段）。
【０３５４】
このように、変動開始時の合計記憶数が７個の場合に第２短縮変動時間を設定しているのは以下の理由による。すなわち本実施形態では、特に「時間短縮状態」であるか「非時間短縮状態」であるかに関わらず、球振り分け装置２００によって右始動入賞口２６への入賞と可変始動入賞装置２８（左始動入賞口２８ａ）への入賞を交互に発生させることができる（あるいは、交互に入賞が発生することを促進することができる）。このため、遊技球の打ち出しが特に大きく中断されていなければ、第１特別図柄の作動記憶数と第２特別図柄の作動記憶数がそれぞれ最大値（４個）に達することで、通常状態での遊技中に合計記憶数が規定値（それぞれの最大値を合算した値の８個）に達することは充分にあり得る。
【０３５５】
〔図２７：特別図柄変動前処理を参照〕
以上のステップＳ２４０４，ステップＳ２４０５は、大当り判定結果がはずれ時（非当選以外の場合）の制御手順であるが、判定結果が大当り（ステップＳ２４００：Ｙｅｓ）又は小当り（ステップＳ２４０２：Ｙｅｓ）の場合、主制御ＣＰＵ７２は以下の手順を実行する。先ず、大当りの場合について説明する。
【０３５６】
ステップＳ２４１０：主制御ＣＰＵ７２は、大当り時停止図柄決定処理を実行する（当選種類決定手段）。この処理では、主制御ＣＰＵ７２は大当り図柄乱数に基づき、特別図柄別（第１特別図柄又は第２特別図柄）に今回の当選図柄の種類（大当り時停止図柄番号）を決定する。大当り図柄乱数値と当選図柄の種類との関係は、予め特別図柄判定データテーブルで規定されている（当選種類規定手段）。このため主制御ＣＰＵ７２は、大当り時停止図柄決定処理において大当り時停止図柄選択テーブルを参照し、その記憶内容から大当り図柄乱数に基づいて当選図柄の種類を決定することができる。
【０３５７】
〔大当り時の当選図柄〕
本実施形態では大当り時に選択的に決定される当選図柄として、大きく分けて４種類が用意されている。４種類の内訳は、「２ラウンド通常図柄」、「２ラウンド確変図柄」、「１５ラウンド通常図柄」、「１５ラウンド確変図柄」である。なお、４種類の当選図柄の各当選図柄は、さらに複数の当選図柄を含んでいてもよい。例えば「１５ラウンド確変図柄」であれば、「１５ラウンド確変図柄ａ」、「１５ラウンド確変図柄ｂ」、「１５ラウンド確変図柄ｃ」、・・・といった具合である。
【０３５８】
また本実施形態では、第１特別図柄と第２特別図柄とでは、それぞれに対応する内部抽選の大当り時に選択される当選図柄の種類が異なっている。すなわち、第１特別図柄に対応する内部抽選の大当り時には、「２ラウンド通常図柄」、「２ラウンド確変図柄」、「１５ラウンド通常図柄」、「１５ラウンド確変図柄」のいずれかが選択される。
一方、第２特別図柄に対応する内部抽選の大当り時には、「１５ラウンド通常図柄」又は「１５ラウンド確変図柄」が選択されることになる。このため主制御ＣＰＵ７２は、今回の大当りの結果が第１特別図柄に対応するものであるか、第２特別図柄に対応するものであるかによって当選図柄として選択可能な対象を区別している。
【０３５９】
〔第１特別図柄大当り時停止図柄選択テーブル〕
図３０は、第１特別図柄大当り時停止図柄選択テーブルの構成列を示す図である。主制御ＣＰＵ７２は、今回の大当りの結果が第１特別図柄に対応する場合、図３０に示される第１特別図柄大当り時停止図柄選択テーブルを参照して当選図柄の種類を決定する。
【０３６０】
第１特別図柄大当り時停止図柄選択テーブル中、左カラムには当選図柄別の振分値が示されており、各振分値「１０」，「２０」，「５０」は分母を１００とした場合の割合に相当する。また左から２番目のカラムには、各振分値に対応する「２ラウンド通常図柄」、「２ラウンド確変図柄」、「１５ラウンド通常図柄」、「１５ラウンド確変図柄」が示されている。すなわち、第１特別図柄に対応する大当り時には、「２ラウンド通常図柄」が選択される割合は１００分の１０（＝１０％）であり、「２ラウンド確変図柄」が選択される割合は１００分の２０（＝２０％）である。また、「１５ラウンド通常図柄」が選択される割合は１００分の２０（＝２０％）、「１５ラウンド確変図柄」が選択される割合は１００分の５０（＝５０％）である。各振分値の大きさは、大当り図柄乱数を用いた当選図柄別の選択比率に相当する。したがって、全体として第１特別図柄についての確変図柄の選択比率は７０％である。
【０３６１】
いずれにしても、今回の大当りの結果が第１特別図柄に対応する場合、主制御ＣＰＵ７２は大当り図柄乱数に基づいて選択抽選を行い、第１特別図柄大当り時停止図柄選択テーブルに示される選択比率で当選図柄を選択的に決定する。また第１特別図柄大当り時停止図柄選択テーブルには、左から３番目のカラムに示されるように当選時の停止図柄コマンドとして例えば２バイトのコマンドデータが規定されている。停止図柄コマンドは、例えばＭＯＤＥ値−ＥＶＥＮＴ値の組み合わせで記述されており、このうち上位バイトのＭＯＤＥ値「Ｂ１Ｈ」は、今回の当選図柄が第１特別図柄の大当り時に選択されたものであることを表している。また下位バイトのＥＶＥＮＴ値「００Ｈ」，「０１Ｈ」，「０２Ｈ」，「０３Ｈ」は、それぞれ選択テーブル中で対応する当選図柄の種類を表している。このため例えば、今回の大当りの結果が第１特別図柄に対応するものであり、当選図柄として「２ラウンド通常図柄」が選択された場合、当選時の停止図柄コマンドは「Ｂ１Ｈ００Ｈ」で記述されることになる。
【０３６２】
以上のように、主制御ＣＰＵ７２は第１特別図柄大当り時停止図柄選択テーブルから当選図柄を選択すると、そのときの停止図柄コマンドを生成する。生成した停止図柄コマンドは、例えば上記の演出制御出力処理において演出制御装置１２４に送信される。また主制御ＣＰＵ７２は、選択した当選図柄に基づいて第１特別図柄についての大当り時停止図柄番号を決定する。
【０３６３】
〔第２特別図柄大当り時停止図柄選択テーブル〕
図３１は、第２特別図柄大当り時停止図柄選択テーブルの構成列を示す図である。主制御ＣＰＵ７２は、今回の大当りの結果が第２特別図柄に対応する場合、図３１に示される第２特別図柄大当り時停止図柄選択テーブルを参照して当選図柄の種類を決定する。
【０３６４】
第２特別図柄大当り時停止図柄選択テーブルにおいても、その左カラムには当選図柄別の振分値が示されており、各振分値「３０」，「７０」は分母を１００とした場合の割合に相当する。同様に左から２番目のカラムには、各振分値に対応する「２ラウンド通常図柄」、「２ラウンド確変図柄」、「１５ラウンド通常図柄」、「１５ラウンド確変図柄」が示されている。すなわち、第２特別図柄に対応する大当り時においては、「１５ラウンド通常図柄」が選択される割合は１００分の３０（＝３０％）であり、「１５ラウンド確変図柄」が選択される割合は１００分の７０（＝７０％）である。したがって第２特別図柄についても、全体として確変図柄の選択比率は７０％である。ただし、第２特別図柄大当り時停止図柄選択テーブルには、「２ラウンド通常図柄」、「２ラウンド確変図柄」についての振分値は設定されていない。
【０３６５】
今回の大当りの結果が第２特別図柄に対応する場合、主制御ＣＰＵ７２は大当り図柄乱数に基づいて選択抽選を行い、第２特別図柄大当り時停止図柄選択テーブルに示される選択比率で当選図柄を選択的に決定する。同様に第２特別図柄大当り時停止図柄選択テーブルにも、その左から３番目のカラムに示されるように当選時の停止図柄コマンドとして例えば２バイトのコマンドデータが規定されている。ここでも停止図柄コマンドは、上記のＭＯＤＥ値−ＥＶＥＮＴ値の組み合わせで記述されており、このうち上位バイトのＭＯＤＥ値「Ｂ２Ｈ」は、今回の当選図柄が第２特別図柄の大当り時に選択されたものであることを表している。また下位バイトのＥＶＥＮＴ値「０２Ｈ」，「０３Ｈ」は、それぞれ選択テーブル中で対応する当選図柄の種類を表している。このため例えば、今回の大当りの結果が第２特別図柄に対応するものであり、当選図柄として「１５ラウンド通常図柄」が選択された場合、停止図柄コマンドは「Ｂ２Ｈ０２Ｈ」で記述されることになる。
【０３６６】
以上のように、主制御ＣＰＵ７２は第２特別図柄大当り時停止図柄選択テーブルから当選図柄を選択すると、そのときの停止図柄コマンドを生成する。生成した停止図柄コマンドは、例えば上記の演出制御出力処理において演出制御装置１２４に送信される。また主制御ＣＰＵ７２は、選択した当選図柄に基づいて第２特別図柄についての大当り時停止図柄番号を決定する。
【０３６７】
なお、上記のように第１特別図柄と第２特別図柄とで、選択される当選図柄が異なっているのは、例えば以下の理由による。すなわち、「高確率状態」や「時間短縮状態」に移行した場合、通常時（時間短縮機能の非作動時）に比較して高頻度で可変始動入賞装置２８が作動するため、第２特別図柄についての作動記憶が途切れにくくなっている。そして、第２特別図柄についての当選種類から「２ラウンド大当り」を除外しておけば、特に「高確率状態」及び「時間短縮状態」で「２ラウンド大当り」を引きにくくなるため、それだけ遊技者に煩わしさを感じさせることが少ないという利点がある。
【０３６８】
ただし、本実施形態では球振り分け装置２００を用いて通常遊技中から第２特別図柄についても、第１特別図柄と略同じペースで作動記憶を増加させることができるため、上記のように第１特別図柄と第２特別図柄とで当選図柄の選択比率に違いを設けることなく、双方で同じ選択比率を採用してもよい。
【０３６９】
〔図２７：特別図柄変動前処理を参照〕
ステップＳ２４１２：次に主制御ＣＰＵ７２は、大当り時変動パターン決定処理を実行する。この処理では、主制御ＣＰＵ７２は先のステップＳ２２００でシフトした変動パターン決定乱数に基づいて第１特別図柄又は第２特別図柄の変動パターン（変動時間と停止表示時間）を決定する。また主制御ＣＰＵ７２は、決定した変動時間の値を変動タイマにセットするとともに、停止表示時間の値を停止図柄表示タイマにセットする。一般的に大当りリーチ変動の場合、はずれ時よりも長い変動時間が決定される。
【０３７０】
本実施形態では、内部抽選の結果、１５ラウンド大当り（１５ラウンド通常大当り又は１５ラウンド確変大当り）に該当した場合、演出上で例えば「リーチ演出」を発生させて大当りとする制御を行うこととしている。そして、「１５ラウンド大当り当選時変動パターン選択テーブル」には、複数種類の「リーチ演出」に対応した変動パターンが規定されており、１５ラウンド大当りに該当した場合は、その中からいずれかの変動パターンが選択されることになる。なお、リーチ演出には、ノーマルリーチ演出、ロングリーチ演出、スーパーリーチ演出等といった様々なリーチ演出が含まれる。
【０３７１】
〔１５ラウンド大当り当選時変動パターン選択テーブルの例〕
図３２は、１５ラウンド大当り当選時変動パターン選択テーブルの一例を示す図である。
この選択テーブルは、１５ラウンド大当りに当選した場合に使用するテーブルである（変動パターン規定手段、変動時間規定手段）。また、この選択テーブルは、例えばその先頭アドレスから順番に「比較値」、「変動パターン番号」をそれぞれ１バイトずつセットにして記憶する構造である。「比較値」には、例えば８つの段階的に異なる値「１０１」，「２０１」，「２１１」，「２２１」，「２３１」，「２４１」，「２５１」，「２５５（ＦＦＨ）」が設けられており、それぞれの「比較値」に対して「変動パターン番号」の「１３」〜「２０」が割り当てられている。
【０３７２】
変動パターン番号「１３」〜「２０」は、いずれもリーチ演出が行われて当りとなる変動パターンに対応している。このうち、変動パターン１７〜２０（変動パターン番号「１７」〜「２０」）に関しては（図中、網掛け部分）、比較的長めの変動時間（例えば１分以上）が設定されており、「特定種類の変動パターン」として規定されている。
【０３７３】
主制御ＣＰＵ７２は、取得した変動パターン決定乱数値を、上記の変動パターン選択テーブル中の「比較値」と順番に比較していき、乱数値が比較値以下であれば、その比較値に対応する変動パターン番号を選択する（変動パターン決定手段）。例えば、そのときの変動パターン決定乱数値が「１９０」であったとすると、最初の比較値「１０１」と比較すると、乱数値が比較値を超えているため、主制御ＣＰＵ７２は次の比較値「２０１」と乱数値を比較する。この場合、乱数値が比較値以下であるため、主制御ＣＰＵ７２は対応する変動パターン番号として「１４」を選択する。
【０３７４】
〔図２７：特別図柄変動前処理を参照〕
ステップＳ２４１４：次に主制御ＣＰＵ７２は、大当り時その他設定処理を実行する。この処理では、主制御ＣＰＵ７２は先のステップＳ２４１０で決定した当選図柄の種類（大当り時停止図柄番号）が「２ラウンド確変図柄」又は「１５ラウンド確変図柄」のいずれであっても、遊技状態フラグとして確率変動機能作動フラグの値（０１Ｈ）をＲＡＭ７６のフラグ領域にセットする（高確率状態移行手段、確率変動機能作動手段）。また、主制御ＣＰＵ７２は、先のステップＳ２４１０で決定した当選図柄の種類が「１５ラウンド通常図柄」又は「２ラウンド通常図柄」である場合、遊技状態フラグとして確率変動機能作動フラグの値をリセットする（低確率状態設定手段、低確率状態移行手段）。
【０３７５】
また主制御ＣＰＵ７２は、先のステップＳ２４１０で決定した当選図柄の種類（大当り時停止図柄番号）が「１５ラウンド通常図柄」、「１５ラウンド確変図柄」、「２ラウンド確変図柄」の全ての当選図柄について、主制御ＣＰＵ７２は遊技状態フラグとして時間短縮機能作動フラグの値（０１Ｈ）をＲＡＭ７６のフラグ領域にセットする（時間短縮状態移行手段、時間短縮機能作動手段）。ただし、「２ラウンド確変図柄」については、内部状態が高確率状態である場合に限られる（いわゆる潜伏確変状態での２ラウンド確変当選については電チューサポートが付加されることになる。）。
【０３７６】
またステップＳ２４１４の処理において、主制御ＣＰＵ７２は大当り時停止図柄番号に基づいて第１特別図柄表示装置３４又は第２特別図柄表示装置３５による停止図柄（大当り図柄）の表示態様を決定する。合わせて主制御ＣＰＵ７２は、上記の停止図柄コマンド（大当り時）とともに抽選結果コマンド（大当り時）を生成する。これら停止図柄コマンド及び抽選結果コマンドもまた、演出制御出力処理において演出制御装置１２４に送信される。
【０３７７】
次に、小当り時の処理について説明する。
ステップＳ２４０７：主制御ＣＰＵ７２は、小当り時停止図柄決定処理を実行する。この処理では、主制御ＣＰＵ７２は大当り図柄乱数に基づき、小当り時の当選図柄の種類（小当り時停止図柄番号）を決定する。ここでも同様に、大当り図柄乱数値と小当り時の当選図柄の種類との関係が予め小当り時特別図柄選択テーブルで規定されている（当選種類規定手段）。なお本実施形態では、主制御ＣＰＵ７２の負荷を軽減するために大当り図柄乱数を用いて小当り時の当選図柄を決定しているが、別途専用の乱数を用いてもよい。
【０３７８】
〔小当り時の当選図柄〕
本実施形態では、小当り時の当選図柄は「２回開放小当り図柄」の１種類だけである。ただし、これ以外に例えば「１回開放小当り図柄」や「３回開放小当り図柄」等の別の種類が用意されていてもよい。上記のように内部抽選の結果としての「小当り」は、その後の状態が「高確率状態」や「時間短縮状態」に変化する契機とはならないため、この種のパチンコ機で必須となる「２ラウンド（２回開放）以上」の規定にとらわれることなく、「１回開放小当り図柄」を設けることができる。
【０３７９】
ステップＳ２４０８：次に主制御ＣＰＵ７２は、小当り時変動パターン決定処理を実行する。この処理では、主制御ＣＰＵ７２は先のステップＳ２２００でシフトした変動パターン決定乱数に基づいて第１特別図柄の変動パターン（変動時間と停止表示時間）を決定する（変動パターン決定手段、変動時間決定手段）。また主制御ＣＰＵ７２は、決定した変動時間の値を変動タイマにセットし、停止表示時間の値を停止図柄表示タイマにセットする。なお、本実施形態では小当りの場合に、はずれ変動時と同等の変動パターンを選択している。
【０３８０】
ステップＳ２４０９：次に主制御ＣＰＵ７２は、小当り時その他設定処理を実行する。この処理では、主制御ＣＰＵ７２は小当り時停止図柄番号に基づき、第１特別図柄表示装置３４又は第２特別図柄表示装置３５による停止図柄（小当り図柄）の表示態様を決定する。合わせて主制御ＣＰＵ７２は、演出制御装置１２４に送信する停止図柄コマンド及び抽選結果コマンド（小当り時）を生成する。これら停止図柄コマンド及び抽選結果コマンドもまた、演出制御出力処理において演出制御装置１２４に送信される。
【０３８１】
ステップＳ２４１５：次に主制御ＣＰＵ７２は、特別図柄変動開始処理を実行する。この処理では、主制御ＣＰＵ７２は変動パターン番号（はずれ時／当り時）に基づいて変動パターンデータを選択する。合わせて主制御ＣＰＵ７２は、ＲＡＭ７６のフラグ領域に特別図柄の変動開始フラグをセットする。そして主制御ＣＰＵ７２は、演出制御装置１２４に送信する変動開始コマンドを生成する。この変動開始コマンドもまた、上記の演出制御出力処理において演出制御装置１２４に送信される。以上の手順を終えると、主制御ＣＰＵ７２は特別図柄変動中処理（ステップＳ３０００）を次のジャンプ先に設定し、特別図柄遊技処理に復帰する。
【０３８２】
〔図２６：特別図柄変動中処理，特別図柄停止表示中処理〕
特別図柄変動中処理では、上記のように主制御ＣＰＵ７２は変動タイマの値をレジスタからタイマカウンタにロードし、その後、時間の経過（クロックパルスのカウント数又は割込カウンタの値）に応じてタイマカウンタの値をデクリメントする。そして主制御ＣＰＵ７２は、タイマカウンタの値を参照しつつ、その値が０になるまで上記のように特別図柄の変動表示を制御する。そして、タイマカウンタの値が０になると、主制御ＣＰＵ７２は特別図柄停止表示中処理（ステップＳ４０００）を次のジャンプ先に設定する。
【０３８３】
また特別図柄停止表示中処理では、主制御ＣＰＵ７２は停止図柄決定処理（図２７中のステップＳ２４０４，ステップＳ２４０７，ステップＳ２４１０）で決定した停止図柄に基づいて特別図柄の停止表示を制御する。また主制御ＣＰＵ７２は、演出制御装置１２４に送信する図柄停止コマンドを生成する。図柄停止コマンドは、上記の演出制御出力処理において演出制御装置１２４に送信される。特別図柄停止表示中処理の中で停止図柄を所定時間にわたり表示させると、主制御ＣＰＵ７２は図柄変動中フラグを消去する。
【０３８４】
〔特別図柄記憶エリアシフト処理〕
図３３は、上記の特別図柄記憶エリアシフト処理の手順例を示すフローチャートである。先の特別図柄変動前処理において、第１特別図柄又は第２特別図柄に対応する作動記憶カウンタの値が「０」より大であった場合（図２７中のステップＳ２１００：Ｙｅｓ）、主制御ＣＰＵ７２はこの特別図柄記憶エリアシフト処理を実行する。以下、各手順に沿って説明する。
【０３８５】
ステップＳ２２１０：主制御ＣＰＵ７２は、乱数記憶領域を参照して、最も古い記憶が第１特別図柄に対応するものであるか否かを確認する。この確認は、ＲＡＭ７６の乱数記憶領域の第１セクションに、第１特別図柄に対応する乱数が記憶されているか否かを確認することにより実現することができる。このとき、最も古い記憶が第１特別図柄に対応するものでないことを確認した場合（Ｎｏ）、主制御ＣＰＵ７２は次にステップＳ２２１２に進む。
【０３８６】
ステップＳ２２１２：主制御ＣＰＵ７２は、対象特別図柄（変動の対象となる特別図柄）として第２特別図柄を指定する。この指定は、例えば対象図柄指定値として「０２Ｈ」をセットすることで行われる。
【０３８７】
ステップＳ２２１４：一方、最も古い記憶が第１特別図柄に対応するものであることを確認した場合（ステップＳ２２１０：Ｙｅｓ）、主制御ＣＰＵ７２は対象特別図柄として第１特別図柄を指定する。この場合の指定は、例えば対象図柄指定値として「０１Ｈ」をセットすることで行われる。
【０３８８】
ステップＳ２２１６：主制御ＣＰＵ７２はＲＡＭ７６の乱数記憶領域をシフトする。なお、具体的な処理の内容については、先の特別図柄変動前処理において既に述べたとおりである。
【０３８９】
ステップＳ２２１８：上記のステップＳ２２１２又はステップＳ２２１４のいずれかで指定した対象特別図柄について、主制御ＣＰＵ７２は作動記憶カウンタの値を減算する。例えば、今回の対象特別図柄が第２特別図柄であれば、主制御ＣＰＵ７２は第２特別図柄に対応する作動記憶カウンタの値を減算（−１）する。
【０３９０】
ステップＳ２２２０：そして主制御ＣＰＵ７２は、減算後の作動記憶カウンタの値から「変動開始時作動記憶数（合計記憶数）」を設定する。なお、ここでは第１特別図柄と第２特別図柄の両方について、作動記憶カウンタの値を加算した上で「変動開始時作動記憶数（合計記憶数）」を設定することとする。ここで設定した「変動開始時作動記憶数（合計記憶数）」は、例えばこの後、はずれ時変動パターン決定処理（図２７中のステップＳ２４０５）において、合計記憶数別の変動時間を設定する際に参照することができる。
【０３９１】
ステップＳ２２２２：また主制御ＣＰＵ７２は、対象特別図柄が第２特別図柄であるか否かを確認する。
ステップＳ２２２４：対象特別図柄が第２特別図柄であった場合（ステップＳ２２２２：Ｙｅｓ）、主制御ＣＰＵ７２は第２特別図柄に関して作動記憶数減少時演出コマンドをセットする。ここでセットされる演出コマンドもまた、１ワード長のコマンドとして生成されるが、その構成は上述した「作動記憶数増加時演出コマンド」と対照的である。すなわち、作動記憶数減少時演出コマンドは、コマンド種別を表す上位バイトの先行値（例えば「ＢＣＨ」）に対して、減少後の作動記憶数を表す下位バイトの値（例えば「００Ｈ」〜「０３Ｈ」）を付加するとともに、下位バイトの値については、「消費に伴う作動記憶数の減少」を意味する加算値（例えば「１０Ｈ」）をさらに付加（論理和）したものである。したがって下位バイトについては、加算値「１０Ｈ」を論理和することでその第２の位が「１」となり、この値によって「作動記憶数の減少による結果（変化情報）」であることを表したものとなる。つまり、コマンドの下位バイトが「１３Ｈ」であれば、それは前回までの作動記憶数「４」（コマンド表記は「１４Ｈ」）が１つ減少した結果、今回の作動記憶数が「３」（コマンド表記は「１３Ｈ」）となったことを表している。同様に、下位バイトが「１２Ｈ」〜「１０Ｈ」であれば、それは前回までの作動記憶数「３」〜「１」（コマンド表記は「１３Ｈ」〜「１１Ｈ」）がそれぞれ１つ減少した結果、今回の作動記憶数が「２」〜「０」（コマンド表記は「１２Ｈ」〜「１０Ｈ」）となったことを表している。なお上記の先行値「ＢＣＨ」は、今回の演出コマンドが第２特別図柄についての作動記憶数コマンドであることを表す値である。
【０３９２】
ステップＳ２２２６：なお、今回の対象特別図柄が第１特別図柄であった場合（ステップＳ２２２２：Ｎｏ）、主制御ＣＰＵ７２は第１特別図柄に関して作動記憶数減少時演出コマンドをセットする。この場合のコマンドは、先行値が第１特別図柄についての作動記憶数コマンドであることを表す値（例えば「ＢＢＨ」）となる以外は上記と同じである。
【０３９３】
ステップＳ２２２８：そして主制御ＣＰＵ７２は、演出コマンド出力処理を実行する。この処理は、先のステップＳ２２２４又はステップＳ２２２６でセットした作動記憶数減少時演出コマンドを演出制御装置１２４に対して送信するためのものである（記憶数通知手段）。
以上の手順を終えると、主制御ＣＰＵ７２は特別図柄変動前処理（図２７）に復帰する。
【０３９４】
〔特別図柄停止表示中処理〕
次に図３４は、特別図柄停止表示中処理の手順例を示すフローチャートである。以下、各手順に沿って説明する。
【０３９５】
ステップＳ４１００：主制御ＣＰＵ７２は、停止図柄表示タイマの値を減算（割込周期分だけデクリメント）する。
【０３９６】
ステップＳ４２００：そして主制御ＣＰＵ７２は、今回減算した停止図柄表示タイマの値に基づき、停止表示時間が終了したか否かを判断する。具体的には、停止図柄表示タイマの値が０以下でなければ、主制御ＣＰＵ７２は未だ停止表示時間が終了していないと判断する（Ｎｏ）。この場合、主制御ＣＰＵ７２は特別図柄遊技処理に復帰し、次の割込周期においても実行選択処理（図２６中のステップＳ１０００）からジャンプして特別図柄停止表示中処理を繰り返し実行する。
【０３９７】
これに対し、停止図柄表示タイマの値が０以下であれば、主制御ＣＰＵ７２は停止表示時間が終了したと判断する（Ｙｅｓ）。この場合、主制御ＣＰＵ７２は次にステップＳ４２５０を実行する。
【０３９８】
ステップＳ４２５０：主制御ＣＰＵ７２は、図柄停止コマンドを生成する。図柄停止コマンドは、上記の演出制御出力処理において演出制御装置１２４に送信される。また主制御ＣＰＵ７２は、ここで図柄変動中フラグを消去する。
【０３９９】
ステップＳ４３００：ここで主制御ＣＰＵ７２は、大当りフラグの値（０１Ｈ）がセットされているか否かを確認する。大当りフラグの値（０１Ｈ）がセットされている場合（Ｙｅｓ）、主制御ＣＰＵ７２は次にステップＳ４３５０を実行する。
【０４００】
〔当選時〕
ステップＳ４３５０：主制御ＣＰＵ７２は、ジャンプテーブルのジャンプ先を「可変入賞装置管理処理」に設定する。
ステップＳ４４００：そして主制御ＣＰＵ７２は、制御上の内部状態フラグとして「大役開始（大当り遊技中）」をセットする。また合わせて主制御ＣＰＵ７２は、大当り中を表す状態コマンドを生成する。大当り中を表す状態コマンドは、上記の演出制御出力処理において演出制御装置１２４に送信される。
【０４０１】
ステップＳ４５００：そして主制御ＣＰＵ７２は、連続作動回数コマンドを生成する。連続作動回数コマンドは、先の大当り時停止図柄決定処理（図２７中のステップＳ２４１０）で決定された大当り図柄の種類（停止図柄番号）に基づいて生成することができる。例えば、大当り図柄の種類がいずれかの「１５ラウンド確変図柄」であれば、連続作動回数コマンドは「１５ラウンド」を表す値として生成される。また「２ラウンド確変図柄」の場合、連続作動回数コマンドは「２ラウンド」を表す値として生成される。生成された連続作動回数コマンドは、上記の演出制御出力処理において演出制御装置１２４に送信される。
【０４０２】
大当り時に以上の手順を終えると、主制御ＣＰＵ７２は特別図柄遊技処理に復帰する。
【０４０３】
〔非当選時〕
これに対し、大当り時以外の場合は以下の手順が実行される。
すなわち主制御ＣＰＵ７２は、ステップＳ４３００において大当りフラグの値（０１Ｈ）がセットされていないと判断した場合（Ｎｏ）、次にステップＳ４６００を実行する。
【０４０４】
ステップＳ４６００：主制御ＣＰＵ７２は、次に小当りフラグの値（０１Ｈ）がセットされているか否かを確認する。そして小当りフラグの値（０１Ｈ）もセットされておらず、単純にはずれである場合（Ｎｏ）、主制御ＣＰＵ７２は次にステップＳ４６０２を実行する。
【０４０５】
ステップＳ４６０２：主制御ＣＰＵ７２は、ジャンプテーブルのジャンプ先アドレスとして特別図柄変動前処理のアドレスをセットする。
【０４０６】
ステップＳ４６０５：これに対し、小当りフラグの値（０１Ｈ）がセットされていた場合（ステップＳ４６００：Ｙｅｓ）、主制御ＣＰＵ７２はジャンプテーブルのジャンプ先アドレスとして可変入賞装置管理処理のアドレスをセットする。
【０４０７】
ステップＳ４６０６：そして主制御ＣＰＵ７２は、制御上の内部状態フラグとして「小当り開始（小当り中）」をセットする。また合わせて主制御ＣＰＵ７２は、小当り中を表す状態コマンドを生成する。小当り中を表す状態コマンドは、上記の演出制御出力処理において演出制御装置１２４に送信される。
【０４０８】
ステップＳ４６１０：次に主制御ＣＰＵ７２は、回数切りカウンタの値をロードする。「回数切りカウンタ」は、「高確率状態」や「時間短縮状態」においてそれぞれのカウンタ値がＲＡＭ７６の確変カウント領域、時短カウント領域にセットされている。なお、ここでは「回数切り」としているが、「高確率状態」の場合の回数切りカウンタの値は、極端に膨大な値（例えば１００００回以上）に設定することができる。このような膨大な値を設定することで、実質的に次回の当選が得られるまで「高確率状態」が継続することを確率的に保証することができる。なお、「高確率状態」ではなく単独の「時間短縮状態」だけである場合、回数切りカウンタは標準的な数値（例えば１００回）に設定される。
【０４０９】
ステップＳ４６２０：主制御ＣＰＵ７２は、ロードしたカウンタ値が０であるか否かを確認する。このとき、既に回数切りカウンタ値が０であれば（Ｙｅｓ）、主制御ＣＰＵ７２は特別図柄遊技処理に復帰する。一方、回数切りカウンタ値が０でなかった場合（Ｎｏ）、回数切りカウンタ値コマンドを生成してから、主制御ＣＰＵ７２は次にステップＳ４６３０を実行する。
【０４１０】
ステップＳ４６３０：主制御ＣＰＵ７２は、回数切りカウンタ値をデクリメント（１減算）する。
ステップＳ４６４０：そして主制御ＣＰＵ７２は、その減算結果が０でないか否かを判断する。減算の結果、回数切りカウンタの値が０でなかった場合（Ｙｅｓ）、主制御ＣＰＵ７２は特別図柄遊技処理に復帰する。これに対し、回数切りカウンタの値が０になった場合（Ｎｏ）、主制御ＣＰＵ７２はステップＳ４６５０に進む。
【０４１１】
ステップＳ４６５０：ここで主制御ＣＰＵ７２は、回数切り機能作動時のフラグをリセットする。リセットされるのは、確率変動機能作動フラグ又は時間短縮機能作動フラグであるが、上記のように「高確率状態」で回数切りカウンタの値が０になることは実質的にはないため、実用上でリセットされるのは時間短縮機能作動フラグである。これにより、特別図柄の停止表示を経て時間短縮状態が終了する。以上の手順を終えると、特別図柄遊技処理に復帰する。
【０４１２】
〔表示出力管理処理〕
次に図３５は、割込管理処理の中で実行される表示出力管理処理（図１９中のステップＳ２１２）の構成例を示すフローチャートである。表示出力管理処理は、特別図柄表示設定処理（ステップＳ１２００）、普通図柄表示設定処理（ステップＳ１２１０）、状態表示設定処理（ステップＳ１２２０）、作動記憶表示設定処理（ステップＳ１２３０）、連続作動回数表示設定処理（ステップＳ１２４０）のサブルーチン群を含む構成である。
【０４１３】
このうち特別図柄表示設定処理（ステップＳ１２００）と普通図柄表示設定処理（ステップＳ１２１０）、作動記憶表示設定処理（ステップＳ１２３０）、については、既に述べたように第１特別図柄表示装置３４、第２特別図柄表示装置３５、普通図柄表示装置３３、普通図柄作動記憶ランプ３３ａ、第１特別図柄作動記憶ランプ３４ａ及び第２特別図柄作動記憶数表示ランプ３５ａの各ＬＥＤに対して印加する駆動信号を生成及び出力する処理である。
【０４１４】
状態表示設定処理（ステップＳ１２２０）及び連続作動回数表示設定処理（ステップＳ１２４０）については、遊技状態表示装置３８の各ＬＥＤに対して印加する駆動信号を生成及び出力する処理である。先ず状態表示設定処理では、主制御ＣＰＵ７２は、確率変動機能作動フラグ又は時間短縮機能作動フラグの値に応じてそれぞれ確率変動状態表示ランプ３８ｃ、時短状態表示ランプ３８ｄの点灯を制御する。例えば、パチンコ機１の電源投入時において確率変動機能作動フラグに値（０１Ｈ）がセットされていれば、主制御ＣＰＵ７２は確率変動状態表示ランプ３８ｃに対応するＬＥＤに対して点灯信号を出力する。なお確率変動状態表示ランプ３８ｃは、この後に特別図柄の変動表示が行われると、確率変動機能作動フラグがセットされていても非表示に（消灯）切り替えられる。一方、時間短縮機能作動フラグに値（０１Ｈ）がセットされていれば、特に電源投入時であるか否かに関わらず、主制御ＣＰＵ７２は時短状態表示ランプ３８ｄに対応するＬＥＤに対して点灯信号を出力する。
【０４１５】
また主制御ＣＰＵ７２は、連続作動回数表示設定処理において大当り種別表示ランプ３８ａ，３８ｂの点灯を制御する。具体的には、主制御ＣＰＵ７２は上記の連続作動回数コマンドの値に基づき、大当り種別表示ランプ３８ａ，３８ｂのいずれかに対する点灯信号を出力する。このとき点灯信号を出力する対象となるのは、連続作動回数コマンドで指定された大当り図柄に対応するいずれかの表示ランプ３８ａ，３８ｂである。例えば、連続作動回数コマンドの値が「１５ラウンド」を指定するものであれば、主制御ＣＰＵ７２は「１５ラウンド（１５Ｒ）」を表すランプ３８ｂに対して点灯信号を出力する。また連続作動回数コマンドの値が「２ラウンド」を指定するものであれば、主制御ＣＰＵ７２は「２ラウンド（２Ｒ）」を表すランプ３８ａに対して点灯信号を出力する。
【０４１６】
〔可変入賞装置管理処理〕
次に、可変入賞装置管理処理の詳細について説明する。図３６は、可変入賞装置管理処理の構成例を示すフローチャートである。可変入賞装置管理処理は、遊技プロセス選択処理（ステップＳ５１００）、大入賞口開放パターン設定処理（ステップＳ５２００）、大入賞口開閉動作処理（ステップＳ５３００）、大入賞口閉鎖処理（ステップＳ５４００）、終了処理（ステップＳ５５００）のサブルーチン群を含む構成である。
【０４１７】
ステップＳ５１００：遊技プロセス選択処理において、主制御ＣＰＵ７２は次に実行するべき処理（ステップＳ５２００〜ステップＳ５５００のいずれか）のジャンプ先を選択する。すなわち主制御ＣＰＵ７２は、ジャンプテーブルから次に実行するべき処理のプログラムアドレスをジャンプ先のアドレスとして選択し、また戻り先のアドレスとして可変入賞装置管理処理の末尾をスタックポインタにセットする。いずれの処理を次のジャンプ先として選択するかは、これまでに行われた処理の進行状況によって異なる。例えば、未だ可変入賞装置３０の作動（開閉動作）を開始していない状況であれば、主制御ＣＰＵ７２は次のジャンプ先として大入賞口開放パターン設定処理（ステップＳ５２００）を選択する。一方、既に大入賞口開放パターン設定処理が完了していれば、主制御ＣＰＵ７２は次のジャンプ先として大入賞口開閉動作処理（ステップＳ５３００）を選択し、大入賞口開閉動作処理まで完了していれば、次のジャンプ先として大入賞口閉鎖処理（ステップＳ５４００）を選択する。また、設定された連続作動回数（ラウンド数）にわたって大入賞口開閉動作処理及び大入賞口閉鎖処理が繰り返し実行されると、主制御ＣＰＵ７２は次のジャンプ先として終了処理（ステップＳ５５００）を選択する。以下、それぞれの処理についてさらに詳しく説明する。
【０４１８】
〔大入賞口開放パターン設定処理〕
図３７は、大入賞口開放パターン設定処理の手順例を示すフローチャートである。この処理は、大当り時又は小当り時にそれぞれ可変入賞装置３０を開閉動作する回数や各開放の時間等の条件を設定するためのものである。以下、各手順に沿って説明する。
【０４１９】
ステップＳ５２０２：主制御ＣＰＵ７２は、現在の遊技状態が大役中、つまりＲＡＭ７６のフラグ領域に大当りフラグの値（０１Ｈ）がセットされているか否かを確認する。大当りフラグの値がセットされていれば（Ｙｅｓ）、主制御ＣＰＵ７２は次にステップＳ５２０４に進む。一方、大当りフラグの値がセットされていなければ（Ｎｏ）、主制御ＣＰＵ７２はステップＳ５２１２に進む。なお、この手順は小当りフラグの値を参照する内容に書き換えてもよい（ただしＹｅｓ／Ｎｏの論理は逆となる。）。
【０４２０】
〔大当り時の手順〕
先ず、大当り時の手順は以下となる。
ステップＳ５２０４：主制御ＣＰＵ７２は、図柄別開放パターン設定処理を実行する。この処理では、主制御ＣＰＵ７２は今回の該当する当選図柄に応じて大入賞口の開放パターン（ラウンドごとの開放回数及び各開放の時間）やラウンド間のインターバル時間、１ラウンド中のカウント数（最大入賞回数）を設定する。なお当選図柄別の開放パターンについては、先の特別図柄遊技処理（図２６）において〔複数の当選種類〕の項目で説明した通りである。またラウンド間のインターバル時間は、例えば「２ラウンド図柄」については２秒程度、「１５ラウンド図柄」については数秒（例えば２秒〜２．５秒）程度に設定されるものとする。なお、１ラウンド中のカウント数（最大入賞回数）は全ての当選図柄について例えば９個であるが、上記のように極端な短時間（０．１秒程度）の開放中に入賞が発生することはほとんどない（不能ではないが極めて困難である）。
【０４２１】
ステップＳ５２０６：主制御ＣＰＵ７２は、先の大当り時停止図柄決定処理（図２７中のステップＳ２４１０）で選択した大当り時当選図柄に基づき、今回の大当り遊技における実行ラウンド数を設定する。具体的には、当選図柄として大分類の「１５ラウンド図柄」を選択していれば、主制御ＣＰＵ７２は実行ラウンド数を１５回に設定する。また、当選図柄として「２ラウンド図柄」を選択していれば、主制御ＣＰＵ７２は実行ラウンド数を２回に設定する。ここで設定した実行ラウンド数は、プログラム上で対応する値（２回なら「１」、１５回なら「１４」）として、例えばＲＡＭ７６のバッファ領域に格納される。
【０４２２】
ステップＳ５２０８：次に主制御ＣＰＵ７２は、先のステップＳ５２０４で設定した大入賞口開放パターンに基づき、大当り時開放タイマを設定する。ここで設定したタイマの値は、可変入賞装置３０を作動する際の１回あたりの開放時間となる。なお、大当り時開放タイマの値として２９．０秒程度が設定されていれば、その開放時間は１回の開放中に大入賞口への入賞が容易に発生する充分な時間（例えば発射制御基板セット１７４により遊技球が１０個以上発射される時間、好ましくは６秒以上）となる。一方、大当り開放タイマの値として０．１秒が設定されていれば、その開放時間は１回の開放中に大入賞口への入賞が不能ではなくとも、ほとんど発生しない（困難となる）短時間（例えば１秒より短い時間、好ましくは発射制御基板セット１７４による遊技球の発射間隔よりも短い時間）となる。
【０４２３】
ステップＳ５２１０：そして主制御ＣＰＵ７２は、先のステップＳ５２０４で設定した大入賞口開放パターンに基づき、大当り時インターバルタイマを設定する。ここで設定したタイマの値は、大当り中のラウンド間での待機時間となる。
【０４２４】
ステップＳ５２２０：以上の手順を終えると、主制御ＣＰＵ７２は次のジャンプ先を大入賞口開閉動作処理に設定し、可変入賞装置管理処理に復帰する。
【０４２５】
〔小当り時の手順〕
ステップＳ５２１２：一方、小当りの場合（ステップＳ５２０２：Ｎｏ）、主制御ＣＰＵ７２は、「小当り時開放パターン」を設定する。本実施形態の場合、「小当り時開放パターン」については、例えば１回目と２回目とでそれぞれ「０．１秒開放」の開放パターンが設定される。なお「小当り」については「ラウンド」という概念がないことから、「開放パターン」についても「１回目の開放」、「２回目の開放」といった表記となる。
【０４２６】
ステップＳ５２１４：主制御ＣＰＵ７２は、先のステップＳ５２１２で設定した大入賞口開放パターンに基づき、大入賞口の開放回数を例えば２回に設定する。ここで設定した開放回数は、例えばＲＡＭ７６のバッファ領域に格納される。
【０４２７】
ステップＳ５２１６：次に主制御ＣＰＵ７２は、小当り時開放タイマを設定する。ここで設定したタイマの値は、可変入賞装置３０を作動する際の１回あたりの開放時間となる。なお本実施形態では、上記のように小当り時開放タイマの値として０．１秒が設定されており、このような開放時間は１回の開放中に大入賞口への入賞がほとんど発生しない（困難となる）短時間（例えば１秒より短い時間、好ましくは発射装置ユニットによる遊技球の発射間隔よりも短い時間）となる。
【０４２８】
ステップＳ５２１８：主制御ＣＰＵ７２は、小当り時インターバルタイマを設定する。ここで設定したタイマの値は、小当り時に可変入賞装置３０を複数回にわたり開閉動作させる際の１回ごとの待機時間となるが、このタイマ値は例えば２秒程度に設定される。
【０４２９】
ステップＳ５２２０：小当り時に以上の手順を終えると、主制御ＣＰＵ７２は次のジャンプ先を大入賞口開閉動作処理に設定し、可変入賞装置管理処理に復帰する。そして主制御ＣＰＵ７２は、次に大入賞口開閉動作処理を実行する。
【０４３０】
〔大入賞口開閉動作処理〕
図３８は、大入賞口開閉動作処理の手順例を示すフローチャートである。この処理は主に、可変入賞装置３０の開閉動作を制御するためのものである。以下、手順に沿って説明する。
【０４３１】
ステップＳ５３０２：主制御ＣＰＵ７２は、大入賞口を開放させる。具体的には、大入賞口ソレノイド９０に対して印加する駆動信号を出力する。これにより、可変入賞装置３０が作動して閉止状態から開放状態に移行する。
【０４３２】
ステップＳ５３０４：次に主制御ＣＰＵ７２は、開放タイマカウントダウン処理を実行する。この処理では、先の大入賞口開放パターン設定処理（図３７中のステップＳ５２０８又はステップＳ５２１６）で設定した開放タイマのカウントダウンを実行する。
【０４３３】
ステップＳ５３０６：続いて主制御ＣＰＵ７２は、開放時間が終了したか否かを確認する。具体的には、カウントダウン処理後の開放タイマの値が０以下であるか否かを確認し、未だ開放タイマの値が０以下になっていなければ（Ｎｏ）、主制御ＣＰＵ７２は次にステップＳ５３０８を実行する。
【０４３４】
ステップＳ５３０８：主制御ＣＰＵ７２は、入賞球数カウント処理を実行する。この処理では、開放時間内に可変入賞装置３０（開放中の大入賞口）に入賞した遊技球の個数をカウントする。具体的には、主制御ＣＰＵ７２は開放時間内にカウントスイッチ８４から入力された入賞検出信号に基づいて、カウント数の値をインクリメントする。
【０４３５】
ステップＳ５３１０：次に主制御ＣＰＵ７２は、現在のカウント数が所定数（９個）未満であるか否かを確認する。この所定数は、上記のように開放１回（大当り中の１ラウンド、小当り時の１回）あたりに許容する入賞球数の上限（賞球数の上限）を定めたものである。未だカウント数が所定数に達していなければ（Ｙｅｓ）、主制御ＣＰＵ７２は可変入賞装置管理処理に復帰する。そして、次に可変入賞装置管理処理を実行すると、現段階ではジャンプ先が大入賞口開閉動作処理に設定されているので、主制御ＣＰＵ７２は上記のステップＳ５３０２〜ステップＳ５３１０の手順を繰り返し実行する。
【０４３６】
上記のステップＳ５３０６で開放時間が終了したと判断するか（Ｙｅｓ）、もしくはステップＳ５３１０でカウント数が所定数に達したことを確認すると（Ｎｏ）、主制御ＣＰＵ７２は次にステップＳ５３１２を実行する。なお、小当り時の開放や「２ラウンド確変図柄」の１ラウンド目と２ラウンド目の開放は、いずれも開放タイマの値が短時間に設定されているので、通常、主制御ＣＰＵ７２はステップＳ５３１０でカウント数が所定数に達したことを確認するより先に、ステップＳ５３０６で開放時間が終了したと判断する場合がほとんどである。
【０４３７】
ステップＳ５３１２：主制御ＣＰＵ７２は、大入賞口を閉止させる。具体的には、大入賞口ソレノイド９０に印加していた駆動信号の出力を停止する。これにより、可変入賞装置３０が開放状態から閉止状態に復帰する。
【０４３８】
ステップＳ５３１４：次に主制御ＣＰＵ７２は、インターバル待機処理を実行する。この処理では、主制御ＣＰＵ７２は上記の大入賞口開放パターン設定処理（図３７中のステップＳ５２１０又はステップＳ５２１８）で設定したインターバルタイマのカウントダウンを実行する。そして、インターバルタイマの値が０以下になると、次に主制御ＣＰＵ７２はステップＳ５３１６に進む。
【０４３９】
ステップＳ５３１６：主制御ＣＰＵ７２は、大役中（大当り遊技中）であるか否かを確認する。現在の遊技が大役中であれば（Ｙｅｓ）、主制御ＣＰＵ７２は次にステップＳ５３１８を実行する。これに対し、現在の遊技が小当りであれば（Ｎｏ）、主制御ＣＰＵ７２は次にステップＳ５３２２に進む。
【０４４０】
ステップＳ５３１８：主制御ＣＰＵ７２は、開放回数カウンタの値をインクリメントする。なお、開放回数カウンタの値は、例えば初期値を０としてＲＡＭ７６のカウント領域に記憶されている。
【０４４１】
ステップＳ５３２０：主制御ＣＰＵ７２は、インクリメント後の開放回数カウンタの値が現ラウンド内で設定した回数に達しているか否かを確認する。ここで、「現ラウンド内で設定した回数」を判断しているのは、例えば「大当り中の１ラウンド内で可変入賞装置３０を複数回にわたり開放動作させる」という開放パターンに対応するためである。なお本実施形態では、特にこのような開放パターンを採用していないので、「現ラウンド内で設定した回数」は、各ラウンドで１回ずつに設定されている。したがって、通常は１回の開閉動作でカウンタ値が設定した回数に達するため（Ｙｅｓ）、主制御ＣＰＵ７２は次にステップＳ５３２２に進むことになる。
【０４４２】
なお、上記のように１ラウンド内で複数回の開閉動作を繰り返すパターンを採用した場合、１回の開放終了時に未だカウンタ値が設定した回数に達していないことになる（Ｎｏ）。この場合、主制御ＣＰＵ７２は可変入賞装置管理処理に復帰すると、現段階ではジャンプ先が大入賞口開閉動作処理に設定されているので、上記のステップＳ５３０２〜ステップＳ５３２０までの手順を繰り返し実行する。その結果、ステップＳ５３１８で開放回数カウンタのインクリメントが進み、そして、カウンタ値が設定した回数に達すると（Ｙｅｓ）、主制御ＣＰＵ７２は次にステップＳ５３２２に進むことになる。
【０４４３】
ステップＳ５３２２：主制御ＣＰＵ７２は次のジャンプ先を大入賞口閉鎖処理に設定し、可変入賞装置管理処理に復帰する。そして、次に可変入賞装置管理処理を実行すると、主制御ＣＰＵ７２は次に大入賞口閉鎖処理を実行する。
【０４４４】
〔大入賞口閉鎖処理〕
図３９は、大入賞口閉鎖処理の手順例を示すフローチャートである。この大入賞口閉鎖処理は、可変入賞装置３０の作動を継続したり、その作動を終了したりするためのものである。以下、手順に沿って説明する。
【０４４５】
ステップＳ５４０１：先ず主制御ＣＰＵ７２は、現在の遊技が大役（大当り遊技）中であるか否かを確認し、大役中であれば（Ｙｅｓ）、主制御ＣＰＵ７２は次にステップＳ５４０２を実行する。
【０４４６】
ステップＳ５４０２：主制御ＣＰＵ７２は、上記のラウンド数カウンタをインクリメントする。これにより、例えば１ラウンド目が終了し、２ラウンド目に向かう段階でラウンド数カウンタの値は「１」となっている。
【０４４７】
ステップＳ５４０４：主制御ＣＰＵ７２は、インクリメント後のラウンド数カウンタの値が設定した実行ラウンド数に達しているか否かを確認する。具体的には、主制御ＣＰＵ７２はインクリメント後のラウンド数カウンタの値（１〜１４）を参照し、その値が設定した実行ラウンド数（１減算後の１〜１４）未満であれば（Ｎｏ）、次にステップＳ５４０５を実行する。
【０４４８】
ステップＳ５４０５：主制御ＣＰＵ７２は、現在のラウンド数カウンタの値からラウンド数コマンドを生成する。このコマンドは、上記のように演出制御出力処理において演出制御装置１２４に送信されるものである。演出制御装置１２４は、受信したラウンド数コマンドに基づいて現在のラウンド数を確認することができる。
【０４４９】
ステップＳ５４０６：主制御ＣＰＵ７２は、次のジャンプ先を大入賞口開閉動作処理に設定する。
【０４５０】
ステップＳ５４０８：そして主制御ＣＰＵ７２は、入賞球数カウンタをリセットし、可変入賞装置管理処理に復帰する。
【０４５１】
主制御ＣＰＵ７２が次に可変入賞装置管理処理を実行すると、遊技プロセス選択処理（図３６中のステップＳ５１００）で主制御ＣＰＵ７２は次のジャンプ先である大入賞口開閉動作処理を実行する。そして、大入賞口開閉動作処理の実行後は大入賞口閉鎖処理の実行を経て、主制御ＣＰＵ７２は再び大入賞口閉鎖処理を実行し、上記のステップＳ５４０２〜ステップＳ５４０８を繰り返し実行する。これにより、実際のラウンド数が設定した実行ラウンド数（２回又は１５回）に達するまでの間、可変入賞装置３０の開閉動作が連続して実行される。
【０４５２】
実際のラウンド数が設定した実行ラウンド数に達した場合（ステップＳ５４０４：Ｙｅｓ）、主制御ＣＰＵ７２は次にステップＳ５４１０を実行する。
【０４５３】
ステップＳ５４１０，ステップＳ５４１２：この場合、主制御ＣＰＵ７２はラウンド数カウンタをリセット（＝０）すると、次のジャンプ先を終了処理に設定する。
【０４５４】
ステップＳ５４０８：そして主制御ＣＰＵ７２は、入賞球数カウンタをリセットし、可変入賞装置管理処理に復帰する。これにより、次に主制御ＣＰＵ７２が可変入賞装置管理処理を実行すると、今度は終了処理が選択されることになる。
【０４５５】
〔小当り時〕
これに対し、小当りの場合は以下の手順となる（特例作動実行手段）。
ステップＳ５４１１：主制御ＣＰＵ７２は現在の遊技が大役中でないことを確認すると（ステップＳ５４０１：Ｎｏ）、開放回数カウンタの値をインクリメントする。
【０４５６】
ステップＳ５４１３：次に主制御ＣＰＵ７２は、インクリメント後の開放回数カウンタの値が設定した開放回数に達したか否かを確認する。開放回数は、先の大入賞口開放パターン設定処理（図３７中のステップＳ５２１４）で設定したものである。未だ開放回数カウンタの値が設定した開放回数に達していなければ（Ｎｏ）、主制御ＣＰＵ７２はステップＳ５４１６を実行する。
【０４５７】
ステップＳ５４１６：主制御ＣＰＵ７２は、次のジャンプ先を大入賞口開閉動作処理に設定する。
ステップＳ５４０８：そして主制御ＣＰＵ７２は、入賞球数カウンタをリセットし、可変入賞装置管理処理に復帰する。
【０４５８】
主制御ＣＰＵ７２が次に可変入賞装置管理処理を実行すると、遊技プロセス選択処理（図３６中のステップＳ５１００）で主制御ＣＰＵ７２は次のジャンプ先である大入賞口開閉動作処理を実行する。そして、大入賞口開閉動作処理の実行後は大入賞口閉鎖処理の実行を経て、主制御ＣＰＵ７２は再び大入賞口閉鎖処理を実行し、上記のステップＳ５４０１〜ステップＳ５４１３（Ｎｏ）を経てステップＳ５４１６、ステップＳ５４０８を繰り返し実行する。これにより、実際の開放回数が設定した開放回数（２回）に達するまでの間、可変入賞装置３０の開閉動作が繰り返し実行される。
【０４５９】
小当り時の実際の開放回数が設定した開放回数に達した場合（ステップＳ５４１３：Ｙｅｓ）、主制御ＣＰＵ７２は次にステップＳ５４１４を実行する。
【０４６０】
ステップＳ５４１４，ステップＳ５４１２：この場合、主制御ＣＰＵ７２は開放回数カウンタをリセット（＝０）すると、次のジャンプ先を終了処理に設定する。
【０４６１】
ステップＳ５４０８：そして主制御ＣＰＵ７２は、入賞球数カウンタをリセットし、可変入賞装置管理処理に復帰する。これにより、次に主制御ＣＰＵ７２が可変入賞装置管理処理を実行すると、今度は終了処理が選択されることになる。
【０４６２】
〔終了処理〕
図４０は、終了処理の手順例を示すフローチャートである。この終了処理は、可変入賞装置３０の作動を終了する際の条件を整えるためのものである。以下、手順例に沿って説明する。
【０４６３】
ステップＳ５５０２：主制御ＣＰＵ７２は、大当りフラグの値（０１Ｈ）がセットされているか否かを確認し、大当りフラグの値がセットされていれば（Ｙｅｓ）、主制御ＣＰＵ７２は次にステップＳ５５０３を実行する。
【０４６４】
ステップＳ５５０３，ステップＳ５５０４：この場合、主制御ＣＰＵ７２は大当りフラグをリセット（００Ｈ）する。これにより、主制御ＣＰＵ７２の制御処理上で大当り遊技状態は終了する。また主制御ＣＰＵ７２は、ここで内部状態フラグから「大当り中」を消去し、制御処理上で内部状態としての大役終了を宣言する。
【０４６５】
ステップＳ５５０５：また主制御ＣＰＵ７２は、ここで連続作動回数コマンドを消去する。
ステップＳ５５０６：次に主制御ＣＰＵ７２は、確率変動機能作動フラグの値（０１Ｈ）がセットされているか否かを確認する。このフラグは、先の特別図柄変動前処理中の大当り時その他設定処理（図２７中のステップＳ２４１４）でセットされるものである。
【０４６６】
ステップＳ５５０８：確率変動機能作動フラグの値がセットされている場合（ステップＳ５５０６：Ｙｅｓ）、主制御ＣＰＵ７２は確率変動回数（例えば１００００回程度）を設定する。設定した確率変動回数の値は、例えばＲＡＭ７６の確変カウンタ領域に格納されて上記の回数切りカウンタ値となる。ここで設定した確率変動回数は、これ以降の遊技で特別図柄の変動（内部抽選）を高確率状態で行う上限回数となる。ただし、上記のように１００００回程度の膨大な回数を設定した場合、そこまで非当選が続くことは確率的にほとんどないので（高確率時の当選確率が例えば２０分の１〜３９分の１程度）、実質的には次回の当選まで高確率状態が続くことになる。これとは逆に、高確率状態に実質的な上限を設ける場合、確率変動回数は現実的な回数（例えば１０回程度）に設定される（いわゆる回数切り確変）。なお、確率変動機能作動フラグの値がセットされていなければ（ステップＳ５５０６：Ｎｏ）、主制御ＣＰＵ７２はステップＳ５５０８を実行しない。
【０４６７】
ステップＳ５５１０：次に主制御ＣＰＵ７２は、時間短縮機能作動フラグの値（０１Ｈ）がセットされているか否かを確認する。このフラグもまた、先の特別図柄変動前処理中の大当り時その他設定処理（図２７中のステップＳ２４１４）でセットされるものである。
【０４６８】
ステップＳ５５１２：そして、時間短縮機能作動フラグ（変動時間短縮機能作動フラグ）の値がセットされている場合（ステップＳ５５１０：Ｙｅｓ）、主制御ＣＰＵ７２は時間短縮回数（例えば１００回程度又は１００００回程度）を設定する。設定した時間短縮回数の値は、上記のようにＲＡＭ７６の時短カウント領域に格納される。ここで設定した時間短縮回数は、これ以降の遊技で特別図柄の変動時間を短縮化する上限回数となる。なお、時間短縮機能作動フラグの値がセットされていなければ（ステップＳ５５１０：Ｎｏ）、主制御ＣＰＵ７２はステップＳ５５１２を実行しない。
【０４６９】
ステップＳ５５１４：そして主制御ＣＰＵ７２は、各種のフラグに基づいて状態指定コマンドを生成する。具体的には、大当りフラグのリセット又は大役終了に伴い、遊技状態として「通常中」を表す状態指定コマンドを生成する。また、高確率状態機能作動フラグがセットされていれば、内部状態として「高確率中」を表す状態指定コマンドを生成し、時間短縮機能作動フラグがセットされていれば、内部状態として「時間短縮中」を表す状態指定コマンドを生成する。これら状態指定コマンドは、演出制御出力処理において演出制御装置１２４に送信される。
【０４７０】
ここまでの手順は大当りの場合であるが、小当りの場合（ステップＳ５５０２：Ｎｏ）は以下の手順が実行される。
【０４７１】
ステップＳ５５２０，ステップＳ５５２２：小当りの場合、主制御ＣＰＵ７２は小当りフラグの値をリセット（００Ｈ）し、また内部状態フラグから「小当り中」を消去する。なお小当りの場合、特に内部的な条件装置は作動しないため、このような手順は単にフラグの消去を目的としたものである。
【０４７２】
ステップＳ５５１６：いずれにしても、以上の手順を経ると主制御ＣＰＵ７２は次のジャンプ先を大入賞口開放パターン設定処理に設定する。
【０４７３】
ステップＳ５５１８：そして主制御ＣＰＵ７２は、特別図柄遊技処理の中の実行選択処理（図２６中のステップＳ１０００）でのジャンプ先を特別図柄変動前処理に設定する。以上の手順を終えると、主制御ＣＰＵ７２は可変入賞装置管理処理に復帰する。
【０４７４】
〔球振り分け装置及び始動入賞口スイッチによる有用性〕
以上が主制御ＣＰＵ７２により実行される各種制御処理の内容であるが、本実施形態では第１構造例又は第２構造例の球振り分け装置２００を用いることにより、パチンコ機１の遊技において以下の有用性を発揮することができる。なお、以下では遊技球の参照符号を適宜省略する。
【０４７５】
（１）球振り分け装置２００を遊技領域８ａ内に配置することで、変動時間短縮機能が非作動の通常状態であっても、右始動入賞口２６への入賞と可変始動入賞装置２８（左始動入賞口２８ａ）への入賞とが交互に発生することを促進することができる。
（２）上記（１）により、通常状態の遊技中においても、第１特別図柄作動記憶数及び第２特別図柄作動記憶数がそれぞれ最大値（例えば４個）に達した状態となることを容易化することができる。
（３）上記（２）により、第１特別図柄作動記憶数と第２特別図柄作動記憶数の各最大値を合計した合計記憶数（例えば８個）を活用して内部抽選を実行することができ、それだけ内部抽選が行われる頻度を高くすることができる。
（４）また、右始動入賞口２６及び可変始動入賞装置２８（左始動入賞口２８ａ）への入賞がそれぞれ発生した時点から、各種抽選用乱数が取得されるまでのタイミングを安定化させることができる。
（５）すなわち、上記（３）では、球振り分け装置２００による遊技球の振り分け動作に要する時間にばらつきが生じたとしても、それによって「入賞」の発生時点から乱数が取得されるまでのタイミングに影響が生じることがない。これにより、遊技の公正を害することなく、第１特別図柄と第２特別図柄の合計記憶数（８個）を用いた遊技性を実現することができる。
【０４７６】
（６）たとえ球振り分け装置２００内で遊技球３００の停留等が発生しても、球振り分け装置２００以外からも右始動入賞口２６及び可変始動入賞装置２８（左始動入賞口２８ａ）への入賞は引き続き可能であるため、引き続き入賞を保証することができる。このため、球振り分け装置２００内でのトラブルに起因して遊技の進行が大きく阻害されることがなく、機械トラブルによって遊技者が不利益を被るのを軽減することができる。
（７）各始動入賞口スイッチの検出信号に基づき、各始動入賞口に連続して入賞した回数をカウントし、カウント値が最大値（例えば５）達した場合、球振り分け装置２００内での回転体２０５にエラーが発生していると判定することができる。また、球振り分け装置２００に関して異常状態等のエラーが発生していると判定された場合、その旨を外部に開示することによって、遊技者に対してパチンコ機１においてエラーが発生したことを認知させることができ、さらに、パチンコ機１に発生しているエラーを解除するために、遊技店の係員を呼びパチンコ機１を正常な状態に復帰させるように促すことができる。
（８）また、第２始動入賞口への遊技球の流入が容易な状態の時に発生した第２事象については、球振り分け装置２００から放出された遊技球が第２始動入賞口に入賞したのか、直接第２始動入賞口に入賞したのか、始動入賞口スイッチの検出信号からは判断できない。そこで、第２始動入賞口への遊技球の流入が容易な遊技状態については、第２始動入賞口に連続して入賞した回数には含めない処理を行うことによって、正確に球振り分け装置２００に関して異常状態等のエラーが発生しているか否かを判定することができる。
【０４７７】
〔演出画像の例〕
次に、パチンコ機１において実際に液晶表示器４２に表示される演出画像について、いくつかの例を挙げて説明する。以上のように、パチンコ機１において大当りの内部抽選が行われると、主制御ＣＰＵ７２による制御の下で変動パターン（変動時間）を決定し、第１特別図柄や第２特別図柄による変動表示が行われる（図柄表示手段）。ただし、上記のように第１特別図柄や第２特別図柄そのものは７セグメントＬＥＤによる点灯・点滅表示であるため、見た目上の訴求力に乏しい。そこでパチンコ機１では、上記のように演出図柄を用いた変動表示演出が行われている。また、パチンコ機１において異常（エラー）が検出された際に、外部にその旨を開示（報知）するため、液晶表示器４２において表示されるエラー開示（報知）演出画像について、上記演出画像についての説明後に例を挙げて説明する。
【０４７８】
演出図柄には、例えば左演出図柄、中演出図柄、右演出図柄の３つが含まれており、これらは液晶表示器４２の画面上で左・中・右に並んで表示される（図１参照）。各演出図柄は、例えば数字の「１」〜「９」とともにキャラクターが付された絵札をデザインしたものとなっている。このうち左演出図柄については、数字が「１」〜「９」の昇順に並んだ図柄列を構成しており、中演出図柄と右演出図柄については、いずれも数字が「９」〜「１」の降順に並んだ図柄列を構成している。このような図柄列は、画面上の左領域・中領域・右領域でそれぞれ縦方向に流れる（スクロールする）ようにして変動表示される。
【０４７９】
図４１は、特別図柄の変動表示及び停止表示に対応させた演出画像の例を示す連続図である。なお、ここでは非当選（はずれ）時の特別図柄の変動について、演出図柄を用いて行われる変動表示演出と停止表示演出の一例を表している。この変動表示演出は、特別図柄（ここでは第２特別図柄）が変動表示を開始してから、停止表示（確定停止を含む）するまでの間に行われる一連の演出に該当する。また停止表示演出は、特別図柄が停止表示されたことと、そのときの内部抽選の結果を演出図柄の組み合わせとして表す演出である。ここでは先ず、制御処理の具体的な内容を説明する前に、本実施形態で採用されている変動１回ごとの変動表示演出と停止表示演出の基本的な流れについて説明する。
【０４８０】
〔変動表示前〕
図４１中（Ａ）：例えば、特別図柄が変動を開始する前の状態（デモ演出中でない状態）で、液晶表示器４２の画面内の中央位置に左・中・右の演出図柄が表示されている。このとき第１特別図柄又は第２特別図柄の停止表示に合わせて、演出図柄も停止表示された状態にある。
【０４８１】
また液晶表示器４２の画面下部（変動前表示領域Ｘ１）には、第１特別図柄及び第２特別図柄それぞれの作動記憶数を表すマーカ（図中に参照符号Ｍ１，Ｍ２を付す）が表示されている（第１記憶表示、第２記憶表示）。これらマーカＭ１，Ｍ２は、それぞれの表示個数が対応する第１特別図柄、第２特別図柄の作動記憶数（第１特別図柄作動記憶ランプ３４ａ、第２特別図柄作動記憶ランプ３５ａの表示数）を表しており、遊技中の作動記憶数の変化に連動して表示個数も増減する。またマーカＭ１，Ｍ２は、視覚的な判別を容易にするため、第１特別図柄に対応するマーカＭ１が例えば着色されていない円形の図形で表示され、第２特別図柄に対応するマーカＭ２が例えば着色されている円形の図形で表示されている。
【０４８２】
さらに、マーカＭ１，Ｍ２は、第１特別図柄の作動記憶又は第２特別図柄の作動記憶が取得された順に並べて表示される。図４１中（Ａ）の例では、マーカＭ２と、マーカＭ１とが４個ずつ交互に点灯表示されているため（合計８個）、第１特別図柄及び第２特別図柄の作動記憶数が４個ずつであり、それらの作動記憶は交互に記憶（取得）されていることを表している（記憶数表示演出実行手段）。このように、マーカＭ１，Ｍ２の表示態様を別々としつつも、それぞれの作動記憶数を同じ変動前表示領域Ｘ１内に並べて表示することで、本実施形態において合計記憶数（８個）を用いた遊技性が実現されていることを明確に分かりやすく遊技者に伝達することができる。
【０４８３】
また演出図柄の変動表示中、例えば液晶表示器４２の画面下部には第４図柄（図中に参照符号Ｚ１，Ｚ２を付す）が表示されている。この第４図柄Ｚ１，Ｚ２は、上記の左・中・右演出図柄に続く「第４の演出図柄」であり、演出図柄の変動表示中はこれに同期して変動表示されている。なお第４図柄Ｚ１，Ｚ２は、単純なマーク（例えば「□」の図形）に色彩を付しただけのものであり、例えばその表示色を変化させることで変動表示を表現することができる。第４図柄Ｚ１は、第１特別図柄に対応しており、第４図柄Ｚ２は、第２特別図柄に対応している。
【０４８４】
また第４図柄Ｚ１，Ｚ２については、はずれに対応する態様（例えば白表示色）で停止表示されている。これは、結果表示演出が正しく行われており、パチンコ機１が正常に動作しているということを客観的に明らかにするためのものである。したがって、「はずれ」ではなく、実際に内部抽選の結果が「２ラウンド大当り」や「１５ラウンド大当り」であれば、それらに対応する態様（例えば赤表示色や緑色表示色等）で第４図柄Ｚ１，Ｚ２は停止表示される。
【０４８５】
〔変動表示演出開始（第２特別図柄）〕
図４１中（Ｂ）：例えば第２特別図柄の変動開始に同期して、液晶表示器４２の表示画面上で演出図柄の３本の図柄列がスクロール変動することで変動表示演出が開始される（図柄演出実行手段）。すなわち、第２特別図柄の変動開始に同期して、液晶表示器４２の表示画面内で左演出図柄、中演出図柄、右演出図柄の列が縦方向にスクロールする（流れる）ようにして変動表示演出が開始される。また、マーカＭ１，Ｍ２は、変動開始前は液晶表示器４２の下方の帯状部分（変動前表示領域Ｘ１）に表示されており、変動開始後はその表示が消去される。なお図中、演出図柄の変動表示は単に下向きの矢印で示されている。また変動表示中、個々の演出図柄が透けた状態で表示（透過表示）されることにより、このとき表示画面内には演出図柄の背景となる画像（背景画像）が視認しやすい状態で表示されている。
【０４８６】
この場合の背景画像は、例えば浴衣を着こなした女性キャラクターが長椅子に腰掛け、夕涼みでもするかのようにリラックスしている風景を表現したものである。このような背景画像は、演出上での滞在モードが例えば「通常モード」であることを表現している。本実施形態において「通常モード」は、上記の変動時間短縮機能が非作動であり、また確率変動機能も非作動である通常状態に対応するものとする。この他にも演出上で各種のモードが設けられており、モードごとに風景や情景の異なる背景画像が用意されている（状態表示演出実行手段）。これらモードの違いは、内部的な「時間短縮状態」に対応するものであったり、「高確率状態」に対応するものであったりする。ここでは特に図示していないが、この後、例えば表示画面内にキャラクターやアイテム等の画像を表示させることで、予告演出が行われる態様であってもよい。
【０４８７】
また、演出図柄の変動表示中、液晶表示器４２の画面下部では第４図柄Ｚ２が変動表示されており、第４図柄Ｚ２は、その表示色を変化させることで変動表示を表現している。
【０４８８】
〔左図柄停止〕
図４１中（Ｃ）：例えば、ある程度の時間（変動時間の半分程度）が経過すると、最初に左演出図柄が変動を停止する。この例では、画面の中段位置に数字の「８」を表す演出図柄が停止したことを表している。なお、ここでは背景画像の図示を省略している（これ以降も同様）。
【０４８９】
〔作動記憶数減少時の演出例〕
ここで、先の図４１中（Ｂ）に示されているように、第２特別図柄の変動開始に伴って第２特別図柄の作動記憶数が１個分減少するため、それに連動してマーカＭ２の表示個数が１個分減少されている。例えば、それまでに作動記憶数が８個あったとすると、マーカＭ２において最も以前（古い）の記憶数表示が１個だけ消去されて内部抽選によって消費される演出が合わせて行われる。これにより、第２特別図柄に関して作動記憶数が消費されていることを演出上でも遊技者に教示することができる。
【０４９０】
そして、図４１中（Ｃ）の例においては、記憶順で先頭にあったマーカＭ２が消去されることにより、変動前表示領域Ｘ１での表示が残り７個になったため、画面上に残った７つのマーカＭ１，Ｍ２がそれぞれ１個分ずつ一方向（ここでは左方向）へずれていく演出が行われている。これにより、作動記憶数の変化の前後関係を正確に演出上で表現するとともに、遊技者に対して「作動記憶が消費されて１つ減った」ということを直感的に分かりやすく教示することができる。
【０４９１】
〔右演出図柄停止〕
図４１中（Ｄ）：左演出図柄に続いて、その後に右演出図柄が変動を停止する。この例では、画面の中段位置に数字の「３」を表す演出図柄が停止したことを表している。この時点で既にリーチ状態が発生しないことは確定しているので、今回の変動が非リーチ（通常）変動であるということが見た目上でほとんど明らかとなっている。なお、ここではすべりパターン等によるリーチ変動を除くものとする。「すべりパターン」とは、例えば一旦は数字の「７」を表す演出図柄が停止した後、図柄列が１図柄分すべって数字の「８」を表す演出図柄が停止し、それによってリーチに発展するというものである。あるいは、一旦は数字の「９」を表す演出図柄が停止した後、図柄列が逆向きに１図柄分すべって数字の「８」を表す演出図柄が停止し、それによってリーチに発展するパターンもある。またその他にも、例えば「５」等の全くかけ離れた数字を表す演出図柄が一旦停止した後、画面上にキャラクターが出現して右演出図柄列を再変動させると、数字の「８」を表す演出図柄が停止してリーチに発展するといったパターンもある。
【０４９２】
〔停止表示演出〕
図４１中（Ｅ）：第２特別図柄の停止表示に同期して、最後の中演出図柄が停止する。今回の内部抽選の結果が非当選であって、第２特別図柄が非当選（はずれ）の態様で停止表示される場合、演出図柄も同様に非当選（はずれ）の態様で停止表示演出が行われる。すなわち、図示の例では、画面の中段位置に数字の「１」を表す演出図柄が停止したことを表しており、この場合、演出図柄の組み合わせは「８」−「１」−「３」のはずれ目であるため、今回の変動は通常の「はずれ」に該当したことが演出上で表現されている。このとき、第４図柄Ｚ２は、はずれに対応する態様（例えば白表示色）で停止表示される。
【０４９３】
以上は第２特別図柄の変動表示及び停止表示に対応する変動表示演出及び停止表示演出の例であるが、第１特別図柄についても同様に、その変動表示及び停止表示に対応して、演出図柄を用いた変動表示演出及び停止表示演出が行われる。
【０４９４】
すなわち、図４１中（Ｅ）に示されているように、記憶順で第１特別図柄に対応するマーカＭ１が先頭（最も古い記憶）である場合、次の変動対象は第１特別図柄となる。この場合、共通の演出図柄を用いて変動表示演出及び停止表示演出が行われるが、画面の右下位置では、第１特別図柄に対応する第４図柄Ｚ１を用いた変動表示演出及び停止表示演出が行われる。
【０４９５】
〔大当り時の演出例〕
図４２は、「１５ラウンド通常図柄」の大当り（当選）時に実行されるリーチ演出の流れを示す連続図である。ここではリーチ演出の他に、変動表示演出や停止表示演出及び予告演出が含まれるものとする。その他にも、変動表示演出中に実行される予告演出（リーチ発生前予告演出、リーチ発生後予告演出）の一例を説明する。
【０４９６】
以下のリーチ演出は、例えば第１特別図柄表示装置３４又は第２特別図柄表示装置３５において大当り時の変動パターンによる変動表示が行われた後、第１特別図柄又は第２特別図柄が「１５ラウンド通常図柄」の態様（例えば７セグメントＬＥＤの「己」，「ヨ」，「口」，「巳」，「Ｆ」，「Ｅ」，「Ｌ」，「Γ」等）で停止表示されるまでに実行される。なお図４２中、各演出図柄を数字のみに簡略化して示している。また上記のマーカＭ１，Ｍ２、第４図柄Ｚ１，Ｚ２等については、ここでの図示を省略している。以下、演出の流れに沿って説明する。
【０４９７】
〔変動表示演出〕
図４２中（Ａ）：第１特別図柄又は第２特別図柄の変動開始に略同期して、液晶表示器４２の画面上で左演出図柄、中演出図柄、右演出図柄の列が縦方向（例えば上から下）にスクロールするようにして変動表示演出が開始される。
【０４９８】
〔リーチ発生前予告演出（１段階目）〕
図４２中（Ｂ）：次に、変動表示演出の比較的初期において、キャラクターの絵柄画像（絵札）を用いた１段階目のリーチ発生前予告演出が行われる。このリーチ発生前予告演出は、予め定められた順序にしたがって１段階から複数段階（例えば２〜５段階）まで、段階的に態様の変化が進行していく予告演出である。このリーチ発生前予告演出で用いられる絵柄画像は、画面上で変動表示されている演出図柄の手前に位置し、例えば画面の左端からひょっこりと出現するようにして表示される（その他の出現の態様でもよい。）。なお、ここでいう「リーチ発生前予告」とは、いずれかの演出図柄が停止表示される前にリーチの可能性や大当りの可能性を予告するという意味である。このような「リーチ発生前予告演出」を実行することで、遊技者に対して「リーチに発展するかも知れない＝大当りの可能性が高まる」という期待感を抱かせる効果が得られる。
【０４９９】
〔リーチ発生前予告演出（２段階目）〕
図４２中（Ｃ）：リーチ発生前予告演出の１段階目の態様が実行された後、続いてリーチ発生前予告演出の態様の変化が２段階目に進行する。ここでは２段階目のリーチ発生前予告演出として、先とは違うキャラクターの絵柄画像を用いた演出が行われている。具体的には、画面の右端から別の絵柄画像が追加で出現し、先に表示されていた絵柄画像の前面に重なって表示される。また、このとき表示される絵柄画像は、先に表示されていた絵柄画像よりもサイズが大きい。そして、絵柄画像で表現されたキャラクターが台詞（例えば「リーチになるよ」等）を発するという、音響出力による演出もあわせて行われる。
【０５００】
このような２つ目の絵柄画像を用いたリーチ発生前予告演出（２段階目）は、先の図４２中（Ｂ）で行われたリーチ発生前予告演出（１段階目）からさらに一歩進んだ発展型である。このように発展していく「リーチ発生前予告演出」の態様を称して、一般的に「ステップアップ予告」等と表現することがある。ここではリーチ発生前予告演出で２段階目の絵柄画像が出現する例を挙げているが、３段階目、４段階目、５段階目の絵柄画像が次々と出現して表示される演出態様であってもよい。また、例えば３段階目、４段階目、５段階目の絵柄画像が次々と出現して表示されるごとに、そのサイズが拡大されるものとしてもよい。なお、この段階でも演出図柄の変動表示は継続されている。いずれにしても、リーチ発生前予告演出の態様の変化をより多くの段階まで進行させることにより、今回の変動で大当りになる可能性（期待度）が高いことを遊技者に示唆することができる（例えば、５段階目まで進行すると最大の期待度を示唆する等。）。
【０５０１】
〔左演出図柄の停止〕
図４２中（Ｄ）：変動表示演出の中期にさしかかり、やがて左演出図柄の変動表示が停止される。なお、この時点で画面の左上段位置に数字の「６」を表す演出図柄が停止し、左下段位置には数字の「７」を表す演出図柄が停止している。
【０５０２】
〔リーチ状態の発生〕
図４２中（Ｅ）：そして左演出図柄に続き、例えば右演出図柄の変動表示が停止される。この時点で、右下段位置には数字の「６」を表す演出図柄が停止しており、画面の右上段位置には数字の「７」を表す演出図柄が停止していることから、画面の対角線上（２本の斜めライン上）に数字の「６」−「変動中」−「６」と「７」−「変動中」−「７」の２種類のリーチ状態が発生している。そして画面上には、対角線上でリーチ状態となる２本の斜めラインを強調する画像が合わせて表示される。また、合わせて「リーチ！」等の音声を出力する演出が行われる。さらに、この例では中演出図柄について数字の「６」と「７」という２つの候補があるため（いわゆるダブルリーチ、ダブルテンパイ）、それだけ期待度の高いリーチ状態である。また、この場合は数字の「７」が揃えば確率変動大当りであり、数字の「６」が揃えば非確変大当りであることから、単なる抽選の当否だけでなく、「確変か、非確変か、はずれか」という多様な緊張感を遊技者に抱かせることができる。
【０５０３】
リーチ状態の発生後、当選時のリーチ演出が実行される（ただし、この時点では未だ当選の結果は表出されていない。）。リーチ演出では、テンパイした数字（ここでは「６」と「７」）に対応する演出図柄だけが画面上に表示され、それ以外は表示されなくなる。なお、このとき演出図柄が画面の四隅にそれぞれ縮小された状態で表示される場合もある。
【０５０４】
〔リーチ発生後予告演出（１回目）〕
図４２中（Ｆ）：リーチ状態が発生して暫くすると、例えば「ハート」の図形を表す画像が群をなして画面上を斜めに過ぎっていくリーチ発生後予告演出（１回目）が行われる。この場合、突然、画面上に「ハート群」の画像が流れていくように表示されるため、これによって遊技者に対する視覚的な訴求力を高めることができる。このような視覚的に賑やかなリーチ予告発生後予告演出を実行することで、遊技者に対してさらに大きな期待感を抱かせる効果が得られる。
【０５０５】
〔リーチ演出の進行〕
図４２中（Ｇ）：１回目のリーチ発生後予告演出に続いて、例えば数字の「２」〜「８」を表す画像が画面上で立体的な列を構成した状態で表示され、列の先頭（手前）から「２」、「３」、「４」・・・という順番に画面から数字の画像が消去されていく演出が行われる。このような演出もまた、数字の「６」又は「７」のいずれかが最後まで消去されずに残ると「大当り」であることを遊技者に示唆（暗示）したり、想起させたりする目的で行われる。また、数字の「５」まで消去されて「６」が画面手前に残ると「通常（非確変）大当り」であるが、数字の「６」まで消去されて「７」が画面手前に残ると「確変大当り」であり、そして数字の「７」も消去されてしまうと「はずれ」であることを意味する。なおこの場合、数字の「７」が消去された後の画面上に例えば数字の「８」が表示される。したがって、この間、数字の「２」、「３」、「４」・・・と順番に画像が消去されていき、数字の「５」の順番が近付くに連れて、遊技者の緊張感や期待感も高まっていくことになる。この後、例えば画面上で数字の「４」までが消去されたとすると、いよいよ次に数字の「５」が消去されると、今度は「通常（非確変）大当り」又は「確変大当り」の可能性が高まるため、そこで遊技者の緊張感も一気に高まる。
【０５０６】
〔リーチ発生後予告演出（２回目）〕
図４２中（Ｈ）：リーチ演出が終盤に近付いたところで、突然、画面上にキャラクターの画像が大写しに割って入るようにして表示され、そのキャラクターが何らかの台詞を発するという内容（又は、無言で微笑むという内容でもよい）のリーチ発生後予告演出（２回目）が行われる。この時点で例えばリーチ演出の内容は、「数字の「５」が消去されれば、次に「６」−「６」−「６」の大当りの可能性が高まる」という展開である。したがって、このタイミングで大きくキャラクターの画像を出現させることにより、遊技者に対して「大当りになるかもしれない」という期待感を抱かせる効果が得られる。
【０５０７】
上記とは別のリーチ演出として、例えば「数字の「２」〜「６」までが消去されてしまい、最後に数字の「７」が消去されずに残れば、「７」−「７」−「７」の確変大当りになる」という展開もある。このようなタイミングでキャラクターの画像を出現させると、遊技者に対して「いよいよ確変大当りになるかもしれない」という期待感を抱かせる効果が得られる。
【０５０８】
〔結果表示演出〕
図４２中（Ｉ）：第１特別図柄又は第２特別図柄の停止表示に略同期して、最後の中演出図柄が停止する。この例では、内部的には当選図柄が「１５ラウンド通常図柄」に該当しているため、演出上で偶数の「６」を表す演出図柄を画面の中央に停止表示させることで、今回は「通常（非確変）大当り」に該当したことを遊技者に教示する演出が行われている。
【０５０９】
図４２中（Ｊ）：そして、第１特別図柄又は第２特別図柄の確定停止表示に略同期して、演出図柄としての結果表示演出についても確定停止表示が行われる。演出図柄の確定停止表示は、例えば左・中・右演出図柄をそれぞれ初期の大きさに復元した状態で行われる。このような確定停止表示を行うことで、最終的な当選種類が演出上で確定したことを遊技者に対して教示することができる。
【０５１０】
また、内部抽選の結果が非当選であれば、第１特別図柄又は第２特別図柄がはずれ図柄で停止表示されるため、演出図柄も同様にはずれの態様で停止表示演出が行われる（図柄演出実行手段）。この場合、画面の中央には「６」や「７」以外の数字「５」や「８」を表示することで、残念ながら今回の変動では大当りにならなかったことを知らせる演出が行われる。なお、このような演出は「はずれリーチ演出」として実行されるものである。
【０５１１】
〔エラー開示（報知）演出画像の例〕
次に、パチンコ機１において異常（エラー）が検出された際に、外部にその旨を開示（報知）するため、液晶表示器４２に表示されるエラー開示（報知）演出画像について、例を挙げて説明する。遊技者は、上記のように液晶表示器４２において実行されている演出図柄を用いた変動表示演出に注目しているため、パチンコ機１において異常（エラー）が発生したとしても気付かずにそのまま遊技を続行する可能性がある。例えば、賞球払出処理において賞球が払い出されない賞球エラーや、下皿に遊技球が満タンまで溜まり賞球を払い出せない満タンエラーが発生したとしても、そのまま遊技を続行する可能性がある。また、球振り分け装置２００に関する異常状態等のエラーが検出された場合、例えば、回転体に異常が発生したことにより一方の始動入賞口へしか遊技球を放出しなくなった場合においても、遊技者はその異常が発生していることに気が付かない可能性がある。そこで、パチンコ機１では、上記のように異常が検出された際に、液晶表示器４２においてエラー開示（報知）演出画像を用いた演出が行われている。
【０５１２】
図４３〜図４７は、異常発生時の球振り分け装置２００の動作と特別図柄の変動表示及び停止表示に対応させた演出画像の例を示す連続図である。なお、ここでは、球振り分け装置２００の回転体２０５に付着物２５５（遊技球３００よりも重さが軽い）が付着する異常が発生した場合を一例として説明する。すなわち、球振り分け装置２００に備えられた回転体２０５の羽部材２０５ａに付着物２５５が付着することにより、回転体２０５に働く加重バランスが羽部材２０５ａ側に偏り、常に羽部材２０５ａが左側の突起部２０６ａと接触するといった異常状態が発生した場合を想定する。なお、一例として付着物２５５が付着する場合を説明するがこれに限定されず、加重バランスが一方に偏る原因として他にも、初期状態において一方の羽部材の方が重い場合、針金等を使用し常に羽部材２０５ａが左側の突起部２０６ａと接触させる不正行為がなされた場合、消耗等による回転体の加重バランスが変化した場合等といった原因もある。
【０５１３】
〔左始動入賞口への入賞発生、異常状態発生〕
図４３中（Ａ１）：例えば、球振り分け装置２００に備えられた回転体２０５の羽部材２０５ｂが右側の突起部２０６ｂに接触していた状態で、遊技球３００が流入口２０２に流入した場合を想定する。この場合、回転体２０５が左回りに回転したことにより遊技球が第２放出口２０３に導かれ、球振り分け装置２００から放出された遊技球３００が流入路２８ｃを流下し、左始動入賞口２８ａへの入賞が発生（第２特別図柄作動記憶数の増加）する。ここで、遊技球３００に付着物２５５が付着した状態で、球振り分け装置２００の流入口２０２から流入した場合を想定する。流入口２０２から流入した遊技球３００は、付着物２５５を付着したまま回転体２０５における羽部材２０５ａと羽部材２０５ｃとの間に入り込む。その際、遊技球３００に付着していた付着物２５５は、遊技球から羽部材２０５ａへ移動する。すなわち、回転体２０５の羽部材２０５ａに付着物２５５が付着することにより、回転体２０５に働く加重バランスが羽部材２０５ａ側に偏り、常に羽部材２０５ａが左側の突起部２０６ａと接触するといった異常状態となる。
【０５１４】
〔変動表示前〕
図４３中（Ａ２）：特別図柄が変動を開始する前の状態（デモ演出中でない状態）で、液晶表示器４２の画面内の中央位置に左・中・右の演出図柄（演出図柄の組み合わせは「６」−「３」−「４」）が表示されている。また、上記のように、左始動入賞口２８ａへの入賞が発生すると、主制御ＣＰＵ７２による制御上で第２特別図柄作動記憶数が１つ増加する。このとき、液晶表示器４２の画面下部（変動前表示領域Ｘ１）には、各特別図柄に関する作動記憶数表示がない状態（マーカＭ１、Ｍ２が表示されていない状態）から、第２特別図柄作動記憶数の増加に対応して作動記憶数を表すマーカＭ２が１つ点灯表示される。
【０５１５】
〔異常状態中〕
図４３中（Ｂ１）：付着物２５５が付着した羽部材２０５ａが左側の突起部２０６ａに接触していた状態（異常状態中）で、遊技球３００が流入口２０２に流入し、回転体２０５における羽部材２０５ｃと羽部材２０５ｂとの間に入り込んだ状態を表す。このとき、付着物２５５よりも遊技球３００の方が重いため、回転体２０５は右回りに回転する。
【０５１６】
〔変動表示開始〕
図４３中（Ｂ２）：一方、第２特別図柄の変動開始に同期して、液晶表示器４２の表示画面上で演出図柄の３本の図柄列がスクロール変動することで変動表示演出が開始される。このとき、液晶表示器４２の画面下部では第２特別図柄に対応する第４図柄Ｚ２の変動表示が開始される。また、第２特別図柄の作動記憶数を１個消費し、第２特別図柄に関する内部抽選を１回実行することに伴い、液晶表示器４２の下方の帯状部分（変動前表示領域Ｘ１）に表示されていたマーカＭ２は、変動開始と同時期にその表示が消去される。
【０５１７】
〔右始動入賞口への入賞発生（連続回数１）、異常状態中〕
図４４中（Ｃ１）：回転体２０５が右回りに回転したことにより遊技球が第１放出口２０４に導かれ、球振り分け装置２００から放出された遊技球３００は右始動入賞口２６への入賞する。なお、このとき、第１特別図柄作動記憶数は増加して１となる。また、羽部材２０５ｃと羽部材２０５ｂとの間に入り込んだ遊技球３００の重りがなくなったことにより、回転体２０５に働く加重バランスは再び付着物２５５が付着する羽部材２０５ａ側に偏る状態となる。したがって、回転体２０５は付着物２５５により左回りに回転し、羽部材２０５ａが左側の突起部２０６ａと接触する状態となる。
【０５１８】
〔変動表示中〕
図４４中（Ｃ２）：液晶表示器４２の表示画面上では左演出図柄の変動が停止される。この例では、画面の中段位置に数字の「５」を表す演出図柄が停止したことを表している。また、右始動入賞口２６への入賞の発生に伴う第１特別図柄作動記憶数の増加に対応して、液晶表示器４２の画面下部（変動前表示領域Ｘ１）には、第１特別図柄作動記憶数の作動記憶数を表すマーカＭ１が１つ点灯表示される。
【０５１９】
〔右始動入賞口への入賞発生（連続回数２）、異常状態中〕
図４４中（Ｄ１）：付着物２５５が付着した羽部材２０５ａが左側の突起部２０６ａに接触していた状態（異常状態中）で、遊技球３００が流入口２０２に流入し、球振り分け装置２００から放出された遊技球３００は右始動入賞口２６への入賞する。なお、このとき、第１特別図柄作動記憶数は増加して２となる。また、回転体２０５は付着物２５５により左回りに回転し、再び羽部材２０５ａが左側の突起部２０６ａと接触する状態となる。
【０５２０】
〔変動表示中〕
図４４中（Ｄ２）：液晶表示器４２の表示画面上では右演出図柄の変動が停止される。この例では、画面の中段位置に数字の「６」を表す演出図柄が停止したことを表している。また、右始動入賞口２６への入賞の発生に伴う第１特別図柄作動記憶数の増加に対応して、液晶表示器４２の画面下部（変動前表示領域Ｘ１）には、第１特別図柄作動記憶数の作動記憶数を表すマーカＭ１が新たに１つ点灯表示され、合計２つのマーカＭ１が点灯表示される。
【０５２１】
〔右始動入賞口への入賞発生（連続回数３）、異常状態中〕
図４５中（Ｅ１）：付着物２５５が付着した羽部材２０５ａが左側の突起部２０６ａに接触していた状態（異常状態中）で、遊技球３００が流入口２０２に流入し、球振り分け装置２００から放出された遊技球３００は右始動入賞口２６への入賞する。なお、このとき、第１特別図柄作動記憶数は増加して３となる。また、回転体２０５は付着物２５５により左回りに回転し、再び羽部材２０５ａが左側の突起部２０６ａと接触する状態となる。
【０５２２】
〔変動表示停止〕
図４５中（Ｅ２）：液晶表示器４２の表示画面上では中演出図柄の変動が停止される。この例では、画面の中段位置に数字の「２」を表す演出図柄が停止したことを表している。また、右始動入賞口２６への入賞の発生に伴う第１特別図柄作動記憶数の増加に対応して、液晶表示器４２の画面下部（変動前表示領域Ｘ１）には、第１特別図柄作動記憶数の作動記憶数を表すマーカＭ１が新たに１つ点灯表示され、合計３つのマーカＭ１が点灯表示される。
【０５２３】
〔右始動入賞口への入賞発生（連続回数４）、異常状態中〕
図４５中（Ｆ１）：付着物２５５が付着した羽部材２０５ａが左側の突起部２０６ａに接触していた状態（異常状態中）で、遊技球３００が流入口２０２に流入し、球振り分け装置２００から放出された遊技球３００は右始動入賞口２６への入賞する。なお、このとき、第１特別図柄作動記憶数は増加して３となる。また、回転体２０５は付着物２５５により左回りに回転し、再び羽部材２０５ａが左側の突起部２０６ａと接触する状態となる。
【０５２４】
〔変動表示開始〕
図４５中（Ｆ２）：第１特別図柄の変動開始に同期して、液晶表示器４２の表示画面上で演出図柄の３本の図柄列がスクロール変動することで変動表示演出が開始される。このとき、液晶表示器４２の画面下部では第１特別図柄に対応する第４図柄Ｚ１の変動表示が開始される。また、第１特別図柄の作動記憶数を１個消費し（第１特別図柄作動記憶数は１消費され３となる）、第１特別図柄に関する内部抽選を１回実行することに伴い、液晶表示器４２の下方の帯状部分（変動前表示領域Ｘ１）に表示されていたマーカＭ１は、変動開始と同時期にその表示が１つ消去される。また、右始動入賞口２６への入賞の発生に伴う第１特別図柄作動記憶数の増加に対応して、液晶表示器４２の画面下部（変動前表示領域Ｘ１）には、第１特別図柄作動記憶数の作動記憶数を表すマーカＭ１が新たに１つ点灯表示され、合計３つのマーカＭ１が点灯表示される。
【０５２５】
〔右始動入賞口への入賞発生（連続回数５）、異常状態中〕
図４６中（Ｇ１）：付着物２５５が付着した羽部材２０５ａが左側の突起部２０６ａに接触していた状態（異常状態中）で、遊技球３００が流入口２０２に流入し、球振り分け装置２００から放出された遊技球３００は右始動入賞口２６への入賞する。なお、このとき、第１特別図柄作動記憶数は増加して４となる。また、回転体２０５は付着物２５５により左回りに回転し、再び羽部材２０５ａが左側の突起部２０６ａと接触する状態となる。
【０５２６】
〔変動表示中〕
図４６中（Ｇ２）：液晶表示器４２の表示画面上では左演出図柄の変動が停止される。この例では、画面の中段位置に数字の「２」を表す演出図柄が停止したことを表している。また、右始動入賞口２６への入賞の発生に伴う第１特別図柄作動記憶数の増加に対応して、液晶表示器４２の画面下部（変動前表示領域Ｘ１）には、第１特別図柄作動記憶数の作動記憶数を表すマーカＭ１が新たに１つ点灯表示され、合計４つのマーカＭ１が点灯表示される。
【０５２７】
〔異常状態中〕
図４６中（Ｈ１）：付着物２５５が付着した羽部材２０５ａが左側の突起部２０６ａに接触していた状態（異常状態中）で、遊技球３００が流入口２０２に流入し、回転体２０５における羽部材２０５ｃと羽部材２０５ｂとの間に入り込んだ状態を表す。
【０５２８】
〔変動表示中、エラー警告開示〕
図４６中（Ｈ２）：液晶表示器４２の表示画面上では画面の中段位置に数字の「５」を表す態様で右演出図柄の変動が停止され、中演出図柄に関してはスクロール変動が続行されている。また、右始動入賞口２６への入賞が連続して５回発生したことに対応して、表示画面中に「エラー発生！係員を呼んでください！」といったエラー警告文が開示（報知）される。エラー警告文を開示することによって、遊技者に対してパチンコ機１においてエラーが発生したことを認知させることができ、さらに、パチンコ機１に発生しているエラーを解除するために、遊技店の係員を呼びパチンコ機１を正常な状態に復帰させるように促すことができる。
【０５２９】
また、特別図柄に関する変動表示は所定の変動時間通りに実行され、上記のように球振り分け装置２００に関する異常状態等のエラーが検出されたからといって、変動表示を一旦停止したり変動時間を延長したりすることはない。したがって、液晶表示器４２の表示画面上で行われる演出に重畳する形態でエラー警告文が前面に開示（報知）され、表示画面上で行われる演出については変化することなく通常通りに実行される。
【０５３０】
なお、液晶表示器４２におけるエラー警告文の開示と共に、パチンコ機１に備えられているエラーランプや遊技枠ランプ４６、４８、５０、５２を点灯（点滅）させたり、スピーカ５４等の音響装置からエラー用のサウンドを出力したりしてもよい。また、図示していないが、外部端子板１６０を通じてパチンコ機１の外部に向けて出力された外部情報信号を受けてデータ表示装置やホールコンピュータでも、エラーが発生したことが開示（報知）される。
【０５３１】
〔右始動入賞口への入賞発生（連続回数６）、異常状態中〕
図４７中（Ｉ１）：回転体２０５が右回りに回転したことにより遊技球が第１放出口２０４に導かれ、球振り分け装置２００から放出された遊技球３００は右始動入賞口２６への入賞する。また、回転体２０５は付着物２５５により左回りに回転し、再び羽部材２０５ａが左側の突起部２０６ａと接触する状態となる。なお、このとき、遊技球３００が右始動入賞口２６に入賞したとしても、第１特別図柄作動記憶数は増加せず４のままとなる。これは、図２３中のステップＳ３０において、特別図柄作動記憶球数が最大値より小さくないため（ステップＳ３０：Ｎｏ）、すなわち、特別図柄作動記憶数が最大値４であるため、第１特別図柄作動記憶数は増加しない。したがって、本来なら遊技者に対し、始動入賞口に遊技球が入賞した場合、特別図柄に関する内部抽選が１回付与されるのに対し、特別図柄作動記憶数が最大値４であるため、特別図柄に関する内部抽選が付与されることはない。
【０５３２】
〔変動表示停止、エラー警告開示中〕
図４７中（Ｉ２）：液晶表示器４２の表示画面上では画面の中段位置に数字の「２」を表す態様で中演出図柄の変動が停止される。また、表示画面中に「エラー発生！係員を呼んでください！」といったエラー警告文が開示（報知）され続けている。エラー警告文の開示（報知）はエラーが解除されるまで続けられるため、遊技者に対して早急な対応を促すことができる。また、右始動入賞口２６への入賞が発生したにもかかわらず、第１特別図柄作動記憶数が増加しなかったことに対応して、液晶表示器４２の画面下部（変動前表示領域Ｘ１）では、継続して合計４つのマーカＭ１が点灯表示される。
【０５３３】
〔左始動入賞口への入賞発生（連続回数１）、異常解除〕
図４７中（Ｊ１）：例えば、その後、遊技者によって呼ばれた遊技店の係員により、回転体２０５の羽部材２０５ａに付着していた付着物２５５が排除された状態で、遊技球３００が流入口２０２に流入した場合を想定する。遊技球３００は、回転体２０５における羽部材２０５ａと羽部材２０５ｃとの間に入り込み、回転体２０５が左方向に回転することにより第２放出口２０３に導かれ、球振り分け装置２００から放出される。放出された遊技球３００が流入路２８ｃを流下し、左始動入賞口２８ａへの入賞が発生（第２特別図柄作動記憶数の増加）する。
【０５３４】
〔変動表示中〕
図４７中（Ｊ２）：液晶表示器４２の表示画面上では画面の中段位置に数字の「７」を表す態様で左演出図柄の変動が停止される。また、左始動入賞口２８ａへの入賞の発生に伴う第２特別図柄作動記憶数の増加に対応して、液晶表示器４２の画面下部（変動前表示領域Ｘ１）には、第２特別図柄作動記憶数の作動記憶数を表すマーカＭ２が新たに１つ点灯表示され、左から２つのマーカＭ１と１つのマーカＭ２が点灯表示される。また、第２特別図柄作動記憶数の作動記憶数を表すマーカＭ２の点灯表示と同時期に、表示画面中に重畳して開示されていた「エラー発生！係員を呼んでください！」といったエラー警告文は消される。これにより、遊技者に対し、パチンコ機１において発生していたエラーが解除されたことを認知させることができる。
【０５３５】
次に、以上の演出を具体的に実現するための制御手法の例について説明する。上述した変動表示演出やリーチ演出、リーチ発生前予告演出、記憶数表示演出、先読み予告演出等の進行対応演出や、これに連動した付加演出、モード移行演出、先判定演出（いわゆる先読み演出）等は、いずれも以下の制御処理を通じて制御されている。
【０５３６】
〔演出制御処理〕
図４８は、演出制御ＣＰＵ１２６により実行される演出制御処理の手順例を示すフローチャートである。この演出制御処理は、例えば図示しないリセットスタート（メイン）処理とは別にタイマ割込処理（割込管理処理）の中で実行される。演出制御ＣＰＵ１２６は、リセットスタート処理の実行中に所定の割込周期（例えば数十μｓ〜数ｍｓ周期）でタイマ割込を発生させ、タイマ割込処理を実行する。
【０５３７】
演出制御処理は、コマンド受信処理（ステップＳ４００）、作動記憶演出管理処理（ステップＳ４０１）、演出図柄管理処理（ステップＳ４０２）、報知演出管理処理（ステップＳ４０３）、表示出力処理（ステップＳ４０４）、ランプ駆動処理（ステップＳ４０６）、音響駆動処理（ステップＳ４０８）、演出乱数更新処理（ステップＳ４１０）及びその他の処理（ステップＳ４１２）のサブルーチン群を含む構成である。以下、各処理に沿って演出制御処理の基本的な流れを説明する。
【０５３８】
ステップＳ４００：コマンド受信処理において、演出制御ＣＰＵ１２６は主制御ＣＰＵ７２から送信される演出用のコマンドを受信する。また、演出制御ＣＰＵ１２６は受信したコマンドを解析し、それらを種類別にＲＡＭ１３０のコマンドバッファ領域に保存する。なお、主制御ＣＰＵ７２から送信される演出用のコマンドには、例えば特図先判定演出コマンド、（特別図柄）作動記憶数増加時演出コマンド、（特別図柄）作動記憶数減少時演出コマンド、始動口入賞音制御コマンド、デモ演出用コマンド、抽選結果コマンド、変動パターンコマンド、変動開始コマンド、停止図柄コマンド、図柄停止時コマンド、状態指定コマンド、ラウンド数コマンド、エラー通知コマンド、大当り終了演出コマンド、変動パターン先判定コマンド、エラー報知指示コマンド等がある。
【０５３９】
ステップＳ４０１：作動記憶演出管理処理では、演出制御ＣＰＵ１２６は上述した記憶数表示演出や、マーカＭ１，Ｍ２を用いた先読み予告演出の実行を制御する。なお、作動記憶演出管理処理の内容については、別の図面を参照しながらさらに後述する。
【０５４０】
ステップＳ４０２：演出図柄管理処理では、演出制御ＣＰＵ１２６は演出図柄を用いた変動表示演出や結果表示演出の内容を制御したり、可変入賞装置３０の開閉動作時の演出内容を制御したりする。またこの処理において、演出制御ＣＰＵ１２６は各種予告演出（リーチ発生前予告演出、リーチ発生後演出等）の演出パターンを選択したり、付加演出（セリフ演出）の演出パターンを選択したりする。なお、演出図柄管理処理の内容については、別の図面を参照しながらさらに後述する。
【０５４１】
ステップＳ４０３：報知演出管理処理では、演出制御ＣＰＵ１２６は上述したパチンコ機１に関して、エラーの発生が検出された際に、外部に対してその旨を開示（報知）するエラー報知演出内容の制御を行う（開示手段）。具体的には、この処理では、この後の表示出力処理（ステップＳ４０４）、ランプ駆動処理（ステップＳ４０６）、音響駆動処理（ステップＳ４０８）にそれぞれ対応した、すなわち、それぞれの処理で制御される液晶表示機、ランプ、スピーカ等に対応した、演出内容が選択される。例えば、演出表示制御装置１４４に対応する演出内容については、他の演出図柄による演出と重畳した表示動作するためのエラー表示演出内容（表示パターン）が選択される。また、ランプ駆動回路１３２に対応する演出内容については、ランプ等を駆動させるためのエラー演出制御信号（ランプパターン）が選択され、音響駆動回路１３４に対応する演出内容については、スピーカ等を使用した音出力のためのエラー音出力演出内容（音響パターン）が選択される。また、これらの演出はエラーの種類毎に報知期間が定められており、定められた報知期間経過後に演出が終了するようになっている。なお、報知演出管理処理の内容については、別の図面を参照しながらさらに後述する。
【０５４２】
ステップＳ４０４：表示出力処理では、演出制御ＣＰＵ１２６は演出表示制御装置１４４（表示制御ＣＰＵ１４６）に対して演出内容の基本的な制御情報（例えば、第１特別図柄及び第２特別図柄それぞれの作動記憶数、作動記憶演出パターン番号、先読み予告演出パターン番号、変動演出パターン番号、変動時予告演出番号、背景パターン番号等）を指示する。これにより、演出表示制御装置１４４（表示制御ＣＰＵ１４６及びＶＤＰ１５２）は指示された演出内容に基づいて液晶表示器４２による表示動作を制御する（演出実行手段）。
【０５４３】
さらに、この表示出力処理において、エラー報知指示フラグがセットされているか否かを確認する。エラー報知指示フラグのセットが確認された場合、さらに、エラー表示演出内容（表示バターン）が選択されているか確認する。エラー表示演出内容（表示バターン）の選択が確認された場合、選択された内容に基づいて、演出表示制御装置１４４（表示制御ＣＰＵ１４６及びＶＤＰ１５２）は液晶表示器４２による表示動作を制御する（演出実行手段）。なお、液晶表示器におけるエラー表示演出は、他の演出図柄の変動表示に重畳する形態で表示される。そのため演出図柄の変動表示を一旦中断したり、強制的に停止したりすることはない。しかしながら、乱数回路不正行為等の重大なエラーが検出された際には、液晶表示器の全面においてエラー表示演出を実行し、特別図柄の変動表示の強制停止に連動し演出図柄の変動表示を実行しなくてよい。
【０５４４】
ステップＳ４０６：ランプ駆動処理では、演出制御ＣＰＵ１２６はランプ駆動回路１３２に対して制御信号を出力する。これを受けてランプ駆動回路１３２は、制御信号に基づいて各種ランプ４６〜５２や盤面ランプ５３等を駆動（点灯又は消灯、点滅、輝度階調変化等）する。
【０５４５】
さらに、このランプ駆動処理において、エラー報知指示フラグがセットされているか否かを確認する。エラー報知指示フラグのセットが確認された場合、さらに、エラー演出制御信号（ランプパターン）が選択されているか確認する。エラー演出制御信号（ランプパターン）の選択が確認された場合、選択された内容に基づいて、ランプ駆動回路１３２は、エラー演出制御信号に基づいて各種ランプ４６〜５２や盤面ランプ５３等を駆動（点灯又は消灯、点滅、輝度階調変化等）する。
【０５４６】
ステップＳ４０８：次の音響駆動処理では、演出制御ＣＰＵ１２６は音響駆動回路１３４に対して演出内容（例えば変動表示演出中やリーチ演出中、モード移行演出中、大当り演出中のＢＧＭ、音声データ等）を指示する。これにより、スピーカ５４，５５，５６から演出内容に応じた音が出力される。
【０５４７】
さらに、この音響駆動処理において、エラー報知指示フラグがセットされているか否かを確認する。エラー報知指示フラグのセットが確認された場合、さらに、エラー音出力演出内容（音響パターン）が選択されているか確認する。エラー音出力演出内容（音響パターン）の選択が確認された場合、選択された内容に基づいて、音響駆動回路１３４は、エラー音出力演出内容を指示し、スピーカ５４，５５，５６からエラー音出力演出内容に応じた音を出力する。
【０５４８】
ステップＳ４１０：演出乱数更新処理では、演出制御ＣＰＵ１２６はＲＡＭ１３０のカウンタ領域において各種の演出乱数を更新する。演出乱数には、例えば予告選択に用いられる乱数や通常の背景チェンジ抽選（演出抽選）に用いられる乱数等がある。
【０５４９】
ステップＳ４１２：その他の処理では、例えば演出用に可動体がある場合、演出制御ＣＰＵ１２６は可動体の駆動用ＩＣに対して制御信号を出力する。特に図示していないが、可動体は例えばソレノイドやステッピングモータ等の駆動源によって動作し、液晶表示器４２による画像の表示と同期して、又は単独で演出を行うものである。これらソレノイドやステッピングモータ等の駆動源は、例えば図７中のパネル電飾基板１３８に接続することができる。
【０５５０】
以上の演出制御処理を通じて、演出制御ＣＰＵ１２６はパチンコ機１における演出内容を統括的に制御することができる。次に、演出制御処理の中で実行される作動記憶演出管理処理の内容について説明する。
【０５５１】
〔作動記憶演出管理処理〕
図４９は、作動記憶演出管理処理の手順例を示すフローチャートである。以下、手順例に沿って内容を説明する。
【０５５２】
ステップＳ７００：先ず演出制御ＣＰＵ１２６は、主制御ＣＰＵ７２から作動記憶数増加時演出コマンドを受信したか否かを確認する。具体的には、演出制御ＣＰＵ１２６はＲＡＭ１３０のコマンドバッファ領域にアクセスし、作動記憶数増加時演出コマンドが保存されているか否かを確認する。作動記憶数増加時演出コマンドが保存されていることを確認した場合（Ｙｅｓ）、演出制御ＣＰＵ１２６はステップＳ７０２を実行する。なお、作動記憶数増加時演出コマンドが保存されていることを確認できない場合（Ｎｏ）、演出制御ＣＰＵ１２６はステップＳ７０２を実行しない。
【０５５３】
ステップＳ７０２：演出制御ＣＰＵ１２６は、作動記憶数増加時演出選択処理を実行する。この処理では、演出制御ＣＰＵ１２６は、第１特別図柄及び第２特別図柄に対応したマーカＭ１，Ｍ２を表示させる演出を選択する。
【０５５４】
ステップＳ７０４：演出制御ＣＰＵ１２６は、主制御ＣＰＵ７２から作動記憶数減少時演出コマンドを受信したか否かを確認する。具体的には、演出制御ＣＰＵ１２６はＲＡＭ１３０のコマンドバッファ領域にアクセスし、作動記憶数減少時演出コマンドが保存されているか否かを確認する。作動記憶数減少時演出コマンドが保存されていることを確認した場合（Ｙｅｓ）、演出制御ＣＰＵ１２６はステップＳ７０６を実行する。なお、作動記憶数減少時演出コマンドが保存されていることを確認できない場合（Ｎｏ）、演出制御ＣＰＵ１２６はステップＳ７０６を実行しない。
【０５５５】
ステップＳ７０６：演出制御ＣＰＵ１２６は、作動記憶数減少時演出選択処理を実行する。この処理では、演出制御ＣＰＵ１２６は、第１特別図柄及び第２特別図柄に対応したマーカＭ１，Ｍ２をスライドさせる演出、及び変動前表示領域Ｘ１から各マーカを消去させる演出を選択する。
以上の手順を終えると、演出制御ＣＰＵ１２６は、演出制御処理（図４８）に復帰する。
【０５５６】
〔演出図柄管理処理〕
図５０は、演出図柄管理処理の手順例を示すフローチャートである。演出図柄管理処理は、実行選択処理（ステップＳ５００）、演出図柄変動前処理（ステップＳ５０２）、演出図柄変動中処理（ステップＳ５０４）、演出図柄停止表示中処理（ステップＳ５０６）及び可変入賞装置作動時処理（ステップＳ５０８）のサブルーチン群を含む構成である。以下、各処理に沿って演出図柄管理処理の基本的な流れを説明する。
【０５５７】
ステップＳ５００：実行選択処理において、演出制御ＣＰＵ１２６は次に実行するべき処理（ステップＳ５０２〜ステップＳ５０８のいずれか）のジャンプ先を選択する。例えば、演出制御ＣＰＵ１２６は次に実行するべき処理のプログラムアドレスをジャンプ先のアドレスとし、また戻り先のアドレスとして演出図柄管理処理の末尾を「ジャンプテーブル」にセットする。いずれの処理を次のジャンプ先として選択するかは、これまでに行われた処理の進行状況によって異なる。例えば、未だ変動表示演出を開始していない状況であれば、演出制御ＣＰＵ１２６は次のジャンプ先として演出図柄変動前処理（ステップＳ５０２）を選択する。一方、既に演出図柄変動前処理が完了していれば、演出制御ＣＰＵ１２６は次のジャンプ先として演出図柄変動中処理（ステップＳ５０４）を選択し、演出図柄変動中処理まで完了していれば、次のジャンプ先として演出図柄停止表示中処理（ステップＳ５０６）を選択する。また可変入賞装置作動時処理（ステップＳ５０８）は、主制御ＣＰＵ７２において可変入賞装置管理処理（図２６中のステップＳ５０００）が選択された場合にのみジャンプ先として選択される。この場合、ステップＳ５０２〜ステップＳ５０６は実行されない。
【０５５８】
ステップＳ５０２：演出図柄変動前処理では、演出制御ＣＰＵ１２６は演出図柄を用いた変動表示演出を開始するための条件を整える作業を行う。またこの処理において、演出制御ＣＰＵ１２６は各種の条件（抽選結果、当選種類、変動パターン等）に応じてリーチ演出の内容を選択したり、予告演出についての演出パターン（先読み予告演出パターン以外のリーチ発生前予告パターン、リーチ発生後予告パターン等）を選択したり、付加演出（セリフ演出）についての演出パターンを選択したりする。その他にも演出制御ＣＰＵ１２６は、パチンコ機１がいわゆる客待ち状態である場合のデモ演出の制御も行う。なお、具体的な処理の内容は、別のフローチャートを用いて後述する。
【０５５９】
ステップＳ５０４：演出図柄変動中処理では、演出制御ＣＰＵ１２６は必要に応じて演出表示制御装置１４４（表示制御ＣＰＵ１４６）に指示する制御情報を生成する。例えば、演出図柄を用いた変動表示演出を実行中に演出切替ボタン４５を用いた演出を行う場合、遊技者による演出ボタンの操作の有無を演出制御ＣＰＵ１２６が監視するとともに、その結果に応じた演出内容（ボタン演出）の制御情報を表示制御ＣＰＵ１４６に対して指示する。
【０５６０】
ステップＳ５０６：演出図柄停止表示中処理では、演出制御ＣＰＵ１２６は内部抽選の結果に応じた態様で演出図柄や動画像を用いた結果表示演出の内容を制御する。すなわち、演出制御ＣＰＵ１２６は演出表示制御装置１４４（表示制御ＣＰＵ１４６）に対して変動表示演出の終了と結果表示演出の実行を指示する。これを受けて演出表示制御装置１４４（表示制御ＣＰＵ１４６）は、実際に液晶表示器４２の表示画面内でそれまで実行していた変動表示演出を終了させ、結果表示演出を実行する。これにより、特別図柄の停止表示に略同期して結果表示演出が実行され、遊技者に対して内部抽選の結果を演出的に教示（開示、告知、報知等）することができる（図柄演出実行手段）。ただし本実施形態において、２ラウンド当選時や小当り時には、はずれと同様か近似した態様で結果表示演出を実行する。
【０５６１】
ステップＳ５０８：可変入賞装置作動時処理では、演出制御ＣＰＵ１２６は小当り中又は大当り中の演出内容を制御する。この処理において、演出制御ＣＰＵ１２６は各種の条件（例えば当選種類）に応じて大役中演出の内容を選択する。例えば１５ラウンドの出玉あり確変大当りの場合、演出制御ＣＰＵ１２６は液晶表示器４２に表示する演出内容として、１５ラウンドの大役中演出パターンを選択し、これを演出表示制御装置１４４（表示制御ＣＰＵ１４６）に対して指示する。これにより、液晶表示器４２の表示画面では大当り中演出の画像が表示されるとともに、ラウンドの進行に伴って演出内容が変化していくことになる。
【０５６２】
あるいは、「２ラウンド大当り」に該当していた場合（高確率状態での２ラウンド確変当選を除く）、演出制御ＣＰＵ１２６はモード移行演出（特に図示していない）を実行させる制御を行うこととしてもよい。また「小当り」の場合、同じく演出制御ＣＰＵ１２６はモード移行演出（特に図示していない）と同様の演出を実行させる制御を行うこととしてもよい。
【０５６３】
〔演出図柄変動前処理〕
図５１は、上記の演出図柄変動前処理の手順例を示すフローチャートである。以下、手順例に沿って説明する。
【０５６４】
ステップＳ６００：演出制御ＣＰＵ１２６は、主制御ＣＰＵ７２からデモ演出用コマンドを受信したか否かを確認する。具体的には、演出制御ＣＰＵ１２６はＲＡＭ１３０のコマンドバッファ領域にアクセスし、デモ演出用コマンドが保存されているか否かを確認する。その結果、デモ演出用コマンドが保存されていることを確認した場合（Ｙｅｓ）、演出制御ＣＰＵ１２６はステップＳ６０２を実行する。
【０５６５】
ステップＳ６０２：演出制御ＣＰＵ１２６は、デモ選択処理を実行する。この処理では、演出制御ＣＰＵ１２６はデモ演出パターンを選択する。デモ演出パターンは、パチンコ機１がいわゆる客待ち状態であることを表す演出の内容を規定したものである。
【０５６６】
以上の手順を終えると、演出制御ＣＰＵ１２６は演出図柄管理処理の末尾のアドレスに復帰する。そして演出制御ＣＰＵ１２６はそのまま演出制御処理に復帰し、続く表示出力処理（図４８中のステップＳ４０４）、ランプ駆動処理（図４８中のステップＳ４０６）においてデモ演出パターンに基づいてデモ演出の内容を制御する。
【０５６７】
一方、ステップＳ６００においてデモ演出用コマンドが保存されていないことを確認すると（Ｎｏ）、演出制御ＣＰＵ１２６は次にステップＳ６０４を実行する。
【０５６８】
ステップＳ６０４：演出制御ＣＰＵ１２６は、今回の変動がはずれ（非当選）であるか否かを確認する。具体的には、演出制御ＣＰＵ１２６はＲＡＭ１３０のコマンドバッファ領域にアクセスし、非当選時の抽選結果コマンドが保存されているか否かを確認する。その結果、非当選時の抽選結果コマンドが保存されていることを確認した場合（Ｙｅｓ）、演出制御ＣＰＵ１２６はステップＳ６１２を実行する。逆に、非当選時の抽選結果コマンドが保存されていないことを確認した場合（Ｎｏ）、演出制御ＣＰＵ１２６はステップＳ６０６を実行する。なお、今回の変動がはずれか否かの確認は、抽選結果コマンドの他に変動パターンコマンドや停止図柄コマンドに基づいて行うことも可能である。すなわち、今回の変動パターンコマンドがはずれ通常変動又ははずれリーチ変動に該当していれば、今回の変動がはずれであると判定することができる。あるいは、今回の停止図柄コマンドが非当選の図柄を指定するものであれば、今回の変動がはずれであると判定することができる。
【０５６９】
ステップＳ６０６：抽選結果コマンドが非当選（はずれ）以外であれば（ステップＳ６０４：Ｎｏ）、次に演出制御ＣＰＵ１２６は、今回の変動が大当たりであるか否かを確認する。具体的には、演出制御ＣＰＵ１２６はＲＡＭ１３０のコマンドバッファ領域にアクセスし、大当り時の抽選結果コマンドが保存されているか否かを確認する。その結果、大当り時の抽選結果コマンドが保存されていることを確認した場合（Ｙｅｓ）、演出制御ＣＰＵ１２６はステップＳ６１０を実行する。逆に、大当り時の抽選結果コマンドが保存されていないことを確認した場合（Ｎｏ）、残りは小当り時の抽選結果コマンドだけであるので、この場合、演出制御ＣＰＵ１２６はステップＳ６０８を実行する。なお、今回の変動が大当たりであるか否かの確認もまた、変動パターンコマンドや停止図柄コマンドに基づいて行うことも可能である。すなわち、今回の変動パターンコマンドが大当り変動に該当していれば、今回の変動が大当りであると判定することができる。また今回の停止図柄コマンドが大当り図柄に該当していれば、今回の変動が大当りであると判定することができる。
【０５７０】
ステップＳ６０８：演出制御ＣＰＵ１２６は、小当り時変動演出パターン選択処理を実行する。この処理では、演出制御ＣＰＵ１２６は主制御ＣＰＵ７２から受信した変動パターンコマンド（例えば、「Ｃ０Ｈ００Ｈ」〜「Ｄ０Ｈ７ＦＨ」）に基づいて、そのときの演出パターン番号を決定する。演出パターン番号は、変動パターンコマンドと対になって予め用意されており、演出制御ＣＰＵ１２６は図示しない演出パターン選択テーブルを参照して、そのときの変動パターンコマンドに対応した演出パターン番号を選択することができる。
【０５７１】
また演出パターン番号を選択すると、演出制御ＣＰＵ１２６は図示しない演出テーブルを参照し、そのときの変動演出パターン番号に対応する演出図柄の変動スケジュール（変動時間やリーチの種類とリーチ発生タイミング）、停止表示の態様等を決定する。なお、ここで決定される演出図柄の種類は、全て「小当り時の図柄の組み合わせ」に該当するものとなっている。
【０５７２】
以上の手順は「小当り」に該当した場合であるが、１５ラウンド大当り又は２ラウンド大当りに該当した場合、演出制御ＣＰＵ１２６はステップＳ６０６で「大当り」であることを確認する（Ｙｅｓ）。この場合、演出制御ＣＰＵ１２６はステップＳ６１０を実行する。
【０５７３】
ステップＳ６１０：演出制御ＣＰＵ１２６は、大当り時変動演出パターン選択処理を実行する。この処理では、演出制御ＣＰＵ１２６は主制御ＣＰＵ７２から受信した変動パターンコマンド（例えば、「Ｅ０Ｈ００Ｈ」〜「Ｆ０Ｈ７ＦＨ」）に基づいて、そのときの演出パターン番号を決定する。ここで決定される演出図柄の種類は、上記の「大当りの組み合わせ」を構成するものの他に「２ラウンド大当り時の組み合わせ」を構成するものも含まれる。なお２ラウンド大当り時の組み合わせは、例えば上記のように数字の「１−２−３」や「３−５−７」のような規則性のある数字の組み合わせ（いわゆるチャンス当選目）とすることができる。なお、大当り時演出パターン選択処理の中では、さらに大当り時停止図柄別に処理を分岐させてもよい。
【０５７４】
また、非当選時の場合は以下の手順が実行される。すなわち、演出制御ＣＰＵ１２６はステップＳ６０４ではずれであることを確認すると（Ｙｅｓ）、次にステップＳ６１２を実行する。
【０５７５】
ステップＳ６１２：演出制御ＣＰＵ１２６は、はずれ時変動演出パターン選択処理を実行する。この処理では、演出制御ＣＰＵ１２６は主制御ＣＰＵ７２から受信した変動パターンコマンド（例えば、「Ａ０Ｈ００Ｈ」〜「Ａ６Ｈ７ＦＨ」）に基づいて、はずれ時の演出パターン番号を決定する。はずれ時の演出パターン番号は、「はずれ通常変動」や「時短はずれ変動」、「はずれリーチ変動」等に分類されており、さらに「はずれリーチ変動」には細かいリーチ変動パターンが規定されている。なお、演出制御ＣＰＵ１２６がいずれの演出パターン番号を選択するかは、主制御ＣＰＵ７２から送信された変動パターンコマンドによって決まる。
【０５７６】
はずれ時の演出パターン番号を選択すると、演出制御ＣＰＵ１２６は図示しない演出テーブルを参照し、そのときの変動演出パターン番号に対応する演出図柄の変動スケジュール（変動時間やリーチ発生の有無、リーチ発生の場合はリーチ種類とリーチ発生タイミング）、停止表示の態様（例えば「７」−「２」−「４」等）を決定する。
【０５７７】
以上のステップＳ６０８，ステップＳ６１０，ステップＳ６１２のいずれかの処理を実行すると、演出制御ＣＰＵ１２６は次にステップＳ６１４を実行する。
【０５７８】
ステップＳ６１４：演出制御ＣＰＵ１２６は、予告選択処理を実行する。この処理では、演出制御ＣＰＵ１２６は今回の変動表示演出中に実行するべき予告演出の内容を抽選によって選択する。予告演出の内容は、例えば内部抽選の結果（当選又は非当選）や現在の内部状態（通常状態、高確率状態、時間短縮状態）に基づいて決定される。上記のように予告演出は、変動表示演出中にリーチ状態が発生する可能性を遊技者に予告したり、最終的に大当りになる可能性があることを予告したりするものである。したがって、非当選時には予告演出の選択比率は低く設定されているが、当選時には遊技者の期待感を高めるため、予告演出の選択比率は比較的高く設定されている。また通常変動時演出制御の流れにおいて説明したように、この予告選択処理において演出制御ＣＰＵ１２６は、各種のセリフ演出抽選を実行する（演出パターン選択手段）。
【０５７９】
ステップＳ６１６：演出制御ＣＰＵ１２６は、先判定演出選択処理を実行する。この処理において、演出制御ＣＰＵ１２６は第１特別図柄又は第２特別図柄の変動中に実行される先判定演出の選択処理を実行する。なお、ここで選択される先判定演出は、マーカＭ１，Ｍ２等の表示態様に対する先読み演出とは別に、次回以降の変動に対する期待感を示唆する態様の演出パターンである。
【０５８０】
以上の手順を終えると、演出制御ＣＰＵ１２６は演出図柄管理処理（末尾アドレス）に復帰する。これにより、その後の演出図柄変動中処理（図５０中のステップＳ５０４）において、実際に選択された変動演出パターンに基づいて変動表示演出及び結果表示演出が実行されるとともに（演出実行手段）、各種予告演出パターンに基づいて予告演出が実行される。また、ここで選択されたセリフ演出パターンに基づいて、付加演出が実行される（演出実行手段）。その他、ここで選択された背景（滞在）モードパターンに基づいて、各種の滞在モード演出が実行される（演出実行手段）。
【０５８１】
〔報知演出管理処理（開示手段）〕
図５２は、上記の報知演出管理処理の手順例を示すフローチャートである。以下、手順例に沿って説明する。
【０５８２】
ステップＳ９０１：先ず演出制御ＣＰＵ１２６は、主制御ＣＰＵ７２からエラー報知指示コマンドを受信したか否かを確認する。具体的には、演出制御ＣＰＵ１２６はＲＡＭ１３０のコマンドバッファ領域にアクセスし、エラー報知指示コマンドが保存されているか否かを確認する。エラー報知指示コマンドが保存されていることを確認した場合（Ｙｅｓ）、演出制御ＣＰＵ１２６はステップＳ９０３を実行する。なお、エラー報知指示コマンドが保存されていることを確認できない場合（Ｎｏ）、演出制御ＣＰＵ１２６はステップＳ９０３を実行せず、演出制御処理（図４８）に復帰する。
【０５８３】
また、この処理において、演出制御ＣＰＵ１２６は、エラー報知指示コマンドに基づき、エラー報知指示フラグをセットしてもよい。エラー報知指示フラグは、パチンコ機１におけるエラーの種類を表す。例えば、扉開放エラー報知指示コマンドならエラー報知指示フラグ１とし、エラー報知指示コマンドの受信が確認されなければエラー報知指示フラグを０にリセットしてもよい。その他にも、球切れエラー報知コマンドの場合２、満タンエラー報知指示コマンドの場合３、異常入賞エラー報知指示コマンドの場合５、振動エラー報知指示コマンドの場合６、磁石エラー報知指示コマンドの場合７、賞球エラー報知指示コマンドの場合８、球振り分けエラー報知指示コマンドの場合９、と各エラー報知指示コマンドに対応してエラー報知指示フラグをそれぞれ規定してもよい。なお、球振り分けエラー報知指示コマンドを球振り分け装置２００に関する異常状態（エラーの種類）に応じて、更に詳細に球振り分けエラー報知コマンド１〜４に区別されていた場合、それに伴い、それぞれに対応してエラー報知指示フラグ９〜１２と設定してもよい。なお、後の処理において、このエラー報知指示フラグに基づき処理を行ってもよい。
【０５８４】
ステップＳ９０３：演出制御ＣＰＵ１２６は、エラー報知指示テーブルを参照する。具体的には、演出制御ＣＰＵ１２６はＲＯＭ１２８に予め保存されているエラー報知指示テーブルにアクセスし、演出表示制御装置１４４（液晶表示器）、ランプ駆動回路１３２（ランプ）、音響駆動回路１３４（スピーカ）により制御される演出内容をそれぞれ選択する。
【０５８５】
〔エラー報知指示テーブル〕
図５３は、エラー報知指示テーブルの構成例を示す図である。以下、図５３を用いてエラー報知演出について具体的に説明する。エラー報知指示テーブルには、エラーの種類に対応した、報知期間、表示パターン、ランプパターン、音響パターンが含まれている。報知期間は、エラー報知演出をいつ終了させるかを表す。表示パターンは、演出表示制御装置１４４に実行させるための演出内容の基本的な制御情報を表す。この制御情報には、例えば、液晶表示器４２の表示画面上に表示するエラー警告文の内容、そのエラー警告文を重畳表示する位置、重畳表示する順番（前面に表示する等）、表示色、表示サイズ、キャラクターの有無等といった表示態様が含まれている。ランプパターンは、ランプ駆動回路１３２に制御される各種ランプ４６〜５２や盤面ランプ５３等の駆動態様（点灯又は消灯、点滅、輝度階調変化等）を表す。音響パターンは、音響駆動回路１３４に制御されるスピーカ５４，５５，５６から出力される音データ（エラー音、ＢＧＭ、音声データ等）を表す。
【０５８６】
例えば、賞球エラーの場合、エラー報知演出はエラー発生からエラーが解除されるまで実行され、液晶表示器の表示画面内に「係員を呼んでください！」とエラー警告文が表示され、賞球エラーランプが点滅される、といったエラー演出内容が選択される。なお、エラーの解除については、例えば、遊技場の係員によってパチンコ機１へ遊技球が補充されることで、賞球が正常に払い出された際に解除される。
【０５８７】
満タンエラーの場合、エラー報知演出はエラー発生からエラーが解除されるまで実行され、液晶表示器の表示画面内に「下皿が満タンです！球を抜いてください！」とエラー警告文が表示され、満タンエラーランプが点滅され、「下皿が満タンです！球を抜いてください！」という音声が出力される、といったエラー内容が選択される。なお、エラーの解除については、例えば、遊技者によって下皿に溜まった遊技球が取り除かれることで、下皿への賞球が正常に払い出された際に解除される。
【０５８８】
球切れエラーの場合、エラー報知演出はエラー発生からエラーが解除されるまで実行され、液晶表示器の表示画面内に「係員を呼んでください！」とエラー警告文が表示され、球切れエラーランプが点滅される、といったエラー内容が選択される。なお、エラーの解除については、例えば、遊技場の係員によってパチンコ機１へ遊技球が補充されることで、上皿へ遊技球が正常に流出がされた際に解除される。
【０５８９】
扉開放エラーの場合、エラー報知演出はエラー発生からエラーが解除されるまで実行され、液晶表示器の表示画面内に「扉開放中！」とエラー警告文が表示され、扉開放エラーランプが点滅され、エラー用のＢＧＭと共に「扉が開いています！」という音声が出力される、といったエラー内容が選択される。なお、エラーの解除については、例えば、遊技場の係員によってガラス枠ユニット４又はプラ枠アセンブリ７が閉じられた（開放状態から閉鎖状態に移行）際に解除される。
【０５９０】
振動エラーの場合、エラー報知演出はエラー発生から３０秒間だけ実行され、液晶表示器の表示画面内に「振動が感知されました！」とエラー警告文が表示され、遊技枠側天枠ランプが点滅され、エラー用のＢＧＭが出力される、といったエラー内容が選択される。
【０５９１】
磁石エラーの場合、エラー報知演出はエラー発生から３０秒間だけ実行され、液晶表示器の表示画面内に「不正行為が検知されました！」とエラー警告文が表示され、遊技枠側全ランプが点滅され、エラー用のＢＧＭが出力される、といったエラー内容が選択される。
【０５９２】
異常入賞エラーの場合、エラー報知演出はエラー発生からパチンコ機１の電源がＯＦＦされるまで実行され、液晶表示器の表示画面内に「不正行為が検知されました！」とエラー警告文が表示され、遊技枠側全ランプが点滅され、エラー用のＢＧＭが出力される、といったエラー内容が選択される。
【０５９３】
球振り分け装置エラー１の場合、エラー報知演出はエラー発生から解除されるまで実行され、液晶表示器の表示画面内に「エラー発生！係員を呼んでください！」とエラー警告文が表示され、球振り分け装置エラーランプ点滅と共に遊技枠側全ランプが点灯され、エラー用のＢＧＭが出力される、といったエラー内容が選択される（開示手段）。球振り分け装置エラー１は、球振り分け装置２００において一方の放出口側への振り分けしか行われていない状態、すなわち、球振り分け装置２００内の回転体２０５に異常が発生している状態が始動入賞スイッチに基づき検出されたことを表している。なお、エラーの解除については、例えば、遊技場の係員によって球振り分け装置２００内の回転体２０５が正常状態に復帰した際に解除される。
【０５９４】
球振り分け装置エラー２の場合、エラー報知演出はエラー発生から解除されるまで実行され、液晶表示器の表示画面内に「エラー発生！係員を呼んでください！」とエラー警告文が表示され、球振り分け装置エラーランプ点滅と共に遊技枠側天枠ランプが点滅され、エラー用のＢＧＭが出力される、といったエラー内容が選択される。球振り分け装置エラー２は、球振り分け装置２００において一方の放出口側への振り分けしか行われていない状態、すなわち、球振り分け回転体に異常が発生している状態が放出口スイッチに基づき検出されたことを表している。なお、エラーの解除については、例えば、遊技場の係員によって球振り分け装置２００内の回転体２０５が正常状態に復帰した際に解除される。
【０５９５】
球振り分け装置エラー３の場合、エラー報知演出はエラー発生から解除されるまで実行され、液晶表示器の表示画面内に「エラー発生！係員を呼んでください！」とエラー警告文が表示され、球振り分け装置エラーランプ点滅と共に遊技枠側天枠ランプが点滅され、エラー用のＢＧＭが出力される、といったエラー内容が選択される。球振り分け装置エラー３は、球振り分け装置２００内で遊技球が停留している状態を表している。なお、エラーの解除については、例えば、遊技場の係員によって球振り分け装置２００内における遊技球の振る舞いが正常状態に復帰した際に解除される。
【０５９６】
球振り分け装置エラー４の場合、エラー報知演出はエラー発生から解除されるまで実行され、液晶表示器の表示画面内に「エラー発生！係員を呼んでください！」とエラー警告文が表示され、球振り分け装置エラーランプ点滅と共に遊技枠側全ランプが点滅され、エラー用のＢＧＭが出力される、といったエラー内容が選択される。球振り分け装置エラー４は、流入口以外から遊技球が球振り分け装置２００に不正に所定個数流入する状態を表している。なお、エラーの解除については、例えば、遊技場の係員によって球振り分け装置２００が正常状態に復帰した際に解除される。
【０５９７】
以上のように、エラー報知指示テーブルを参照し、演出表示制御装置１４４（液晶表示器）、ランプ駆動回路１３２（ランプ）、音響駆動回路１３４（スピーカ）により制御される演出内容がそれぞれ選択されると、演出制御ＣＰＵ１２６は次にステップＳ９０５に進む。
【０５９８】
ステップＳ９０５：演出制御ＣＰＵ１２６は、選択された演出内容を含んだ制御信号を作成し、演出表示制御装置１４４、ランプ駆動回路１３２、音響駆動回路１３４にそれぞれ出力する。以上の手順を終えると、演出制御ＣＰＵ１２６は演出制御処理（図４８）に復帰する。
【０５９９】
以上説明したように、本実施形態によれば、各始動入賞口スイッチの検出信号に基づき、各始動入賞口に連続して入賞した回数をカウントし、カウント値が最大値（例えば５）達した場合、球振り分け装置２００内での回転体２０５にエラーが発生していると判定することができる。また、球振り分け装置２００に関して異常状態等のエラーが発生していると判定された場合、その旨を外部に開示することによって、遊技者に対してパチンコ機１においてエラーが発生したことを認知させることができ、さらに、パチンコ機１に発生しているエラーを解除するために、遊技店の係員を呼びパチンコ機１を正常な状態に復帰させるように促すことができる。
【０６００】
また、第２始動入賞口への遊技球の流入が容易な状態の時に発生した第２事象については、球振り分け装置２００から放出された遊技球が第２始動入賞口に入賞したのか、直接第２始動入賞口に入賞したのか、始動入賞口スイッチの検出信号からは判断できない。そこで、第２始動入賞口への遊技球の流入が容易な遊技状態については、第２始動入賞口に連続して入賞した回数には含めない処理を行うことによって、正確に球振り分け装置２００に関して異常状態等のエラーが発生しているか否かを判定することができる。
【０６０１】
〔第２実施形態〕
次に本発明の第２実施形態について説明する。なお、上記第１実施形態と同一の部分については同一の符号を付して説明を省略し、第１実施形態と異なる部分について説明する。第２実施形態と上記第１実施形態との異なる部分は、球振り分け装置２００に関する異常状態等のエラーの判定を実行する処理についてである。具体的には、上記第１実施形態では、割込管理処理（図１９）内の球振り分けエラー判定処理（図１９中ステップＳ２０４）において、球振り分け装置２００に関する異常状態等のエラーの判定を実行していた。それに対し、第２実施形態では、割込管理処理（図１９）内のスイッチ入力イベント処理（図１９中ステップＳ２０５）内において、球振り分け装置２００に関する異常状態等のエラーの判定を実行する。したがって、第２実施形態における、割込管理処理（図示しない）内では、球振り分けエラー判定処理（図１９中ステップＳ２０４）は実行されず、入力処理（図１９中ステップＳ２０３）を終えると、第２実施形態で用いるスイッチ入力イベント処理（図５４）に進む。スイッチ入力イベント処理を終えると第１実施形態と同様に後に続く処理（図１９中ステップＳ２０６〜Ｓ２１８）を実行する。
【０６０２】
〔スイッチ入力イベント処理〕
図５４は、第２実施形態におけるスイッチスイッチ入力イベント処理の手順例を示すフローチャートである。以下、各手順を追って説明する。なお、第１実施形態と同一の部分については適宜省略して説明する。また、第２実施形態におけるステップＳ７０１８、Ｓ７０２０、Ｓ７０２２、７０２４は、第１実施形態におけるステップＳ１８、Ｓ２０、Ｓ２２、Ｓ２４と同一であるため説明を省略する。
【０６０３】
ステップＳ７０１０：主制御ＣＰＵ７２は、第１特別図柄に対応する右始動入賞口スイッチ８０から入賞検出信号が入力（第１事象が発生）されたか否かを確認する。この入賞検出信号の入力が確認された場合（Ｙｅｓ）、主制御ＣＰＵ７２は次のステップＳ７０１１に進む。一方、入賞検出信号の入力がなかった場合（Ｎｏ）、主制御ＣＰＵ７２はステップＳ７０１４に進む。
【０６０４】
ステップＳ７０１１：主制御ＣＰＵ７２は、第１特別図柄連続入賞判定処理を実行する。この処理では、右始動入賞口スイッチ８０からの入賞検出信号に基づいて、球振り分け装置２００に関する異常状態等のエラーが発生しているか否かの判定を行う。具体的な処理の内容については、別のフローチャートを用いてさらに後述する。主制御ＣＰＵ７２は次にステップＳ７０１２に進む。
【０６０５】
ステップＳ７０１２：主制御ＣＰＵ７２は、第１実施形態におけるステップＳ１２と同様に、第１特別図柄記憶更新処理を実行する。主制御ＣＰＵ７２は次にステップＳ７０１４に進む。
【０６０６】
ステップＳ７０１４：主制御ＣＰＵ７２は、第２特別図柄に対応する左始動入賞口スイッチ８２から入賞検出信号が入力（第２事象が発生）されたか否かを確認する。この入賞検出信号の入力が確認された場合（Ｙｅｓ）、主制御ＣＰＵ７２は次のステップＳ７０１５に進む。一方、入賞検出信号の入力がなかった場合（Ｎｏ）、主制御ＣＰＵ７２はステップＳ７０１８に進む。
【０６０７】
ステップＳ７０１５：主制御ＣＰＵ７２は、第２特別図柄連続入賞判定処理を実行する。この処理では、左始動入賞口スイッチ８２からの入賞検出信号に基づいて、球振り分け装置２００に関する異常状態等のエラーが発生しているか否かの判定を行う。具体的な処理の内容については、別のフローチャートを用いてさらに後述する。主制御ＣＰＵ７２は次にステップＳ７０１６に進む。
【０６０８】
ステップＳ７０１６：主制御ＣＰＵ７２は、第１実施形態におけるステップＳ１６と同様に、第２特別図柄記憶更新処理を実行する。主制御ＣＰＵ７２は次にステップＳ７０１８に進む。
【０６０９】
〔第１特別図柄連続入賞判定処理〕
図５５は、第１特別図柄連続入賞判定処理（図５４中のステップＳ７０１１）の手順例を示すフローチャートである。以下、各手順を追って説明する。なお、第１実施形態と同一の部分については適宜省略して説明する。
【０６１０】
ステップＳ７１２１：主制御ＣＰＵ７２は、前回の入賞検出信号フラグの値を参照し、参照した値が１であるか否かを確認する。すなわち、前回遊技球が入賞した始動入賞口が右始動入賞口２６であるか否かを確認する。このとき、前回の入賞検出信号フラグが１であると確認された場合（Ｙｅｓ）、すなわち、遊技球が入賞した始動入賞口が前回と今回とも同一の右始動入賞口２６であると確認された場合、主制御ＣＰＵ７２は次のステップＳ７１２３に進む。一方、前回の入賞検出信号フラグが１ではないと確認された場合（Ｎｏ）、すなわち、遊技球が入賞した始動入賞口が前回は左始動入賞口２８ａで今回は右始動入賞口２６であることから同一でないと確認された場合、主制御ＣＰＵ７２は次のステップＳ７１２５に進む。
【０６１１】
ステップＳ７１２３：主制御ＣＰＵ７２は、第１連続入賞判定カウント値を加算する。第１連続入賞判定カウント値は、右始動入賞口２６に遊技球が連続して入賞した回数を表すものである。例えば、遊技球が右始動入賞口２６に初めて入賞した場合、連続入賞判定カウント値は１であり、その後右始動入賞口２６に３回連続して入賞した場合、連続入賞判定カウント値は４（１＋１＋１＋１）である。第１連続入賞判定カウント値の加算処理を終えると、主制御ＣＰＵ７２は次にステップＳ７１６１に進む。
【０６１２】
ステップＳ７１２５：主制御ＣＰＵ７２は、前回の入賞検出信号フラグに１をセットする。この処理は、入賞検出信号フラグが今回と次回とで同一か否かを確認する処理のための準備として行われる。すなわち、前回は遊技球が右始動入賞口２６に入賞したということを表す準備をする。主制御ＣＰＵ７２は次にステップＳ７１２７に進む。
【０６１３】
ステップＳ７１２７：主制御ＣＰＵ７２は、第１連続入賞判定カウント値を１にリセットする。すなわち、今回遊技球が入賞したのは右始動入賞口２６であり、前回の左始動入賞口２８ａとは異なるため、右始動入賞口２６に連続して入賞した回数を１にリセットする。例えば、遊技球が右始動入賞口２６に初めて入賞した場合、連続入賞判定カウント値は１であり、その後左始動入賞口２８ａに入賞し、さらにその後右始動入賞口２６に入賞した場合、連続入賞判定カウント値は１にリセットされる。すなわち、球振り分け装置２００により、右始動入賞口２６と左始動入賞口２８ａに交互に入賞するように遊技球が放出された場合、第１連続入賞カウント値は１にリセットされ続ける。主制御ＣＰＵ７２は次にステップＳ７１６５に進む。
【０６１４】
ステップＳ７１６１：主制御ＣＰＵ７２は最大連続入賞値を参照し、参照した値と第１連続入賞判定カウント値とを比較する。最大連続入賞値は、ＲＯＭ７４の記憶領域に予め記憶されており、例えば、値として「５」が記憶されている。したがって、右始動入賞口２６へ連続して５回入賞した場合、第１連続入賞判定カウント値が５であるため最大連続入賞値の５と同一であることが確認され、球振り分け装置２００に関する異常状態等のエラーが発生したと判定することができる。すなわち、第１連続入賞判定カウント値が最大連続入賞値以上である場合（Ｙｅｓ）、球振り分け装置２００に関する異常状態等のエラー（異常）が検出されたとして、主制御ＣＰＵ７２は次にステップＳ７１６３に進む。一方、第１連続入賞判定カウント値が最大連続入賞値以上でない場合（Ｎｏ）、球振り分け装置２００における異常が検出されなかったとして、主制御ＣＰＵ７２は次にステップＳ７１６５に進む。
【０６１５】
ステップＳ７１６３：主制御ＣＰＵ７２は、球振り分け装置２００に関する異常状態等のエラー（異常）が検出されたと判定したことから、球振り分けエラーフラグをセットする（値を０１Ｈにする）。ここで、第１実施形態において説明したように、球振り分けエラーフラグの値が０１Ｈである場合、球振り分け装置２００に関する異常状態等のエラー（異常）が検出されたことを表すと共に、球振り分け装置２００において一方の放出口側（第１放出口２０４）への振り分けしか行われていない状態、すなわち、球振り分け装置２００内の回転体２０５に異常が発生している状態が始動入賞スイッチに基づき検出されたことを表している。球振り分けエラーフラグのセット処理を終えると、主制御ＣＰＵ７２は次にステップＳ７１８１に進む。
【０６１６】
ステップＳ７１６５：主制御ＣＰＵ７２は、球振り分け装置２００に関する異常状態等のエラー（異常）が検出されなかったと判定したことから、球振り分けエラーフラグをリセットする（値を００Ｈにする）。以上の手順を終えると、主制御ＣＰＵ７２はスイッチ入力イベント処理（図５４）に復帰する。
【０６１７】
ステップＳ７１８１：主制御ＣＰＵ７２は、球振り分けエラー報知指示処理を実行する。この処理では、球振り分け装置２００に関する異常状態等のエラー（異常）が検出されたことを外部に報知（開示）するための、演出用のエラー報知指示コマンド及び外部情報信号を作成し、バッファ領域に保存する。なお、詳細については第１実施形態と同一なため省略する。以上の手順を終えると、主制御ＣＰＵ７２はスイッチ入力イベント処理（図５４）に復帰する。
【０６１８】
〔第２特別図柄連続入賞判定処理〕
図５６は、第２特別図柄連続入賞判定処理（図５４中のステップＳ７０１５）の手順例を示すフローチャートである。以下、各手順を追って説明する。なお、第１実施形態と同一の部分については適宜省略して説明する。
【０６１９】
ステップＳ７２２１：主制御ＣＰＵ７２は、前回の入賞検出信号フラグの値を参照し、参照した値が２であるか否かを確認する。すなわち、前回遊技球が入賞した始動入賞口が左始動入賞口２８ａであるか否かを確認する。このとき、前回の入賞検出信号フラグが２であると確認された場合（Ｙｅｓ）、すなわち、遊技球が入賞した始動入賞口が前回と今回とも同一の左始動入賞口２８ａであると確認された場合、主制御ＣＰＵ７２は次のステップＳ７２２３に進む。一方、前回の入賞検出信号フラグが２ではないと確認された場合（Ｎｏ）、すなわち、遊技球が入賞した始動入賞口が前回は右始動入賞口２６で今回は左始動入賞口２８ａであることから同一でないと確認された場合、主制御ＣＰＵ７２は次のステップＳ７２２５に進む。
【０６２０】
ステップＳ７２２３：主制御ＣＰＵ７２は、第２連続入賞判定カウント値を加算する。第２連続入賞判定カウント値は、左始動入賞口２８ａに遊技球が連続して入賞した回数を表すものである。例えば、遊技球が左始動入賞口２８ａに初めて入賞した場合、連続入賞判定カウント値は１であり、その後左始動入賞口２８ａに３回連続して入賞した場合、連続入賞判定カウント値は４（１＋１＋１＋１）である。第２連続入賞判定カウント値の加算処理を終えると、主制御ＣＰＵ７２は次にステップＳ７２４１に進む。
【０６２１】
ステップＳ７２２５：主制御ＣＰＵ７２は、前回の入賞検出信号フラグに２をセットする。この処理は、入賞検出信号フラグが今回と次回とで同一か否かを確認する処理のための準備として行われる。すなわち、前回は遊技球が左始動入賞口２８ａに入賞したということを表す準備をする。主制御ＣＰＵ７２は次にステップＳ７２２７に進む。
【０６２２】
ステップＳ７２２７：主制御ＣＰＵ７２は、第２連続入賞判定カウント値を１にリセットする。すなわち、今回遊技球が入賞したのは左始動入賞口２８ａであり、前回の右始動入賞口２６とは異なるため、左始動入賞口２８ａに連続して入賞した回数を１にリセットする。例えば、遊技球が左始動入賞口２８ａに初めて入賞した場合、連続入賞判定カウント値は１であり、その後右始動入賞口２６に入賞し、さらにその後左始動入賞口２８ａに入賞した場合、連続入賞判定カウント値は１にリセットされる。すなわち、球振り分け装置２００により、右始動入賞口２６と左始動入賞口２８ａに交互に入賞するように遊技球が放出された場合、第１連続入賞カウント値は１にリセットされ続ける。主制御ＣＰＵ７２は次にステップＳ７２４１に進む。
【０６２３】
ステップＳ７２４１：主制御ＣＰＵ７２は、連続入賞判定カウント条件を満たしているか否かを確認する。この処理は、第１実施形態の図２０中のステップＳ８４１と同一であるため詳細な説明を省略する。この処理により、連続入賞判定カウント条件を満たすと確認した場合（Ｙｅｓ）、すなわち、今回の左始動入賞口２８ａへの入賞（第２事象）を連続して入賞した回数のうちの１回に含めると確認した場合、主制御ＣＰＵ７２は次にステップＳ７２６１に進む。一方、連続入賞判定カウント条件を満たしていないと確認した場合（Ｎｏ）、すなわち、今回の左始動入賞口２８ａへの入賞（第２事象）を連続して入賞した回数のうちの１回に含めないと確認した場合、主制御ＣＰＵ７２は次にステップＳ７２４５に進む。
【０６２４】
ステップＳ７２４５：主制御ＣＰＵ７２は、第２連続入賞判定カウント値を減算する。すなわち、左始動入賞口２８ａに遊技球が連続して入賞した回数（第２連続入賞判定カウント値）に含まれていた今回の左始動入賞口２８ａへの入賞（第２事象）の１回分を減算する処理を実行する。主制御ＣＰＵ７２は次にステップＳ７２６１に進む。
【０６２５】
ステップＳ７２６１：主制御ＣＰＵ７２は最大連続入賞値を参照し、参照した値と第２連続入賞判定カウント値とを比較する。最大連続入賞値は、ＲＯＭ７４の記憶領域に予め記憶されており、例えば、値として「５」が記憶されている。したがって、左始動入賞口２８ａへ連続して５回入賞した場合、第２連続入賞判定カウント値が５であるため最大連続入賞値の５と同一であることが確認され、球振り分け装置２００に関する異常状態等のエラーが発生したと判定することができる。すなわち、第２連続入賞判定カウント値が最大連続入賞値以上である場合（Ｙｅｓ）、球振り分け装置２００に関する異常状態等のエラー（異常）が検出されたとして、主制御ＣＰＵ７２は次にステップＳ７２６３に進む。一方、第２連続入賞判定カウント値が最大連続入賞値以上でない場合（Ｎｏ）、球振り分け装置２００における異常が検出されなかったとして、主制御ＣＰＵ７２は次にステップＳ７２６５に進む。
【０６２６】
ステップＳ７２６３：主制御ＣＰＵ７２は、球振り分け装置２００に関する異常状態等のエラー（異常）が検出されたと判定したことから、球振り分けエラーフラグをセットする（値を０１Ｈにする）。主制御ＣＰＵ７２は次にステップＳ７２８１に進む。
【０６２７】
ステップＳ７２６５：主制御ＣＰＵ７２は、球振り分け装置２００に関する異常状態等のエラー（異常）が検出されなかったと判定したことから、球振り分けエラーフラグをリセットする（値を００Ｈにする）。以上の手順を終えると、主制御ＣＰＵ７２はスイッチ入力イベント処理（図５４）に復帰する。
【０６２８】
ステップＳ７２８１：主制御ＣＰＵ７２は、球振り分けエラー報知指示処理を実行する。この処理では、球振り分け装置２００に関する異常状態等のエラー（異常）が検出されたことを外部に報知（開示）するための、演出用のエラー報知指示コマンド及び外部情報信号を作成し、バッファ領域に保存する。なお、詳細については第１実施形態と同一なため省略する。以上の手順を終えると、主制御ＣＰＵ７２はスイッチ入力イベント処理（図５４）に復帰する。
【０６２９】
以上説明したように、第２実施形態によれば、球振り分け装置２００に関する異常状態等のエラー（異常）が発生しているか否かの判定を、球振り分けエラー判定処理（第１実施形態）内で行うことなく、スイッチ入力イベント処理内で第１事象が発生した契機又は第２事象発生した契機に行うことができる。これにより、遊技機における制御処理をさらに簡略化することができる。すなわち、入賞検出処理で使用する入賞検出信号を球振り分け装置の異常検出信号として使用するため、共通の処理ルーチンの中でそれぞれの処理（特別図柄連続入賞判定処理と特別図柄記憶更新処理）を実行することができ、大きな負担を制御処理にかけなくすることができる。
【０６３０】
〔第３実施形態〕
次に本発明の第３実施形態について説明する。なお、上記第１実施形態又は第２実施形態と同一の部分については同一の符号を付して説明を省略し、第１実施形態又は第２実施形態と異なる部分について説明する。第３実施形態と上記第１実施形態又は第２実施形態との異なる部分は、球振り分け装置２００に関する異常状態等のエラーの判定を、第１実施形態又は第２実施形態において使用していた始動口入賞スイッチに加えて、球振り分け装置２００内に形成された遊技球の検出装置（検出スイッチ）を使用して、行う（放出事象異常状態検出手段）ことである。
【０６３１】
図５７は、第３実施形態における球振り分け装置の構成をより詳細に示す正面図である。第３実施形態における球振り分け装置２００は、装置内から放出される遊技球を検出すると共に、遊技状態にかかわらず右始動入賞口２６での入賞（第１事象）及び可変始動入賞装置２８（左始動入賞口２８ａ）での入賞（第２事象）が交互に発生することを促進する装置である。具体的には、振分誘導路２０１に右放出口スイッチ（第１放出口スイッチ、第１放出事象検出手段）２７５及び左放出口スイッチ（第２放出口スイッチ、第２放出事象検出手段）２７３を新たに備える。右放出口スイッチ２７５は、第１放出口２０４付近の振分誘導路２０１に設置され、回転体２０５により第１放出口２０４側に振り分けられた遊技球を検出する。一方、左放出口スイッチ２７３は、第２放出口２０３付近の振分誘導路２０１に設置され、回転体２０５により第２放出口２０３側に振り分けられた遊技球を検出する。各放出口スイッチ２７３，２７５は、遊技球の通過を検出すると、第１放出口検出信号又は第２放出口検出信号を作成する。
【０６３２】
次に、第３実施形態におけるパチンコ機１の制御に関する構成について説明する。図５８は、第３実施形態におけるパチンコ機に装備された各種の電子機器類を示すブロック図である。図５８に示すように、第１実施形態に加えて、パチンコ機１は、左放出口スイッチ２７３及び右放出口スイッチ２７５が備えている。各放出口スイッチ２７３，２７５は、上記で説明したように、遊技球の通過を検出すると第１放出口検出信号又は第２放出口検出信号を作成する。これらの放出口検出信号は、図示しない入出力ドライバを介して主制御ＣＰＵ７２に入力される。また、これらの放出口検出信号と始動口スイッチからの入賞検出信号に基づいて、球振り分け装置２００に関する異常状態等のエラーの判定が割込管理処理内において行われる。
【０６３３】
〔第３実施形態における割込管理処理〕
次に、第３実施形態における割込管理処理（タイマ割込処理）について説明する。図５９は、第３実施形態における割込管理処理の手順例を示すフローチャートである。第３実施形態における割込管理処理は、第１実施形態における割込管理処理内において新たに球振り分けエラー判定処理後に中間事象判定処理を加えている。したがって、中間事象判定処理以外の処理については、第１実施形態と同一なため説明を適宜省略する。
【０６３４】
ステップＳ８２０４：主制御ＣＰＵ７２は、球振り分けエラー判定処理を行う（異常状態判定手段）。なお、この処理は、第１実施形態の球振り分けエラー判定処理（図１９中のステップＳ２０４、図２０）と同一であるが簡単に説明する。この処理では、先の入力処理ステップＳ８２０３で入力したスイッチ信号のうち、右始動入賞口スイッチ８０及び左始動入賞口スイッチ８２からの入賞検出信号に基づいて、球振り分け装置２００に関する異常状態等のエラーが発生しているか否かの判定を行う。具体的には、各始動入賞口に連続して所定回数以上入賞したか否かによって判定が行われる。また、この始動入賞口に入賞した連続回数については、ある条件を満たしていなければカウントはされない。例えば、右始動入賞口２６に遊技球が入賞する頻度と、左始動入賞口２８ａに遊技球が入賞する頻度とが同程度な遊技状態にあるか否かを判定し、同程度であると判定された場合のみ、その始動入賞口に入賞した事象を、連続回数の１回とカウントする。一方、同程度ではないと判定された場合、入賞事象を連続回数の１回にはカウントしない。
【０６３５】
なお、これらの入賞頻度が同程度な遊技状態にあるか否かは、例えば、可変始動入賞装置２８が有する可動片２８ｂが閉状態の時に左始動入賞口２８ａに入賞したか否か、可変始動入賞装置２８が非作動中に左始動入賞口２８ａに入賞したか否か、普通図柄に関する遊技状態が高確率状態、時間短縮状態ではない時に左始動入賞口２８ａに入賞したか否か、といったカウント条件を満たすか否かを判定することにより決定できる。したがって、カウント条件を満たした場合、左始動入賞口２８ａに入賞した事象を連続回数の１回とカウントし、さらに、その連続回数が所定回数以上入賞した場合、球振り分け装置２００に関する異常状態等のエラーが発生していると判定することができる。なお、右始動入賞口２６に関しては、ある条件により右始動入賞口２６へ遊技球が入賞しやすくなるといったことがないため、入賞した事象は必ず連続回数の１回としてカウントされる。
【０６３６】
一方、たとえカウント条件を満たしていない場合であっても、球振り分け装置２００に何らかのトラブルが生じることはあり得る。ただし、カウント条件を満たしていない間は左始動入賞口２８ａに入賞した事象を連続回数の１回とカウントされないため、その事象に基づいて球振り分け装置２００に関する異常状態等のエラーが発生しているか否かを判定することができない。そこで第３実施形態では、カウント条件を満たしていない場合においても、次の中間事象判定処理で球振り分け装置２００に関する異常状態等のエラーが発生しているか否かを判定することとしている。
【０６３７】
ステップＳ８２０５：中間事象判定処理では、先の入力処理Ｓ８２０３で入力した左放出口スイッチ２７３及び右放出口スイッチ２７５からの放出口検出信号に基づいて、主制御ＣＰＵ７２は球振り分け装置２００に関する異常状態等のエラーが発生しているか否かの判定を行う（放出事象異常状態判定手段）。上述したように、先の球振り分けエラー判定処理ステップＳ８２０４において球振り分け装置２００に関する異常状態等のエラーが発生しているか否かを判定することができない事象を、この処理により判定することができる。なお、中間事象判定処理の詳細については、さらに別のフローチャートを用いて後述する。
【０６３８】
〔中間事象判定処理（放出事象異常状態判定手段）〕
次に、第３実施形態における中間事象判定処理について詳細に説明する。図６０は、第３実施形態における中間事象判定処理の手順例を示すフローチャートである。以下、各手順を追って説明する。この中間事象判定処理では、第１実施形態における球振り分けエラー判定処理と同様に、球振り分け装置２００に関する異常状態等のエラーの判定が行われている。ここで、球振り分け装置２００に関する異常状態等のエラーの判定に関して、第１実施形態や先の球振り分けエラー判定処理（図５９中のステップＳ８２０４）では始動入賞口スイッチからの入賞検出信号に基づいて行われているのに対し、この中間事象判定処理では２つの放出口スイッチからの放出口検出信号に基づいて行われる。そのため、この中間事象判定処理では、第１実施形態における球振り分けエラー判定処理において使用される入賞口検出信号を放出口検出信号に置き換えて実行されている処理がある。そこで、以下の説明では、第１実施形態における球振り分けエラー判定処理で使用される入賞検出信号を放出口検出信号に置き換えて説明できる部分については適宜省略して説明する。
【０６３９】
ステップＳ８７００：先ず、主制御ＣＰＵ７２は、中間事象判定開始条件か否かを確認する。この処理では、現在の遊技状態に関して、右始動入賞口２６に遊技球が入賞する頻度と、左始動入賞口２８ａに遊技球が入賞する頻度とが同程度な遊技状態にあるか否かを確認する。この確認の結果、それぞれの入賞頻度が同程度であると確認された場合（Ｎｏ）、割込管理処理（図５９）に復帰する。一方、それぞれの入賞頻度が同程度ではないと確認された場合（Ｙｅｓ）、主制御ＣＰＵ７２は次にステップＳ８８０１に進む。
【０６４０】
なお、それぞれの入賞頻度が同程度な遊技状態にあるか否かについては、第１実施形態と同様に、可変始動入賞装置２８が有する可動片２８ｂが閉状態であるか否か、可変始動入賞装置２８が非作動中であるか否か、普通図柄に関する遊技状態が高確率状態、時間短縮状態であるか否か、といった所定の条件を満たすか否かを判定することにより決定できる。例えば、可変始動入賞装置２８が有する可動片２８ｂが閉状態であると判定された場合、それぞれの入賞頻度が同程度であると確認されるため（Ｎｏ）、割込管理処理（図５９）に復帰する。一方、可変始動入賞装置２８が有する可動片２８ｂが開状態であると判定された場合、それぞれの入賞頻度が同程度ではないと確認されるため（Ｙｅｓ）、主制御ＣＰＵ７２は次にステップＳ８８０１に進む。同様に、可変始動入賞装置２８が非作動中である場合（Ｎｏ）、割込管理処理（図５９）に復帰し、可変始動入賞装置２８が作動中である場合（Ｙｅｓ）、主制御ＣＰＵ７２は次にステップＳ８８０１に進む。また、普通図柄に関する遊技状態が高確率状態又は時間短縮状態である場合（Ｙｅｓ）、主制御ＣＰＵ７２は次にステップＳ８８０１に進み、普通図柄に関する遊技状態が高確率状態又は時間短縮状態ではない普通状態である場合（Ｎｏ）、割込管理処理（図５９）に復帰する。
【０６４１】
ステップＳ８８０１：主制御ＣＰＵ７２は、右放出口スイッチ２７５から放出口検出信号（第１放出口検出信号、右放出口検出信号）が入力されたか否かを確認する。このとき、第１放出口検出信号の入力が確認された場合（Ｙｅｓ）、主制御ＣＰＵ７２は次のステップＳ８８０３に進む。一方、第１放出口検出信号の入力が確認されなかった場合（Ｎｏ）、主制御ＣＰＵ７２は次のステップＳ８８０５に進む。
【０６４２】
ステップＳ８８０３：主制御ＣＰＵ７２は、今回の放出口検出信号フラグに値として０１Ｈをセットする。今回の放出口検出フラグの値が０１Ｈであることは、右放出口スイッチ２７５が入力（ＯＮ）されたこと、すなわち、第１放出口２０４から遊技球が放出されたことを表す。今回の放出口検出信号フラグのセットが実行されると、主制御ＣＰＵ７２は次のステップＳ８８２１に進む。
【０６４３】
ステップＳ８８０５：主制御ＣＰＵ７２は、左放出口スイッチ２７３から放出口検出信号（第２放出口検出信号、左放出口検出信号）が入力されたか否かを確認する。このとき、第２放出口検出信号の入力が確認された場合（Ｙｅｓ）、主制御ＣＰＵ７２は次のステップＳ８８０７に進む。一方、第２放出口検出信号の入力が確認されなかった場合（Ｎｏ）、主制御ＣＰＵ７２は割込管理処理（図５９）に復帰する。
【０６４４】
ステップＳ８８０７：主制御ＣＰＵ７２は、今回の放出口検出信号フラグに値として０２Ｈをセットする。今回の放出口検出フラグの値が０２Ｈであることは、左放出口スイッチ２７３が入力（ＯＮ）されたこと、すなわち、第２放出口２０３から遊技球が放出されたことを表す。今回の放出口検出信号フラグのセットが実行されると、主制御ＣＰＵ７２は次のステップＳ８８２１に進む。
【０６４５】
ステップＳ８８２１：主制御ＣＰＵ７２は、前回の放出口検出信号フラグの値を参照し、参照した値と今回の放出口検出信号フラグの値とが同一か否かを確認する。前回の放出口検出信号フラグにセットされている値は、今回の１つ前（前回）の放出口検出信号を表し、すなわち、前回遊技球が放出された放出口を表す。このとき、前回と今回の放出口検出信号フラグとが同一であると確認された場合（Ｙｅｓ）、例えば、遊技球が放出された放出口が前回と今回とも同一の第１放出口２０４であると確認された場合、主制御ＣＰＵ７２は次のステップＳ８８２３に進む。一方、前回と今回の放出口検出信号フラグとが同一でないと確認された場合（Ｎｏ）、例えば、遊技球が放出された放出口が前回は第２放出口２０３で今回は第１放出口２０４であることから同一でないと確認された場合、主制御ＣＰＵ７２は次のステップＳ８８２５に進む。
【０６４６】
ステップＳ８８２３：主制御ＣＰＵ７２は、連続放出判定カウント値を加算する。連続放出判定カウント値は、同一の放出口から遊技球が連続して放出された回数を表すものである。例えば、遊技球が第１放出口２０４から初めて放出された場合、連続放出判定カウント値は１であり、その後第１放出口２０４から３回連続して放出された場合、連続放出判定カウント値は４（１＋１＋１＋１）である。また、遊技球が第１放出口２０４から１回放出され、その後第２放出口２０３から３回連続して放出された場合、連続放出判定カウント値は３（１＋１＋１）である。連続放出判定カウント値の加算処理を終えると、主制御ＣＰＵ７２は次にステップＳ８８６１に進む。
【０６４７】
ステップＳ８８２５：主制御ＣＰＵ７２は、前回の放出口検出信号フラグに今回の放出口検出信号フラグをセットする。この処理は、放出口検出信号フラグが今回と次回とで同一か否かを確認する処理（以降の割込管理処理で実行されるステップＳ８８２１での処理）のための準備として行われる。例えば、前回の放出口検出信号フラグの値が０１Ｈであり、今回の放出口検出信号フラグの値が０２Ｈであれば、前回の放出口検出信号フラグに値として０２Ｈをセットする（置き換える）。すなわち、前回は遊技球が第２放出口２０３から放出されたということを表す準備をする。主制御ＣＰＵ７２は次にステップＳ８８２７に進む。
【０６４８】
ステップＳ８８２７：主制御ＣＰＵ７２は、連続放出判定カウント値を１にリセットする。すなわち、今回遊技球が放出された放出口は前回と異なるため、同一の放出口から連続して放出された回数を１にリセットする。例えば、遊技球が第１放出口２０４から初めて放出された場合、連続放出判定カウント値は１であり、その後第２放出口２０３から放出された場合、連続放出判定カウント値は１にリセットされ、その後第１放出口２０４から放出された場合、連続放出判定カウント値は１にリセットされる。すなわち、球振り分け装置２００により、第１放出口２０４と第２放出口２０３から交互に遊技球が放出された場合、連続放出判定カウント値は１にリセットされ続ける。主制御ＣＰＵ７２は次にステップＳ８８６５に進む。
【０６４９】
ステップＳ８８６１：主制御ＣＰＵ７２は最大連続放出値を参照し、参照した値と連続放出判定カウント値とを比較する。最大連続放出値は、ＲＯＭ７４の記憶領域に予め記憶されており、球振り分け装置２００に関する異常状態等のエラーが発生したか否かを判定する基準値（判定値）として、同一の放出口からの最大許容連続放出回数を表す。例えば、最大連続放出値が「５」であって、同一の放出口から連続して５回放出された（連続放出判定カウント値が５）場合、それぞれの値が同一であると確認され、球振り分け装置２００に関する異常状態等のエラーが発生したと判定することができる。すなわち、連続入賞判定カウント値が最大連続入賞値以上である場合（Ｙｅｓ）、球振り分け装置２００に関する異常状態等のエラー（異常）が検出されたとして、主制御ＣＰＵ７２は次にステップＳ８８６３に進む。一方、連続入賞判定カウント値が最大連続入賞値以上でない場合（Ｎｏ）、球振り分け装置２００に関する異常状態等のエラー（異常）が検出されなかったとして、主制御ＣＰＵ７２は次にステップＳ８８６５に進む。
【０６５０】
ステップＳ８８６３：主制御ＣＰＵ７２は、球振り分け装置２００に関する異常状態等のエラー（異常）が検出されたと判定したことから、球振り分けエラーフラグをセットする（値を０２Ｈにする）。球振り分けエラーフラグについては、第１実施形態と同様に、球振り分け装置２００の状態を表す。なお、この球振り分けエラーフラグが０２Ｈである場合、球振り分け装置２００において一方の放出口側への振り分けしか行われていない状態、すなわち、球振り分け回転体に異常が発生している状態が放出口スイッチに基づき検出されたことを表す。球振り分けエラーフラグのセット処理を終えると、主制御ＣＰＵ７２は次にステップＳ８８８１に進む。
【０６５１】
ステップＳ８８６５：主制御ＣＰＵ７２は、球振り分け装置２００に関する異常状態等のエラー（異常）が検出されなかったと判定したことから、球振り分けエラーフラグをリセットする（値を００Ｈにする）。以上の手順を終えると、主制御ＣＰＵ７２は割込管理処理（図５９）に復帰する。
【０６５２】
ステップＳ８８８１：主制御ＣＰＵ７２は、球振り分けエラー報知指示処理を実行する。この処理では、球振り分け装置２００に関する異常状態等のエラー（異常）が検出されたことを外部に報知（開示）するための、演出用のエラー報知指示コマンド及び外部情報信号を作成し、バッファ領域に保存する。なお、詳細については第１実施形態と同一なため省略する。以上の手順を終えると、主制御ＣＰＵ７２は割込管理処理（図５９）に復帰する。
【０６５３】
以上説明したように、第３実施形態によれば、各始動入賞口スイッチによる入賞検出信号に基づいた方法では球振り分け装置２００に関する異常状態等のエラーの判定ができなかった遊技状態においても、各放出口スイッチによる放出口検出信号に基づき、第１放出事象又は第２放出事象が連続して発生した回数をカウントすることで、球振り分け装置２００に関する異常状態等のエラーの判定ができる。したがって、第１実施形態又は第２実施形態に加え、左始動入賞口２８ａへの遊技球の流入が容易な状態等を含んだ全ての遊技状態において、球振り分け装置２００に関する異常状態等のエラーの判定ができる。これにより、球振り分け装置２００に関する異常状態等のエラーの判定における判定結果の信頼性をさらに高めることができる。
【０６５４】
〔第４実施形態〕
次に本発明の第４実施形態について説明する。なお、上記第１実施形態から第３実施形態のいずれかの実施形態と同一の部分については同一の符号を付して説明を省略し、第１実施形態から第３実施形態のいずれかの実施形態と異なる部分について説明する。第４実施形態と上記第３実施形態との異なる部分は、球振り分け装置２００に関する異常状態等のエラーの判定を、第３実施形態において使用していた球振り分け装置２００内に形成された２つの放出口スイッチに加えて、流入口スイッチ（流入口検出手段）を使用して行うことである。すなわち、第３実施形態において実行される中間事象判定処理中（図５９）に、新たに流入口スイッチからの検出信号に基づいた球振り分け装置２００に関する異常状態等のエラーの判定処理（中間事象異常状態判定手段）が第４実施形態では追加される。
【０６５５】
第４実施形態における球振り分け装置２００は、装置内に流入した遊技球の検出及び放出される遊技球を検出すると共に、遊技状態にかかわらず第１事象及び第２事象が交互に発生することを促進する装置である。具体的には、図５７に示すように、球振り分け装置２００の流入口２０２から回転体２０５の間に流入口スイッチ２７１が新たに備えられる。流入口スイッチ２７１は、球振り分け装置２００の流入口２０２から流入した遊技球を検出する。流入口スイッチ２７１は、遊技球の通過を検出すると、流入口検出信号を作成する。また、図５８に示すように、流入口検出信号は、図示しない入出力ドライバを介して主制御ＣＰＵ７２に入力される。また、この流入口検出信号、放出口スイッチからの放出口検出信号及び始動口スイッチからの入賞検出信号に基づいて、球振り分け装置２００に関する異常状態等のエラーの判定が割込管理処理内において行われる。
【０６５６】
〔中間事象判定処理（中間事象異常状態判定手段）〕
次に、第４実施形態における中間事象判定処理について詳細に説明する。図６１、図６２は、第４実施形態における中間事象判定処理の手順例を示すフローチャートである。以下、各手順を追って説明する。この中間事象判定処理では、第１、第３実施形態における球振り分けエラー判定処理及び第３実施形態における中間事象処理と同様に、球振り分け装置２００に関する異常状態等のエラーの判定が行われている。ここで、球振り分け装置２００に関する異常状態等のエラーの判定に関して、第３実施形態では２つの放出口スイッチからの放出口検出信号に基づいて行われているのに対し、この中間事象判定処理では２つの放出口スイッチからの放出口検出信号に加え流入口スイッチからの流入口検出信号に基づいて行われる。そのため、第３実施形態において説明された中間事象判定処理と同一な部分についての説明は適宜省略する（第４実施形態におけるステップＳ９８０１〜Ｓ９８８１の処理は、第３実施形態におけるステップＳ８８０１〜Ｓ８８８１の処理と同一（Ｓ８８０１（Ｎｏ）の場合Ｓ８８０７に進むとする）であるため説明を省略する）。
【０６５７】
ステップＳ９７００：先ず、主制御ＣＰＵ７２は、中間事象判定開始条件か否かを確認する。この処理では、第３実施形態と同様に現在の遊技状態に関して、右始動入賞口２６に遊技球が入賞する頻度と、左始動入賞口２８ａに遊技球が入賞する頻度とが同程度な遊技状態にあるか否かを確認する。この確認の結果、それぞれの入賞頻度が同程度であると確認された場合（Ｎｏ）、割込管理処理に復帰する。一方、それぞれの入賞頻度が同程度ではないと確認された場合（Ｙｅｓ）、主制御ＣＰＵ７２は次にステップＳ９７０１に進む。なお、それぞれの入賞頻度が同程度な遊技状態にあるか否かについては、第３実施形態と同様に所定の条件を満たすか否かを判定することにより決定されるため、説明は省略する。
【０６５８】
ステップＳ９７０１：主制御ＣＰＵ７２は、流入口スイッチ２７１から流入口検出信号が入力されたか否かを確認する。このとき、流入口検出信号の入力が確認された場合（Ｙｅｓ）、主制御ＣＰＵ７２は次のステップＳ９７０３に進む。一方、流入口検出信号の入力が確認されなかった場合（Ｎｏ）、主制御ＣＰＵ７２は次のステップＳ９７２１に進む。
【０６５９】
ステップＳ９７０３：主制御ＣＰＵ７２は、中間事象カウント値を加算する。中間事象カウント値は、現在中間事象が発生している数、すなわち、現在球振り分け装置２００内を流下している遊技球の数を表す。したがって、球振り分け装置２００の流入口２０２から流入し（中間事象の発生）、放出口から放出されるまで遊技球は球振り分け装置２００内を流下しているため、中間事象カウント値は遊技球が流入した時点で加算され、放出された時点で減算される。例えば、初めて遊技球が球振り分け装置２００の流入口２０２から流入すると、中間事象カウント値は１加算され１となり、放出されると中間事象カウント値は１減算され０となる。また、球振り分け装置２００内を１つの遊技球が流下している時に、新たに遊技球が球振り分け装置２００の流入口２０２から流入すると、中間事象カウント値は１加算され２となる。中間事象カウント値の加算処理を終えると、主制御ＣＰＵ７２は次のステップＳ９７０５に進む。
【０６６０】
ステップＳ９７０５：主制御ＣＰＵ７２は、中間事象タイマ値をリセットする（値を０にする）。中間事象タイマ値は、球振り分け装置２００に遊技球が流入してからの時間、すなわち、中間事象が発生してから経過した経過時間を表す。この処理では、球振り分け装置２００の流入口２０２に遊技球が流入したこと、すなわち、中間事象が発生したことに基づいて中間事象タイマ値（経過時間）を０にセットする。中間事象タイマ値のリセットを終えると、主制御ＣＰＵ７２は次のステップＳ９７０７に進む。
【０６６１】
ステップＳ９７０７：主制御ＣＰＵ７２は、連続不正放出カウント値をリセットする（値を０にする）。連続不正放出カウント値は、球振り分け装置２００の流入口２０２から流入しないにも関わらず、球振り分け装置２００の放出口から放出された事象が連続して発生した回数を表す。すなわち、流入口スイッチ２７１による流入口検出信号の入力が確認されていないにも関わらず、各放出口スイッチ２７３、２７５による放出口検出信号の入力が確認された事象が連続して発生した回数を表す。したがって、この処理では、球振り分け装置２００の流入口２０２に遊技球が流入したこと、すなわち、中間事象が発生したことに基づいて連続不正放出カウント値を０にセットする。連続不正放出カウント値のリセット処理を終えると、主制御ＣＰＵ７２は次のステップＳ９７１１に進む。
【０６６２】
ステップＳ９７１１：主制御ＣＰＵ７２は最大中間事象数値を参照し、参照した値と中間事象カウント値とを比較する。最大中間事象数値は、ＲＯＭ７４の記憶領域に予め記憶されており、球振り分け装置２００に関する異常状態等のエラーが発生したか否かを判定する基準値（判定値）として、中間事象の発生に対する最大許容数値を表す。例えば、最大中間事象数値が「５」であって、中間事象が５回発生した（中間事象カウント値が５）場合、それぞれの値が同一であると確認され、球振り分け装置２００に関する異常状態等のエラーが発生したと判定することができる。ここで、中間事象カウント値は、遊技球が放出口から放出されたと確認された際に、１減算される。したがって、中間事象カウント値が最大中間事象数値以上である場合（Ｙｅｓ）、中間事象カウント値が減算されていないことから、球振り分け装置２００から遊技球が放出されないと判定することができる。すなわち、球振り分け装置２００の回転体２０５が正常に回転していない、又は、球振り分け装置２００内において遊技球が停留している、といった異常状態等のエラーが発生したと判定することができる。中間事象カウント値が最大中間事象数値以上である場合（Ｙｅｓ）、主制御ＣＰＵ７２は次にステップＳ９７３３に進む。一方、中間事象カウント値が最大中間事象数値以上でない場合（Ｎｏ）、球振り分け装置２００に関する異常状態等のエラー（異常）が検出されなかったとして、主制御ＣＰＵ７２は次にステップＳ９７２１に進む。
【０６６３】
ステップＳ９７２１：主制御ＣＰＵ７２は、中間事象カウント値が１以上か否か（中間事象カウント値がセットされているか否か）を確認する。すなわち、中間事象が発生しているか否かを確認する。この処理で、中間事象カウント値が１以上である（中間事象が発生している）と確認された場合（Ｙｅｓ）、主制御ＣＰＵ７２は次にステップＳ９７２３に進む。一方、中間事象カウント値が１以上ではない（中間事象が発生していない）と確認された場合（Ｎｏ）、主制御ＣＰＵ７２は次にステップＳ９７４１に進む。
【０６６４】
ステップＳ９７２３：主制御ＣＰＵ７２は、中間事象タイマ値をインクリメントする。この処理で中間事象タイマ値をインクリメントすることは、割込管理処理を１回行ったこと、すなわち、４ｍｓ経過したことを表す。したがって、中間事象タイマ値をインクリメントすることによって、球振り分け装置２００に遊技球が流入してからの時間、すなわち、中間事象が発生してから経過した経過時間を表す。中間事象タイマ値のインクリメント処理を終えると、主制御ＣＰＵ７２は次にステップＳ９７３１に進む。
【０６６５】
ステップＳ９７３１：主制御ＣＰＵ７２は最大中間事象タイマ値を参照し、参照した値と中間事象タイマ値とを比較する。最大中間事象タイマ値は、ＲＯＭ７４の記憶領域に予め記憶されており、球振り分け装置２００に関する異常状態等のエラーが発生したか否かを判定する基準値（判定値）として、中間事象が発生してから許容できる経過時間の上限値を表す。例えば、最大中間事象タイマ値が「６０秒」であって、中間事象が発生してから６０秒秒経過した場合、球振り分け装置２００から遊技球が放出されない異常が発生したと判定することができる。したがって、中間事象タイマ値が最大中間事象タイマ値以上である場合（Ｙｅｓ）、球振り分け装置２００に関する異常状態等のエラーが発生したと判定することができる。なお、球振り分け装置２００の回転体２０５が正常に回転していない状態、又は、球振り分け装置２００内において遊技球が停留している状態、といった異常状態等のエラーが発生したと判定することができる。中間事象タイマ値が最大中間事象タイマ値以上である場合（Ｙｅｓ）、主制御ＣＰＵ７２は次にステップＳ９７３３に進む。一方、中間事象タイマ値が最大中間事象数値以上でない場合（Ｎｏ）、球振り分け装置２００に関する異常状態等のエラー（異常）が検出されなかったとして、主制御ＣＰＵ７２は次にステップＳ９７４１に進む。
【０６６６】
ステップＳ９７３３：主制御ＣＰＵ７２は、球振り分け装置２００に関する異常状態等のエラー（異常）が検出されたと判定したことから、球振り分けエラーフラグをセットする（値を０３Ｈにする）。球振り分けエラーフラグについては、第１実施形態と同様に、球振り分け装置２００の状態を表す。なお、この球振り分けエラーフラグが０３Ｈである場合、球振り分け装置２００内で遊技球が停留している状態を表す。球振り分けエラーフラグのセット処理を終えると、主制御ＣＰＵ７２は次にステップＳ９８８１に進む。なお、ステップＳ９８８１においては、主制御ＣＰＵ７２により、球振り分けエラー報知指示処理が実行される。この球振り分けエラー報知指示処理については、第１実施形態と同一なため省略する。以上の手順を終えると、主制御ＣＰＵ７２は割込管理処理に復帰する。
【０６６７】
ステップＳ９７４１：主制御ＣＰＵ７２は、各放出口スイッチ２７３、２７５から放出口検出信号（第１放出口検出信号、又は、第２放出口検出信号）が入力されたか否かを確認する。このとき、いずれか放出口検出信号の入力が確認された場合（Ｙｅｓ）、主制御ＣＰＵ７２は次のステップＳ９７４３に進む。一方、放出口検出信号の入力が確認されなかった場合（Ｎｏ）、主制御ＣＰＵ７２は割込管理処理に復帰する。
【０６６８】
ステップＳ９７４３：主制御ＣＰＵ７２は、中間事象カウント値を減算する。ここで、中間事象カウント値は、現在中間事象が発生している数、すなわち、現在球振り分け装置２００内を流下している遊技球の数を表している。したがって、この処理では、放出口検出信号の入力が確認されたこと（ステップＳ９７４１：Ｙｅｓ）に基づき、中間事象カウント値を減算する。中間事象カウント値の減算処理を終えると、主制御ＣＰＵ７２は次にステップＳ９７５１に進む。
【０６６９】
ステップＳ９７５１：主制御ＣＰＵ７２は、中間事象カウント値が０以上（中間事象カウント値が負の値）か否かを確認する。すなわち、球振り分け装置２００の流入口２０２から流入しないにも関わらず、球振り分け装置２００の放出口から放出された事象が発生していたか否かを確認する。この処理で、中間事象カウント値が０以上であると確認された場合（Ｙｅｓ）、主制御ＣＰＵ７２は次にステップＳ９８０１に進む。一方、中間事象カウント値が負の値であると確認された場合（Ｎｏ）、主制御ＣＰＵ７２は次にステップＳ９７５３に進む。
【０６７０】
ステップＳ９７５３：主制御ＣＰＵ７２は、連続不正放出カウント値を加算する。前述したが、連続不正放出カウント値は、球振り分け装置２００の流入口２０２から流入しないにも関わらず、球振り分け装置２００の放出口から放出された事象が連続して発生した回数を表す。すなわち、流入口スイッチ２７１による流入口検出信号の入力が確認されていないにも関わらず、各放出口スイッチ２７３、２７５による放出口検出信号の入力が確認された事象が連続して発生した回数を表す。例えば、遊技球が、球振り分け装置２００の放出口と始動入賞口との間に備えられ障害釘によって跳ね返り、球振り分け装置２００の放出口から流入する事象を想定する。放出口から流入した遊技球はその後自重により同一の放出口から放出される。したがって、この事象は連続不正放出カウント値の１回に含まれる。障害釘で跳ね返った遊技球が放出口から球振り分け装置２００に流入する事象は稀にしか発生せず、さらに連続して発生することは極稀である。しかしながら、球振り分け装置２００内において遊技球が停留した場合、もしくは、球振り分け装置２００の流入口に遊技球が流入しないような不正行為が行われた場合、連続してそのような事象が発生する可能性がある。そこで、連続不正放出カウント値として、流入口２０２から流入せず放出口から放出される事象が連続して発生した回数をカウントし、そのカウント値に基づいて、球振り分け装置２００に関する異常状態等のエラーを発見することができる。連続不正放出カウント値の加算処理を終えると、主制御ＣＰＵ７２は次にステップＳ９７５５に進む。
【０６７１】
ステップＳ９７５５：主制御ＣＰＵ７２は、中間事象カウント値を０にリセットする。ここで、遊技球が球振り分け装置２００の流入口２０２から流入せず放出口から放出される事象が発生し（中間事象カウント値が負の値）、その後、遊技球が流入口２０２から流入することにより中間事象の発生の場合を想定する。もし、中間事象カウント値をリセットする処理を実行しない場合、中間事象カウント値は１加算しても０になってしまう。したがって、現在中間事象が発生している数、すなわち、現在球振り分け装置２００内を流下している遊技球の数を正確にカウントするため、中間事象カウント値を０にリセットする。中間事象カウント値のリセット処理を終えると、主制御ＣＰＵ７２は次にステップＳ９７６１に進む。
【０６７２】
ステップＳ９７６１：主制御ＣＰＵ７２は最大連続不正放出値を参照し、参照した値と連続不正放出カウント値とを比較する。最大連続不正放出値は、ＲＯＭ７４の記憶領域に予め記憶されており、球振り分け装置２００に関する異常状態等のエラーが発生したか否かを判定する基準値（判定値）を表す。具体的には、遊技球が球振り分け装置２００の流入口２０２から流入せず放出口から放出される事象が連続して発生した回数として、許容できる上限の回数値を表す。この処理で、連続不正放出カウント値が最大連続不正放出値以上である場合（Ｙｅｓ）、球振り分け装置２００に関する異常状態等のエラーが発生したと判定することができる。例えば、連続不正放出値が「５」であって、遊技球が流入口２０２から流入せず放出口から放出される事象が連続して５回発生した（連続不正放出カウント値が５）場合、球振り分け装置２００に関する異常状態等のエラーが発生したと判定することができる。なお、連続不正放出カウント値が最大連続不正放出値以上である場合（Ｙｅｓ）、球振り分け装置２００内において遊技球が停留している状態、もしくは、球振り分け装置２００の流入口に遊技球が流入しないような不正行為が行われた状態、といった異常状態等のエラーが発生したと判定することができる。連続不正放出カウント値が最大連続不正放出値以上である場合（Ｙｅｓ）、主制御ＣＰＵ７２は次にステップＳ９７６３に進む。一方、連続不正放出カウント値が最大連続不正放出値以上ではない場合（Ｎｏ）、球振り分け装置２００に関する異常状態等のエラー（異常）が検出されなかったとして、主制御ＣＰＵ７２は次にステップＳ９８０１に進む。
【０６７３】
ステップＳ９７６３：主制御ＣＰＵ７２は、球振り分け装置２００に関する異常状態等のエラー（異常）が検出されたと判定したことから、球振り分けエラーフラグをセットする（値を０４Ｈにする）。球振り分けエラーフラグについては、第１実施形態と同様に、球振り分け装置２００の状態を表す。なお、この球振り分けエラーフラグが０４Ｈである場合、流入口以外から遊技球が球振り分け装置２００に不正に所定個数流入する状態を表す。球振り分けエラーフラグのセット処理を終えると、主制御ＣＰＵ７２は次にステップＳ９８８１に進む。なお、ステップＳ９８８１においては、主制御ＣＰＵ７２により、球振り分けエラー報知指示処理が実行される。この球振り分けエラー報知指示処理については、第１実施形態と同一なため省略する。以上の手順を終えると、主制御ＣＰＵ７２は割込管理処理に復帰する。
【０６７４】
以上説明したように、第４実施形態によれば、球振り分け装置２００内に備えられた流入口スイッチによる流入口検出信号及び各放出口スイッチによる放出口検出信号に基づき、球振り分け装置２００に関する異常状態等のエラーの判定ができる。また、中間事象に関する中間事象カウント値、中間事象タイマ値、又は、連続不正放出カウント値をそれぞれカウントすることによって、球振り分け装置２００に関する異常状態等のエラーについてさらに詳細に判定することができる。これにより、球振り分け装置２００に関する異常状態等のエラーの判定における判定結果の信頼性をさらに高めることができる。
【０６７５】
本発明は上述した一実施形態に制約されることなく、種々に変形して実施することができる。一実施形態で挙げた演出の態様は例示であり、上述した演出の態様に限定されるものではない。
【０６７６】
一実施形態では、球振り分け装置２００を転動ステージ４０ｅと別体にして配置した例を挙げているが、例えば転動ステージ４０ｅ（いわゆるステージ役物）に球振り分け装置２００が一体に組み込まれていてもよい。この場合、例えば転動ステージ４０ｅの中央奧位置に流入口２０２を形成し、転動ステージ４０ｅを転動する遊技球が無作為に流入口２０２に入り込むと、転動ステージ４０ｅと一体の球振り分け装置２００の内部で一実施形態と同様の振り分け動作が行われ、第１放出口２０４又は第２放出口２０３から遊技領域８ａ内に放出されることとしてもよい。そして放出された遊技球は、無作為に右始動入賞口２６又は可変始動入賞装置２８（左始動入賞口２８ａ）に入賞することができる。
【０６７７】
その他の演出例であげた画像はあくまで一例であり、これらは適宜に変形することができる。また、パチンコ機１の構造や盤面構成、具体的な設定値等は図示のものも含めて好ましい例示であり、これらを適宜に変形可能であることはいうまでもない。
【符号の説明】
【０６７８】
１    パチンコ機
８    遊技盤
８ａ  遊技領域
２０    始動ゲート
２６    右始動入賞口
２８    可変始動入賞装置
２８ａ  左始動入賞口
３３    普通図柄表示装置
３３ａ  普通図柄作動記憶ランプ
３４    第１特別図柄表示装置
３５    第２特別図柄表示装置
３４ａ  第１特別図柄作動記憶ランプ
３５ａ  第２特別図柄作動記憶ランプ
３８    遊技状態表示装置
４２    液晶表示器
７０    主制御装置
７２    主制御ＣＰＵ
７４    ＲＯＭ
７６    ＲＡＭ
１２４    演出制御装置
１２６    演出制御ＣＰＵ
２００    球振り分け装置
２０１    振分誘導路
２０５    回転体
２０３    第２放出口
２０４    第１放出口
２０８，２０９  整流誘導路
【図１】
0005812767.tif 000002
【図２】
0005812767.tif 000003
【図３】
0005812767.tif 000004
【図４】
0005812767.tif 000005
【図５】
0005812767.tif 000006
【図６】
0005812767.tif 000007
【図７】
0005812767.tif 000008
【図８】
0005812767.tif 000009
【図９】
0005812767.tif 000010
【図１０】
0005812767.tif 000011
【図１１】
0005812767.tif 000012
【図１２】
0005812767.tif 000013
【図１３】
0005812767.tif 000014
【図１４】
0005812767.tif 000015
【図１５】
0005812767.tif 000016
【図１６】
0005812767.tif 000017
【図１７】
0005812767.tif 000018
【図１８】
0005812767.tif 000019
【図１９】
0005812767.tif 000020
【図２０】
0005812767.tif 000021
【図２１】
0005812767.tif 000022
【図２２】
0005812767.tif 000023
【図２３】
0005812767.tif 000024
【図２４】
0005812767.tif 000025
【図２５】
0005812767.tif 000026
【図２６】
0005812767.tif 000027
【図２７】
0005812767.tif 000028
【図２８】
0005812767.tif 000029
【図２９】
0005812767.tif 000030
【図３０】
0005812767.tif 000031
【図３１】
0005812767.tif 000032
【図３２】
0005812767.tif 000033
【図３３】
0005812767.tif 000034
【図３４】
0005812767.tif 000035
【図３５】
0005812767.tif 000036
【図３６】
0005812767.tif 000037
【図３７】
0005812767.tif 000038
【図３８】
0005812767.tif 000039
【図３９】
0005812767.tif 000040
【図４０】
0005812767.tif 000041
【図４１】
0005812767.tif 000042
【図４２】
0005812767.tif 000043
【図４３】
0005812767.tif 000044
【図４４】
0005812767.tif 000045
【図４５】
0005812767.tif 000046
【図４６】
0005812767.tif 000047
【図４７】
0005812767.tif 000048
【図４８】
0005812767.tif 000049
【図４９】
0005812767.tif 000050
【図５０】
0005812767.tif 000051
【図５１】
0005812767.tif 000052
【図５２】
0005812767.tif 000053
【図５３】
0005812767.tif 000054
【図５４】
0005812767.tif 000055
【図５５】
0005812767.tif 000056
【図５６】
0005812767.tif 000057
【図５７】
0005812767.tif 000058
【図５８】
0005812767.tif 000059
【図５９】
0005812767.tif 000060
【図６０】
0005812767.tif 000061
【図６１】
0005812767.tif 000062
【図６２】
0005812767.tif 000063